(57)【要約】【課題】十分な遊技領域を確保しながら側部ユニットのデザイン性、意匠性を容易に確保できるようにする。【解決手段】遊技機本体３０１，３０２の前面に、遊技領域３２３の側部から前側に突出する側部ユニット８５０を備えている。側部ユニット８５０は右側突出部８５１を備え、この右側突出部８５１は前側の左右幅８５１ａが後側の左右幅８５１ｂよりも大である。右側突出部８５１の遊技領域３２３側の内壁８５６は、前側が後側よりも内側に突出する。【選択図】図１６５
2020032282.tif 000002
【特許請求の範囲】
【請求項１】
遊技領域を視認可能な視認窓が形成された前扉体を開閉可能に備え、
前記前扉体は、所定部品が装着される前扉ベース体を有し、
前記遊技領域の側方側に位置し且つ前記前扉ベース体から前側に向けて突出する側部ユニットを備え、
前記側部ユニットは、内側発光部を有し且つ正面視において前記遊技領域側に位置する内側部と、前記内側部に対して前記遊技領域と反対側に位置する外側部と、を有する
遊技機において、
前記側部ユニットは、前側部の幅が前記前扉ベース体に装着される後側部の幅よりも大であり、
前記内側部は、正面視において前記遊技領域側に張り出す前側位置と、正面視において前記遊技領域よりも外側の後側位置との間で傾斜状に配置された前記内側発光部へと光を導光する内側導光手段を有する
ことを特徴とする遊技機。
【発明の詳細な説明】
【技術分野】
【０００１】
本発明は、パチンコ機、アレンジボール機、スロットマシン等の遊技機に関するものである。
【背景技術】
【０００２】
パチンコ機は、島設備に装着可能な外枠と、この外枠の前側に開閉可能に装着され且つ遊技盤が装着された前枠と、前枠の前側に開閉可能に装着され且つ遊技盤の遊技領域を視認可能な視認窓を有する前扉とを備え、その前扉の前面側に、遊技領域の側部から前側に突出する表示ユニット等の側部ユニットを備えたものがある（特許文献１）。
この側部ユニットは、縦長状突出部の左右両側面が略平行状であり、その平行な内外両側面に適宜装飾パネルを配置する構造になっている。
【先行技術文献】
【特許文献】
【０００３】
【特許文献１】特開２０１５−１９２８９９号
【発明の概要】
【発明が解決しようとする課題】
【０００４】
この種の側部ユニットを備えたパチンコ機は、前扉の前面を装飾面、表示面とする一般的なパチンコ機に比較して、側部ユニットの左右両側面から前面までを装飾面、表示面として活用することができる。
しかし、従来の側部ユニットは、装飾面、表示面が拡大するものの、縦長状突出部の上部と下部、前部と後部の左右幅が略同一の偏平形状であるため、側部ユニット全体として短調で薄っぺらな印象を免れず、変化に富んでデザイン性、意匠性に優れた造形物を構成できない欠点がある。
また近年のパネルでは、遊技領域を大きくする傾向にあり、それに応じて遊技領域の左右両側部分での前扉の左右幅は益々狭くなりつつある。そのため側部ユニットの前側の幅を大にして変化に富んだ造形物を構成するには、遊技領域を狭くする必要がある等、遊技領域の拡大化に反する結果となる。
本発明は、このような従来の問題点に鑑み、十分な遊技領域を確保しながら側部ユニットの前側の幅を大にできる遊技機を提供することを目的とする。
【課題を解決するための手段】
【０００５】
本発明は、遊技領域を視認可能な視認窓が形成された前扉体を開閉可能に備え、前記前扉体は、所定部品が装着される前扉ベース体を有し、前記遊技領域の側方側に位置し且つ前記前扉ベース体から前側に向けて突出する側部ユニットを備え、前記側部ユニットは、内側発光部を有し且つ正面視において前記遊技領域側に位置する内側部と、前記内側部に対して前記遊技領域と反対側に位置する外側部と、を有する遊技機において、前記側部ユニットは、前側部の幅が前記前扉ベース体に装着される後側部の幅よりも大であり、前記内側部は、正面視において前記遊技領域側に張り出す前側位置と、正面視において前記遊技領域よりも外側の後側位置との間で傾斜状に配置された前記内側発光部へと光を導光する内側導光手段を有するものである。
【発明の効果】
【０００６】
本発明によれば、十分な遊技領域を確保しながら側部ユニットのデザイン性、意匠性を容易に確保できる利点がある。
【図面の簡単な説明】
【０００７】
【図１】本発明の第１の実施形態に係るパチンコ機の全体正面図である。
【図２】同パチンコ機の分解斜視図である。
【図３】同パチンコ機の遊技盤の正面図である。
【図４】同パチンコ機の遊技盤の平面断面図である。
【図５】同パチンコ機の遊技盤の斜視図である。
【図６】同パチンコ機の遊技盤前部の分解斜視図である。
【図７】同パチンコ機の遊技盤後部の正面図である。
【図８】同パチンコ機の遊技盤後部の分解斜視図である。
【図９】同パチンコ機の画像表示領域の説明図である。
【図１０】同パチンコ機の画像表示領域の説明図である。
【図１１】同パチンコ機の制御系のブロック図である。
【図１２】同パチンコ機の遊技状態毎の普通図柄の当たり確率及び変動時間、第２特別図柄始動手段の開閉パターンを示す図である。
【図１３】同パチンコ機の第１，第２特別図柄についての大当たり判定及び外れ判定の場合の大当たり判定乱数値、大当たり図柄乱数値、大当たり状態及び特別遊技状態の対応関係の一例を示す図である。
【図１４】同パチンコ機の演出図柄の一例を示す図である。
【図１５】同パチンコ機の保留台座画像、保留表示画像及び変動中保留画像の一例を示す図である。
【図１６】同パチンコ機の左打ち誘導画像及び右打ち誘導画像の一例を示す図である。
【図１７】同パチンコ機のエラー報知画像の一例を示す図である。
【図１８】同パチンコ機の音量調整可能報知画像及び光量調整可能報知画像の一例を示す図である。
【図１９】同パチンコ機の音量設定画像及び光量設定画像の一例を示す図である。
【図２０】同パチンコ機の客待ち演出処理のフローチャートを示す図である。
【図２１】同パチンコ機のメニュー管理処理のフローチャートを示す図である。
【図２２】同パチンコ機の演出ボタン押下時処理のフローチャートを示す図である。
【図２３】同パチンコ機の上キー（下キー）押下時処理のフローチャートを示す図である。
【図２４】同パチンコ機のメニュー表示可能報知画像の一例を示す図である。
【図２５】同パチンコ機のメニュー画像及びメニュー操作報知画像の一例を示す図である。
【図２６】同パチンコ機の下位メニュー画像の一例を示す図である。
【図２７】同パチンコ機の下位メニューが存在しない選択項目を選択した場合の表示例を示す図である。
【図２８】同パチンコ機の各モード時の可動体の配置を示す図である。
【図２９】同パチンコ機の節電モード報知画像の一例を示す図である。
【図３０】同パチンコ機の客待ち状態中の画像表示例（ａ）及び各画像と表示画面上の領域との対応関係（ｂ）を示す図である。
【図３１】同パチンコ機のメニュー表示時の画像表示例（ａ）及び各画像と表示画面上の領域との対応関係（ｂ）を示す図である。
【図３２】同パチンコ機の通常変動中の画像表示例（ａ）及び各画像と表示画面上の領域との対応関係（ｂ）を示す図である。
【図３３】同パチンコ機のリーチ変動中の画像表示例（ａ）及び各画像と表示画面上の領域との対応関係（ｂ）を示す図である。
【図３４】同パチンコ機のステップアップ予告演出中の画像表示例（ａ）及び各画像と表示画面上の領域との対応関係（ｂ）を示す図である。
【図３５】同パチンコ機のボタン会話予告演出の画像表示例（ａ）及び各画像と表示画面上の領域との対応関係（ｂ）を示す図である。
【図３６】同パチンコ機のボタン会話予告演出における演出ボタン操作時の画像表示例（ａ）及び各画像と表示画面上の領域との対応関係（ｂ）を示す図である。
【図３７】同パチンコ機のミニキャラ予告演出における第１段階の画像表示例（ａ）及び各画像と表示画面上の領域との対応関係（ｂ）を示す図である。
【図３８】同パチンコ機のミニキャラ予告演出における第２段階の画像表示例（ａ）及び各画像と表示画面上の領域との対応関係（ｂ）を示す図である。
【図３９】本発明の第２の実施形態に係るパチンコ機の遊技盤の正面図である。
【図４０】同パチンコ機の遊技盤の平面断面図である。
【図４１】同パチンコ機の傾斜可動演出手段の平面図（ａ）及び正面図（ｂ）である。
【図４２】同パチンコ機の昇降可動演出手段の平面図（ａ）及び正面図（ｂ）である。
【図４３】同パチンコ機の可動体の動作パターンを示す図である。
【図４４】同パチンコ機の制御系のブロック図である。
【図４５】同パチンコ機の画像変形処理の概念ブロック図である。
【図４６】同パチンコ機の画像回転処理のフローチャートを示す図である。
【図４７】同パチンコ機の画像回転処理の説明図である。
【図４８】同パチンコ機の傾け予告演出の実行時における可動体及び表示画像の変化を示す図である。
【図４９】同パチンコ機の傾け予告演出の実行時における各画像の表示優先度及び変形情報の一例を示す図である。
【図５０】同パチンコ機で傾け予告演出の実行中に扉開放エラー又は音量変更操作があった場合の表示画像の変化を示す図である。
【図５１】同パチンコ機の傾け降下予告演出の実行時における各画像の表示優先度及び変形情報の一例を示す図である。
【図５２】同パチンコ機の傾け降下予告演出の実行時における各画像の表示優先度及び変形情報の一例を示す図である。
【図５３】同パチンコ機で傾け予告演出を図柄変動開始時に実行する場合の可動体及び表示画像の変化を示す図である。
【図５４】同パチンコ機で傾け予告演出を図柄変動開始時に実行する場合の各画像の表示優先度及び変形情報の一例を示す図である。
【図５５】同パチンコ機で傾け予告演出を図柄変動開始時に実行する場合の可動体及び各画像の動作履歴の一例を示す図である。
【図５６】同パチンコ機で傾け降下予告演出を図柄変動開始時に実行する場合の可動体及び表示画像の変化を示す図である。
【図５７】同パチンコ機で傾け降下予告演出を図柄変動開始時に実行する場合の各画像の表示優先度及び変形情報の一例を示す図である。
【図５８】同パチンコ機で傾け降下予告演出を図柄変動開始時に実行する場合の可動体及び各画像の動作履歴の一例を示す図である。
【図５９】同パチンコ機で客待ち状態中に傾斜演出を行った場合の可動体及び表示画像（ａ）、画像表示手段に表示される各画像の表示優先度及び変形情報（ｂ）、サブ画像表示手段に表示される各画像の表示優先度及び変形情報（ｃ）を示す図である。
【図６０】同パチンコ機で傾斜演出の実行中にメニュー表示操作を行った場合の可動体及び表示画像（ａ）、画像表示手段に表示される各画像の表示優先度及び変形情報（ｂ）、サブ画像表示手段に表示される各画像の表示優先度及び変形情報（ｃ）を示す図である。
【図６１】本発明の第３の実施形態に係るパチンコ機の全体正面図である。
【図６２】同パチンコ機の分解斜視図である。
【図６３】同パチンコ機の背面側の斜視図である。
【図６４】同パチンコ機の背面図である。
【図６５】同前枠及び遊技盤を含む部分の平面断面図である。
【図６６】同前枠、遊技盤及びジョイント部を含む部分の平面断面図である。
【図６７】同前枠及び遊技盤を含む上部側の縦断面図である。
【図６８】同前枠及び遊技盤を含む下部側の縦断面図である。
【図６９】同前枠の下装着部側の正面図である。
【図７０】同遊技盤の正面図である。
【図７１】同遊技盤の背面図である。
【図７２】同遊技盤の背面側の斜視図である。
【図７３】同前枠、遊技盤及び可動演出手段を含む部分の平面断面図である。
【図７４】同取り付け枠、可動演出手段を含む部分の正面図である。
【図７５】同可動演出手段の分解斜視図である。
【図７６】同遊技盤の分解斜視図である。
【図７７】同中央表示枠の分解斜視図である。
【図７８】同遊技盤のステージ部分の正面図である。
【図７９】同中央表示枠の平面断面図である。
【図８０】同中央表示枠の縦断面図である。
【図８１】同取り付け枠及びハーネス受け台の分解斜視図である。
【図８２】同取り付け枠及びハーネス受け台の背面図である。
【図８３】同遊技盤及び主制御基板ケースを含む部分の平面断面図である。
【図８４】同遊技盤及びハーネス受け台を含む部分の平面断面図である。
【図８５】同画像表示手段の断面図である。
【図８６】同画像表示手段の背面図である。
【図８７】同遊技盤の装着過程の説明図である。
【図８８】同画像表示手段の表示領域の説明図である。
【図８９】同画像表示手段の装着過程の説明図である。
【図９０】本発明の第４の実施形態に係る遊技盤の背面図である。
【図９１】同遊技盤の背面側の斜視図である。
【図９２】同遊技盤の背面側の斜視図である。
【図９３】同取り付け枠と側部基板取り付け台の分解斜視図である。
【図９４】同遊技盤、画像表示手段及び演出制御基板ケースを含む部分の縦断面図である。
【図９５】同遊技盤、画像表示手段及び側部基板取り付け台を含む部分の縦断面図である。
【図９６】同遊技盤及び上側の案内レールを含む部分の横断面図である。
【図９７】同遊技盤及び画像表示手段を含む部分の横断面図である。
【図９８】同遊技盤、画像表示手段及び演出制御基板ケースを含む部分の横断面図である。
【図９９】同画像表示手段の横断面図である。
【図１００】同画像表示手段の斜視図である。
【図１０１】同ハーネス受け台部分の横断面図である。
【図１０２】同ハーネス受け台部分の背面図である。
【図１０３】同ハーネス用の止め具の取り付け状態の断面図である。
【図１０４】同表示手段装着部の要部の横断面図である。
【図１０５】同押し込み手段の横断面図である。
【図１０６】同取り付け枠及び画像表示手段の背面図である。
【図１０７】同画像表示手段の装着過程の説明図である。
【図１０８】本発明の第５の実施形態に係るパチンコ機の正面図である。
【図１０９】同パチンコ機の一部破断側面図である。
【図１１０】同パチンコ機の分解斜視図である。
【図１１１】同パチンコ機の正面図である。
【図１１２】同前扉の背面側の斜視図である。
【図１１３】同前扉の背面図である。
【図１１４】同外枠の要部の拡大断面図である。
【図１１５】同外枠の別の拡大断面図である。
【図１１６】同前扉の分解斜視図である。
【図１１７】同前扉下部の平面断面図である。
【図１１８】同前扉の施錠部分の背面側の斜視図である。
【図１１９】同前扉の施錠部分の背面図である。
【図１２０】同前扉の施錠部分の断面図である。
【図１２１】同側部ユニットの上突出部の平面断面図である。
【図１２２】同側部ユニットの正面断面図である。
【図１２３】同側部ユニットの正面断面図である。
【図１２４】同側部ユニットの平面断面図である。
【図１２５】同スピーカの断面図である。
【図１２６】同第２側部ユニットの正面図である。
【図１２７】同第２側部ユニットの側面図である。
【図１２８】同第２側部ユニットの背面図である。
【図１２９】同発光装飾部の正面断面図である。
【図１３０】同発光装飾部の正面断面図である。
【図１３１】同発光装飾部の平面断面図である。
【図１３２】同第２側部ユニットの送風部の正面断面図である。
【図１３３】同第２側部ユニットの送風部の側面断面図である。
【図１３４】同第２側部ユニットの送風部の平面断面図である。
【図１３５】同第２側部ユニットの位置決め手段の断面図である。
【図１３６】同第２側部ユニットの係止手段の断面図である。
【図１３７】同第２側部ユニットの係止手段の断面図である。
【図１３８】同第２側部ユニットの係止手段の断面図である。
【図１３９】同第２側部ユニットの固定手段の断面図である。
【図１４０】同第２側部ユニットの固定手段の断面図である。
【図１４１】同前扉の上部の背面図である。
【図１４２】同前枠及び前扉の拡大断面図である。
【図１４３】同前張り出しユニットの一部破断平面図である。
【図１４４】同パチンコ機の起立状態の説明図である。
【図１４５】同操作演出手段側の一部破断側面図である。
【図１４６】同操作演出手段側の側面断面図である。
【図１４７】同操作演出手段側の正面断面図である。
【図１４８】同操作演出手段側の平面断面図である。
【図１４９】同前張り出しユニットの分解斜視図である。
【図１５０】同操作演出手段の分解斜視図である。
【図１５１】同操作演出手段の分解斜視図である。
【図１５２】同操作演出手段の分解斜視図である。
【図１５３】同操作演出手段の分解斜視図である。
【図１５４】同駆動部分の正面断面図である。
【図１５５】同駆動部分の側面断面図である。
【図１５６】同操作演出手段の分解斜視図である。
【図１５７】同緩衝手段の拡大断面図である。
【図１５８】同映り込み状態の説明図である。
【図１５９】本発明の第６の実施形態に係るパチンコ機の一部破断側面図である。
【図１６０】本発明の第７の実施形態に係るパチンコ機の一部破断側面図である。
【図１６１】本発明の第８の実施形態に係るパチンコ機の正面図である。
【図１６２】同第２側部ユニットの正面図である。
【図１６３】同第２側部ユニットの背面図である。
【図１６４】同前枠及び第２側部ユニットの平面断面図である。
【図１６５】同第２側部ユニットの右側突出部の平面断面図である。
【図１６６】同第２側部ユニットの右側突出部の一部破断左側面図である。
【図１６７】同振動式演出手段の正面断面図である。
【図１６８】同振動式演出手段の平面断面図である。
【図１６９】同振動式演出手段の緩衝手段側の正面断面図である。
【図１７０】同振動式演出手段の右側面図である。
【図１７１】同第２側部ユニットの右側面図である。
【図１７２】同第２側部ユニット等の側面断面図である。
【図１７３】同第２側部ユニットの上側突出部の側面断面図である。
【図１７４】同第２側部ユニットの上側突出部の正面断面図である。
【図１７５】同（ａ）は平面説明図、（ｂ）は側面説明図である。
【図１７６】同導光部の説明図である。
【図１７７】同導光部の反射状態の説明図である。
【図１７８】本発明の第９の実施形態に係る第２側部ユニットの平面断面図である。
【図１７９】本発明の第１０の実施形態に係る第２側部ユニットの平面断面図である。
【図１８０】本発明の第１１の実施形態に係る第２側部ユニットの説明図である。
【図１８１】同ブロック図である。
【図１８２】同機種情報の説明図である。
【図１８３】同レイヤの説明図である。
【発明を実施するための最良の形態】
【０００８】
以下、発明の実施形態を図面に基づいて詳述する。図１〜図３８は本発明をパチンコ機に採用した第１の実施形態を例示している。図１及び図２において、遊技機本体１は、外枠２と、この外枠２の前側に配置された前枠３とを備えている。前枠３は、左右方向一端側、例えば左端側に配置された上下方向の第１ヒンジ４を介して外枠２に開閉自在及び着脱自在に枢着されており、左右方向における第１ヒンジ４と反対側、例えば右端側に設けられた施錠手段５によって外枠２に対して閉状態で施錠可能となっている。
【０００９】
前枠３は、本体枠６と、その本体枠６の前側に配置されたガラス扉７とを備えている。ガラス扉７は、左右方向一端側、例えば左端側に配置された上下方向の第２ヒンジ８を介して本体枠６に開閉自在及び着脱自在に枢着されており、施錠手段５によって本体枠６に対して閉状態で施錠可能となっている。なお、第１ヒンジ４と第２ヒンジ８とは同一軸心となるように配置されている。
【００１０】
外枠２は、図２に示すように左右一対の縦枠材２ａ，２ｂと、上下一対の横枠材２ｃ，２ｄとで矩形状に形成されている。外枠２の前側下部には、合成樹脂製の前カバー部材９が、下横枠材２ｄの前縁に沿って左右の縦枠材２ａ，２ｂの前側下部を連結するように装着されている。前カバー部材９は、左右の縦枠材２ａ，２ｂよりも前側に突出しており、その上側に本体枠６が配置されている。また、外枠２には、第１ヒンジ４を構成する外枠上ヒンジ金具１１が左上部に、同じく外枠下ヒンジ金具１２が左下部における前カバー部材９の上側に夫々配置されている。
【００１１】
本体枠６は合成樹脂製で、前カバー部材９の上側で外枠２の前縁側に略当接可能な矩形状の枠部１３と、この枠部１３内の上部側に設けられた遊技盤装着部１４と、枠部１３内の下部側に設けられた下部装着部１５とを一体に備えている。遊技盤装着部１４には、遊技盤１６が前側から着脱自在に装着され、下部装着部１５には、その前側に発射手段１７、下部スピーカ１８等が配置されている。また、本体枠６には、第１ヒンジ４を構成する本体枠上ヒンジ金具１９と第２ヒンジ８を構成する本体枠上ヒンジ金具２０とが左上部に、第１，第２ヒンジ４，８を構成する本体枠下ヒンジ金具２１が左下部に夫々配置されている。
【００１２】
ガラス扉７は、本体枠６の前面側に対応する矩形状に形成された樹脂製の扉ベース２２を備えている。この扉ベース２２には、遊技盤１６に形成された遊技領域２３の前側に対応してガラス窓２４の窓孔２４ａが形成されると共に、窓孔２４ａの周囲に複数（ここでは４つ）の上部スピーカ２５、送風演出装置２６等の演出手段が配置され、それら上部スピーカ２５等を前側から略覆う上装飾カバー２７が装着されている。
【００１３】
また、扉ベース２２の下部前側には、本体枠６の後側に配置された払い出し手段２８から払い出された遊技球を貯留して発射手段１７に供給する上皿３０、その上皿３０が満杯のときの余剰球等を貯留する下皿３１、発射手段１７を作動させるために操作する発射ハンドル３２等が配置され、更に上皿３０、下皿３１等を前側から略覆う下装飾カバー３３が装着されている。下装飾カバー３３は、前向きの膨出状に形成されており、その上部側に、遊技者が押下操作可能な演出ボタン３４、十字操作手段３５等の操作手段が設けられている。十字操作手段３５は、後側の上キー３５ａ、前側の下キー３５ｂ、左側の左キー３５ｃ、右側の右キー３５ｄの４つの操作部を備えている。
【００１４】
扉ベース２２の背面側には、窓孔２４ａを後側から略塞ぐようにガラスユニット３６が着脱自在に装着されると共に、第１，第２ヒンジ４，８側の縁部に沿って配置される上下方向のヒンジ端側補強板金３７と、開閉端側の縁部に沿って配置される上下方向の開閉端側補強板金３８と、窓孔２４ａの下側に配置される左右方向の下部補強板金３９とがねじ止め等により着脱自在に固定されている。また、扉ベース２２には、第２ヒンジ８を構成するガラス扉上ヒンジ金具４０が左上部に、同じくガラス扉下ヒンジ金具４１が左下部に夫々配置されている。
【００１５】
また、下部補強板金３９の背面側には、球送りユニット４２、下皿案内ユニット４３等が装着されている。球送りユニット４２は、上皿３０内の遊技球を１個ずつ発射手段１７に供給するためのもので、発射手段１７の前側に対応して配置されている。下皿案内ユニット４３は、上皿３０が満杯となったときの余剰球、及び発射手段１７により発射されたにも拘わらず遊技領域２３に達することなく戻ってきたファール球を下皿３１に案内するためのもので、球送りユニット４２に隣接してその第１，第２ヒンジ４，８側に配置されている。
【００１６】
図３〜図６等に示すように、遊技盤１６はベニヤ板等の非透光性材料で形成されたベース板４５を備え、そのベース板４５の前側に、発射手段１７から発射された遊技球を案内するガイドレール４６が環状に装着されると共に、そのガイドレール４６の内側の遊技領域２３に、中央表示枠ユニット４７、始動入賞ユニット４８、大入賞ユニット４９、普通入賞ユニット５０等の遊技部品の他、多数の遊技釘（図示省略）が配置されている。
【００１７】
また、それら複数のユニット部品４７〜５０上に、普通図柄表示手段５１、普通保留個数表示手段５２、第１特別図柄表示手段５３、第２特別図柄表示手段５４等の各種表示手段の他、普通図柄始動手段５５、第１特別図柄始動手段５６、第２特別図柄始動手段５７、大入賞手段５８、複数の普通入賞手段５９等が設けられている。また、ベース板４５の後側には、図５，図７，図８等に示すように、液晶表示手段よりなる画像表示手段６０が裏取付ベース６１を介して装着されている。
【００１８】
ベース板４５は、図６等に示すように正面視略矩形状に形成されると共に、中央表示枠ユニット４７、始動入賞ユニット４８、大入賞ユニット４９、普通入賞ユニット５０等を装着するための複数、例えば３つの装着孔６２〜６４、アウト口６５等が前後方向貫通状に形成されている。装着孔６２は、中央表示枠ユニット４７を装着するためのもので、遊技領域２３内における下部側等の一部の領域を除く範囲に対応して設けられている。また、装着孔６３，６４は夫々始動入賞ユニット４８、普通入賞ユニット５０を装着するためのもので、遊技領域２３の中央下部及び左下部に夫々他の装着孔から独立して設けられている。
【００１９】
裏取付ベース６１は、図４，図５，図７，図８等に示すように、ベース板４５と略平行に形成され且つその略中央に矩形状の開口部６６ａが形成された背壁部６６と、その背壁部６６の外縁部からベース板４５の背面まで前向きに延設された周壁部６７と、その周壁部６７の前縁部からベース板４５の背面に沿って突設され且つ固定ねじ等によりベース板４５に固定される固定部６８とを一体に備えており、背壁部６６の背面側に、縦長状の画像表示手段６０が収容ケース６９に収容された状態で着脱自在に固定されている。
【００２０】
収容ケース６９は、前面側が開放した扁平箱形に形成されている。画像表示手段６０は、表示画面６０ａを前側に向けた状態で収容ケース６９に対して前側から嵌め込まれ、ねじ止め等により固定されている。収容ケース６９は、下端部前側から下向きに突設された下固定部６９ａと、上端部前側から上向きに突設された上固定部６９ｂとを一体に備え、下固定部６９ａを背壁部６６側の凹部（図示省略）に嵌め込んだ状態で、上固定部６９ｂを背壁部６６にねじ止めすることにより、画像表示手段６０の外周部前面側が背壁部６６の背面側に当接又は近接した状態で裏取付ベース６１の背面側に着脱自在に固定されている。
【００２１】
なお、本実施形態では、画像表示手段６０の表示画面６０ａ全体が、画像を表示可能な全画面領域Ａとなっており（図９（ａ）参照）、裏取付ベース６１の背壁部６６の一部分（以下、窓枠部７４という）が、全画面領域Ａの外周側の略一定幅の領域に対応してその前側に当接又は近接している。以下、全画面領域Ａのうち、窓枠部（遊技部材）７４の後側に対応する部分を第１固定隠蔽領域Ｂ１という（図９（ｂ）参照）。なお、本実施形態では窓枠部７４が透明であり、全画面領域Ａに表示された画像のうち、第１固定隠蔽領域Ｂ１に表示された部分についても窓枠部７４を介してその前側から視認可能となっている。
【００２２】
ここで「隠蔽領域」とは、画像表示手段６０の表示画面６０ａのうち、その前側に何らかの部材が存在することにより、正面視、即ち遊技機の前側から見たときにその部材の後側に重なってしまう領域をいう。従って、前側の部材が不透明であれば、隠蔽領域に表示された画像は正面視では視認することができない。第１固定隠蔽領域Ｂ１は「隠蔽領域」であるが、前側の窓枠部７４が透明であるため、他の部材が前側に存在しない限り、正面視でその表示画像を視認可能である。また、「隠蔽領域」であっても、その前側の部材との間に空間が存在すれば、前側の部材を避けるように視点をずらす（のぞき込む）ことによって表示画像を視認可能な場合もある。
【００２３】
また、裏取付ベース６１の前側には、１又は複数、例えば４つの可動演出手段７５〜７８が配置されている。第１可動演出手段７５は、図４，図７，図８等に示すように、第１可動体７５ａと、この第１可動体７５ａを上下方向に駆動する第１駆動手段７５ｂとを備えている。第１可動体７５ａは、画像表示手段６０の前側に横長状に配置され、その前面側には例えば任意の装飾（ここでは飛行機をモチーフにした立体装飾）が施されており、その左右両端側が、画像表示手段６０の左右両側に対応してその前側に配置された一対の第１駆動手段７５ｂ，７５ｂにより、第１駆動連結体７９，７９を介して夫々上下方向に移動可能な状態で支持されている。
【００２４】
第１駆動手段７５ｂは、縦長状の取付ベース８０を介して裏取付ベース６１に支持されており、画像表示手段６０の側縁に沿ってその上端側から下端側にかけて配置され且つ第１駆動連結体７９を上下方向に案内する細長円柱状の昇降ガイド８１と、その昇降ガイド８１の一端側、例えば下端側に対応してその近傍に配置される駆動プーリ８２ａと、昇降ガイド８１の他端側、例えば上端側に対応してその近傍に配置される従動プーリ８２ｂと、駆動プーリ８２ａを回転駆動するステッピングモータ等よりなる駆動源８３と、駆動プーリ８２ａと従動プーリ８２ｂとに巻き掛けられ且つその周上の所定箇所に第１駆動連結体７９が固定される無端状のギヤベルト８４とを備え、第１駆動連結体７９に、第１可動体７５ａの端部が前後方向の枢軸により回転可能に連結されている。
【００２５】
第１可動体７５ａは、この左右一対の第１駆動手段７５ｂ，７５ｂにより、略水平な状態を保ったまま、画像表示手段６０の上部前側の上部位置（図２８（ａ），（ｃ），（ｄ））と下部前側の下部位置（図２８（ｂ））との間で移動可能となっている。また、第１可動体７５ａは、その前端側が装着孔６２を介してベース板４５の前側に突出している（図４）。もちろん、第１可動体７５ａが斜めの状態で移動、停止する場合があってもよい。
【００２６】
第２可動演出手段７６は、図４，図７，図８等に示すように、第２可動体７６ａと、この第２可動体７６ａを上下方向に駆動する第２駆動手段７６ｂとを備えている。第２可動体７６ａは、画像表示手段６０の前側に横長状に配置され、その前面側には任意の装飾が施されており（図示省略）、左右両端側が、画像表示手段６０の左右両側に配置された一対の第２駆動手段７６ｂ，７６ｂにより、第２駆動連結体８５，８５を介して夫々上下方向に移動可能な状態で支持されている。
【００２７】
第２駆動手段７６ｂは、第１駆動手段７５ｂの後側で且つ裏取付ベース６１の前側に配置されており、画像表示手段６０の側縁に沿ってその下部側に配置され且つ第２駆動連結体８５を上下方向に案内する細長円柱状の昇降ガイド８６と、その昇降ガイド８６の一端側、例えば上端側に対応してその近傍に配置される駆動プーリ８７ａと、昇降ガイド８６の他端側、例えば下端側に対応してその近傍に配置される従動プーリ８７ｂと、駆動プーリ８７ａを回転駆動するステッピングモータ等よりなる駆動源８８と、駆動プーリ８７ａと従動プーリ８７ｂとに巻き掛けられ且つその周上の所定箇所に第２駆動連結体８５が固定される無端状のギヤベルト８９とを備え、第２駆動連結体８５に、第２可動体７６ａの端部が前後方向の枢軸により回転可能に連結されている。
【００２８】
第２可動体７６ａは、この左右一対の第２駆動手段７６ｂ，７６ｂにより、略水平な状態を保ったまま、画像表示手段６０の下部前側の下部位置（図２８（ａ），（ｂ））と上下方向中間部前側の上部位置（図２８（ｃ），（ｄ））との間で移動可能となっている。もちろん、第２可動体７６ａが斜めの状態で移動、停止する場合があってもよい。
【００２９】
なお、第１可動体７５ａと第２可動体７６ａとは互いの移動経路が正面視で一部重なっているが、第１可動体７５ａの移動経路は、第２可動体７６ａの移動経路に対して前側にずれているため、第１可動体７５ａと第２可動体７６ａとは互いに干渉することなく移動可能である。
【００３０】
第３可動演出手段７７と第４可動演出手段７８とは、図４，図７，図８等に示すように、画像表示手段６０の左側と右側とに対応して左右対称に配置されている。第３，第４可動演出手段７７，７８は、第３，第４可動体７７ａ，７８ａと、その第３，第４可動体７７ａ，７８ａを左右方向に駆動する第３，第４駆動手段７７ｂ，７８ｂとを備えている。第３，第４可動体７７ａ，７８ａは、夫々画像表示手段６０の左右の縁部に沿ってその前側に縦長状に配置され、前面側には任意の装飾が施されている（図示省略）。
【００３１】
第３，第４駆動手段７７ｂ，７８ｂは、ベース部９１に対してスライド部９２が左右方向にスライド動作可能な電磁スライドテーブルにより構成され、画像表示手段６０の側部に対応してその上下方向略中央に配置されており、ベース部９１が裏取付ベース６１の周壁部６７に固定され、スライド部９２の前側に第３，第４可動体７７ａ，７８ａが固定されている。第３，第４可動体７７ａ，７８ａは、夫々第３，第４駆動手段７７ｂ，７８ｂにより、画像表示手段６０に対して左右方向外側の外部位置（図２８（ａ）〜（ｃ））と、左右方向内側の内部位置（図２８（ｄ））との間で夫々移動可能となっている。
【００３２】
なお、第３可動体７７ａと第４可動体７８ａとは夫々の移動経路が左右に離間しているため、互いに干渉することはない。また、それら第３，第４可動体７７ａ，７８ａの移動経路は、第１可動体７５ａの移動経路の後側で且つ第２可動体７６ａの移動経路の前側にあるため、第３，第４可動体７７ａ，７８ａと第１，第２可動体７５ａ，７６ａとは互いに干渉することなく移動可能である。
【００３３】
また、全画面領域Ａのうち、第１〜第４可動体７５ａ〜７８ａの後側に対応する部分を可動隠蔽領域Ｃという（図１０（ｃ））。もちろん、第１〜第４可動体７５ａ〜７８ａは夫々複数の停止位置間で移動可能であるため、第１〜第４可動体７５ａ〜７８ａが移動すれば、それに伴って可動隠蔽領域Ｃも変化する。なお、可動隠蔽領域Ｃが存在しない場合があってもよい。全画面領域Ａに表示された画像のうち可動隠蔽領域Ｃに表示された部分については、正面からは少なくとも第１〜第４可動体７５ａ〜７８ａに遮られて視認できないが、第１〜第４可動体７５ａ〜７８ａは何れも画像表示手段６０に対して前側に離間しているため、視点をずらすことによって少なくともその一部分については前側から視認可能である。
【００３４】
以上のように、第１〜第４可動体７５ａ〜７８ａは画像表示手段６０とベース板４５との間に配置され、第１可動体７５ａの前端側の一部分のみが装着孔６２を介してベース板４５の前側に突出している。
【００３５】
また、画像表示手段６０は、全画面領域Ａの少なくとも一部分が、正面視でベース板４５の装着孔６２よりも外側にはみ出している。以下、全画面領域Ａのうち、ベース板（遊技部材）４５の後側に対応する部分（ここでは、装着孔６２以外の装着孔の後側に対応する部分を含む）を第２固定隠蔽領域Ｂ２という（図９（ｃ））。
【００３６】
なお、全画面領域Ａに表示された画像のうち、第２固定隠蔽領域Ｂ２に表示された部分については、正面からは少なくともベース板４５に遮られて視認できないが、画像表示手段６０はベース板４５よりも後側に配置されているため、視点をずらすことによって少なくともその一部分については前側から視認可能である。
【００３７】
ガイドレール４６は、遊技領域２３の外周側を取り囲むようにベース板４５の前面側に配置され、図３，図５，図８等に示すように３つの第１〜第３レール部材１０１〜１０３により形成されている。第１レール部材１０１は合成樹脂製で、ベース板４５の左縁部と上縁部とに沿ってその前面側に着脱自在に装着されており、その遊技領域２３側に形成された正面視略円弧状の側面が、ガイドレール４６の一部を構成する第１レール４６ａとなっている。
【００３８】
第２レール部材１０２は金属製で、遊技盤１６の左上部から左下部にかけて第１レール４６ａの内側に並行するように正面視略円弧状に配置され、ベース板４５の前面側に略一定幅で立設されており、ガイドレール４６の一部を構成する第２レール４６ｂを形成している。これら第１レール４６ａと第２レール４６ｂとで挟まれた部分が、発射手段１７によって発射された遊技球を遊技領域２３に案内する発射案内通路１０４となっている。
【００３９】
第３レール部材１０３は合成樹脂製で、第１レール部材１０１の右上部側端部と第２レール部材１０２の左下部側端部とを接続するように、ベース板４５の右縁部と下縁部とに沿ってその前面側に着脱自在に装着されており、その遊技領域２３側の側面が、ガイドレール４６の一部を構成する第３レール４６ｃとなっている。なお、第１レール部材１０１及び第３レール部材１０３は、レール長手方向に沿って複数に分割されていてもよい。
【００４０】
中央表示枠ユニット４７は、画像表示手段６０の表示枠を構成するもので、装着孔６２の内周に沿ってベース板４５の前側から着脱自在に装着されている。この中央表示枠ユニット４７は、図３〜図６等に示すように、ベース板４５の前面に沿って装着孔６２の外側に配置され且つその前側を遊技球が通過可能な前面装着板１０５と、画像表示手段６０の前側における左右両側から上部側にわたる正面視略門形状に配置され且つ前面装着板１０５の内周側で前向きに突設された装飾枠１０６と、その装飾枠１０６の左右の下端部間に配置されるステージ１０７とを備えている。発射手段１７により発射され、遊技領域２３の上部側に進入した遊技球は、装飾枠１０６の頂部で左右に振り分けられ、中央表示枠ユニット４７の左側の左流下経路１０８ａと右側の右流下経路１０８ｂとの何れかを流下する。
【００４１】
中央表示枠ユニット４７には、左流下経路１０８ａ側と右流下経路１０８ｂ側との少なくとも一方側、例えば左流下経路１０８ａ側に、遊技球が流入可能なワープ入口１０９が設けられている。ワープ入口１０９に流入した遊技球は、ステージ１０７上で左右方向に自由に転動した後、遊技領域２３の左右方向中央に対応して設けられた中央落下部１１０とそれ以外の部分との何れかから前側に落下する。
【００４２】
また、ステージ１０７の上側には、跳ね返り等による後側への遊技球の進入を阻止するための進入防止手段１１１が設けられている。進入防止手段１１１は、ステージ１０７の後側に沿ってベース板４５と平行に立設される第１進入防止板１１１ａと、その第１進入防止板１１１ａの上縁部から前向きに突設される第２進入防止板１１１ｂとを一体に備えている。なお、進入防止手段１１１はその全体が透明であり、前側からその進入防止手段１１１を介して後側を視認可能となっている。
【００４３】
また、中央表示枠ユニット４７は、図６等に示すように、ステージ１０７、ワープ入口１０９、進入防止手段１１１等を備えた第２ユニット４７ａとそれ以外の第１ユニット４７ｂとで構成されており、それら両ユニット４７ａ，４７ｂは予め連結した状態でベース板４５に対して装着、固定されている。もちろん、第１ユニット４７ｂと第２ユニット４７ａとを個別にベース板４５に装着可能に構成してもよい。
【００４４】
また、中央表示枠ユニット４７は、その少なくとも一部分が、画像表示手段６０の全画面領域Ａの前側に位置している。以下、全画面領域Ａのうち、第１ユニット（遊技部材）４７ｂの後側に対応する部分を第３固定隠蔽領域Ｂ３といい（図９（ｄ））、第２ユニット（遊技部材）４７ａの後側に対応する部分を第４固定隠蔽領域Ｂ４という（図１０（ａ））。また、第４固定隠蔽領域Ｂ４のうち、第２ユニット４７ａにおける透明部（ここでは進入防止手段１１１）の後側に対応する部分、即ち第２ユニット４７ａの後側に対応するが透明部を介して前側から視認可能な領域を透明隠蔽領域（第１透明表示領域）Ｂ４ａという。
【００４５】
なお、全画面領域Ａに表示された画像のうち、第３固定隠蔽領域Ｂ３，第４固定隠蔽領域Ｂ４に表示された部分（透明隠蔽領域Ｂ４ａを除く）については、正面からは少なくとも中央表示枠ユニット４７に遮られて視認できないが、中央表示枠ユニット４７は画像表示手段６０に対して前側に離間しているため、視点をずらすことによって少なくともその一部分については前側から視認可能である。
【００４６】
始動入賞ユニット４８は、中央表示枠ユニット４７の下側に配置され、装着孔６３に対して前側から着脱自在に装着されている。大入賞ユニット４９は、中央表示枠ユニット４７の右側下部の所定箇所に後側から着脱自在に装着されている。普通入賞ユニット５０は、中央表示枠ユニット４７の下側で始動入賞ユニット４８の左側に配置され、装着孔６４に対して前側から着脱自在に装着されている。
【００４７】
また、大入賞ユニット４９は、その少なくとも一部分が、画像表示手段６０の全画面領域Ａの前側に位置している。以下、全画面領域Ａのうち、大入賞ユニット（遊技部材）４９の後側に対応する部分を第５固定隠蔽領域Ｂ５という（図１０（ｂ））。なお、全画面領域Ａに表示された画像のうち、第５固定隠蔽領域Ｂ５に表示された部分については、正面からは少なくとも大入賞ユニット４９に遮られて視認できないが、大入賞ユニット４９は画像表示手段６０に対して前側に離間しているため、視点をずらすことによって少なくともその一部分については前側から視認可能である。
【００４８】
また、画像表示手段６０の前側の全画面領域Ａのうち、正面視で窓枠部７４、ベース板４５、中央表示枠ユニット４７、大入賞ユニット４９及び第１〜第４可動体７５ａ〜７８ａの何れにも遮られない領域、即ち第１〜第５固定隠蔽領域Ｂ１〜Ｂ５，可動隠蔽領域Ｃの何れにも属さない領域を非隠蔽領域Ｄとする（図１０（ｄ））。なお、第１〜第５固定隠蔽領域Ｂ１〜Ｂ５の間では互いに重なり合う部分が存在し、また、第１〜第５固定隠蔽領域Ｂ１〜Ｂ５と可動隠蔽領域Ｃとの間でも互いに重なり合う部分が存在する。即ち、第１〜第５固定隠蔽領域Ｂ１〜Ｂ５、可動隠蔽領域Ｃのうちの２つ以上に属する領域も存在する。
【００４９】
ここで、第１〜第５固定隠蔽領域Ｂ１〜Ｂ５が、正面視で遊技部材の後側に対応する第１表示領域の一例であり、可動隠蔽領域Ｃが、可動体の後側に対応する第２表示領域の一例であり、非隠蔽領域Ｄが、第１表示領域でなく第２表示領域でもない第３表示領域の一例である。
【００５０】
普通図柄始動手段５５は、普通図柄表示手段５１による普通図柄の変動表示を開始させるためのもので、遊技球が通過可能な通過ゲート等により構成され、遊技球の通過を検出する通過検出手段（図示省略）を備えている。この普通図柄始動手段５５は、中央表示枠ユニット４７の右部における前面装着板１０５の前側に設けられており、右流下経路１０８ｂを流下する遊技球が通過可能となっている。
【００５１】
普通図柄表示手段５１は、普通図柄を変動表示するためのもので、複数個の普通図柄（例えば「○」「×」の２種類）に対応する複数個の発光体（例えばＬＥＤ）を備え、中央表示枠ユニット４７の装飾枠１０６に配置されている。この普通図柄表示手段５１は、普通図柄始動手段５５が遊技球を検出することに基づいて複数の発光体が所定順序で発光するように点滅して、普通図柄始動手段５５による遊技球検出時に取得された普通乱数情報に含まれる当たり判定乱数値が予め定められた当たり判定値と一致する場合には当たり態様（所定態様）に対応する「○」側の発光体が点灯し、それ以外の場合には外れ態様に対応する「×」側の発光体が点灯して停止する。普通図柄表示手段５１の変動後の停止図柄が当たり態様となった場合には普通利益状態が発生する。
【００５２】
また、普通図柄表示手段５１の図柄変動中と普通利益状態中とを含む普通保留期間中に普通図柄始動手段５５が遊技球を検出した場合には、それによって取得された普通乱数情報が予め定められた上限保留個数、例えば４個を限度として保留記憶され、普通保留期間が終了する毎に１個ずつ消化されて普通図柄の変動が行われる。普通乱数情報の記憶個数（普通保留個数）は、普通保留個数表示手段５２等によって遊技者に報知される。普通保留個数表示手段５２は中央表示枠ユニット４７の装飾枠１０６に配置される。
【００５３】
第１特別図柄始動手段５６は、第１特別図柄表示手段５３による図柄変動を開始させるためのもので、開閉手段を有しない非開閉式入賞手段により構成され、入賞した遊技球を検出する遊技球検出手段（図示省略）を備えている。この第１特別図柄始動手段５６は、始動入賞ユニット４８に設けられ、ステージ１０７の中央落下部１１０に対応してその下側に上向き開口状に配置されており、左流下経路１０８ａ側のワープ入口１０９からステージ１０７を経て入賞するルートが存在すること等により、右流下経路１０８ｂを流下してきた遊技球よりも左流下経路１０８ａを流下してきた遊技球の方が高い確率で入賞可能となっている。
【００５４】
第２特別図柄始動手段５７は、第２特別図柄表示手段５４による図柄変動を開始させるためのもので、開閉部１１２の作動によって遊技球が入賞可能な開状態と入賞不可能（又は開状態よりも入賞困難）な閉状態とに変化可能な開閉式入賞手段により構成され、入賞した遊技球を検出する遊技球検出手段（図示省略）を備えており、普通図柄表示手段５１の変動後の停止図柄が当たり態様（所定態様）となって普通利益状態が発生したときに、開閉部１１２が所定時間閉状態から開状態に変化するようになっている。
【００５５】
この第２特別図柄始動手段５７は、中央表示枠ユニット４７の右部における前面装着板１０５上で且つ普通図柄始動手段５５の下流側に配置されており、左流下経路１０８ａを流下してきた遊技球よりも右流下経路１０８ｂを流下してきた遊技球の方が高い確率で入賞可能となっている。なお、開閉部１１２は下部側に設けられた左右方向の回転軸廻りに揺動可能であり、閉状態では前面装着板１０５と略面一となって遊技球が前側を通過可能となり、開状態では前面装着板１０５の前側で後ろ下がりの傾斜状となって遊技球を後向きに入賞させるようになっている。
【００５６】
第１特別図柄表示手段（図柄表示手段）５３は、１個又は複数個、例えば１個の第１特別図柄を変動表示可能な７セグメント式等の表示手段により構成されており、第１特別図柄始動手段５６が遊技球を検出することを条件に第１特別図柄を所定時間変動表示して、第１特別図柄始動手段５６による遊技球検出時に取得された第１特別乱数情報に含まれる大当たり判定乱数値が予め定められた大当たり判定値と一致する場合には第１大当たり態様で、それ以外の場合には第１外れ態様で夫々停止するようになっている。第１特別図柄表示手段５３の変動後の停止図柄が第１大当たり態様となった場合には第１特別利益状態が発生する。
【００５７】
第２特別図柄表示手段（図柄表示手段）５４は、１個又は複数個、例えば１個の第２特別図柄を変動表示可能な７セグメント式等の表示手段により構成されており、第２特別図柄始動手段５７が遊技球を検出することを条件に第２特別図柄を所定時間変動表示して、第２特別図柄始動手段５７による遊技球検出時に取得された第２特別乱数情報に含まれる大当たり判定乱数値が予め定められた大当たり判定値と一致する場合には第２大当たり態様で、それ以外の場合には第２外れ態様で夫々停止するようになっている。第２特別図柄表示手段５４の変動後の停止図柄が第２大当たり態様となった場合には第２特別利益状態が発生する。
【００５８】
第１，第２特別図柄表示手段５３，５４は、中央表示枠ユニット４７の装飾枠１０６に配置されている。第１，第２特別図柄は数字図柄等ではなく、それ自体としては特別な意味を持たない線と点の組み合わせ等よりなる複数種類の図柄で構成され、それらの図柄のうちの１又は複数が第１，第２大当たり態様、それ以外が第１，第２外れ態様となっている。
【００５９】
また、第１特別図柄表示手段５３の図柄変動中、第２特別図柄表示手段５４の図柄変動中及び第１，第２特別利益状態中を含む特別保留期間中に第１，第２特別図柄始動手段５６，５７が遊技球を検出した場合には、それによって取得された第１，第２特別乱数情報が夫々予め定められた上限保留個数、例えば各４個を限度として保留記憶される。そして、特別保留期間が終了した時点で第２特別図柄側の保留記憶が１以上の場合（第２特別図柄に関する図柄変動開始条件が成立した場合）にはその第２特別図柄の保留記憶が消化されて第２特別図柄の変動が行われ、第１特別図柄側の保留記憶のみが１以上の場合（第１特別図柄に関する図柄変動開始条件が成立した場合）にはその第１特別図柄の保留記憶が消化されて第１特別図柄の変動が行われる。
【００６０】
このように本実施形態では、第１特別図柄と第２特別図柄とが共に変動中になることはなく、また、第１特別図柄側と第２特別図柄側との両方に保留記憶がある場合には、第２特別図柄の変動が優先的に行われるようになっている。なお、第１，第２特別乱数情報の記憶個数（第１，第２特別保留個数）は、画像表示手段６０等によって遊技者に報知される。
【００６１】
大入賞手段５８は、遊技球が入賞可能な開状態と入賞不可能な閉状態とに切り換え可能な開閉板１１３を備えた開閉式入賞手段で、大入賞ユニット４９に設けられ、中央表示枠ユニット４７の右側下部で第２特別図柄始動手段５７の下流側に配置されており、左流下経路１０８ａを流下してきた遊技球よりも右流下経路１０８ｂを流下してきた遊技球の方が高い確率で入賞可能となっている。この大入賞手段５８は、第１，第２特別図柄表示手段５３，５４の第１，第２特別図柄が変動後に第１，第２大当たり態様で停止した場合に発生する第１，第２特別利益状態中に、開閉板１１３が所定の開放パターンに従って前側に開放して、その上に落下した遊技球を内部へと入賞させるようになっている。
【００６２】
また、画像表示手段６０には、第１，第２特別図柄表示手段５３，５４による第１，第２特別図柄の変動表示と並行して演出図柄１１４（図１６等）が変動表示される他、第１，第２特別保留個数を示す第１，第２保留表示画像Ｘ１〜Ｘ４，Ｙ１〜Ｙ４（図１５等）、後述する音量・光量調整機能に関する音量，光量調整可能報知画像（報知画像）１１６ａ，１１６ｂ（図１８等）及び音量，光量設定画像１１７ａ，１１７ｂ（図１９等）、後述するメニュー表示機能に関するメニュー表示可能報知画像（報知画像）１１８ａ（図２４等）、メニュー画像１１８ｂ及びメニュー操作報知画像１１８ｃ（図２５等）、左打ち誘導画像１６２ａ及び右打ち誘導画像１６２ｂ（図１６等）、エラー報知画像１６３（図１７等）等の各種画像が表示されるようになっている。
【００６３】
ここで演出図柄１１４は、図１４に示すように、例えば１〜９の数字等で構成される図柄画像１１４ａと、キャラクタその他の装飾画像１１４ｂとの結合で構成され、左右方向に複数列、例えば３列で夫々変動可能であり、第１，第２特別図柄の変動開始と略同時に所定の変動パターンに従って縦スクロール等による変動を開始すると共に、第１，第２特別図柄の変動停止と略同時に最終停止するように、左、右、中等の所定の順序で停止するようになっている。
【００６４】
なお、演出図柄１１４では、全て同じ図柄で揃った場合が大当たり演出態様、それ以外が外れ演出態様となっており、第１，第２特別図柄が第１，第２大当たり態様となる場合には演出図柄１１４は大当たり演出態様となり、第１，第２特別図柄が第１，第２外れ態様となる場合には演出図柄１１４は外れ演出態様となる。
【００６５】
また、演出図柄１１４の変動パターンには、リーチ状態を経て大当たり演出態様となる複数種類のリーチ大当たり変動パターン（例えばノーマルリーチ大当たり変動パターン、スーパーリーチ大当たり変動パターン等）と、リーチ状態を経て外れ演出態様となる複数種類のリーチ外れ変動パターン（例えばノーマルリーチ外れ変動パターン、スーパーリーチ外れ変動パターン等）と、リーチ状態を経ることなく外れ演出態様となる１又は複数種類の通常変動パターンとが設けられている。
【００６６】
図１１は本パチンコ機の制御系のブロック図である。図１１において、１２１は主制御基板、１２２は演出制御基板で、これら各制御基板１２１，１２２は、遊技盤１６に装着された画像表示手段６０等を覆う裏カバーの裏側等、前枠３及び遊技盤１６を含む遊技機本体１の裏側の適宜箇所に着脱自在に装着された基板ケースに夫々収納されている。
【００６７】
主制御基板１２１は、遊技動作を統括的に制御するもので、ＣＰＵ，ＲＯＭ，ＲＡＭ等により構成される普通乱数作成処理手段１３１、普通始動口チェック処理手段１３２、普通乱数記憶手段１３３、普通図柄処理手段１３４、普通図柄表示制御手段１３５、普通利益状態発生手段１３６、特別乱数作成処理手段１３７、特別始動口チェック処理手段１３８、特別乱数記憶手段１３９、特別図柄処理手段１４０、特別図柄表示制御手段１４１、特別利益状態発生手段１４２、特別遊技状態発生手段１４３、制御コマンド送信手段１４４等を備えている。
【００６８】
普通乱数作成処理手段１３１は、変動後の普通図柄を当たり態様とするか否かの判定に用いる当たり判定乱数等を所定時間毎に繰り返し発生するように構成されている。普通始動口チェック処理手段１３２は、普通図柄始動手段５５による遊技球の検出に基づく処理を行うもので、普通図柄始動手段５５が遊技球を検出することに基づいて、普通乱数作成処理手段１３１で作成された当たり判定乱数値等の普通乱数情報を取得し、その普通乱数情報を予め定められた上限保留個数（例えば４個）を限度として先入れ先出し式の普通乱数記憶手段１３３に記憶させるように構成されている。
【００６９】
普通図柄処理手段１３４は、普通図柄の変動表示に関する処理を行うもので、普通図柄表示手段５１が変動表示可能な状態となり且つ普通乱数記憶手段１３３に１個以上の当たり判定乱数値が記憶されていること（普通保留個数が１以上であること）を条件に、普通乱数記憶手段１３３に記憶されている普通乱数情報の待ち行列の先頭から当たり判定乱数値を取り出し、その当たり判定乱数値が予め定められた当たり判定値と一致するか否かに応じて当たり／外れの判定を行う当たり判定機能、当たり／外れの判定結果に基づいて普通図柄の変動後の停止図柄の種類を選択する普通停止図柄選択機能、普通図柄の変動時間を選択する変動時間選択機能等を備えている。
【００７０】
なお、本実施形態では、図１２に示すように、後述する特別遊技状態中（時短状態中及び確変状態中）の当たり確率（例えば１／１．３）がそれ以外の通常遊技状態中の当たり確率（例えば１／１０）よりも高く設定され、また、特別遊技状態中における変動時間（例えば２．７秒）が通常遊技状態中における変動時間（例えば２７秒）よりも短くなるように設定されている。
【００７１】
普通図柄表示制御手段１３５は、普通図柄処理手段１３４による普通図柄処理に基づいて普通図柄表示手段５１の表示制御を行うもので、普通図柄表示手段５１が変動表示可能な状態となり且つ普通乱数記憶手段１３３に１個以上の普通乱数情報が記憶されていること（普通保留個数が１以上であること）を条件に普通図柄表示手段５１による普通図柄の変動を開始させ、普通図柄処理手段１３４で選択された変動時間が経過することに基づいて、同じく普通図柄処理手段１３４で選択された停止図柄で普通図柄の変動を停止させるようになっている。
【００７２】
普通利益状態発生手段１３６は、普通図柄処理手段１３４による当たり判定の結果が当たりとなることに基づいて普通図柄表示手段５１の変動後の停止図柄が当たり態様となった場合に、第２特別図柄始動手段５７の開閉部１１２が複数種類の開閉パターンの何れかに従って開状態に変化する普通利益状態を発生させるようになっている。本実施形態では、図１２に示すように、通常開閉パターン（例えば０．２秒×１回開放）と、この通常開閉パターンよりも開放時間が大となるように設定された延長開閉パターン（例えば２秒×３回開放）の２種類の開閉パターンが設定されており、通常遊技状態中は通常開閉パターンが、特別遊技状態中は延長開閉パターンが夫々選択されるようになっている。
【００７３】
特別乱数作成処理手段１３７は、大当たり／外れの判定に用いる大当たり判定乱数、特別図柄の変動後の停止図柄等の選択に用いる図柄判定乱数、変動パターンの選択に用いる変動パターン乱数、その他の所定の乱数を繰り返し発生する特別乱数作成処理を行うように構成されている。
【００７４】
特別始動口チェック処理手段（始動検出処理手段）１３８は、第１，第２特別図柄始動手段（始動手段）５６，５７への遊技球の入賞に基づく処理を行うもので、第１，第２特別図柄始動手段５６，５７の何れかに遊技球が入賞することに基づいて、特別乱数作成処理手段１３７で作成された大当たり判定乱数値、大当たり図柄乱数値等の第１，第２特別乱数情報を取得し、その第１，第２特別乱数情報を予め定められた上限保留個数（例えば４個）を限度として特別乱数記憶手段１３９に記憶させるように構成されている。
【００７５】
また、特別始動口チェック処理手段１３８は先読み判定手段１３８ａを備えている。この先読み判定手段１３８ａは、第１，第２特別図柄始動手段５６，５７に遊技球が入賞したときに取得される第１，第２特別乱数情報について、その取得時に、第１，第２特別乱数情報に含まれる大当たり判定乱数値が第１，第２大当たり判定値と一致するか否か等について先読み判定を行うようになっている。この先読み判定結果は、第１，第２特別図柄始動手段５６，５７の何れかに遊技球が入賞することに基づいて送信される保留増加コマンドにより演出制御基板１２２等に伝達される。
【００７６】
特別図柄処理手段１４０は、第１，第２特別図柄の変動表示に関する処理を行うもので、第１，第２特別図柄表示手段５３，５４が変動表示可能な状態となったときに、第２特別保留個数が１以上であれば第２特別乱数情報の待ち行列から、第１特別保留個数のみが１以上であれば第１特別乱数情報の待ち行列からその先頭の大当たり判定乱数値を取り出し、その大当たり判定乱数値が予め定められた大当たり判定値と一致するか否かに応じて大当たり／外れの判定を行う大当たり判定機能、大当たり判定の結果に応じて、第１，第２特別乱数情報に含まれる大当たり図柄乱数値等に基づいて第１，第２特別図柄の変動後の停止図柄を選択する特別停止図柄選択機能、大当たり判定の結果に応じて、第１，第２特別図柄の変動パターンを複数種類の中から選択する変動パターン選択機能等を備えている。
【００７７】
特別図柄表示制御手段１４１は、第１，第２特別図柄表示手段５３，５４の表示制御を行うもので、特別図柄処理手段１４０による特別図柄処理に基づいて、第１特別図柄表示手段５３又は第２特別図柄表示手段５４による第１，第２特別図柄の変動を開始させると共に、選択された変動パターンに対応する変動時間が経過することに基づいて、選択された停止図柄で第１，第２特別図柄の変動を停止させるようになっている。
【００７８】
特別利益状態発生手段（利益状態発生手段）１４２は、遊技者に有利な第１，第２特別利益状態を発生させるためのもので、特別図柄処理手段１４０による大当たり判定の結果が大当たりとなり、第１，第２特別図柄の変動後の停止図柄が第１，第２大当たり態様（特定態様）となった場合に、大入賞手段５８を所定の開放パターンに従って開放する第１，第２特別利益状態（利益状態）を発生させるように構成されている。
【００７９】
本実施形態では、図１３に示すように大入賞手段５８の開放パターンとしてα，βの２種類が設けられており、特別利益状態発生手段１４２は、大当たり図柄乱数値に応じて開放パターンα，βの何れかを選択するように構成されている。開放パターンαは、大入賞手段５８を０．２秒開放する動作を２ラウンド行うように設定されている。この開放パターンαは、１回の開放時間が０．２秒と僅かでしかもラウンド数も２ラウンドと少ないため、その開放中に遊技球が入賞する可能性は極めて小さい。
【００８０】
一方の開放パターンβは、大入賞手段５８を、開放してから所定時間（例えば２８秒）経過するかそれまでに所定個数（例えば９個）の遊技球が入賞することを条件に閉鎖する動作を、所定ラウンド数（例えば１５ラウンド）行うように設定されている。この開放パターンβの場合、大入賞手段５８への１個の入賞に対する賞球を１５個とすると、遊技者が普通に発射動作を続けるだけで殆どの場合に９×１５×１５＝２０２５個の出球が期待でき、開放パターンαに比べて遊技者が得られる直接的な利益は格段に大きくなっている。また、本実施形態では、図１３に示すように、開放パターンβが選択される確率は、第２特別図柄が第２大当たり態様となった場合（第２特別利益状態）の方が第１特別図柄が第２大当たり態様となった場合（第１特別利益状態）よりも高い値に設定されている。
【００８１】
特別遊技状態発生手段１４３は、第１，第２特別利益状態の終了後に遊技者に有利な特別遊技状態を発生させるためのもので、図１３に示すように、第１，第２特別乱数情報に含まれる大当たり判定乱数値が大当たり判定値と一致した場合の大当たり図柄乱数値に応じて、時短状態と確変状態との何れかの特別遊技状態を発生させるように構成されている。
【００８２】
時短状態中は、第１，第２特別図柄の変動時間が通常変動時間よりも短い短縮変動時間に切り換えられる他、普通図柄が当たり態様となる確率が通常確率（例えば１／１０）から高確率（例えば１／１．３）へ、普通図柄の変動時間が通常変動時間（例えば２７秒）から短縮変動時間（例えば２．７秒）へ、第２特別図柄始動手段５７の開閉パターンが通常開閉パターン（例えば０．２秒×１回開放）から延長開閉パターン（例えば２秒×３回開放）へ、夫々切り換えられるようになっている。なお、時短状態は第１，第２特別利益状態の終了後に開始し、次の特別利益状態が発生するか、それまでに第１，第２特別図柄が所定回数（例えば５０回）変動した時点で終了する。
【００８３】
確変状態中は、第１，第２特別図柄が第１，第２大当たり態様となる確率が通常確率（例えば１／３５０）よりも高い高確率（例えば１／３５）に切り換えられるようになっている。また、確変状態中は、原則として時短状態と同様の切り換えも併せて行われるが、通常遊技状態中に開放パターンαの特別利益状態が発生した場合には、その終了後に発生する確変状態については時短状態と同様の切り換えは行われない（いわゆる潜伏確変状態）ようになっている。なお、確変状態は第１，第２特別利益状態の終了後に開始し、次の特別利益状態が発生した時点で終了するが、第１，第２特別図柄の変動回数等の他の終了条件を付加してもよい。
【００８４】
制御コマンド送信手段１４４は、所定の制御コマンドを演出制御基板１２２等のサブ制御基板に送信して制御指令を与えるためのもので、特別図柄処理手段１４０による特別図柄処理に基づいて、第１，第２特別図柄の変動開始時に、第１，第２特別保留個数の減少を指定する第１，第２保留減少コマンド、演出図柄１１４の変動パターンを指定する第１，第２変動パターン指定コマンド、第１，第２特別図柄の停止図柄態様を指定する第１，第２停止図柄態様指定コマンドをこの順序で演出制御基板１２２側に送信し、第１，第２特別図柄の変動終了時に第１，第２演出図柄の変動停止を指示する第１，第２変動停止指定コマンドを演出制御基板１２２側に送信する機能、第１，第２特別保留個数が増加したときに第１，第２特別保留個数の増加を指定する第１，第２保留増加コマンドを演出制御基板１２２側に送信する機能、第１，第２特別保留個数が共に０の状態で第１，第２特別図柄の変動が終了する等により第１，第２特別図柄の変動待機状態となった場合に客待ちデモコマンドを送信する機能、特別遊技状態発生手段１４３による特別遊技状態の発生時及び終了時に特別遊技状態発生コマンド、特別遊技状態終了コマンド等を演出制御基板１２２側に送信する機能、扉開放エラー、磁気検出エラー、電波検出エラー、払い出しエラー、入賞スイッチエラー、不正入賞エラー等のエラーが発生した場合にそのエラーの種類に対応するエラーコマンドを、また、そのエラーが解除された場合にそのエラーの種類に対応するエラー解除コマンドを演出制御基板１２２に送信する機能等を備えている。
【００８５】
演出制御基板１２２は、各種演出手段による演出を制御するもので、演出制御手段１５０、特別保留個数表示制御手段１５１、図柄変動演出制御手段１５２、発射誘導報知制御手段１５３、エラー報知制御手段１５４、音量調整手段１５５、光量調整手段１５６、客待ち制御手段１５７、節電モード設定手段１５８等を備えている。
【００８６】
演出制御手段１５０は、各演出手段を制御するもので、画像表示手段６０による画像表示を制御する画像表示制御手段１５０ａ、スピーカ１８，２５からの音声出力を制御する音声制御手段１５０ｂ、ＬＥＤ等の電飾手段１５９の発光を制御する発光制御手段１５０ｃ、第１〜第４可動体７５ａ〜７８ａを有する可動演出手段７５〜７８を制御する可動体制御手段１５０ｄ等を備えている。
【００８７】
特別保留個数表示制御手段１５１は、画像表示手段６０への第１，第２特別保留個数の表示制御を行うもので、図１５等に示すように、第１，第２特別保留個数の増減に対応して、第１特別保留個数分（最大４個）の第１保留表示画像Ｘ１〜Ｘ４と、第２特別保留個数分（最大４個）の第２保留表示画像Ｙ１〜Ｙ４と、変動中の第１，第２特別図柄に対応する変動中保留画像Ｚとを、画像表示制御手段１５０ａを介して画像表示手段６０に所定の保留台座画像１６１の前側に重ねて表示するように構成されている。
【００８８】
本実施形態では、第１特別図柄の保留記憶よりも第２特別図柄の保留記憶を優先的に消化するため、第１保留表示画像Ｘ１〜Ｘ４の前側に第２保留表示画像Ｙ１〜Ｙ４を夫々一部重ねて表示している。主制御基板１２１から第１，第２保留増加コマンドを受信した場合には、第１，第２保留表示画像Ｘ１〜，Ｙ１〜を待ち行列の最後尾に１個追加表示する。
【００８９】
また、主制御基板１２１から第１，第２保留減少コマンドを受信した場合には、第１，第２保留表示画像Ｘ１〜，Ｙ１〜を待ち行列の前側に向けて１個分ずつシフトすると共に、押し出された先頭の第１，第２保留表示画像Ｘ１，Ｙ１を所定位置まで移動させて変動中保留画像Ｚに変化させるようになっている。なお、第１特別図柄よりも第２特別図柄の変動が優先されるため、第２保留表示画像Ｙ１〜が表示されている間は、第１保留表示画像Ｘ１〜については増加することはあっても減少することはない。
【００９０】
図柄変動演出制御手段１５２は、演出図柄１１４の変動表示及びそれに伴う予告演出等を制御するもので、演出図柄制御手段１５２ａ、予告演出制御手段１５２ｂ等を備えている。演出図柄制御手段１５２ａは、演出制御手段１５０を介して演出図柄１１４の表示制御及びそれに伴う音声出力、電飾発光等の制御を行うもので、主制御基板１２１から第１，第２変動パターン指定コマンドを受信した場合に、指定された変動パターンに基づいて演出図柄１１４の変動及びそれに伴う音声出力、電飾発光を開始させると共に、第１，第２変動停止指定コマンドを受信したときに、第１，第２停止図柄態様指定コマンドと第１，第２変動パターン指定コマンドとに基づいて選択された停止図柄態様で演出図柄１１４の変動を停止させ、また、それに伴う音声出力、電飾発光を停止させるようになっている。
【００９１】
予告演出制御手段１５２ｂは、第１，第２特別図柄の変動後の停止図柄が第１，第２大当たり態様となって第１，第２特別利益状態が発生するか否か等、第１，第２特別図柄及び演出図柄１１４の変動に関する予告演出を制御するものである。予告演出としては、先読み判定手段１３８ａによる先読み判定結果に基づいて行う「先読み予告演出」、特別図柄処理手段１４０による図柄変動開始時の大当たり判定結果等に基づいて行う「通常予告演出」等がある。
【００９２】
また、「先読み予告演出」には、先読み判定結果に基づいて、その先読み判定の対象となった特別乱数情報に対応する図柄変動までの複数回の図柄変動において、同一態様の演出を実行する「先読み連続演出」の他、先読み判定結果に基づいて第１，第２保留表示画像Ｘ１〜，Ｙ１〜を図１５に示すような所定の表示態様で表示する「先読み保留変化演出」等がある。
【００９３】
また、「通常予告演出」には、「会話予告演出」、「ステップアップ予告演出」、「ボタン予告演出」、「ミニキャラ予告演出」等がある。「会話予告演出」では、第１，第２特別図柄の変動中にキャラクタの台詞が画像表示手段６０に表示され、その台詞の内容が、第１，第２特別図柄が第１，第２大当たり態様となる信頼度（以下、大当たり信頼度という）を示唆するようになっている。「ステップアップ予告演出」では、第１，第２特別図柄の変動中に、画像表示手段６０への演出画像の表示を含む所定の演出ステップが、大当たり信頼度に応じて複数段階（例えば５段階）のうちの所定段階まで実行されるようになっている。このステップアップ予告演出では、演出ステップの段階が進むほど大当たり信頼度が高くなるように設定されている。
【００９４】
「ボタン予告演出」では、第１，第２特別図柄の変動中における操作有効期間中に演出ボタン３４の操作が所定操作条件を満たした（操作成立）と判定された場合に、大当たり信頼度に応じて所定の操作時演出が実行されるようになっている。「ミニキャラ予告演出」は、１又は複数のミニキャラ画像が画像表示手段６０に表示され、大当たり信頼度を示唆する動作を行うようになっている。
【００９５】
予告演出制御手段１５２ｂは、先読み予告演出に関しては、第１，第２保留増加コマンドを受信し且つ先読み連続演出中でないこと等の所定の条件を満たす場合に実行開始の抽選を行い、複数種類の先読み予告演出（先読み連続演出、先読み保留変化演出等）の少なくとも一つに当選した場合にその先読み予告演出の実行を開始し、また、通常予告演出に関しては、第１，第２特別図柄の変動開始時、即ち第１，第２保留減少コマンド、第１，第２変動パターン指定コマンド及び第１，第２停止図柄態様指定コマンドを一定時間内に受信した場合に抽選を行い、複数種類の通常予告演出（会話予告演出、ステップアップ予告演出等）の少なくとも一つに当選した場合に、第１，第２特別図柄の変動中にその通常予告演出を実行するように構成されている。
【００９６】
発射誘導報知制御手段１５３は、遊技領域２３の左右一方側を狙って発射すべき旨の発射誘導報知を制御するもので、左流下経路１０８ａ側を狙って発射すべき旨の「←左へ」等の左打ち誘導画像１６２ａ（図１６（ａ））と、右流下経路１０８ｂ側を狙って発射すべき旨の「右へ→」等の右打ち誘導画像１６２ｂ（図１６（ｂ））との何れかを遊技中の所定のタイミングで画像表示制御手段１５０ａを介して画像表示手段６０に表示するように構成されている。
【００９７】
本実施形態では、通常遊技状態中は普通図柄表示手段５１で当たり態様となる確率は低く、しかも当たり態様となって普通利益状態が発生しても第２特別図柄始動手段５７の開放時間は僅かであるため（図１２）、第２特別図柄始動手段５７への入賞の可能性は極めて低い。従って通常遊技状態中は、右流下経路１０８ｂ側の普通図柄始動手段５５及び第２特別図柄始動手段５７を狙って右打ちをするよりも、左打ちをして左流下経路１０８ａ側から第１特別図柄始動手段５６への入賞を狙う方が遊技者にとって有利であるから、特別遊技状態の終了時等の所定のタイミングで左打ち誘導画像１６２ａを表示することが望ましい。
【００９８】
一方、第１，第２特別利益状態中は大入賞手段５８が開放するため、遊技者は右流下経路１０８ｂ側の大入賞手段５８を狙って右打ちをするべきである。また、特別遊技状態中は、普通図柄表示手段５１で当たり態様となる確率が高くなると共に、当たり態様となって普通利益状態が発生したときの第２特別図柄始動手段５７の開放時間が長くなるため（図１２）、右流下経路１０８ｂ側の普通図柄始動手段５５及び第２特別図柄始動手段５７を狙って右打ちをする方が遊技者にとって有利である。従って、第１，第２特別利益状態中及び特別遊技状態中は、所定のタイミングで右打ち誘導画像１６２ｂを表示することが望ましい。
【００９９】
なお、本実施形態の場合、開放パターンαの第１，第２特別利益状態の場合には大入賞手段５８の開放時間は僅かであり、しかもその終了後に発生する特別遊技状態は潜伏確変であって第２特別図柄始動手段５７の開放延長等は行われないため（図１３）、右打ち誘導画像１６２ｂの表示は行わないことが望ましい。また、左打ち誘導画像１６２ａと右打ち誘導画像１６２ｂとの何れか一方、右打ち誘導画像１６２ｂの表示のみを行うようにしてもよい。
【０１００】
エラー報知制御手段１５４は、エラー報知を制御するもので、主制御基板１２１からエラーコマンドを受信してからエラー解除コマンドを受信するまで、画像表示制御手段１５０ａを介して画像表示手段６０にエラー報知画像１６３を表示する等のエラー報知を実行するようになっている。扉開放エラーの場合には、主制御基板１２１から扉開放コマンドを受信してから扉開放解除コマンドを受信するまで、画像表示手段６０に「扉開放中」等のエラー報知画像１６３が表示される（図１７）。
【０１０１】
音量調整手段１５５は、音量設定に関する制御を行うもので、遊技者操作による音量調整が可能な音量調整可能期間中に、音量調整のための操作が可能である旨の音量調整可能報知画像（報知画像）１１６ａ（図１８（ａ））を所定のタイミングで画像表示手段６０に表示し、音量調整可能期間中に音量調整に関する遊技者操作があった場合に、音量の設定状況を示す音量設定画像１１７ａ（図１９（ａ））を画像表示手段６０に表示するように構成されている。本実施形態では、十字操作手段３５の左キー３５ｃと右キー３５ｄとが音量調整操作用に割り当てられており、音量調整可能期間中に左キー３５ｃを押せば音量が下がり、右キー３５ｄを押せば音量が上がるようになっている。
【０１０２】
音量調整可能報知画像１１６ａは、図１８（ａ）に示すように音量調整に用いる左キー３５ｃ及び右キー３５ｄを示すイラストと「で音量調整」の文字とで構成されている。また、音量設定画像１１７ａは、図１９（ａ）に示すように所定段階（例えば５段階）の音量に対応する複数（５個）の目盛り画像と「音量」の文字とで構成されており、現状の音量設定に対応する数の目盛り画像がその他の目盛り画像と異なる態様（例えば表示色）で表示されるようになっている。
【０１０３】
音量調整可能期間中に遊技者が左キー３５ｃと右キー３５ｄとの何れかを操作すると、音量調整可能報知画像１１６ａ（図１８（ａ））が表示されていた場合にはその音量調整可能報知画像１１６ａが画像表示手段６０から消去される。また、その遊技者操作に応じて音量が変更されると共に、その変更後の音量に対応する音量設定画像１１７ａ（図１９（ａ））が画像表示手段６０に一定期間表示される。
【０１０４】
本実施形態では、後述する客待ち状態中の他、それ以外の遊技状態中も音量調整可能期間に設定されているが、電源投入後等の所定期間を音量調整可能期間から外してもよい。また、音量調整可能期間中は常に音量調整可能報知画像１１６ａを表示するようにしてもよいし、客待ち状態中等の特定期間のみ音量調整可能報知画像１１６ａを表示するようにしてもよい。また、音量設定画像１１７ａが表示されていない状態で左キー３５ｃと右キー３５ｄとの何れかが操作された場合、その１回目の操作では音量設定画像１１７ａを表示するが音量変更は行わず、音量設定画像１１７ａが表示された後の２回目以降の操作で音量変更を行うようにしてもよい。
【０１０５】
光量調整手段１５６は、電飾手段１５９の光量調整に関する制御を行うもので、遊技者操作による光量調整が可能な光量調整可能期間中に、光量調整のための操作が可能である旨の光量調整可能報知画像（報知画像）１１６ｂ（図１８（ｂ））を所定のタイミングで画像表示手段６０に表示し、光量調整可能期間中に光量調整に関する遊技者操作があった場合に、光量の設定状況を示す光量設定画像１１７ｂ（図１９（ｂ））を画像表示手段６０に表示するように構成されている。本実施形態では、十字操作手段３５の上キー３５ａと下キー３５ｂとが光量調整操作用に割り当てられており、光量調整可能期間中に上キー３５ａを押せば光量が上がり、下キー３５ｂを押せば光量が下がるようになっている。
【０１０６】
光量調整可能報知画像１１６ｂは、図１８（ｂ）に示すように光量調整に用いる上キー３５ａ及び下キー３５ｂを示すイラストと「で光量調整」の文字とで構成されている。また、光量設定画像１１７ｂは、図１９（ｂ）に示すように所定段階（例えば５段階）の光量に対応する複数（５個）の目盛り画像と「光量」の文字とで構成されており、現状の光量設定に対応する数の目盛り画像がその他の目盛り画像と異なる態様（例えば表示色）で表示されるようになっている。
【０１０７】
光量調整可能期間中に遊技者が上キー３５ａと下キー３５ｂとの何れかを操作すると、光量調整可能報知画像１１６ｂ（図１８（ｂ））が表示されていた場合にはその光量調整可能報知画像１１６ｂが画像表示手段６０から消去される。また、その遊技者操作に応じて光量が変更されると共に、その変更後の光量に対応する光量設定画像１１７ｂ（図１９（ｂ））が画像表示手段６０に一定期間表示される。
【０１０８】
なお、本実施形態では、光量調整可能期間と音量調整可能期間とを同じ期間に設定しているが、両期間を異ならせてもよい。また、光量調整可能期間中は常に光量調整可能報知画像１１６ｂを表示するようにしてもよいし、客待ち状態中等の特定期間のみ光量調整可能報知画像１１６ｂを表示するようにしてもよい。また、光量設定画像１１７ｂが表示されていない状態で上キー３５ａと下キー３５ｂとの何れかが操作された場合、その１回目の操作では光量設定画像１１７ｂを表示するが光量変更は行わず、光量設定画像１１７ｂが表示された後の２回目以降の操作で光量変更を行うようにしてもよい。
【０１０９】
客待ち制御手段１５７は、主制御基板１２１から客待ちデモコマンドを受信してから第１，第２特別図柄表示手段５３，５４による第１，第２特別図柄の変動が開始されるまでの客待ち状態（待機期間）中の演出等を制御するもので、タイマ割り込みにおいて客待ち演出処理（図２０）及びメニュー管理処理（図２１）を実行可能となっている。
【０１１０】
本実施形態では、主制御基板１２１から客待ちデモコマンドを受信してから第１，第２特別図柄の変動が開始されるまでの期間（客待ち状態中）が、メニュー選択操作による設定変更等（遊技に関する設定）が可能なメニュー操作可能期間に設定されており、その客待ち状態中に遊技者が演出ボタン３４を押下することによりメニュー画像１１８ｂ（図２５等）を表示させ、更にその状態で十字操作手段３５の上キー３５ａ、下キー３５ｂ、演出ボタン３４を押下することによりそのメニュー画像１１８ｂに表示された何れかの選択項目を選択、実行することが可能となっている。
【０１１１】
なお、本実施形態では、十字操作手段３５は音量及び光量の調整操作にも用いられるため、メニュー画像１１８ｂが表示されている期間（十字操作手段３５がメニューの選択操作に使用可能な期間）は音量調整可能期間及び光量調整可能期間から除外し、十字操作手段３５を音量及び光量の調整操作に使用できないようにすることが望ましい。
【０１１２】
続いて図２０に示す客待ち演出処理について説明する。この客待ち演出処理では、まず客待ち状態中フラグを判定する（Ｓ１）。この客待ち状態中フラグは、客待ち状態中であるか否かを示すもので、客待ち状態中であれば１が、客待ち状態中でなければ０がセットされるようになっている。客待ち状態中フラグが１でなければ（Ｓ１：Ｎｏ）、主制御基板１２１から客待ちデモコマンドを受信したか否かを判定し（Ｓ２）、客待ちデモコマンドを受信していない場合（Ｓ２：Ｎｏ）にはここで客待ち演出処理を終了する。
【０１１３】
なお、客待ちデモコマンドは、第１，第２特別保留個数が共に０の状態で第１，第２特別図柄の変動待機状態となった場合の他、客待ち状態からのバックアップ復帰時、ＲＡＭクリア時等に主制御基板１２１から演出制御基板１２２に対して送信される。
【０１１４】
客待ち状態中でないときに客待ちデモコマンドを受信した場合には（Ｓ１：Ｎｏ→Ｓ２：Ｙｅｓ）、客待ち状態中フラグを１（客待ち状態中）に設定する（Ｓ３）と共に、画像表示手段６０へのメニュー表示可能報知画像１１８ａの表示を開始する（Ｓ４）。ここで、メニュー表示可能報知画像（報知画像）１１８ａは、メニュー画像１１８ｂを表示するための操作が可能である旨を報知するためのもので、図２４に示すように、メニュー表示に用いる演出ボタン３４が押される様子を示すイラストと「でメニュー表示」の文字とで構成されている。
【０１１５】
そして客待ち通常演出を開始し（Ｓ５）、デモタイマに初期値をセットし（Ｓ６）、客待ち演出処理を終了する。客待ち通常演出では、画像表示手段６０にその前の図柄変動で停止した状態の演出図柄１１４の画像が引き続き表示され、電飾手段１５９は所定の発光パターンで発光し、スピーカ１８，２５からは所定のＢＧＭを出力する。デモタイマは客待ち通常演出の継続時間を計時するためのもので、初期値として１８０ｓに対応する値がセットされる。
【０１１６】
なお、メニュー操作可能期間は客待ちデモコマンドを受信した時点で開始されるが、画像表示手段６０へのメニュー表示可能報知画像１１８ａの表示は、客待ちコマンドを受信してから所定時間（例えば３０ｓ）経過後としてもよい。また、客待ち状態開始後の所定時間（例えば３０ｓ）以外にも、客待ち状態中の所定期間（例えば後述する客待ちデモ演出中における企業ロゴの表示中）はメニュー表示可能報知画像１１８ａを表示しないようにしてもよい。
【０１１７】
また、Ｓ１で客待ち状態中フラグが１（客待ち状態中）であれば（Ｓ１：Ｙｅｓ）、第１，第２特別図柄の変動開始タイミングが到来したか否か、即ち第１，第２変動パターン指定コマンド等を受信したか否かを判定する（Ｓ７）。そして、未だ第１，第２特別図柄の変動が開始されない場合には（Ｓ７：Ｎｏ）、客待ち通常演出中であるか否か、即ち客待ち通常演出中と後述する客待ちデモ演出中との何れであるかを判定し（Ｓ８）、客待ち通常演出中であれば（Ｓ８：Ｙｅｓ）、デモタイマを１減算する（Ｓ９）と共に、その減算後のデモタイマの値が０であることを条件に（Ｓ１０：Ｙｅｓ）、客待ちデモ演出の実行を開始する（Ｓ１１）。一方、減算後のデモタイマの値が０でない場合には（Ｓ１０：Ｎｏ）、そのまま客待ち通常演出を継続する（Ｓ１０ａ）。
【０１１８】
客待ちデモ演出では、画像表示手段６０に機種イメージ画像や企業ロゴ画像、演出図柄１１４の停止画像等が所定のパターンで繰り返し表示され、電飾手段１５９は所定の発光パターンで発光し、スピーカ１８，２５からは所定のＢＧＭを出力する。なお、客待ちデモ演出では音声出力を停止してもよい。
【０１１９】
客待ちデモ演出の開始後は（Ｓ８：Ｎｏ）、第１，第２特別図柄の変動開始タイミングが到来するまで（Ｓ７：Ｙｅｓ）、その客待ちデモ演出を繰り返し実行する（Ｓ１２）。なお、客待ちデモ演出と客待ち通常演出とを交互に繰り返し実行してもよい。
【０１２０】
また、Ｓ７で第１，第２特別図柄の変動開始タイミングが到来したと判定した場合には（Ｓ７：Ｙｅｓ）、客待ち状態中フラグを０に設定する（Ｓ１３）と共に、実行中の客待ち通常演出又は客待ちデモ演出を終了し（Ｓ１４）、メニュー表示可能報知画像１１８ａの表示を終了し（Ｓ１５）、メニュー無操作タイマを０クリアして（Ｓ１６）、客待ち演出処理を終了する。なお、メニュー無操作タイマについては後述する。
【０１２１】
続いて、図２１に示すメニュー管理処理について説明する。このメニュー管理処理では、まずメニュー無操作タイマの減算処理、即ちその値が０より大であることを条件に１減算する処理を行う（Ｓ２１，Ｓ２２）。ここで、メニュー無操作タイマは、メニュー表示中の無操作期間を計時するためのもので、後述するＳ４８（図２２）、Ｓ６６（図２３）で初期値がセットされるようになっている。
【０１２２】
次に、演出ボタン３４、十字操作手段３５の上下キー３５ａ，３５ｂの何れかが押下操作されたか否かを判定し、演出ボタン３４が押下された場合（Ｓ２３：Ｙｅｓ）には演出ボタン押下時処理（Ｓ２４）を、十字操作手段３５の上キー３５ａが押下された場合（Ｓ２５：Ｙｅｓ）には上キー押下時処理（Ｓ２６）を、下キー３５ｂが押下された場合（Ｓ２７：Ｙｅｓ）には下キー押下時処理（Ｓ２８）を、夫々実行する。なお、本実施形態では、演出ボタン３４及び十字操作手段３５の各キーについては同時押下が許容されないものとする。
【０１２３】
演出ボタン３４が押下された場合の演出ボタン押下時処理（Ｓ２４）は図２２に示す手順で行う。即ち、まず客待ち状態中フラグが１であるか否か、即ちメニュー操作可能期間中であるか否かを判定し（Ｓ４１）、客待ち状態中フラグが１でない場合（Ｓ４１：Ｎｏ）にはここで演出ボタン押下時処理を終了する。
【０１２４】
客待ち状態中フラグが１であれば（Ｓ４１：Ｙｅｓ）、メニュー画像フラグが１であるか否かを判定する（Ｓ４２）。ここで、メニュー画像フラグは、メニュー画像を表示中であるか否かを示すもので、メニュー画像の表示中に１がセットされるようになっている。また、メニュー画像１１８ｂは、図２５に示すように、１つ前の表示状態に戻すための「戻る」等を含む複数の選択項目に対応する複数（ここでは４つ）の選択項目画像１６４ａ〜１６４ｄで構成されており、それら複数の選択項目画像１６４ａ〜１６４ｄのうちの何れかに、仮選択状態を示すカーソルが位置するようになっている。
【０１２５】
図２５のメニュー画像１１８ｂは、「履歴」、「モード変更」、「ガイダンス」、「戻る」の４種類の選択項目画像１６４ａ〜１６４ｄで構成されており、初期状態ではカーソル（図面ではハッチングで示す）が「戻る」の選択項目画像１６４ｄに位置している。
【０１２６】
Ｓ４２でメニュー画像フラグが１でない場合には（Ｓ４２：Ｎｏ）、メニュー表示可能報知画像１１８ａの表示を終了し（Ｓ４３）、また、画像表示手段６０にメニュー画像１１８ｂ及びメニュー操作報知画像１１８ｃの表示を開始する（Ｓ４４，Ｓ４５）と共にスピーカ１８，２５からメニュー表示音を出力する（Ｓ４６）。ここで、メニュー操作報知画像１１８ｃは、メニュー画像１１８ｂに関する操作方法を報知するためのもので、図２５に示すように、カーソルの移動に用いる十字操作手段３５の上下キー３５ａ，３５ｂを示すイラストと「選択」の文字、及び選択項目の決定（選択確定操作）に用いる演出ボタン３４のイラストと「決定」の文字で構成されている。
【０１２７】
そして、メニュー画像フラグに１（メニュー画像表示中）をセットし（Ｓ４７）、メニュー無操作タイマに初期値（例えば１０ｓに対応する値）をセットして（Ｓ４８）、演出ボタン押下時処理を終了する。このように、客待ち状態中で且つメニュー画像１１８ｂが表示されていない状態で演出ボタン３４が押下操作された場合には、画像表示手段６０にメニュー画像１１８ｂが表示される。
【０１２８】
また、Ｓ４２でメニュー画像フラグが１（メニュー画像表示中）であれば（Ｓ４２：Ｙｅｓ）、スピーカ１８，２５から決定音を出力する（Ｓ４９）と共に、カーソル位置（仮選択状態）の選択項目画像に対応する特定処理を実行する（Ｓ５０〜Ｓ５４）。即ち、カーソル位置の選択項目画像に下位メニューが存在する場合（Ｓ５０：Ｙｅｓ）にはその下位メニューを表示し（Ｓ５１）、カーソル位置の選択項目画像が「戻る」であれば（Ｓ５２：Ｙｅｓ）一つ前の状態に戻り（Ｓ５３）、カーソル位置の選択項目画像に下位メニューが存在せず（Ｓ５０：Ｎｏ）、且つ「戻る」でもない場合には（Ｓ５２：Ｎｏ）、カーソル位置の選択項目画像に対応する処理を実行する（Ｓ５４）。そして、メニュー無操作タイマに初期値（例えば１０ｓに対応する値）をセットして（Ｓ４８）、演出ボタン押下時処理を終了する。このように、選択項目画像が表示されている状態で演出ボタン３４を押下する行為が、カーソル位置（仮選択状態）の選択項目画像を選択するための選択確定操作の一例である。
【０１２９】
図２５に示すメニュー画像１１８ｂの例では、下位メニューが存在する選択項目画像は「モード変更」である。この「モード変更」は、モード設定を変更するためのもので、この「モード変更」が選択された場合には、図２６に示すような下位メニュー画像１１９が表示される。下位メニュー画像１１９は、最初のメニュー画面に戻るための「メニュー画面」を含む複数の選択項目画像１６４ａ〜１６４ｅ（下位選択項目）で構成されており、カーソルの初期位置は「メニュー画面」以外の選択項目画像１６４ａ〜１６４ｄの何れかに設定されている。
【０１３０】
本実施形態では、複数種類、例えば４種類の第１〜第４モード毎に、客待ち状態中における第１〜第４可動体７５ａ〜７８ａの配置が異なっており、それら４種類のモードの切り換えをこの「モード変更」のメニュー操作で行うことが可能となっている。なお、モード毎に可動体７５ａ〜７８ａの配置が異なるため、可動隠蔽領域Ｃ及び非隠蔽領域Ｄも
モード毎に異なっている。
【０１３１】
第１モードでは、図２８（ａ）に示すように第１可動体７５ａが第１上部位置に、第２可動体７６ａが第２下部位置に、第３可動体７７ａが第３外部位置に、第４可動体７８ａが第４外部位置に夫々停止した状態となる。また、第２モードは、図２８（ｂ）に示すように第１モードに対して第１可動体７５ａの停止位置のみが第１上部位置から第１下部位置に変化したもので、第１モードに対して非隠蔽領域Ｄの下部側が狭まり上部側が広がった状態となる。
【０１３２】
また、第３モードは、図２８（ｃ）に示すように第１モードに対して第２可動体７６ａが第２下部位置から第２上部位置に変化したもので、第１モードよりも非隠蔽領域Ｄの下部側が狭くなっている。また、第４モードは、図２８（ｄ）に示すように第３モードに対して第３，第４可動体７７ａ，７８ａが夫々第３，第４外部位置から第３，第４内部位置に変化したもので、第３モードよりも非隠蔽領域Ｄの幅が狭くなっている。なお、初期状態では第１モードに設定されているものとする。
【０１３３】
この「モード変更」に対応する下位メニュー画像１１９が表示された場合には、図２６に示すようにカーソルの初期位置をその時点のモードに対応する選択項目画像（初期状態では第１モードに対応する選択項目画像１６４ａ）に設定することが望ましいが、その時点のモードとは無関係に、最初のメニュー画面に戻るための「メニュー画面」に対応する選択項目画像１６４ｅをカーソルの初期位置に設定してもよい。
【０１３４】
なお、この下位メニュー画像１１９の選択項目画像の何れかに更に下位メニューを設けてもよい。即ち、メニューの階層数は任意である。また、特定のメニュー画像に移行した場合のカーソルの初期位置は、それよりも上位のメニュー画像から移行してきた場合と、下位のメニュー画像から移行してきた場合とで異なっていてもよく、下位のメニュー画像から戻ってきた場合のカーソルの初期位置は、「メニュー画面」、「戻る」等、それよりも上位に移行するための選択項目画像に設定することが望ましい。
【０１３５】
また、図２５に示すメニュー画像の例では、下位メニューが存在しない選択項目画像は「履歴」であって、この「履歴」の選択が決定された場合には、図２７に示すような大当たり履歴の情報が表示される。なお、このような下位メニューが存在しない選択項目画像の選択が決定された場合でも、図２７に示すように、画像表示手段６０にはメニュー画面等の上位メニューに戻るための「メニュー画面」等の選択項目画像と、その選択項目の決定操作を報知するためのメニュー操作報知画像１１８ｃとが表示される。
【０１３６】
また、十字操作手段３５の上キー３５ａが押下された場合の上キー押下時処理（図２１のＳ２６）、同じく下キー３５ｂが押下された場合の下キー押下時処理（図２１のＳ２８）は図２３に示す手順で行われる。なお、図２３には上キー押下時処理のフローチャートを示すと共に、その上キー押下時処理に対する下キー押下時処理の相違部分のみを括弧書きで示している。ここでは上キー押下時処理について説明し、その中で下キー押下時処理についても言及する。
【０１３７】
図２３に示す上キー（下キー）押下時処理では、まずメニュー画像フラグが１であるか否か、即ちメニュー画像等の表示中であるか否かを判定し（Ｓ６１）、メニュー画像フラグが１でない場合、即ちメニュー画像等が表示中でない場合には（Ｓ６１：Ｎｏ）ここで上キー（下キー）押下時処理を終了する。
【０１３８】
メニュー画像フラグが１であれば、即ちメニュー画像等が表示中であれば（Ｓ６１：Ｙｅｓ）、カーソル位置が最上位置（下キー押下時処理の場合は最下位置）であるか否かを判定し（Ｓ６２）、最上位置（下キー押下時処理の場合は最下位置）でなければ（Ｓ６２：Ｎｏ）、カーソルを１つ上（下キー押下時処理の場合は１つ下）に移動させ（Ｓ６４）、最上位置（下キー押下時処理の場合は最下位置）であれば（Ｓ６２：Ｙｅｓ）、カーソルを最下位置（下キー押下時処理の場合は最上位置）に移動させる（Ｓ６３）。そして、スピーカ１８，２５からカーソル移動音を出力する（Ｓ６５）と共に、メニュー無操作タイマに初期値（例えば１０ｓに対応する値）をセットし（Ｓ６６）、上キー（下キー）押下時処理を終了する。
【０１３９】
このように、十字操作手段３５の上下キー３５ａ，３５ｂは、メニュー画像１１８ｂが表示された状態でメニュー選択に関する操作が有効となり、上キー３５ａはカーソルを上向きに、下キー３５ｂはカーソルを下向きに移動させ、それらの連続操作によりカーソルは複数の選択項目画像を循環移動するようになっている。
【０１４０】
図２１に戻って説明を続ける。以上のようなＳ２３〜Ｓ２８の処理に続いては、メニュー無操作タイマの値が０であるか否かを判定し（Ｓ２９）、メニュー無操作タイマの値が０でなければ、即ち演出ボタン３４、十字操作手段３５の上下キー３５ａ，３５ｂの何れかが最後に操作されてから未だ所定時間（例えば１０ｓ）が経過していなければここでメニュー管理処理を終了する。
【０１４１】
Ｓ２９でメニュー無操作タイマの値が０であれば、即ち演出ボタン３４、十字操作手段３５の上下キー３５ａ，３５ｂの何れかが最後に操作されてから所定時間（例えば１０ｓ）が経過した場合には（Ｓ２９：Ｙｅｓ）、メニュー画像フラグが１（メニュー画像等を表示中）であることを条件に（Ｓ３０：Ｙｅｓ）、メニュー画像１１８ｂ及びメニュー操作報知画像１１８ｃの表示を終了し（Ｓ３１，Ｓ３２）、メニュー表示可能報知画像１１８ａの表示を開始する（Ｓ３３）と共にメニュー画像フラグに０をセットし（Ｓ３４）、メニュー管理処理を終了する。このように、メニュー表示中の無操作期間が所定時間（例えば１０ｓ）に達した場合にはメニュー画像１１８ｂ等の表示が終了し、操作待ちの状態となる。
【０１４２】
節電モード設定手段１５８は、節電モードの設定を行うもので、通常モードよりも消費電力を低くする節電モードが選択されている場合に、客待ち状態中に節電モードに設定すると共に、節電モード中であることを示す節電モード報知画像１２０（図２９等）を画像表示手段６０に表示するようになっている。節電モード中は、電飾手段１５９への通電が停止される。なお、通常モードと節電モードとの何れかを選択するための切換操作手段を前枠３の裏側等に設け、遊技ホールの担当者等が操作可能としてもよい。
【０１４３】
また、音量が所定範囲（例えば第１〜第５段階のうちの第１段階）に設定されている場合には節電モードに設定し、それ以外の場合には通常モードに設定する等、その他の設定項目（例えば音量）の設定状況に対応して通常モードと節電モードとを自動的に切り換えるようにしてもよい。
【０１４４】
続いて、種々の場面毎に、画像表示手段６０に表示される各種画像と、画像表示手段６０の表示画面６０ａにおける各領域Ａ，Ｂ１〜Ｂ５，Ｃ，Ｄとの関係を説明する。
【０１４５】
図３０（ａ）は、客待ち状態中の一場面における画像表示手段６０の表示画像を示している。この図３０（ａ）の例では第１モード（図２８（ａ））及び節電モードに設定されており、また、客待ち通常演出中であるとする。また、図３０（ｂ）は、図３０（ａ）の各画像と表示画面６０ａ上の領域との対応関係を示している。なお、図３０（ｂ）では、表の下側の画像ほど表示優先度が高くなっている（図３１（ｂ）〜図３８（ｂ）についても同様）。
【０１４６】
図３０（ａ），（ｂ）に示すように、表示画面６０ａにはその全画面領域Ａを対象に背景画像１６０（図３０（ａ）ではグレーで示す）が表示されると共に、直前の図柄変動で停止した状態の演出図柄１１４の画像が、非隠蔽領域Ｄと可動隠蔽領域Ｃとに跨がって表示されている。演出図柄１１４のうち、図柄画像１１４ａはその全体が非隠蔽領域Ｄに表示され、装飾画像１１４ｂの一部が可動隠蔽領域Ｃ、第１可動体７５ａの後側に表示されている。これにより、直前の図柄変動の結果を明確に報知しつつ、限られた非隠蔽領域Ｄを有効に利用できる。
【０１４７】
なお、左、右、中の３つの演出図柄１１４のうち、左右の演出図柄１１４を非隠蔽領域Ｄと第１〜第３固定隠蔽領域Ｂ１〜Ｂ３の少なくとも一つとに跨がって表示してもよい。これにより、３つの演出図柄１１４の間隔を広く確保することができ、限られた非隠蔽領域Ｄを有効に活用して図柄変動の結果をより明確に報知することが可能である。この場合、第１〜第３固定隠蔽領域Ｂ１〜Ｂ３に表示する部分は装飾画像１１４ｂであることが望ましいが、図柄画像１１４ａの一部を第１〜第３固定隠蔽領域Ｂ１〜Ｂ３に表示してもよい。
【０１４８】
図柄画像１１４ａの種類（数字）によって装飾画像１１４ｂの大きさ等のレイアウトを異ならせるようにしても良い。この場合、装飾画像１１４ｂについては、図柄画像１１４ａの種類により異なる装飾画像１１４ｂであったとしても非隠蔽領域Ｄと所定の隠蔽領域（前述のいずれの隠蔽領域でもよい）に跨って表示するようにしてもよい。また、一部の装飾画像１１４ｂについては非隠蔽領域Ｄと所定の隠蔽領域とに跨って表示し、その他の装飾画像１１４ｂについては非隠蔽領域Ｄにのみ表示するようにしてもよい。また、左、右、中の３つの演出図柄１１４の変動ラインに応じて、装飾画像１１４ｂのレイアウトを異ならせるようにしてもよい。
【０１４９】
装飾画像１１４ｂが非隠蔽領域Ｄと所定の隠蔽領域とに跨って表示するようにしたが、例えば図柄の停止状態においてこのように構成することが望ましい。図柄の変動状態においては非隠蔽領域Ｄと所定の隠蔽領域とに跨って表示しなくてもよく、図柄の変動状態に応じて種々の表示構成してもよい。
【０１５０】
図柄画像１１４ａや装飾画像１１４ｂに所定のアニメーションを付加するようにしてもよい。例えば図柄の変動開始時や仮停止時、リーチ時や図柄停止時、又は図柄が外れ態様で停止、図柄が当たり態様で停止した際に、図柄画像１１４ａや装飾画像１１４ｂをアニメーション動作させるようにしてもよい。また、アニメーション動作は複数あってもよく、図柄画像１１４ａや装飾画像１１４ｂの種類又は前述の状況に応じて異ならせるようにしてもよい。このようなアニメ―ションの実行時においても、装飾画像１１４ｂを非隠蔽領域Ｄと所定の隠蔽領域とに跨って表示するようにしてもよい。
【０１５１】
また、アニメーションの実行時には非隠蔽領域Ｄと所定の隠蔽領域とに跨って表示し、非実行時には非隠蔽領域Ｄにのみ表示するようにしてもよい。また、その逆の構成として、アニメーションの実行時には非隠蔽領域Ｄにのみ表示するようにし、非実行時には非隠蔽領域Ｄと所定の隠蔽領域とに跨って表示するようにしてもよい。このようにすることにより少なくともアニメーション実行時には装飾画像１１４ｂの視認性を高めることができる。
【０１５２】
遊技状態（通常／時短／潜伏／確変）や遊技モード（背景Ａ／背景Ｂ）、特殊遊技モード（先読みモード）等に応じて、演出図柄１１４の装飾画像１１４ｂや図柄画像１１４ａを変更するようにしてもよい。この場合、遊技状態や遊技モード、特殊遊技モードによって、装飾画像１１４ｂが非隠蔽領域Ｄと所定の隠蔽領域とに跨って表示される場合と、非隠蔽領域Ｄにのみ表示される場合とで異なるように構成してもよい。
【０１５３】
また、エラー報知画像１６３、メニュー表示可能報知画像１１８ａ、音量調整可能報知画像１１６ａ、光量調整可能報知画像１１６ｂについては、それらの全体が非隠蔽領域Ｄに表示されている。これらの画像は演出図柄１１４よりも表示優先度が高いため、演出図柄１１４の一部に重なる場合にはその前側に表示されるが、その場合には図柄画像１１４ａは避けて装飾画像１１４ｂに重なるように表示することが望ましい。
【０１５４】
なお、音量調整可能報知画像１１６ａの表示中に遊技者が左右キー３５ｃ，３５ｄを操作した場合に表示される音量設定画像１１７ａ、光量調整可能報知画像１１６ｂの表示中に遊技者が上下キー３５ａ，３５ｂを操作した場合に表示される光量設定画像１１７ｂについても、図３０（ｂ）に示すようにそれらの全体が非隠蔽領域Ｄに表示される（図３０（ａ）では図示省略）。
【０１５５】
また、保留台座画像１６１は、表示画面６０ａの下部側に、非隠蔽領域Ｄと第１〜第５固定隠蔽領域Ｂ１〜Ｂ５，可動隠蔽領域Ｃの少なくとも一部（ここでは第１〜第５固定隠蔽領域Ｂ１〜Ｂ５）とに跨がって表示されている。客待ち状態中は第１，第２特別保留個数が共に０であるため、保留台座画像１６１の重要性は低く、従ってその少なくとも一部を非隠蔽領域Ｄ以外の領域に表示することで非隠蔽領域Ｄをより有効に利用できる。なお、保留台座画像１６１の全体を非隠蔽領域Ｄ以外の領域に表示してもよいし、保留台座画像１６１は表示しなくてもよい。
【０１５６】
また、節電モード報知画像１２０は、表示画面６０ａの下部側で且つ保留台座画像１６１の上側に、非隠蔽領域Ｄと第１〜第５固定隠蔽領域Ｂ１〜Ｂ５の少なくとも一部（ここでは第１〜第４固定隠蔽領域Ｂ１〜Ｂ４）とに跨がって表示されている。節電モードの報知は、エラー報知等と比較して重要性が低いため、節電モード報知画像１２０の少なくとも一部を非隠蔽領域Ｄ以外の領域に表示することで非隠蔽領域Ｄをより有効に利用できる。
【０１５７】
なお、エラー報知画像１６３に関し、複数のエラーを報知する場合にはそれら複数のエラーに対応するエラー報知画像１６３のすべてを非隠蔽領域Ｄに表示するようにしてもよい。また、複数のエラーを報知する場合、所定数（１〜４個程度）まではそれらのエラー報知画像１６３を非隠蔽領域Ｄに表示し、所定数を超えるエラーを報知する場合には所定数を超えた分については非隠蔽領域Ｄと第１〜第５固定隠蔽領域Ｂ１〜Ｂ５の少なくとも一つとに跨がって表示したり、第１〜第５固定隠蔽領域Ｂ１〜Ｂ５に表示するようにしてもよい。
【０１５８】
また、エラーの内容に応じて表示領域を設定してもよく、通常遊技で発生しうるような下皿満杯エラーなどに関するエラー報知画像１６３は非隠蔽領域Ｄに表示し、扉開放など通常遊技では発生し得ないエラーに関するエラー報知画像１６３は少なくとも一部を第１〜第５固定隠蔽領域Ｂ１〜Ｂ５に表示するようにしてもよい。下皿満杯エラーの場合には、エラー解除に際して遊技者による下皿開放動作が必要であるから、遊技者が最も視認しやすい非隠蔽領域Ｄにエラー報知画像１６３を表示することが望ましい。
【０１５９】
また、磁気検出エラーなどゴト行為がなされた場合に発生しうるエラーに関しては、ゴト行為が行われた可能性があることを遊技者に対して警告すると共にホール従業員に対して報知する必要があるため、遊技者やホール従業員が最も視認しやすい非隠蔽領域Ｄにエラー報知画像１６３を表示することが望ましい。
【０１６０】
図３１（ａ）は、表示画面６０ａにメニュー画像１１８ｂが表示された状態を示している。このメニュー画像１１８ｂは、メニュー操作可能期間（客待ち状態）中に遊技者が演出ボタン３４を操作することによって表示される。また、図３１（ｂ）は、図３１（ａ）の各画像と表示画面６０ａ上の領域との対応関係を示している。
【０１６１】
図３１（ａ），（ｂ）に示すように、表示画面６０ａにはその全画面領域Ａを対象に背景画像１６０（図３１（ａ）ではグレーで示す）が表示されると共に、メニュー画像１１８ｂを構成する４つの選択項目画像１６４ａ〜１６４ｄと、メニュー操作報知画像１１８ｃとが表示されている。このメニュー画像１１８ｂが表示されたとき、カーソル（図３１（ａ）ではハッチングで示す）は「戻る」に対応する選択項目画像１６４ｄに位置している。
【０１６２】
そして、少なくともその初期カーソル位置に対応する選択項目画像（初期仮選択項目画像）１６４ｄは、その全体が非隠蔽領域Ｄに表示されているのに対し、それ以外の選択項目画像１６４ａ〜１６４ｃは、その少なくとも一つ（ここでは「履歴」に対応する選択項目画像１６４ａ）が非隠蔽領域Ｄの外側にはみ出して非隠蔽領域Ｄと可動隠蔽領域Ｃ（例えば第１可動体７５ａの後側）とに跨がって表示され、その他（ここでは選択項目画像１６４ｂ，１６４ｃ）はその全体が非隠蔽領域Ｄに表示されている。また、メニュー操作報知画像１１８ｃは、その全体が非隠蔽領域Ｄに表示されている。
【０１６３】
このように、少なくとも初期カーソル位置に対応する選択項目画像（初期仮選択項目画像）についてその全体を非隠蔽領域Ｄに表示することにより、遊技者に初期カーソル位置を確実に認識させることができ、その後のカーソル移動操作や選択確定操作にスムーズに移行することが可能である。また、初期カーソル位置以外の選択項目画像についてはその少なくとも一つを非隠蔽領域Ｄとその外側の領域（例えば可動隠蔽領域Ｃ）とに跨がって表示することで非隠蔽領域Ｄをより有効に利用できる。もちろん、メニュー画像１１８ｂを構成する４つの選択項目画像１６４ａ〜１６４ｄの全てを非隠蔽領域Ｄ内に表示してもよい。
【０１６４】
メニュー操作報知画像１１８ｃについては非隠蔽領域Ｄのみに表示し、初期カーソル位置に対応する選択項目画像１６４ａ〜１６４ｄや、それ以外の選択項目画像１６４ａ〜１６４ｄについては、非隠蔽領域Ｄと隠蔽領域とに跨るように表示するようにしてもよい。このように構成したとしても、各選択項目が視認できない状態とはならず、少なくともメニュー操作報知画像１１８ｃが視認可能となっていることにより、遊技者に対して所定のメニュー操作が有効となっている旨を確実に報知することが可能である。
【０１６５】
メニュー画像１１８ｂに関しては、第１メニュー階層と第１メニュー階層に表示された選択項目が遊技者により操作されることで表示画面６０ａが遷移する第２メニュー階層とを有するようにしてもよい。例えば、図３１に記載されたメニュー階層を第１メニュー階層とし、各選択項目のうちモード変更が選択された場合には、いずれのモードに設定するかを選択可能な第２メニュー階層を表示するようにしてもよい。また、メニュー階層は第１階層と第２階層とに限らず、さらに複数の階層を設けるようにしてもよい。そして、遊技者により選択された各選択項目に応じた第２メニュー階層等においても、第１メニュー階層と同様の表示態様とすることが望ましい。また、第１メニュー階層と第２メニュー階層とで表示態様を異ならせるようにしてもよい。ただし、前述の表示態様のうち何れの表示態様とするかを異ならせることが望ましい。
【０１６６】
メニュー画像１１８ｂの表示中に、所定のエラーが発生した場合においても、エラー報知画像１６３は非隠蔽領域Ｄに表示することが望ましい。また、エラー報知画像１６３はメニュー画像１１８ｂの各選択項目に重ねて表示することが望ましい。
【０１６７】
メニュー画像１１８ｂの表示中であっても、所定の操作手段を操作すること又は、所定の選択項目を選択して操作することにより、音量調整又は光量調整が可能であるように構成してもよい。また、この場合、音量設定画像１１７ａ又は光量設定画像１１７ｂを表示する際には非隠蔽領域Ｄにのみ表示するように構成することが望ましい。
【０１６８】
可動体７５ａ，７６ａが原点位置から所定の演出位置に向けて移動した際に、不具合等により所定の演出位置にて可動体７５ａ，７６ａが停止したまま動作しなくなることがある。このように仮に可動体７５ａ，７６ａが演出位置に位置したままの状態でメニュー画像１１８ｂが表示された場合であっても、メニュー画像１１８ｂの各選択項目やメニュー操作報知画像１１８ｃ等の表示態様又はエラー報知画像１６３、音量設定画像１１７ａ、光量設定画像１１７ｂについては、可動体７５ａ，７６ａと重ならない位置であり非隠蔽領域Ｄにのみ又は非隠蔽領域Ｄと隠蔽領域とに跨る位置に表示されるように構成することが望ましい。
【０１６９】
なお、電源投入時やＲＡＭクリア時、その他の所定のタイミングで可動体のイニシャライズを行う場合、少なくとも初期カーソル位置に対応する選択項目画像（初期仮選択項目画像）については、正面視でイニシャライズ時の可動体の動作経路と重ならない位置に表示することが望ましい。これにより、可動体のイニシャライズ中にメニュー表示操作が行われた場合でも、遊技者に初期カーソル位置を確実に認識させることができる。
【０１７０】
なお、初期カーソル位置に対応する選択項目画像のうち、選択項目名を示す部分（例えば「戻る」の文字部分）以外の部分については、正面視でイニシャライズ時の可動体の動作経路と重なる位置に表示してもよい。また、メニュー操作報知画像１１８ｃについても、正面視でイニシャライズ時の可動体の動作経路と重ならない位置に表示することが望ましい。
【０１７１】
図３２（ａ）及び図３３（ａ）は、リーチ変動パターンによる演出図柄１１４の変動の一例であり、図３２（ａ）がリーチ成立前の通常変動中を、図３３（ａ）がリーチ成立後のリーチ変動中を夫々示している。図３２（ａ）及び図３３（ａ）より明らかなように、図３２（ａ）に示す通常変動中と図３３（ａ）に示すリーチ変動中とで可動体の配置（停止位置）が異なり、それによって非隠蔽領域Ｄの広さが異なっている。
【０１７２】
即ち、図３２（ａ）に示す通常変動中は、図２８（ｄ）に示す第４モード時と同様、第１可動体７５ａが上部位置に、第２可動体７６ａが上部位置に、第３，第４可動体７７ａ，７８ａが内部位置に夫々停止しているが、所定のタイミング、通常変動の終了直前に、図３３（ａ）に示すように第２可動体７６ａが下側の下部位置に、第３，第４可動体７７ａ，７８ａが外側の外部位置に夫々移動することにより、非隠蔽領域Ｄが下側及び左右両側に夫々拡大している。なお、リーチ変動パターンによる図柄変動において可動体の停止位置を変更するタイミングは、リーチ演出の開始時、先読み演出実行時、可動体演出実行時、リーチ演出の終了時等でもよい。
【０１７３】
また、この非隠蔽領域Ｄの変化（拡大）に対応して、表示画面６０ａに表示される画像の表示態様も変化している。即ち、図３２に示す通常変動中は、保留台座画像１６１が表示画面６０ａの下部側に、非隠蔽領域Ｄと第１〜第５固定隠蔽領域Ｂ１〜Ｂ５の少なくとも一部（ここでは第１〜第４固定隠蔽領域Ｂ１〜Ｂ４）とに跨がって表示されると共に、保留表示画像Ｘ１〜，Ｙ１〜、変動中保留画像Ｚが保留台座画像１６１の前側で且つ非隠蔽領域Ｄ内に表示されている。なお、保留表示画像Ｘ１〜，Ｙ１〜、変動中保留画像Ｚの全部又は一部を可動隠蔽領域Ｃ、第１〜第５固定隠蔽領域Ｂ１〜Ｂ５の少なくとも一つに配置してもよいが、その場合には遊技者がのぞき込めばそれらの全体を視認可能であることが望ましい。
【０１７４】
一方、図３３に示すリーチ変動中は、変動中保留画像Ｚを残して保留台座画像１６１及び保留表示画像Ｘ１〜，Ｙ１〜が消去されると共に、変動中保留画像Ｚが非隠蔽領域Ｄの拡大側（ここでは下側）に移動して、非隠蔽領域Ｄとその外側の領域（例えば第４固定隠蔽領域Ｂ４）とに跨がって表示されるようになっている。なお、このリーチ変動中の変動中保留画像Ｚは、正面視ではその一部が中央表示枠ユニット４７の後側に隠れているが、遊技者が上側からのぞき込めばその全体を視認可能となっている。
【０１７５】
これにより、非隠蔽領域Ｄが拡大されたことと相俟って、より広い表示領域をリーチ演出のために利用できる。この場合のリーチ演出画像１７１は、図３３（ｂ）に示すように全画面領域Ａを対象に表示することが望ましい。
【０１７６】
なお、保留台座画像１６１、保留表示画像Ｘ１〜，Ｙ１〜及び変動中保留画像Ｚについては、第２可動体７６ａの移動に合わせて下向きに移動させ、保留台座画像１６１及び保留表示画像Ｘ１〜，Ｙ１〜については表示画面６０ａの外側に消えていくように表示してもよいし、消さずに拡大した領域に表示するようにしてもよい。また、保留台座画像１６１を消去して、保留表示画像Ｘ１〜，Ｙ１〜及び変動中保留画像Ｚを拡大した領域に残すようにしてもよい。
【０１７７】
また、演出図柄１１４については、図３２に示す通常変動中は、装飾画像１１４ｂの一部が非隠蔽領域Ｄの外側の領域（例えば可動隠蔽領域Ｃ）に、それ以外は非隠蔽領域Ｄに表示された状態で変動し、図３３に示すリーチ変動中は、装飾画像１１４ｂが消去されて図柄画像１１４ａのみが非隠蔽領域Ｄに表示されるようになっている。
【０１７８】
また、遊技者が音量調整操作を行った場合に表示される音量設定画像１１７ａについては、図３２に示す通常変動中と図３３に示すリーチ変動中との何れも、その全体が非隠蔽領域Ｄに表示されるが、リーチ変動中は通常変動中よりも表示位置を非隠蔽領域Ｄの拡大側（例えば下側）に移動させてもよい。この場合の音量設定画像１１７ａの表示位置の移動は、第２可動体７６ａ等の移動が完了した後に行うことが望ましい。
【０１７９】
音量設定画像１１７ａの表示位置の移動により、その後にリーチ変動に移行することを遊技者に知られてしまうことを防止するためである。なお、遊技者が光量調整操作を行った場合に表示される光量設定画像１１７ｂ（図３２（ａ）、図３３（ａ）では図示省略）の取り扱いについては音量設定画像１１７ａと同様である。
【０１８０】
なお、音量設定画像１１７ａ、光量設定画像１１７ｂ等、通常変動中（非隠蔽領域Ｄの変更前）とリーチ変動中（非隠蔽領域Ｄの変更後）とで共に非隠蔽領域Ｄ内に表示される画像については、拡大前後で共に非隠蔽領域Ｄに属する領域に表示することにより、リーチ変動時に表示位置を移動させないようにしてもよい。また、図３２，図３３の例のように、図柄変動中に可動体の停止位置を切り換えることによって非隠蔽領域Ｄの位置及び／又は広さが変更可能である場合、その変更を行うか否か等を遊技者が任意に選択可能としてもよい。また、リーチ変動中は、スクロール変動中の中演出図柄等を他の左演出図柄、右演出図柄等よりも大きく表示してもよい。これにより、一つの演出図柄がスクロールにより表示画面６０ａ上を通過する時間を短縮することができる。
【０１８１】
リーチ変動中に可動体７５ａ，７６ａを原点位置から所定の演出位置に動作させる場合において、可動体７５ａ，７６ａが所定の演出位置に位置している状態でも、音量設定画像１１７ａ及び／又は光量設定画像１１７ｂを非隠蔽領域Ｄに表示することが望ましい。また、当然ながらこのような状況においても遊技者による音量調整及び／又は光量調整が可能であるが、実際に設定結果が反映されるのは可動体７５ａ，７６ａの動作を伴う所定の演出が終了してからとすることが望ましい。また、可動体７５ａ，７６ａの動作を伴わない演出であっても前述のように構成するようにしてもよい。
【０１８２】
このようにすることにより所定の演出実行時の音やランプによる演出の興趣を低下させることなく実行することが可能になる。また、遊技者による設定操作自体は無効ではなく有効に受け付けているため、遊技者に対して急に設定操作ができなくなるといった不都合や違和感を与えることもない。
【０１８３】
図３４（ａ）は、通常予告演出の一例であるステップアップ予告演出における各段階で表示されるステップアップ予告画像ＳＵ１〜ＳＵ５の表示領域を示している。このステップアップ予告演出では、第１段階から第５段階までの５段階の何段階目まで進行するかで大当たり信頼度を示唆するようになっており、また、ステップアップ予告画像ＳＵ１からステップアップ予告画像ＳＵ５まで徐々にその表示領域が変化（ここでは拡大）するようになっている。
【０１８４】
図３４（ａ），（ｂ）の例では、ステップアップ予告画像ＳＵ１とステップアップ予告画像ＳＵ２についてはその全体が非隠蔽領域Ｄに表示されるが、ステップアップ予告画像ＳＵ３ではその一部が非隠蔽領域Ｄをはみ出して可動隠蔽領域Ｃに表示され、ステップアップ予告画像ＳＵ４では可動隠蔽領域Ｃだけでなく第２〜第５固定隠蔽領域Ｂ２〜Ｂ５まで拡大して、最終的にステップアップ予告画像ＳＵ５（図３４（ａ）では図示省略）では全画面領域Ａに表示されるようになっている（図３４（ｂ））。なお、ステップアップ予告画像ＳＵ１〜ＳＵ５の一部が非隠蔽領域Ｄからはみ出して表示されても、それら各画像のうち、大当たり信頼度等を示唆する部分（キャラクタの台詞を示す文字部分等）についてはその全体を非隠蔽領域Ｄに表示することが望ましい。
【０１８５】
また、ステップアップ予告画像ＳＵ１〜ＳＵ５を所定の表示位置に表示する際に導入演出を行うようにしてもよい。ここで導入演出とは、ステップアップ予告画像ＳＵ１〜ＳＵ５を所定の表示位置に向けて移動させたり、ステップアップ予告画像ＳＵ１〜ＳＵ５を所定の表示位置に表示する直前に導入エフェクト画像を表示することで、ステップアップ予告画像ＳＵ１〜ＳＵ５の生起を遊技者に知らせるためのものである。この導入演出は、第１〜第５固定隠蔽領域Ｂ１〜Ｂ５の全部又は少なくとも一つと非隠蔽領域Ｄとに跨がるように表示してもよい。
【０１８６】
また、遊技者が音量調整操作を行った場合に表示される音量設定画像１１７ａは、その全体が非隠蔽領域Ｄに表示されるが、大当たり信頼度等を示唆する部分（キャラクタの台詞を示す文字部分等）を避けて表示することが望ましい。遊技者が光量調整操作を行った場合に表示される光量設定画像１１７ｂ（図示省略）についても同様である（図３４（ａ）では図示省略）。なお、音量設定画像１１７ａ、光量設定画像１１７ｂ等については、ステップアップ予告画像における大当たり信頼度等を示唆する部分以外の部分や、導入演出などと重ねて表示することは差支えない。
【０１８７】
このようにすることにより仮に非隠蔽領域Ｄの大部分を使用してステップアップ予告画像を表示するような場合であっても、ステップアップ予告画像の視認性を損なうことなく、音量設定画像１１７ａや光量設定画像１１７ｂを非隠蔽領域Ｄに表示することができる。
【０１８８】
ステップアップ予告画像ＳＵ１〜ＳＵ５を表示する際に、基本的にはステップアップ予告画像ＳＵ１から表示を開始し、ステップアップ予告画像ＳＵ２、ＳＵ３…ＳＵ５と段階的に表示を行っていくことになるが、次の段階のＳＵ画像を表示する際に前回のＳＵ画像の表示を削除するようにしてもよい。また、前回のＳＵ画像の表示を削除することなく表示したまま次のＳＵ画像を表示するようにしてもよい。この場合、前回のＳＵ画像の一部に重なるように次のＳＵ画像を表示することが望ましい。さらに、段階を重ねるに連れてより大きなＳＵ画像を表示するようにしてもよい。
【０１８９】
また、前回のＳＵ画像に次のＳＵ画像を重ねるように表示することとしたが、例えばステップアップ予告画像ＳＵ１を表示し、ステップアップ予告画像ＳＵ１の少なくとも一部と重なるようにステップアップ予告画像ＳＵ２を表示し、ステップアップ予告画像ＳＵ２の少なくとも一部と重なるようにステップアップ予告画像ＳＵ３を表示した場合に、ステップアップ予告画像ＳＵ３を表示した際にステップアップ予告画像ＳＵ１を削除するようにしてもよい。また、削除するだけに限らず、ステップアップ予告画像ＳＵ１にステップアップ予告画像ＳＵ３を重ねて表示することで、ステップアップ予告画像ＳＵ１を視認できないようにしてもよい。
【０１９０】
ステップアップ予告のガセ演出（失敗演出）を実行可能としてもよい。ガセ演出においてもステップアップ予告画像ＳＵ１〜ＳＵ５の各ＳＵ画像を表示することが可能だが、成功演出時とは表示態様が少し異なる。例えば、ステップアップ予告画像ＳＵ１のガセ演出では、一旦ステップアップ予告画像ＳＵ１の導入演出を実行した後、非実行状態のステップアップ予告画像ＳＵ１（例えばキャラクタのみで吹き出しが表示されない）が表示され、その後ステップアップ予告画像ＳＵ１が実行される場合には実行状態のステップアップ予告画像ＳＵ１（キャラクタと吹き出しが表示される）が表示されるが、今回はガセ演出なので実行状態のステップアップ予告画像ＳＵ１が表示されることなく、非実行状態のステップアップ予告画像ＳＵ１を削除（フェードアウトを伴う）してステップアップ演出を終了する。
【０１９１】
このようにガセ演出を実行する場合において、導入演出又は非実行状態のＳＵ画像に関しても、ステップアップ予告画像ＳＵ１〜ＳＵ５の段階毎に所定の表示領域に表示するように構成してもよい。また、ステップアップ予告画像ＳＵ５についてはガセ演出が存在しないように構成してもよい。
【０１９２】
ステップアップ予告画像ＳＵ１〜ＳＵ５の表示領域に関して、前述の実施形態に限らず種々の表示態様とするようにしてもよい。例えば、ステップアップ予告画像ＳＵ５の表示態様をステップアップ予告画像ＳＵ１又はステップアップ予告画像ＳＵ２に適用してもよいし、ステップアップ予告画像ＳＵ１又はステップアップ予告画像ＳＵ２の表示態様をステップアップ予告画像ＳＵ３〜ＳＵ５に適用するようにしてもよい。このように前述の表示態様を各ＳＵ画像毎に適宜設定するようにしてもよい。
【０１９３】
図３５（ａ）及び図３６（ａ）は、通常予告演出の一例であるボタン会話予告演出における画像表示手段６０の表示画像を示している。なお、このボタン会話予告演出は、ボタン予告演出と会話予告演出とを融合したもので、操作有効期間中に遊技者が演出ボタン３４を操作した場合に、キャラクタが台詞を発する場面を示す操作時演出画像１６５が表示され、また、その台詞の内容が大当たり信頼度を示唆するようになっている。なお、操作有効期間中には、演出ボタン（操作手段）３４を操作すべき旨の操作誘導画像１６６が表示される。
【０１９４】
図３５（ａ）は、操作有効期間中に操作誘導画像１６６が表示された状態を示している。操作誘導画像１６６は、演出ボタン３４が押される様子を示すイラストと「ＰＵＳＨ！」の文字とで構成され、その全体が非隠蔽領域Ｄに表示されている。また、操作誘導画像１６６の周囲には、放射状その他のエフェクト画像１６７が、非隠蔽領域Ｄとその外側の領域（ここでは可動隠蔽領域Ｃ及び第３固定隠蔽領域Ｂ３）とに跨がって表示されている。
【０１９５】
なお、操作有効期間の進行状況を示すゲージ画像を表示してもよい。この場合、ゲージ画像は非隠蔽領域Ｄに表示することが望ましい。操作誘導画像１６６は、その一部（例えば演出ボタン３４を示す部分）が隠蔽領域Ｂ１〜Ｂ５，Ｃの少なくとも一つに跨がるように表示してもよいが、その場合でもゲージ部は非隠蔽領域Ｄに表示することが望ましい。複数の操作手段を備え、それら複数の操作手段の夫々に対応する予告演出（ボタン予告演出）を実行可能である場合には、夫々の予告演出について以上のように構成することが望ましい。また、複数の操作手段に対応する複数の予告演出に大当たり信頼度等の差がある場合には、信頼度が高い予告演出についてのみ以上のように構成してもよい。
【０１９６】
また、図３６（ａ）は、図３５（ａ）に示す状態のときに遊技者が演出ボタン３４を操作し、操作時演出画像１６５が表示された状態を示している。この操作時演出画像１６５は、大当たり信頼度を示唆する台詞を表す文字よりなる第１表示部１６５ａと、それ以外のキャラクタ、吹き出し等よりなる第２表示部１６５ｂとで構成されており、第１表示部１６５ａはその全体が非隠蔽領域Ｄに表示され、第２表示部１６５ｂは非隠蔽領域Ｄとその外側の領域（ここでは第４固定隠蔽領域Ｂ４のうちの透明隠蔽領域Ｂ４ａとするが、もちろんそれ以外の隠蔽領域Ｂ１〜Ｂ３，Ｂ５、Ｃでもよい）とに跨がって表示されている。透明隠蔽領域Ｂ４ａは、透明な進入防止手段１１１の後側に対応する領域であるため、正面からでもこの進入防止手段１１１の後側の第２表示部１６５ｂを視認可能である。
【０１９７】
また、図３５（ａ）と図３６（ａ）との何れについても、変動中の演出図柄１１４は図柄画像１１４ａのみの状態でその全体が非隠蔽領域Ｄに表示され、また、遊技者が音量調整操作を行った場合に表示される音量設定画像１１７ａも、その全体が非隠蔽領域Ｄに表示される。遊技者が光量調整操作を行った場合に表示される光量設定画像１１７ｂ（図示省略）についても同様である（図３５（ａ）、図３６（ａ）では図示省略）。
【０１９８】
操作誘導画像１６６の種類として、「連打」、「長押し」、「押すな」、「離せ」などの異なる種々の操作誘導画像１６６を表示するようにしてもよい。また、操作ボタンの種類として、複数の操作手段を備える場合には第１ボタン画像、第２ボタン画像を表示可能としてもよい。また、１の操作手段の態様を変化させることが可能である場合には、第１態様のボタン画像、第２態様のボタン画像等を表示可能としてもよい。また、変動表示の抽選結果の信頼度に応じて、ボタン画像の表示態様を青色、緑色、赤色、レインボー色など、種々の表示態様で表示するようにしてもよい。
【０１９９】
音量設定画像１１７ａ及び／又は光量調整画像１１７ｂについて、演出ボタン画像や操作誘導画像１６６に限らずゲージ画像と重ならないように表示することが望ましい。また、演出ボタン３４の表示態様や操作誘導画像１６６の表示態様によって操作有効期間が異なる場合にはゲージ画像の表示領域を大きくしたり小さくしたりすることが考えられるが、いずれの場合であってもゲージ画像とは重ならない位置に表示することが望ましい。
【０２００】
ボタン会話予告演出などのボタン操作を伴う演出の実行において、当然ながらこのような状況においても遊技者による音量調整及び／又は光量調整が可能であるが、実際に設定結果が反映されるのはボタン操作演出が終了してからであることが望ましい。しかし、実際に設定結果は、少なくともボタン画像やゲージ画像が表示されている操作有効期間が終了するまででに反映してもよいし、遊技者による操作が行われた後、操作時演出画像が表示されて、その表示が終了するまでに反映してもよい。
【０２０１】
このようにすることにより所定の演出実行時の音やランプによる演出の興趣を低下させることなく実行することが可能になる。また、遊技者による設定操作自体は無効ではなく有効に受け付けているため、遊技者に対して急に設定操作ができなくなるといった不都合や違和感を与えることもない。
【０２０２】
図３７（ａ）及び図３８（ａ）は、通常予告演出の一例であるミニキャラ予告演出における画像表示手段６０の表示画像を示している。このミニキャラ予告演出では、図３７（ａ）に示すように、まず複数のミニキャラ画像、例えば第１ミニキャラ画像（第１演出体画像）１６８と第２ミニキャラ画像（第２演出体画像）１６９とが登場する。このとき、第１ミニキャラ画像１６８と第２ミニキャラ画像１６９とは、共に非隠蔽領域Ｄとその外側の領域（ここでは可動隠蔽領域Ｃ）とに跨がって表示されている。
【０２０３】
そして図３８（ａ）に示すように、第１ミニキャラ画像１６８については非隠蔽領域Ｄに表示される割合が小さくなり、第２ミニキャラ画像１６９については逆に非隠蔽領域Ｄに表示される割合が大きくなるように、各ミニキャラ画像１６８，１６９の表示位置を変更すると共に、信頼度表示画像１７０が、第２ミニキャラ画像１６９に対応して非隠蔽領域Ｄに表示される。信頼度表示画像１７０は、第２ミニキャラ画像１６９の台詞を表示するもので、大当たり信頼度を示唆する台詞を表す文字よりなる第１表示部１７０ａと、それ以外の吹き出し等よりなる第２表示部１７０ｂとで構成されている。なお、第１表示部１７０ａについてはその全体を非隠蔽領域Ｄに表示し、第２表示部１７０ｂについてはその少なくとも一部を非隠蔽領域Ｄの外側（例えば可動隠蔽領域Ｃ）に表示してもよい。
【０２０４】
また、変動中の演出図柄１１４は図柄画像１１４ａのみの状態でその全体が非隠蔽領域Ｄに表示され、また、遊技者が音量調整操作を行った場合に表示される音量設定画像１１７ａも、その全体が非隠蔽領域Ｄに表示される。遊技者が光量調整操作を行った場合に表示される光量設定画像１１７ｂ（図示省略）についても同様である（図３７（ａ）、図３８（ａ）では図示省略）。なお、音量設定画像１１７ａ、光量設定画像１１７ｂについては、信頼度表示画像１７０よりも高い優先度に設定されているため、信頼度表示画像１７０と重なる場合には音量設定画像１１７ａ等が前側に表示されるが、音量設定画像１１７ａ、光量設定画像１１７ｂは、信頼度表示画像１７０のうち、少なくとも第１表示部１７０ａには重ならないように表示することが望ましい。
【０２０５】
また、保留台座画像１６１が表示画面６０ａの下部側に、非隠蔽領域Ｄとその外側の領域（ここでは第１〜第４固定隠蔽領域Ｂ１〜Ｂ４）とに跨がって表示されると共に、保留表示画像Ｘ１〜，Ｙ１〜、変動中保留画像Ｚが保留台座画像１６１の前側で且つ非隠蔽領域Ｄ内に表示される。ここで、保留台座画像１６１は、ミニキャラ画像１６８，１６９よりも高い優先度に設定されており、第２ミニキャラ画像１６９はその一部分が保留台座画像１６１と重なってその後側に隠れた状態となっている（図３７（ａ））。そして第２ミニキャラ画像１６９は、非隠蔽領域Ｄに表示される割合が大きくなるように移動する際に（図３７（ａ）→図３８（ａ））、保留台座画像１６１に隠れていない部分の割合も大きくなっている。なお、ミニキャラ画像１６８，１６９を保留台座画像１６１よりも高い優先度に設定してもよい。
【０２０６】
以上説明したように、本実施形態のパチンコ機は、表示画面６０ａに画像を表示可能な画像表示手段６０と、表示画面６０ａの前側に配置される遊技部材４５，４７，４９，７４と、表示画面６０ａの前側を動作可能に構成され且つ所定の停止位置で停止可能な可動体７５ａ〜７８ａと、遊技者が操作可能な操作手段３４，３５とを備え、表示画面６０ａは、正面視で遊技部材４５，４７，４９，７４の後側に対応する固定隠蔽領域（第１表示領域）Ｂ１〜Ｂ５と、可動体７５ａ〜７８ａの停止位置の後側に対応する可動隠蔽領域（第２表示領域）Ｃと、固定隠蔽領域Ｂ１〜Ｂ５でなく可動隠蔽領域Ｃでもない非隠蔽領域（第３表示領域）Ｄとで構成され、遊技者による操作手段３４，３５の操作に基づいて、遊技に関する設定が可能であり、操作手段３４，３５の操作が可能である旨の報知を行う報知画像１１６ａ，１１６ｂ，１１８ａを表示可能であり、報知画像１１６ａ，１１６ｂ，１１８ａを固定隠蔽領域Ｂ１〜Ｂ５と可動隠蔽領域Ｃには表示せず非隠蔽領域Ｄに表示するように構成されている。
【０２０７】
また、複数の選択項目を有するメニュー画像１１８ｂを表示可能であり、報知画像は、メニュー画像１１８ｂを表示するための操作が可能である旨のメニュー表示可能報知画像１１８ａを含んでいる。
【０２０８】
また、音量の設定状況を示す音量設定画像１１７ａを固定隠蔽領域Ｂ１〜Ｂ５と可動隠蔽領域Ｃには表示せず非隠蔽領域Ｄに表示可能である。また、光量の設定状況を示す光量設定画像１１７ｂを固定隠蔽領域Ｂ１〜Ｂ５と可動隠蔽領域Ｃには表示せず非隠蔽領域Ｄに表示可能である。また、エラーを報知するためのエラー報知画像１６３を固定隠蔽領域Ｂ１〜Ｂ５と可動隠蔽領域Ｃには表示せず非隠蔽領域Ｄに表示可能である。また、消費電力を通常よりも低くする節電モードへ切り換え可能であり、節電モード中であることを示す節電モード報知画像１２０を、非隠蔽領域Ｄと固定隠蔽領域Ｂ１〜Ｂ５とに跨がって表示可能である。
【０２０９】
また、始動手段５６，５７が遊技球を検出する毎に、乱数値を取得すると共にその乱数値を所定の上限数を限度として乱数記憶手段１３９に記憶させる始動検出処理手段１３８と、図柄変動開始条件が成立した場合に、乱数記憶手段１３９に記憶された乱数値に基づいて図柄を変動表示する図柄表示手段５３，５４と、図柄表示手段５３，５４による変動後の停止図柄が特定態様となった場合に利益状態を発生させる利益状態発生手段１４２とを備え、保留台座画像１６１に保留表示画像Ｘ１〜，Ｙ１〜を重ねて画像表示手段６０に表示することにより、乱数記憶手段１３９に記憶されて未だ図柄表示手段５３，５４による図柄変動に供されていない乱数値の数である保留個数を報知可能であり、保留台座画像１６１を非隠蔽領域Ｄと固定隠蔽領域Ｂ１〜Ｂ５とに跨がって表示可能である。
【０２１０】
また、図柄画像１１４ａと装飾画像１１４ｂとで構成される演出図柄１１４を画像表示手段６０により変動表示可能であり、演出図柄１１４の変動表示が行われていない待機期間中には、直前の図柄変動で停止したときの演出図柄１１４を表示可能であり、待機期間中の演出図柄１１４のうち、図柄画像１１４ａを非隠蔽領域Ｄに、装飾画像１１４ｂを非隠蔽領域Ｄと可動隠蔽領域Ｃとに跨がって夫々表示可能である。また、この場合、可動体７５ａ〜７８ａの停止位置を複数通りに変更可能であり、停止位置が複数通りの何れの場合も、図柄画像１１４ａを非隠蔽領域Ｄに、装飾画像１１４ｂを非隠蔽領域Ｄと可動隠蔽領域Ｃとに跨がって夫々表示してもよい。
【０２１１】
一般的に演出図柄１１４は複数種類（例えば１〜９の数字に対応する９種類等）用意されているが、種類毎に装飾画像１１４ｂについても異なるデザインが施されているため、大きさや形状も種類毎に異なる場合がある。このような場合でも全ての種類の演出図柄１１４について上記のような構成を採用することが望ましい。
【０２１２】
また、大当たり態様（特定態様）を構成する場合に遊技者に有利であることが多い奇数図柄や、それ以外の偶数図柄との何れか一方にのみ上記のような構成を採用してもよい。偶数図柄を構成する演出図柄１１４については、図柄画像１１４ａを非隠蔽領域Ｄに、装飾画像１１４ｂを非隠蔽領域Ｄと可動隠蔽領域Ｃとに跨がって夫々表示し、奇数図柄を構成する演出図柄１１４についてはその全体を非隠蔽領域Ｄに表示するように構成してもよい。
【０２１３】
また、可動体７５ａ〜７８ａの停止位置を複数通りに変更可能とし、停止位置が複数通りの何れの場合も、報知画像１１６ａ，１１６ｂ，１１８ａを非隠蔽領域Ｄ内に表示してもよい。
【０２１４】
また、利益状態発生の信頼度に関する操作時演出画像（予告演出画像）１６５を表示画面６０ａに表示可能であり、操作時演出画像（予告演出画像）１６５を、信頼度を示唆する第１表示部１６５ａとそれ以外の第２表示部１６５ｂとで構成し、第１表示部１６５ａを非隠蔽領域Ｄ内に、第２表示部１６５ｂを固定隠蔽領域Ｂ１〜Ｂ５と可動隠蔽領域Ｃとの少なくとも一方と非隠蔽領域Ｄとに跨がって夫々表示可能である。
【０２１５】
また、遊技部材４５，４７，４９，７４は透明部１１１を備え、固定隠蔽領域Ｂ１〜Ｂ５は透明部１１１の後側に対応する透明隠蔽領域（第１透明表示領域）Ｂ４ａを含み、第２表示部１６５ｂを、透明隠蔽領域Ｂ４ａと非隠蔽領域Ｄとに跨がって表示可能である。この場合、画像表示手段６０の下部前側に、後側への遊技球の進入を阻止するための進入防止手段１１１を設け、進入防止手段１１１の少なくとも一部を透明部としてもよい。
【０２１６】
また、音量の設定状況を示す音量設定画像１１７ａを操作時演出画像（予告演出画像）１６５よりも高い優先度で画像表示手段６０に表示可能であり、音量設定画像１１７ａを、少なくとも第１表示部１６５ａに重ならないように非隠蔽領域Ｄ内に表示可能である。なお、透明隠蔽領域については非隠蔽領域Ｄに準ずる領域として、以上の説明で非隠蔽領域Ｄに表示するものとした画像についても、その少なくとも一部を透明隠蔽領域に表示してもよい。
【０２１７】
また、利益状態発生の信頼度に関する予告演出として、複数段階のステップアップ予告画像ＳＵ１〜ＳＵ５を表示画面６０ａに表示可能であり、ステップアップ予告画像ＳＵ１〜ＳＵ５は、段階に応じて表示領域が変化可能に構成されており、ステップアップ予告画像ＳＵ１〜ＳＵ５を、第１所定段階までは非隠蔽領域Ｄ内に、第１所定段階よりも後は固定隠蔽領域Ｂ１〜Ｂ５と可動隠蔽領域Ｃとの少なくとも一方と非隠蔽領域Ｄとに跨がって夫々表示可能である。
【０２１８】
また、ステップアップ予告画像ＳＵ１〜ＳＵ５のうち、信頼度を示唆する部分については複数段階の全てにおいて非隠蔽領域Ｄ内に表示可能である。また、音量の設定状況を示す音量設定画像１１７ａを予告演出画像ＳＵ１〜ＳＵ５よりも高い優先度で画像表示手段６０に表示可能であり、音量設定画像１１７ａを、少なくとも信頼度を示唆する部分に重ならないように非隠蔽領域Ｄ内に表示可能である。
【０２１９】
また、複数の選択項目画像１６４ａ〜１６４ｅを有するメニュー画像１１８ｂを表示画面６０ａに表示可能であり、選択操作により複数の選択項目画像１６４ａ〜１６４ｅの何れかが選択された場合に、該選択項目画像に対応する処理を実行するように構成し、複数の選択項目画像１６４ａ〜１６４ｅの何れかが仮選択状態になった状態で選択確定操作が行われた場合にその選択項目画像が選択されるように構成し、複数の選択項目画像１６４ａ〜１６４ｅのうち、初期的に仮選択状態に設定される初期仮選択項目画像を非隠蔽領域Ｄ内に表示可能である。
【０２２０】
また、複数の選択項目画像１６４ａ〜１６４ｅのうち、初期仮選択項目画像以外の選択項目画像の少なくとも一部を非隠蔽領域Ｄと可動隠蔽領域Ｃとに跨がって表示可能である。また、上位画面に戻る処理に対応する選択項目画像を初期仮選択項目画像としてもよい。もちろん、選択項目画像を非隠蔽領域Ｄと第１〜第４固定隠蔽領域Ｂ１〜Ｂ４の少なくとも一つとに跨がって表示してもよい。
【０２２１】
また、操作有効期間中に操作手段３４が操作された場合に表示画面６０ａに操作時演出画像１６５を表示可能であり、操作有効期間中に操作手段３４を操作すべき旨の操作誘導画像１６６と、この操作誘導画像１６６に対応するエフェクト画像１６７とを表示画面６０ａに表示するように構成し、操作誘導画像１６６の全体を非隠蔽領域Ｄに、エフェクト画像１６７を固定隠蔽領域Ｂ１〜Ｂ５と可動隠蔽領域Ｃとの少なくとも一方と非隠蔽領域Ｄとに跨がって夫々表示可能である。
【０２２２】
また、操作時演出画像１６５を、利益状態発生の信頼度を示唆する第１表示部１６５ａとそれ以外の第２表示部１６５ｂとで構成し、第１表示部１６５ａの全体を非隠蔽領域Ｄに、第２表示部１６５ｂを固定隠蔽領域Ｂ１〜Ｂ５と可動隠蔽領域Ｃとの少なくとも一方と非隠蔽領域Ｄとに跨がって夫々表示可能である。
【０２２３】
また、図柄の変動表示中における所定のタイミングで可動体７５ａ〜７８ａを移動させることにより可動隠蔽領域Ｃを縮小して非隠蔽領域Ｄを拡大することが可能である。その所定のタイミングは、図柄の変動表示におけるリーチ状態の成立時又はその近傍とすることが可能である。また、非隠蔽領域Ｄの拡大に対応して、表示画面６０ａに表示される所定画像の表示位置を変更可能である。この場合、可動体７５ａ〜７８ａの移動が完了して非隠蔽領域Ｄが拡大した後に、所定画像の表示位置を変更可能である。
【０２２４】
また、非隠蔽領域Ｄの拡大方向に所定画像の表示位置を移動可能である。非隠蔽領域Ｄの拡大前後の何れも、所定画像の全体を非隠蔽領域Ｄ内に表示可能である。その所定画像は、音量の設定状況を示す音量設定画像１１７ａと、光量の設定状況を示す光量設定画像１１７ｂとの少なくとも一方を含んでいる。
【０２２５】
また、その所定画像の表示位置を変更する際に、所定画像の一部を消去することも可能である。また、所定画像は保留表示画像Ｘ１〜，Ｙ１〜、変動中保留画像Ｚを含んでいる。また、変動中保留画像Ｚの表示位置を変更すると共に保留表示画像Ｘ１〜，Ｙ１〜を消去することも可能である。また、変動中保留画像Ｚの表示位置を変更すると共に保留台座画像１６１を消去することも可能である。
【０２２６】
また、利益状態発生の信頼度に関する予告演出において、第１演出体画像１６８については非隠蔽領域Ｄに表示される割合が小さくなるように、第２演出体画像１６９については非隠蔽領域Ｄに表示される割合が大きくなるように、第１演出体画像１６８と第２演出体画像１６９との表示位置を変更し、利益状態発生の信頼度に関する信頼度表示画像１７０を第２演出体画像１６９に対応して非隠蔽領域Ｄに表示可能である。
【０２２７】
図３９〜図６０は第２の実施形態を例示している。本実施形態のパチンコ機が、第１の実施形態のパチンコ機と構造上相違する点は可動演出手段の構成のみである。そこで、両実施形態で共通する構成については同一符号を使用すると共に特に必要のない場合には説明を省略する。
【０２２８】
本実施形態のパチンコ機は、図３９〜図４２に示すように、裏取付ベース６１の前側に複数、例えば傾斜可動演出手段２０１と昇降可動演出手段２０２の２つの可動演出手段が配置されている。傾斜可動演出手段２０１は、図４１等に示すように、傾斜可動手段２０３と、この傾斜可動手段２０３を駆動する傾斜駆動手段２０４とを備えている。傾斜可動手段２０３は、複数、例えば左，右，下の３つの表示枠可動体２０３ａ〜２０３ｃと、それら３つの表示枠可動体２０３ａ〜２０３ｃを連動させる２つの連動部２０３ｄ，２０３ｅとを備え、表示枠可動体２０３ａ〜２０３ｃが、裏取付ベース６１に固定された取付ベース２０５ａ〜２０５ｃにより夫々後側から支持されている。
【０２２９】
左表示枠可動体２０３ａは、画像表示手段６０の左側部に対応してその前側に配置され、縦長状の縦枠部とその縦枠部の上端側から直角略右向きに突設された左上枠部とで正面視略Ｌ型に形成されている。左表示枠可動体２０３ａには、その上端側に前後方向のスライド軸２０６が設けられており、このスライド軸２０６が、取付ベース２０５ａに設けられた上下方向のガイド孔２０７に対して摺動自在に装着されることにより、左表示枠可動体２０３ａは上下方向へのスライド動作及びスライド軸２０６廻りの回転動作が可能となっている。
【０２３０】
右表示枠可動体２０３ｂは、画像表示手段６０の右側部に対応してその前側に配置され、縦長状の縦枠部とその縦枠部の上端側から直角略左向きに突設された右上枠部とで正面視略Ｌ型に形成されている。右表示枠可動体２０３ｂは、その下端側に設けられた前後方向の枢軸２０８により取付ベース２０５ｂに枢支されると共に、上端側に設けられた後向き突出状のスライド部２０９が、取付ベース２０５ｂに設けられた円弧状のガイド孔２１０に摺動自在に挿通することにより、枢軸２０８廻りに所定角度範囲内で揺動可能となっている。
【０２３１】
下表示枠可動体２０３ｃは、画像表示手段６０の下部側に対応してその前側に横長状に配置されており、右端側において前後方向の枢軸２１１を介して取付ベース２０５ｃに枢支されている。なお、下表示枠可動体２０３ｃの左端側にはスライド部２１２が後向き突出状に設けられ、このスライド部２１２が取付ベース２０５ｃに形成された円弧状のガイド孔２１３に摺動自在に挿通することにより、下表示枠可動体２０３ｃは、略水平な通常姿勢と、左下がりの傾斜姿勢との間で枢軸２１１廻りに揺動可能となっている。
【０２３２】
左連動部２０３ｄは、左表示枠可動体２０３ａと下表示枠可動体２０３ｃとを連動させるもので、正面視略三角形の板状に形成されており、上部側の角部が前後方向の枢軸２１４を介して左表示枠可動体２０３ａの下端側に連結され、下部側の角部が下表示枠可動体２０３ｃの左端側に設けられた略左右方向のガイド孔２１６に前後方向のスライド軸２１５を介して摺動自在に連結され、残りの左側の角部が前後方向の枢軸２１７を介して取付ベース２０５ａに枢支されている。
【０２３３】
これにより、下表示枠可動体２０３ｃが通常姿勢から傾斜姿勢に移行すると、左連動部２０３ｄは枢軸２１７を中心に時計廻りに回転し、枢軸２１４が右側下方に移動するため、左表示枠可動体２０３ａは、下側に移動しつつ反時計廻りに揺動して、縦枠部が略鉛直となる通常姿勢から縦枠部が右下がりの傾斜状となる傾斜姿勢に移行する（図４３（ａ）→（ｂ））。
【０２３４】
右連動部２０３ｅは、右表示枠可動体２０３ｂと下表示枠可動体２０３ｃとを連動させるもので、細長状に形成されており、一端側が前後方向の枢軸２１８を介して右表示枠可動体２０３ｂの下端側に、下部側の角部が前後方向の枢軸２１９を介して下表示枠可動体２０３ｃの右端側に夫々連結されている。なお、枢軸２１８は右表示枠可動体２０３ｂ上で枢軸２０８に対して右側に離間した位置に配置され、また、枢軸２１９は下表示枠可動体２０３ｃ上で枢軸２１１に対して右側に離間した位置に配置されている。
【０２３５】
これにより、下表示枠可動体２０３ｃが通常姿勢から傾斜姿勢に移行すると、右連動部２０３ｅを介して枢軸２１８が押し上げられるため、右表示枠可動体２０３ｂは枢軸２０８を中心に反時計廻りに揺動して、縦枠部が略鉛直となる通常姿勢から縦枠部が右下がりの傾斜状となる傾斜姿勢に移行する（図４３（ａ）→（ｂ））。
【０２３６】
以上より、下表示枠可動体２０３ｃが通常姿勢と傾斜姿勢との間で揺動すると、それに連動して左表示枠可動体２０３ａ及び右表示枠可動体２０３ｂも通常姿勢と傾斜姿勢との間で変化する。即ち、表示枠可動体２０３ａ〜２０３ｃは、画像表示手段６０の表示画面６０ａの一部を正面視矩形状に略取り囲む通常姿勢（図４３（ａ），（ｃ））と、その通常姿勢から左に所定角度傾いた傾斜姿勢（図４３（ｂ），（ｄ））との間で変形可能となっている。なお、表示枠可動体２０３ａ〜２０３ｃは自重によって傾斜姿勢側に付勢されている。
【０２３７】
傾斜駆動手段２０４は、図４１に示すように下表示枠可動体２０３ｃと同じ取付ベース２０５ｃ上に設けられており、ステッピングモータ等よりなる駆動源２２１と、この駆動源２２１の駆動力を下表示枠可動体２０３ｃに伝達する駆動伝達部材２２２とを備えている。駆動伝達部材２２２は、前後方向の軸２２２ａ廻りに回転可能な状態で取付ベース２０５ｃに装着された平歯車により構成されており、駆動源２２１の駆動軸に装着された駆動ギヤ２２１ａが噛合している。駆動伝達部材２２２には、その周方向の一部に対応して側面側に突起状の第１係合部２２３が設けられており、下表示枠可動体２０３ｃにはその第１係合部２２３に対応する第２係合部２２４が設けられている。
【０２３８】
第１係合部２２３は、駆動源２２１の駆動により駆動伝達部材２２２が所定の向き（例えば時計廻り）に回転する際に、第１角度位置で下表示枠可動体２０３ｃ側の第２係合部２２４に対して下側から当接した後、回転の進行に応じてその第２係合部２２４を上向きに押し上げ、駆動伝達部材２２２が第２角度位置に達したときに、下表示枠可動体２０３ｃが通常姿勢となるように配置されている。従ってその状態から、駆動源２２１の駆動により駆動伝達部材２２２が逆向き（例えば反時計廻り）に回転すると、第１係合部２２３による第２係合部２２４の支持位置が徐々に降下し、駆動伝達部材２２２が第１角度位置に達したときに下表示枠可動体２０３ｃが傾斜姿勢となる。このように、駆動源２２１を所定ステップの範囲で両方向に作動させることにより、表示枠可動体２０３ａ〜２０３ｃを通常姿勢（図４３（ａ），（ｃ））と傾斜姿勢（図４３（ｂ），（ｄ））との間で変形させることが可能である。
【０２３９】
昇降可動演出手段２０２は、図４２等に示すように、サブ画面可動体２３１と、このサブ画面可動体２３１を上下方向に駆動する昇降駆動手段２３２とを備え、傾斜可動演出手段２０１の前側に配置されている。サブ画面可動体２３１は、画像表示手段６０の前側に横長状に配置され、その前面側には任意の装飾と共に画像表示手段６０よりも小型の液晶表示手段等よりなるサブ画像表示手段２３３が配置されており、左右両端側が、画像表示手段６０の左右両側に配置された一対の昇降駆動手段２３２，２３２により、駆動連結体２３４，２３４を介して夫々上下方向に移動可能な状態で支持されている。
【０２４０】
昇降駆動手段２３２は、縦長状の取付ベース２３５を介して裏取付ベース６１に支持されており、画像表示手段６０の側縁に沿ってその上端側から下端側にかけて配置され且つ駆動連結体２３４を上下方向に案内する細長円柱状の昇降ガイド２３６と、その昇降ガイド２３６の一端側、下端側に対応してその近傍に配置される駆動プーリ２３７ａと、昇降ガイド２３６の他端側、上端側に対応してその近傍に配置される従動プーリ２３７ｂと、駆動プーリ２３７ａを回転駆動するステッピングモータ等よりなる駆動源２３８と、駆動プーリ２３７ａと従動プーリ２３７ｂとに巻き掛けられ且つその周上の所定箇所に駆動連結体２３４が固定される無端状のギヤベルト２３９とを備え、駆動連結体２３４に、サブ画面可動体２３１の端部が前後方向の枢軸２４０により回転可能に連結されている。
【０２４１】
また、左右の枢軸２４０，２４０のうちの一方は、サブ画面可動体２３１側又は駆動連結体２３４側に設けられた左右方向の長孔２４１に対して摺動自在に連結されており、左右の昇降駆動手段２３２，２３２が非対称の駆動動作を行った場合でも所定範囲内であればサブ画面可動体２３１を傾斜させることにより追従可能となっている。
【０２４２】
本実施形態のサブ画面可動体２３１は、左右の昇降駆動手段２３２，２３２が共に上部位置に停止した場合の上部通常姿勢（図４３（ａ））と、その上部通常姿勢に対して左側の昇降駆動手段２３２が所定ステップだけ降下した場合の上部傾斜姿勢（図４３（ｂ））と、左右の昇降駆動手段２３２，２３２が共に下部位置に停止した場合の下部通常姿勢（図４３（ｃ））と、その下部通常姿勢に対して右側の昇降駆動手段２３２が所定ステップだけ上昇した場合の下部傾斜姿勢（図４３（ｄ））との４種類の停止姿勢の間で変化可能である。
【０２４３】
サブ画面可動体２３１は、上部，下部の各通常姿勢（図４３（ａ），（ｃ））では略水平となり、上部，下部の各傾斜姿勢（図４３（ｂ）、（ｄ））では表示枠可動体２０３ａ〜２０３ｃの傾斜姿勢に対応する左下がりの傾斜状となる。サブ画像表示手段２３３は、サブ画面可動体２３１と一体的に動作するため、サブ画面可動体２３１が通常姿勢のときには略水平となり、傾斜姿勢のときには左下がりの傾斜状となる。
【０２４４】
図４４は本パチンコ機の制御系のブロック図である。本実施形態の制御系が第１の実施形態の制御系（図１１）と異なるのは、画像表示制御手段１５０ａの制御対象が画像表示手段６０及びサブ画像表示手段２３３となっている点と、可動体制御手段１５０ｄの制御対象が傾斜可動演出手段２０１及び昇降可動演出手段２０２となっている点である。
【０２４５】
また、本実施形態では、傾斜可動演出手段２０１の表示枠可動体２０３ａ〜２０３ｃと昇降可動演出手段２０２のサブ画面可動体２３１との少なくとも一方（ここでは両方）を通常姿勢から傾斜姿勢に移行し、それに合わせて画像表示手段６０の少なくとも一部の画像も傾斜変形させて表示する傾斜演出を行うことが可能であり、図柄変動演出制御手段１５２、画像表示制御手段１５０ａ等がその傾斜演出を実行するための構成を備えている点でも第１の実施形態の制御系（図１１）と異なっている。
【０２４６】
ここで傾斜変形は、所定の画像に対して所定中心廻りに９０度未満の所定角度回転させる回転処理（所定変形処理）を行うもので、その回転角度は表示枠可動体２０３ａ〜２０３ｃ、サブ画面可動体２３１の傾斜姿勢における傾斜角度と略一致している。
【０２４７】
以下、傾斜演出を実行するための構成について説明する。まず、画像表示手段６０及びサブ画像表示手段２３３に表示される画像は、各表示手段６０，２３３毎に、所定の優先順位が設定された複数のレイヤーに分けて描画されるようになっている。
【０２４８】
図４９（ａ）の例では、画像表示手段６０に表示される背景画像、演出図柄（図柄画像）、キャラクタ画像、保留台座画像、保留表示画像、変動中保留画像、音量設定画像、エラー報知画像及び副演出図柄が、その順序で表示優先度が高くなるように複数のレイヤーに分けて描画されるようになっている。また、図４９（ｂ）に示すように、サブ画像表示手段２３３に表示される背景画像及び泡エフェクト画像についても同様に、その順序で表示優先度が高くなるように複数のレイヤーに分けて描画されるようになっている。
【０２４９】
また、画像表示手段６０、サブ画像表示手段２３３に表示される各画像には、所定の変形（ここでは傾斜変形）を行うか否かに関する変形情報が付加されており、変形を行う画像に対しては１が、変形を行わない画像に対しては０が夫々セットされるようになっている。
【０２５０】
図４９（ａ）の例では、右打ち誘導画像、音量設定画像、エラー報知画像及び副演出図柄の変形情報には０（変形なし）が、それ以外の背景画像、演出図柄等の変形情報には１（変形あり）が夫々セットされ、図４９（ｂ）の例ではサブ画像表示手段２３３に表示される全ての画像の変形情報に０（変形なし）がセットされている。
【０２５１】
なお、本実施形態では、サブ画面可動体２３１が傾斜姿勢のときにはそのサブ画面可動体２３１上のサブ画像表示手段２３３も左下がりの傾斜状となるため、そのサブ画像表示手段２３３に表示された画像は、サブ画像表示手段２３３に対して傾斜していなくても、画像表示手段６０等に対しては傾斜した状態となる。即ち本実施形態では、サブ画像表示手段２３３に表示する画像に関しては、傾斜変形という画像処理ではなく、サブ画面可動体２３１を介してサブ画像表示手段２３３を傾斜させることによって画像表示手段６０等に対して傾斜させるようになっている。
【０２５２】
続いて、画像表示制御手段１５０ａによる画像表示手段６０への描画処理について説明する。本実施形態では、画像表示手段６０に表示する複数種類の画像の中に、傾斜変形を行うものと行わないものとが混在している。そこで、全ての画像を画一的に画像表示手段６０用のフレームバッファに描画するのではなく、図４５に示すように傾斜変形を行う画像（変形情報が１の画像）についてはフレームバッファとは別の一次バッファを経由してフレームバッファに描画すると共に、一次バッファからフレームバッファに描画する際に変形処理を行い、傾斜変形を行わない画像（変形情報が０の画像）については一次バッファを経由することなくフレームバッファに直接描画するようになっている。
【０２５３】
また、その一次バッファからフレームバッファへの描画の際に行う傾斜変形処理（回転処理）については、図４６，図４７に示す手順で行う。即ち、まず一次バッファの画像データの読み込みを行う（Ｓ１０１）。また、座標軸（ｘ，ｙ）、半径（ｒ）、回転角（ａ）を夫々指定し（Ｓ１０２〜Ｓ１０４）、４つの頂点０〜３の座標を計算する（Ｓ１０５）。
【０２５４】
そして、読み込んだ画像データのＵＶ座標（左上，右上，左下，右下）を指定し（Ｓ１０６）、頂点０〜３の座標に画像データのＵＶ座標を固定してフレームバッファに描画する（Ｓ１０７）。これにより、一次バッファの画像を、所定中心廻りに所定角度回転させてフレームバッファに描画することができる（図４７）。
【０２５５】
続いて、傾斜演出の具体例を、画像表示手段６０及びサブ画像表示手段２３３に表示される各種画像の表示例と、それら各種画像の表示優先度及び変形情報の設定内容とを参照しつつ説明する。
【０２５６】
図４８は、傾け予告演出の実行時における表示枠可動体２０３ａ〜２０３ｃ及びサブ画面可動体２３１の動作及びそれに伴う表示画像の変化を示している。ここで、傾け予告演出（傾斜演出）は「通常予告演出」の一例であり、第１，第２特別図柄の変動中に、例えば大当たり信頼度に基づいて可動体と画像とを傾かせるようになっている。図４８の傾け予告演出では、表示枠可動体２０３ａ〜２０３ｃが通常姿勢から傾斜姿勢に、サブ画面可動体２３１が上部通常姿勢から上部傾斜姿勢に夫々変化するようになっている。
【０２５７】
また、図４８の例では、画像表示手段６０に、優先度の低い順に背景画像１６０、演出図柄（図柄画像）１１４ａ、キャラクタ画像２５１、保留台座画像１６１、保留表示画像Ｘ１〜，Ｙ１〜、変動中保留画像Ｚ、右打ち誘導画像１６２ｂ、音量設定画像１１７ａ、エラー報知画像１６３及び副演出図柄２５２が表示され、また、サブ画像表示手段２３３に、優先度の低い順に背景画像１６０ａ及び泡エフェクト画像２５３が表示された状態で、図４８（ａ）→（ｂ）のように傾け予告演出が実行されている。なお、副演出図柄２５２は演出図柄１１４とは別に表示されるいわゆる第４図柄であり、第１，第２特別図柄の変動に対応して、それら第１，第２特別図柄の変動中は常に画像表示手段６０上で変動表示されるようになっている。
【０２５８】
ここで、それら各画像の変形情報は、図４９に示すように、画像表示手段６０に表示される右打ち誘導画像１６２ｂ、音量設定画像１１７ａ、エラー報知画像１６３及び副演出図柄２５２と、サブ画像表示手段２３３に表示される全ての画像とが０（変形なし）に設定され、それ以外の画像が１（変形あり）に設定されている。
【０２５９】
よって図４８（ａ）→（ｂ）に示すように、傾け予告演出の実行時には、画像表示手段６０上では背景画像１６０、演出図柄（図柄画像）１１４ａ、キャラクタ画像２５１、保留台座画像１６１、保留表示画像Ｘ１〜，Ｙ１〜、変動中保留画像Ｚについては傾斜変形により表示枠可動体２０３ａ〜２０３ｃと共に左側に傾くが、それらの画像よりも優先度の高い右打ち誘導画像１６２ｂ、音量設定画像１１７ａ、エラー報知画像１６３及び副演出図柄２５２については傾斜変形が行われず直立状態のまま維持される。
【０２６０】
なお、サブ画像表示手段２３３に表示される各画像は傾斜変形が行われないため（図４９（ｂ））、傾け予告演出が実行されてもサブ画像表示手段２３３に対しては傾くことなく直立状態のまま維持されるが、図４８（ｂ）に示すように傾け予告演出によってサブ画像表示手段２３３自体が傾くため、画像表示手段６０等に対しては画像表示手段６０側の背景画像１６０、演出図柄（図柄画像）１１４ａと同様に傾いた状態となる。
【０２６１】
以上のように、画像表示手段６０に表示される右打ち誘導画像１６２ｂ、音量設定画像１１７ａ、エラー報知画像１６３及び副演出図柄２５２については、それらの表示中に傾け予告演出が発生し、背景画像１６０等に対して傾斜変形が行われる場合でも傾斜変形を行わないようになっている。これにより、画像表示手段６０上で傾け予告演出を行いつつ、重要な各種報知内容を遊技者が容易且つ確実に認識することが可能である。
【０２６２】
図５０は、傾け予告演出の実行中に扉開放エラーが発生し、或いは遊技者が音量調整操作を行った場合の表示画像の変化を示している。なお、傾け予告演出に関する各画像の優先度及び変動情報は図４９と同様である。
【０２６３】
図５０（ａ）に示すように、第２特別図柄の変動中に傾け予告演出が実行された場合、表示枠可動体２０３ａ〜２０３ｃとサブ画面可動体２３１とが傾斜姿勢となって左側に傾く。そして、画像表示手段６０上に表示されていた各画像のうち、背景画像１６０、演出図柄（図柄画像）１１４ａ、キャラクタ画像２５１、保留台座画像１６１、保留表示画像Ｘ１〜，Ｙ１〜、変動中保留画像Ｚについては変形情報が１（変形あり）であるため傾斜変形が行われ、表示枠可動体２０３ａ〜２０３ｃ等と共に左側に傾くが、副演出図柄２５２については変形情報が０（変形なし）であるため傾斜変形が行われず、直立状態のまま維持される。なお、サブ画像表示手段２３３に表示される各画像は変形情報が０であるため傾斜変形が行われないが、サブ画像表示手段２３３自体の傾きによって画像表示手段６０等に対しては左側に傾いた状態となる。
【０２６４】
そしてその状態で扉開放エラーが発生すると、図５０（ｂ）に示すように画像表示手段６０にエラー報知画像１６３が表示されるが、このエラー報知画像１６３については変形情報が０（変形なし）であるため（図４９（ａ））、傾斜変形が行われることなく直立状態で表示される。同様に、傾け予告演出の実行中に遊技者が音量調整操作を行った場合には、図５０（ｃ）に示すように画像表示手段６０に音量設定画像１１７ａが表示されるが、この音量設定画像１１７ａについては変形情報が０（変形なし）であるため（図４９（ａ））、傾斜変形が行われることなく直立状態で表示される。
【０２６５】
なお、図示は省略するが、傾け予告演出の実行中に画像表示手段６０に右打ち誘導画像１６２ｂが表示される場合についても、その右打ち誘導画像１６２ｂについては変形情報が０（変形なし）であるため（図４９（ａ））、傾斜変形が行われることなく直立状態で表示される。
【０２６６】
図５１は、傾け降下予告演出の実行時における表示枠可動体２０３ａ〜２０３ｃ及びサブ画面可動体２３１の動作及びそれに伴う表示画像の変化を示している。ここで、傾け降下予告演出は、図４８等で示した傾け予告演出と同じく「通常予告演出」の一例であり、第１，第２特別図柄の変動中に、大当たり信頼度に基づいて可動体と画像とを傾けるようになっているが、傾け予告演出とは異なり、サブ画面可動体２３１については単に傾けるだけでなく、上部通常姿勢から降下を伴って下部傾斜姿勢に変化するようになっている（図４３（ａ）→（ｄ））。
【０２６７】
図５１の例では、画像表示手段６０に、優先度の低い順に背景画像１６０、演出図柄（図柄画像）１１４ａ、キャラクタ画像２５０，２５１、保留台座画像１６１、保留表示画像Ｘ１〜，Ｙ１〜、変動中保留画像Ｚ及び副演出図柄２５２が表示され、また、サブ画像表示手段２３３に、優先度の低い順に背景画像及び泡エフェクト画像２５３が表示された状態で、図５１（ａ）→（ｂ）のように傾け降下予告演出が実行されている。
【０２６８】
そして、その傾け降下予告演出によってサブ画面可動体２３１が画像表示手段６０の上部側から略中央まで傾きながら降下すると、図５１（ｂ）に示すように、画像表示手段６０上のキャラクタ画像２５０が、そのサブ画面可動体２３１の移動動作及び移動後の姿勢に関連した位置及び態様、例えばサブ画面可動体２３１をその上側から斜め下向きに押している状態に変化すると共に、移動後のサブ画面可動体２３１に対応する可動体エフェクト画像２５４が表示される。
【０２６９】
このように、サブ画面可動体２３１の動作に関連して表示されるキャラクタ画像２５０及び可動体エフェクト画像２５４については、図５２（ａ）に示すように変形情報が１（変形あり）となっているため、傾斜変形によりサブ画面可動体２３１の傾きに合わせて傾いて表示される。
【０２７０】
また、傾け降下予告演出によってサブ画面可動体２３１が傾きながら降下すると（図５１（ｂ））、演出図柄１１４はより小さな退避図柄２５５に変化しつつサブ画面可動体２３１を避けて画像表示手段６０の隅に移動するが、この退避図柄２５５は図５２（ａ）に示すように変形情報が０（変形なし）となっているため、傾斜変形は行われず直立状態で表示される。画像表示手段６０に表示されているその他の背景画像１６０、保留台座画像１６１、保留表示画像Ｘ１〜，Ｙ１〜、変動中保留画像Ｚ、副演出図柄２５２についても、図５２（ａ）に示すように変形情報が０（変形なし）となっているため、傾斜変形は行われず直立状態のまま維持される。なお、サブ画像表示手段２３３に表示される各画像は変形情報が０であるため傾斜変形が行われないが、サブ画像表示手段２３３自体の傾きによって画像表示手段６０等に対しては左側に傾いた状態となる。
【０２７１】
このように、可動体に関連して表示される画像に関してはその可動体の動作に合わせて傾斜変形を行い、それ以外の画像は傾斜変形を行わないようにしてもよい。
【０２７２】
図５３は、傾け予告演出を図柄変動の開始時（開始直後）に実行する場合の表示枠可動体２０３ａ〜２０３ｃ及びサブ画面可動体２３１の動作及びそれに伴う表示画像の変化を示している。
【０２７３】
図５３（ａ）に示すように、図柄変動開始時には、画像表示手段６０に、優先度の低い順に背景画像１６０、演出図柄１１４ａ、保留台座画像１６１、保留表示画像Ｘ１〜，Ｙ１〜、変動中保留画像Ｚ、音量設定画像１１７ａ及び副演出図柄２５２が表示され、また、サブ画像表示手段２３３に、優先度の低い順に背景画像１６０ａ及び泡エフェクト画像２５３が表示されており、その図柄変動開始直後に傾け予告演出が実行される。
【０２７４】
この傾け予告演出により、図５３（ｂ）に示すように表示枠可動体２０３ａ〜２０３ｃが通常姿勢から傾斜姿勢に、サブ画面可動体２３１が上部通常姿勢から上部傾斜姿勢に、夫々図５５に示すタイムチャートに沿って移行する。また、画像表示手段６０に表示されている画像のうち、図５４（ａ）に示す変形情報が１（変形あり）となっている背景画像１６０、演出図柄１１４、保留台座画像１６１、保留表示画像Ｘ１〜，Ｙ１〜、変動中保留画像Ｚについては、図５５に示すように表示枠可動体２０３ａ〜２０３ｃ等と同期して傾斜変形が行われ、左側に徐々に傾いて表示される。
【０２７５】
また、表示枠可動体２０３ａ〜２０３ｃ等の傾け動作が完了すると略同時に、ひび割れを示すエフェクト画像２５６（変形情報：１）が、演出図柄１１４等に合わせて傾いた状態で画像表示手段６０に表示される。
【０２７６】
一方、画像表示手段６０に表示されているその他の画像、即ち音量設定画像１１７ａ及び副演出図柄２５２については、図５４（ａ）に示すように変形情報が０（変形なし）となっているため、傾斜変形は行われず直立状態のまま維持される。なお、サブ画像表示手段２３３に表示される各画像は変形情報が０であるため傾斜変形が行われないが、サブ画像表示手段２３３自体の傾きによって画像表示手段６０等に対しては左側に傾いた状態となる。
【０２７７】
その後の所定のタイミングで傾け予告演出が終了し、図５３（ｂ）→（ａ）のように表示枠可動体２０３ａ〜２０３ｃが傾斜姿勢から通常姿勢に、サブ画面可動体２３１が上部傾斜姿勢から上部通常姿勢に夫々復帰する。この傾け予告演出終了時の復帰動作は、図５５に示すように、傾け予告演出開始時の傾け動作に比べて低速で行われる。
【０２７８】
また、画像表示手段６０に傾斜変形状態で表示されている各画像のうち、背景画像１６０、演出図柄１１４、保留台座画像１６１、保留表示画像Ｘ１〜，Ｙ１〜、変動中保留画像Ｚについては逆向きの傾斜変形が行われ、図５５に示すように表示枠可動体２０３ａ〜２０３ｃ等の復帰動作と同期して徐々に直立状態に復帰する。一方、表示枠可動体２０３ａ〜２０３ｃ等の傾け動作の完了時に表示されたひび割れを示すエフェクト画像２５６については、表示枠可動体２０３ａ〜２０３ｃ等の復帰動作の開始と略同時に画像表示手段６０から消去される。
【０２７９】
図５６は、傾け降下予告演出を、図柄変動の開始時（開始と略同時）に実行する場合の表示枠可動体２０３ａ〜２０３ｃ及びサブ画面可動体２３１の動作及びそれに伴う表示画像の変化を示している。図５６（ａ）に示すように、図柄変動開始時には、画像表示手段６０に、優先度の低い順に背景画像１６０、保留台座画像１６１、保留表示画像Ｘ１〜，Ｙ１〜、変動中保留画像Ｚ、退避図柄２５５、音量設定画像１１７ａ及び副演出図柄２５２が表示され、また、サブ画像表示手段２３３に、優先度の低い順に背景画像１６０ａ及び泡エフェクト画像２５３が表示されており、その図柄変動開始と略同時に傾け降下予告演出が実行される。
【０２８０】
この傾け降下予告演出により、図５６（ｂ）に示すように表示枠可動体２０３ａ〜２０３ｃが通常姿勢から傾斜姿勢に、サブ画面可動体２３１が上部通常姿勢から下部傾斜姿勢に、夫々図５８に示すタイムチャートに沿って移行する。また、画像表示手段６０に表示されている背景画像１６０、保留台座画像１６１、保留表示画像Ｘ１〜，Ｙ１〜、変動中保留画像Ｚ、退避図柄２５５、音量設定画像１１７ａ及び副演出図柄２５２は、図５７（ａ）に示すように全て変形情報が０（変形なし）となっているため、傾斜変形は行われず直立状態のまま維持される。なお、サブ画像表示手段２３３に表示される各画像は変形情報が０であるため傾斜変形が行われないが、サブ画像表示手段２３３自体の傾きによって画像表示手段６０等に対しては左側に傾いた状態となる。
【０２８１】
また、傾け降下予告演出によってサブ画面可動体２３１が画像表示手段６０の上部側から略中央まで傾きながら降下すると、図５６（ｂ）に示すようにその動作完了と略同時にキャラクタ画像２５０と可動体エフェクト画像２５４とが画像表示手段６０に表示される。
【０２８２】
それらキャラクタ画像２５０と可動体エフェクト画像２５４とは、図５７（ａ）に示すように変形情報が１（変形あり）に設定されているため傾斜変形が行われ、サブ画面可動体２３１の移動後の姿勢に関連した位置及び態様、例えばキャラクタ画像２５０はサブ画面可動体２３１をその上側から斜め下向きに押している状態で、可動体エフェクト画像２５４はサブ画面可動体２３１及びキャラクタ画像２５０の周囲に沿って夫々表示される。
【０２８３】
その後の所定のタイミングで傾け降下予告演出が終了し、図５６（ｂ）→（ａ）のように、表示枠可動体２０３ａ〜２０３ｃが傾斜姿勢から通常姿勢に、サブ画面可動体２３１が下部傾斜姿勢から上部通常姿勢に夫々復帰する。この傾け降下予告演出終了時の復帰動作は、図５８に示すように、傾け降下予告演出開始時の傾け動作に比べて低速で行われる。
【０２８４】
また、その際、画像表示手段６０上に傾斜変形状態で表示されていたキャラクタ画像２５０及び可動体エフェクト画像２５４は、サブ画面可動体２３１等の復帰動作の開始と略同時に消去される。そして画像表示手段６０には、傾け降下予告演出中も傾斜変形されることなく直立状態のまま維持されていた背景画像１６０、保留台座画像１６１、保留表示画像Ｘ１〜，Ｙ１〜、変動中保留画像Ｚ、退避図柄２５５等が残され、残りの図柄変動が引き続き行われる。
【０２８５】
図５９（ａ）は客待ち状態中における客待ち通常演出中に傾斜演出を実行した場合の表示画像を、また、図６０（ａ）は図５９（ａ）に示す傾斜演出の実行中に遊技者が演出ボタン３４を操作してメニュー画像１１８ｂが表示された場合の表示画像を夫々示している。また、図５９（ｂ），（ｃ）は、図５９（ａ）に対応して、夫々画像表示手段６０、サブ画像表示手段２３３に表示される各画像の表示優先度及び変形情報を示している。
【０２８６】
同様に、図６０（ｂ），（ｃ）は、図６０（ａ）に対応して、夫々画像表示手段６０、サブ画像表示手段２３３に表示される各画像の表示優先度及び変形情報を示している。なお、傾斜演出は客待ち状態の開始（客待ちデモコマンドの受信）から所定時間（例えば３０ｓ）経過後に実行するようにしてもよい。
【０２８７】
図５９（ａ）の例では、画像表示手段６０に、表示優先度の低い順に背景画像１６０、演出図柄１１４、保留台座画像１６１、メニュー表示可能報知画像１１８ａ、音量調整可能報知画像１１６ａ、光量調整可能報知画像１１６ｂ、節電モード報知画像１２０、エラー報知画像１６３が表示され、また、サブ画像表示手段２３３には表示優先度の低い順に背景画像１６０ａと泡エフェクト画像２５３とが表示されている状態で傾斜演出が実行されている。
【０２８８】
図５９（ｂ）に示すように、図５９（ａ）で画像表示手段６０に表示されている各画像のうち、背景画像１６０、演出図柄１１４、保留台座画像１６１、メニュー表示可能報知画像１１８ａ、音量調整可能報知画像１１６ａ、光量調整可能報知画像１１６ｂ、節電モード報知画像１２０については変形情報が１に設定されているため、傾斜変形が行われて左に傾いているが、エラー報知画像１６３については変形情報が０に設定されているため、傾斜演出実行後も直立状態のまま維持されている。サブ画像表示手段２３３に表示される各画像は変形情報が０であるため傾斜変形が行われないが、サブ画像表示手段２３３自体の傾きによって画像表示手段６０等に対しては左側に傾いた状態となる。
【０２８９】
なお、メニュー表示可能報知画像１１８ａ、音量調整可能報知画像１１６ａ、光量調整可能報知画像１１６ｂについては、客待ちデモコマンドの受信により客待ち状態が開始された後、所定時間（例えば３０ｓ）経過後に表示を開始するようにしてもよい。また、客待ち状態中に傾斜演出が実行された時点でメニュー表示可能報知画像１１８ａ、音量調整可能報知画像１１６ａ、光量調整可能報知画像１１６ｂを表示するようにしてもよい。
【０２９０】
また、図５９（ａ）の状態で遊技者が音量調整操作、光量調整操作を行った場合、音量調整可能報知画像１１６ａ、光量調整可能報知画像１１６ｂが消去されて音量設定画像１１７ａ、光量設定画像１１７ｂが表示されるが、図５９（ｂ）に示すように、音量設定画像１１７ａ、光量設定画像１１７ｂについては変形情報が０に設定されているため、それら音量設定画像１１７ａ、光量設定画像１１７ｂについては傾斜変形は行われず直立状態で表示される（図示省略）。なお、メニュー表示可能報知画像１１８ａ、音量調整可能報知画像１１６ａ、光量調整可能報知画像１１６ｂについても変形情報を０に設定し、傾斜演出実行後も直立状態を維持するようにしてもよい。
【０２９１】
また、図５９（ａ）に示す状態（傾斜演出の実行中）で遊技者が演出ボタン３４を操作した場合には、図６０（ａ）に示すように画像表示手段６０には新たにメニュー画像１１８ｂとメニュー操作報知画像１１８ｃとが表示されるが、図６０（ｂ）に示すようにメニュー画像１１８ｂとメニュー操作報知画像１１８ｃとについては変形情報が０に設定されているため、傾斜変形は行われず直立状態で表示される。
【０２９２】
以上説明したように、本実施形態のパチンコ機は、画像を表示可能な画像表示手段６０を備え、画像表示手段６０に、音量の設定状況を示す音量設定画像１１７ａを表示可能であり、画像表示手段６０に表示される画像に所定変形処理を行う特定演出を制御する演出制御手段１２２を備え、音量設定画像１１７ａの表示中に特定演出を実行する場合、音量設定画像１１７ａを含まない特定画像に対しては所定変形処理（ここでは傾斜変形処理）を行うが、音量設定画像１１７ａに対しては所定変形処理を行わないように構成されている。また、特定画像に対して所定変形処理を行う際に、その所定変形処理に対応して可動体２０３ａ〜２０３ｃ，２３１を動作させている。また、画像表示手段６０で演出図柄１１４を変動表示可能であり、特定画像は演出図柄を含んでいる。
【０２９３】
また、始動手段５６，５７が遊技球を検出する毎に、乱数値を取得すると共にその乱数値を所定の上限数を限度として乱数記憶手段１３９に記憶させる始動検出処理手段１３８と、図柄変動開始条件が成立した場合に、乱数記憶手段１３９に記憶された乱数値に基づいて図柄を変動表示する図柄表示手段５３，５４と、図柄表示手段５３，５４による変動後の停止図柄が特定態様となった場合に利益状態を発生させる利益状態発生手段１４２とを備え、画像表示手段６０に保留表示画像Ｘ１〜，Ｙ１〜を表示することにより、乱数記憶手段１３９に記憶されて未だ図柄表示手段５３，５４による図柄変動に供されていない乱数値の数である保留個数を報知可能であり、特定画像は保留表示画像Ｘ１〜，Ｙ１〜を含んでいる。また、特定画像はエフェクト画像を含んでいる。
【０２９４】
また、所定変形処理を行うか否かを、画像毎に予め付与された変形情報に基づいて判断するように構成し、特定画像には所定変形処理を行う旨の変形情報を、音量設定画像１１７ａには所定変形処理を行わない旨の変形情報を夫々付与している。
【０２９５】
また、特定演出の実行中に新たに画像を表示する場合、その画像が音量設定画像１１７ａを含まない特定画像であれば、この特定画像に対して所定変形処理を行うが、少なくとも音量設定画像１１７ａであれば、この音量設定画像１１７ａに対して所定変形処理を行わないように構成されている。
【０２９６】
また、エラー報知画像１６３の表示中に特定演出を実行する場合、エラー報知画像１６３を含まない特定画像に対しては所定変形処理を行うが、少なくともエラー報知画像１６３に対しては所定変形処理を行わないように構成されている。また、特定演出の実行中に新たに画像を表示する場合、その画像がエラー報知画像１６３を含まない特定画像であれば所定変形処理を行うが、エラー報知画像１６３であれば所定変形処理を行わないように構成されている。
【０２９７】
また、画像表示手段６０に、遊技領域２３の左右一方側を狙って発射すべき旨の発射誘導画像１６２ａ，１６２ｂを表示可能であり、発射誘導画像１６２ａ，１６２ｂの表示中に特定演出を実行する場合、発射誘導画像１６２ａ，１６２ｂを含まない特定画像に対しては所定変形処理を行うが、発射誘導画像１６２ａ，１６２ｂに対しては所定変形処理を行わないように構成されている。
【０２９８】
また、演出図柄１１４を通常図柄と通常図柄よりも小さい退避図柄２５５とに切り換え可能であり、退避図柄２５５の表示中に特定演出を実行する場合、退避図柄２５５を含まない特定画像に対しては所定変形処理を行うが、退避図柄２５５に対しては所定変形処理を行わないように構成されている。
【０２９９】
以上、本発明の第１の実施形態、第２の実施形態について詳述したが、次のように構成することも可能である。即ち、第１の実施形態において、メニュー画面からの選択操作以外の遊技者操作によりモード変更を可能としてもよい。また、客待ち状態中以外の図柄変動中等においても遊技者操作によるモード変更を可能としてもよい。この場合、当該図柄変動に係る予告において可動体の作動が予約されていないことを条件にモード変更を可能とすることが望ましい。
【０３００】
図３７，図３８に示した予告において第１演出体画像１６８、第２演出体画像１６９等はキャラクタに限られるものではなく、任意の演出体画像を用いることができる。また、第１演出体画像１６８は設けなくてもよい。演出体画像として稲妻エフェクト画像を用い、その少なくとも一部を第１〜第５固定隠蔽領域、可動隠蔽領域Ｃに表示した状態から、非隠蔽領域Ｄに表示される割合が大きくなるように稲妻エフェクト画像を変化させることにより、画面上に稲妻が走るような演出を行うことが可能である。
【０３０１】
図３７，図３８に示した予告のように、ミニキャラ画像等の演出体画像を、その少なくとも一部を第１〜第５固定隠蔽領域、可動隠蔽領域Ｃの何れかに表示した第１状態から、非隠蔽領域Ｄに表示される割合が第１状態よりも大きい第２状態に変化させる場合、その演出体画像の少なくとも一部（例えばミニキャラが所持するアイテム）の表示態様（色、大きさ、形等）によって大当たり信頼度等を示唆するように構成してもよい。この場合、信頼度を示唆する部分が非隠蔽領域Ｄに表示される割合も第１状態に比べて第２状態の方が大きくなるようにすれば、予告の進行によって遊技者が大当たり信頼度等を認識し易くなり、予告演出の興趣を高めることが可能である。
【０３０２】
先読み保留変化演出において、先読み判定結果に基づいて保留表示画像Ｘ１〜，Ｙ１〜の表示態様を変化させる場合、変化前の保留表示画像はその全体を非隠蔽領域Ｄに表示し、変化後の保留表示画像は、拡大された部分や追加されたエフェクト部分等が非隠蔽領域Ｄからはみ出すように表示する等、非隠蔽領域Ｄとその外側の領域とに跨がって表示するようにしてもよい。
【０３０３】
なお、第１〜第５固定隠蔽領域Ｂ１〜Ｂ５、可動隠蔽領域Ｃを広くすれば非隠蔽領域Ｄは狭くなるが、非隠蔽領域Ｄはその他の第１〜第５固定隠蔽領域Ｂ１〜Ｂ５、可動隠蔽領域Ｃよりも広くすることが望ましい。また、背景画像１６０には任意の静止画、動画を用いることができる。
【０３０４】
第１の実施形態では、停止中の可動体７５ａ〜７８ａを対象としてその後側の領域を可動隠蔽領域Ｃとしたが、当然ながら可動体は予告演出やモード変更時に動作する可能性がある。そこで、全画面領域Ａのうち、可動体の全ての可動領域（可動体が動作する可能性のある全ての領域）の後側に対応する領域を可動隠蔽領域Ｃとしてもよい。この場合、停止中の可動体を対象とする可動隠蔽領域Ｃの場合と比較して非隠蔽領域Ｄは狭くなるが、その非隠蔽領域Ｄに表示した画像は可動体がどのような状態にあっても常に正面視で視認可能であり、重要度の高い画像についてより高い視認性を確保できる。また、停止中の可動体を対象とする可動隠蔽領域Ｃを採用する場合であっても、可動体の異常（可動体エラー）に関するエラー報知画像１６３については、可動体の全ての可動領域の後側を避けて表示することが望ましい。
【０３０５】
第１の実施形態のように、停止中の可動体を対象とする可動隠蔽領域Ｃを採用する場合、重要度の高い画像（音量設定画像１１７ａ，光量設定画像１１７ｂ、エラー報知画像１６３等）の表示中に可動体演出が実行されると、それらの画像の前側を可動体が移動して一時的に視認性が妨げられる可能性がある。そこで、可動体演出中に可動体が原点位置以外の演出位置で一時的に停止する場合には、重要度の高い画像については演出位置にある可動体の後側の領域を避けて表示することが望ましい。これにより、可動体の通過によって一時的に視認性が妨げられる可能性はあるとしても、視認不可能な状態が長時間に及ぶことを防止できる。
【０３０６】
但し、複数の可動体が同時に動作する可動体演出（例えば大当たり変動パターンによる図柄変動中の可動体演出や、ＳＰリーチからＳＰＳＰリーチに発展する際に実行される可動体演出等）の実行時には、重要度の高い画像の視認性が長時間妨げられるのもやむを得ない。
【０３０７】
このような場合にまで高い視認性を求めると、可動体の自由度を奪って結果的に演出効果の低下を招く可能性が高いからである。また、このような可動体演出は、遊技者にとって有利な場面で実行される場合が多いため、重要度の高い画像であっても視認性の低下はある程度容認されると考えられる。
【０３０８】
実施形態では、発射操作に関する発射報知の一例として、遊技領域の左右一方側を狙って発射すべき旨の発射誘導報知を例示したが、狙うべき方向とは反対側に遊技球が発射された旨の発射警告報知を実行可能に構成してもよい。それら発射誘導報知、発射警告報知等の発射報知に関する発射報知画像（発射誘導画像、発射警告画像）は、音量，光量設定画像１１７ａ，１１７ｂとは重ならないように表示することが望ましい。この場合、発射誘導画像等の発射報知画像については、その一部が隠蔽領域Ｂ１〜Ｂ３，Ｂ５、Ｃにはみ出すように大きく表示してもよいが、「右へ！」等の重要なメッセージ部分については非隠蔽領域Ｄに表示することが望ましい。
【０３０９】
ステップアップ予告演出は、第１段階から最終段階まで徐々に表示領域を変化（拡大）させるものの他、連続する複数段階にわたって表示領域を変化させない場合があってもよい。所定段階（例えば第４段階）までは表示領域を変化させず、次の段階（例えば第５段階）で表示領域を変化（拡大）させるように構成してもよい。
【０３１０】
また、ステップアップ予告演出の実行の仕方として、ステップアップ予告演出が未確定である煽り部分と、ステップアップ予告演出の段階が確定した実行部分とに分けるようにしてもよい。煽り部分ではステップアップ予告演出を段階的に成り上げていき、実行部分で予め定められた所定段階でステップアップ予告演出を実行するという形態である。この場合、煽り部分において、成り上げられたステップアップ予告演出が必ずしもその後の実行部分で実行されるとは限らず、第１段階から第４段階まで成り上げられたとしても、その後ステップアップ予告演出の表示を終了して、結果としてステップアップ予告演出が実行されない場合がある。
【０３１１】
所謂、ガセ演出（ガセステップアップ予告演出）である。このようにすることで、ステップアップ予告演出の出現率を上げると共に、滅多に見る事のできない上位のステップアップ予告演出が実行されるかもしれないという期待感を与えることができる。そして、このようなステップアップ予告演出の場合には、煽り段階の成り上げ時には表示領域を変化させず、実行部分でステップアップ予告演出が実行される時に、ステップアップ予告演出の段階に応じて表示領域を変化させるようにしてもよい。
【０３１２】
また、このような場合においても、第１段階から最終段階まで徐々に表示領域を変化（拡大）させるものの他、所定段階（例えば第４段階）までは表示領域を変化させず、次の段階（例えば第５段階）で表示領域を変化（拡大）させる等、連続する複数段階にわたって表示領域を変化させない場合があってもよい。
【０３１３】
第２の実施形態において、変形させない画像はその全体を非隠蔽領域に表示することが望ましいが、一部が非隠蔽領域の外側の領域にはみ出すように表示してもよい。なお、第２の実施形態では非隠蔽領域等について言及していないが、図４３においてグレーで表示した領域が、正面視で窓枠部７４、ベース板４５、中央表示枠ユニット４７、大入賞ユニット４９、表示枠可動体２０３ａ〜２０３ｃ及びサブ画面可動体２３１の何れにも遮られない非隠蔽領域を示している。
【０３１４】
傾け予告演出等の変形演出は、先読み判定手段１３８ａによる先読み判定結果に基づいて行う「先読み予告演出」として実行してもよいし、特別図柄処理手段１４０による図柄変動開始時の大当たり判定結果等に基づいて行う「通常予告演出」として実行してもよい。また、大当たりの場合の昇格演出（ラウンド昇格や確変昇格）において実行してもよいし、リーチ変動中に実行してもよい。
【０３１５】
第２の実施形態では、変形処理を伴う特定演出が実行されても発射誘導画像は変形しない（傾けない）ように構成したが、発射誘導画像の表示中は特定演出を実行しない（選択しない）ように構成してもよい。即ち発射誘導報知は、遊技状態が通常遊技状態から特別遊技状態（時短状態、確変状態）に移行した場合、特別遊技状態から通常遊技状態に移行した場合等、遊技者に有利な発射方向が変更になった場合に、所定条件を満たすまで（例えば所定時間（３秒等）が経過するまで、所定回数の図柄変動が終了するまで、第２特別図柄が所定回数変動するまで等）行われるが、その間は傾け予告演出等、変形処理を伴う特定演出を実行しない（選択しない）ように構成してもよい。発射警告報知における発射警告画像についても発射誘導画像と同様の対応が可能である。
【０３１６】
傾け予告演出等の変形演出が実行されることをカウントダウン等により告知してもよい。この場合、傾け予告演出等の一部としてカウントダウン告知演出を行ってもよいし、傾け予告演出等の前にその傾け予告演出等とは別にカウントダウン告知演出を行ってもよい。
【０３１７】
メニュー表示可能報知画像１１８ａ、音量調整可能報知画像１１６ａ、光量調整可能報知画像１１６ｂ等については、それらの表示中に変形演出が行われた場合と、変形演出実行後にそれらが表示された場合の何れについても、傾斜変形を行わないようにしてもよい。
【０３１８】
客待ち状態中は、遊技者により音量調整操作、光量調整操作等が行われている場合には変形演出を行わないことが望ましいが、変形演出を行う場合でも、音量設定画像１１７ａ、光量設定画像１１７ｂについては傾斜変形を行わないことが望ましい。
【０３１９】
客待ち状態中以外の例えば図柄変動中にメニュー表示を可能としてもよい。この場合には表示画面６０ａの一部にサブウインドウを表示してメニュー画像１１８ｂ等を表示してもよい。図柄変動中にメニュー画像１１８ｂ等を表示している場合には、傾け予告演出等の変形演出が実行されてもメニュー画像１１８ｂに対してはサブウインドウと共に傾斜変形を行わないことが望ましい。
【０３２０】
ＲＴＣ（リアルタイムクロック）を用いた演出を実行可能としてもよい。このＲＴＣは計時専用チップであり、電源がＯＦＦの状態でも内蔵電池からの電源供給により日時をカウントするようになっている。ＲＴＣに基づく所定時間経過時（例えば電源投入から所定の日時が経過したとき）等にＲＴＣ演出を実行するようにしてもよい。このＲＴＣ演出は、同一の遊技機に共通に設定された演出として実行されるため、遊技ホールにおいて同一の遊技機が複数台並んで設置されている場合、電源投入から所定時間経過後等のタイミングで一斉に共通のＲＴＣ演出が実行される。
【０３２１】
また、このようなＲＴＣ演出は遊技の進行とは無関係に実行されるため、リーチ演出等の他の演出の実行中に実行タイミングを迎える場合があるが、この場合にはリーチ演出等を優先し、ＲＴＣ演出を表示画面６０ａの一部に表示したサブウインドウで実行するようにしてもよい。更にこのとき、傾け予告演出等の変形演出が実行される場合には、サブウインドウで実行されているＲＴＣ演出に関しては傾斜変形を行わないことが望ましい。また、サブウインドウのＲＴＣ演出側で変形演出を行う場合には、ＲＴＣ演出では傾斜変形を行う一方、リーチ演出側では傾斜変形を行わないことが望ましい。
【０３２２】
所定の画像に対して傾斜変形を行うか否かは予告内容等に応じて異ならせてもよい。保留台座画像１６１について、第１予告演出では傾斜させ、第２予告演出では傾斜させないようにしてもよい。背景画像１６０、演出図柄１１４、保留表示画像Ｘ１〜，Ｙ１〜、変動中保留画像Ｚ等についても同様である。但し、エラー報知画像１６３、音量設定画像１１７ａ、光量設定画像１１７ｂ等、演出内容に依存しない画像に関しては、予告内容等に拘わらず変形なしに設定することが望ましい。
【０３２３】
数字等の図柄画像１１４ａとキャラクタ等の装飾画像１１４ｂとで構成される演出図柄１１４に対して変形演出を行う場合には、装飾画像１１４ｂのみに傾斜変形を行うように構成してもよい。数字部分はその表示内容によって抽選結果を直接示す部分であるため、傾斜変形の対象から外し、遊技者が認識し易い表示態様を維持することが望ましい。
【０３２４】
実施形態では画像に対する所定変形処理の一例として傾斜変形を行う例を示したが、所定中心廻りに所定角度回転させる回転処理の他、拡大処理、縮小処理、平行移動処理、或いはそれらの組み合わせ等、任意の画像処理を採用できる。拡大、縮小処理に関しては、拡大・縮小率を均一にしてもよいし、複数の方向で拡大・縮小率を異ならせてもよい。
【０３２５】
第２の実施形態では、所定変形処理を行うか否かを、画像毎に予め付与された変形情報に基づいて判断するように構成したが、複数のレイヤーを所定変形処理の対象とする第１レイヤーと対象としない第２レイヤーとに予め分類し、第１レイヤーの画像に対しては所定変形処理を行い、第２レイヤーの画像に対しては所定変形処理を行わないように構成してもよい。
【０３２６】
第２の実施形態では、サブ画像表示手段２３３に表示する画像に関しては、傾斜変形という画像処理ではなく、サブ画面可動体２３１を介してサブ画像表示手段２３３を傾斜させることによって画像表示手段６０等に対して傾斜させるようにしたが、サブ画像表示手段２３３に表示する画像に対しても傾斜変形等の所定変形処理を行ってもよい。
【０３２７】
この場合、所定変形処理が傾斜変形等の回転処理であれば、サブ画像表示手段２３３に表示する画像に対する回転処理をサブ画像表示手段２３３の回転と同じ向きにしてもよいし、逆向きにしてもよい。サブ画像表示手段２３３に表示する画像に対して、サブ画像表示手段２３３の回転と逆向きで且つ略同じ角度の回転処理を行えば、サブ画像表示手段２３３に表示された画像は遊技者に対しては直立状態となる。なお、サブ画像表示手段２３３を動作させないで、そのサブ画像表示手段２３３に表示する画像に対して所定変形処理を行ってもよい。
【０３２８】
第２の実施形態では、画像表示手段６０等に表示する画像に対する所定変形処理を、可動体２０３ａ〜２０３ｃ，２３１の変形動作に合わせて行うように構成したが、可動体の変形動作とは無関係に（例えば可動体を変形させないで）画像に対する所定変形処理を行ってもよい。
【０３２９】
実施形態で示した副演出図柄２５２は、液晶上に常駐して第１，第２特別図柄の変動に対応して点滅表示等を行う、いわゆる第４図柄を想定しているが、この第４図柄をＬＥＤ等により画像表示手段６０とは別に設ける場合であっても、画像表示手段６０に副演出図柄２５２として、いわゆるミニ図柄を表示するようにしてもよい。このミニ図柄は、変動中の演出図柄１１４を数字や記号を用いて簡易的に小さく表したもので、第１，第２特別図柄の変動中は常に画像表示手段６０上に表示されるようになっている。このミニ図柄に対しては傾斜変形等の変形処理を行わないことが望ましい。また、このミニ図柄については非隠蔽領域Ｄに表示することが望ましい。
【０３３０】
説明の都合上、第１の実施形態と第２の実施形態とで可動演出手段の構成を異ならせ、第１の実施形態では画像表示領域と表示画像との関係について、第２の実施形態では表示画像の変形処理について主に説明したが、両実施形態をどのように組み合わせてもよい。第１の実施形態に第２の実施形態を適用して傾け予告演出等の変形演出を実行可能としてもよいし、第２の実施形態に第１の実施形態における画像表示領域と表示画像との関係を適用してもよい。
【０３３１】
遊技盤１６の前側にイルミパネルを搭載した場合に、傾け予告演出等の変形演出の実行時にイルミパネルによる発光演出を実行するようにしてもよい。この場合、イルミパネルの意匠部により液晶の表示物の視認性が妨げられる可能性があるため、少なくとも音量設定画像１１７ａや光量設定画像１１７ｂなど、所定変形処理を実行しない画像については、その少なくとも一部をイルミパネルの意匠部と重ならない位置に表示することが望ましい。
【０３３２】
所定変形処理を実行する予告演出に関して、変動表示の抽選結果を示唆する信頼度に応じて、変形処理を施す画像の種類や、変形処理を実行する時間（期間）や回数、変形処理の変形度合等を異ならせるようにしても良い。例えば、変動表示の抽選結果が外れの場合には信頼度の低い所定変形処理を実行する予告演出が実行されやすく、抽選結果が当たりの場合と比較して、変形処理を施す画像の種類が少なく、変形処理を実行する時間（期間）が短く、回数は少なく、変形処理の度合も小さい変形処理を伴う予告演出が実行される。このように変動表示の抽選結果に応じて、異なる変形処理を伴う予告演出を実行するように構成してもよい。
【０３３３】
音量設定画像１１７ａや光量設定画像１１７ｂに対して変形処理を行わないこととしたが、変形処理を行うように構成してもよい。ただし、この場合には変形処理中であっても遊技者による操作に基づいて音量／光量の調整が可能となるように構成することが望ましい。また、変形処理中であっても遊技者による調整内容を反映すべく音量設定画像１１７ａや光量設定画像１１７ｂを更新して表示可能に構成することが望ましい。
【０３３４】
変動表示の抽選結果を示唆する予告演出や遊技者に所定の情報をお知らせするメッセージ表示等において、所定操作により音量調整や光量調整が可能である旨の表示を行うようにしてもよい。また、当然ながらこのような予告演出やメッセージ表示中であっても音量調整や光量調整の機能を有効にしておくことが望ましい。そして遊技者により所定操作が行われた場合には、予告演出やメッセージ表示に重ならない位置に音量設定画像１１７ａや光量設定画像１１７ｂを表示することが望ましい。
【０３３５】
所定変形処理を実行する予告演出に関して、所定変形処理を実行した所定画像を新たな所定画像に変更して表示するようにしてもよい。具体的には、所定変形処理により背景画像１６０を変形させた場合に、背景画像１６０を変形と同時に縮小表示させることで液晶上からフェードアウトするように表示する。同時期に新たな背景画像１６０を変形させながら拡大表示させることで液晶上にフェードインするように表示する。このように、所定変形処理を実行して背景画像１６０を変更する背景変更演出を実行するようにしてもよい。また、この場合であっても前述した変形処理を実行しない表示物に関しては、変形処理を実行することなく表示することが望ましい。
【０３３６】
所定変形処理を実行して背景画像１６０を変更する背景変更演出を実行する場合、背景画像１６０だけではなくその他の所定画像についても同様に変更する様に構成してもよい。例えば、背景毎に保留の表示態様が異なる場合には、背景画像１６０を変更するとともに保留画像も変更するように構成してもよい。また、表示を変更する必要がない場合であっても、一旦背景画像１６０とともにフェードアウトさせ、再度新たな背景画像１６０とともにフェードインさせるように構成してもよい。
【０３３７】
背景変更演出に限らず、所定変形処理を実行することで、所定変形処理実行前の表示物と所定変形処理実行後の表示物を変更するようにしてもよい。このように所定変形処理を活用して表示物の変更／更新を行うことで、単純に表示物をフェードアウト／フェードインさせて変更／更新を行うよりも演出の興趣を高めることができる。
【０３３８】
所定変形処理を実行して変更演出を実行する場合、例えば保留表示の表示態様を変更するようにしてもよい。具体的には、所定変形処理を実行する前の保留表示態様が青色の場合に、所定変形処理を実行した後の保留表示態様を赤色で表示するようにしてもよい。このように保留の表示態様を変更する保留変化演出において、所定変形処理を活用することで保留変化演出の興趣を高めることができる。
【０３３９】
所定変形処理を実行して変更演出を実行する場合、例えばステップアップ演出のＳＵ段階（例：ＳＵ１→ＳＵ２）を変更するようにしてもよい。具体的には、所定変形処理を実行する前の段階がステップアップ画像ＳＵ１の場合に、所定変形処理を実行した後の段階をステップアップ画像ＳＵ２で表示するようにしてもよい。このようにＳＵ段階を更新していくステップアップ予告において、所定変形処理を活用することでステップアップ演出の興趣を高めることができる。
【０３４０】
所定変形処理を実行して変更演出を実行する場合、例えばボタン演出のボタン画像やゲージ画像、操作誘導画像１６６を変更するようにしてもよい。具体的には、所定変形処理を実行する前のボタン画像が第１ボタン画像の場合に、所定変形処理を実行した後のボタン画像を第２ボタン画像で表示するようにしてもよい。このように操作手段を用いたボタン演出において、所定変形処理を活用することでボタン演出の興趣を高めることができる。
【０３４１】
また、所定変形処理中もボタン演出の操作有効期間中としてもよい。所定変形処理中に遊技者による操作が行われた場合には、所定変形処理を中断して操作時演出を実行するようにしてもよい。また、所定変形処理が終了してから操作時演出を実行するようにしてもよい。
【０３４２】
また、所定変形処理中はボタン演出の操作を無効としてもよい。所定変形処理が実行された後に、操作有効期間が開始されるように構成してもよい。
【０３４３】
ボタン演出は、ボタンを模した画像やボタン画像をフェードイン表示させるフェードイン期間とボタン画像とゲージ画像、操作誘導画像１６６を表示すると共に操作有効期間を開始する操作期間と、操作期間の終了後にボタンを模した画像やボタン画像をフェードアウト表示させるフェードアウト期間と、その後実行される操作時演出期間とで構成されていることが望ましい。そしてボタン演出において所定変形処理を実行する場合には、各期間の全部の期間又は少なくとも１つの期間又は複数の期間において所定変形処理を実行するように構成してもよい。
【０３４４】
操作手段等に設けられた（操作手段以外に設けられていてもよい）振動手段による振動演出の実行中に所定変形処理を伴う所定演出を実行するように構成してもよい。前述したように種々の演出において所定変形処理を実行するように構成した場合に所定変形処理中に振動演出を実行するようにしてもよい。このように構成することで、所定変形処理中であることを、振動演出を介して遊技者に報知することができる。
【０３４５】
所定変形処理を伴う演出は、図柄がリーチ状態となる前の通常変動期間よりもリーチ状態となった後のリーチ変動期間の方が実行され易い様に構成してもよい。通常変動期間中に所定変形処理が実行される演出と、リーチ変動期間中に所定変形処理が実行される演出とは異なる演出であってもよいし、共通の演出であってもよい。また、通常変動期間においては所定変形処理を実行する演出が一切行われることなく、リーチ変動期間においては所定変形処理を実行する演出が行われる可能性があるように構成してもよい。いずれにしても、通常変動期間とリーチ変動期間とで所定変形処理が実行される演出の出現率を異ならせることで、リーチ変動期間の方が実行され易いように構成してもよい。
【０３４６】
リーチ変動期間において、複数のリーチ演出を実行可能な場合に、リーチの種類によって所定変形処理が実行されるリーチ演出と所定変形処理が実行されないリーチ演出とを有するように構成してもよい。また、所定変形処理が実行されるリーチ演出と所定変形処理が実行されないリーチ演出は異なるリーチ演出であってもよいし、共通のリーチ演出であってもよい。また、実行中のリーチ演出が発展して発展後リーチ演出を実行するような場合には、発展前のリーチ演出と発展後のリーチ演出とであってもよい。また、信頼度の低いリーチ演出と信頼度の高いリーチ演出とであってもよい。いずれにしてもリーチ演出の種類によって所定変形処理が実行される可能性を異ならせることで、所定変形演出の実行確率を異ならせるように構成してもよい。
【０３４７】
前述のように種々の演出において所定変形処理を実行するようにしてもよいが、さらに最適には所定変形処理の実行中には所定のランプ演出を実行するようにしてもよい。この場合、所定変形処理される画像表示に対応したランプ演出が実行される。具体的には、所定変形処理により変形される画像が左回転する場合には、盤面や枠に配置された発光手段を左廻りに順に点灯／消灯させるようなランプ演出を実行することが望ましい。また、右回転の場合には右廻りであり、拡大／縮小を伴う場合には各発光手段を点滅表示などといったようなランプ演出を実行するように構成してもよい。
【０３４８】
前述のように種々の演出において所定変形処理を実行する場合には、同一の予告演出にて、所定変形処理を伴わない場合と所定演出を伴う場合とで、変動表示の抽選結果の信頼度が異なるように構成してもよい。すなわち、予告演出の実行時に、所定変形処理が実行されない場合よりも実行される場合の方が、信頼度が高いことを示す予告演出となるように構成してもよい。
【０３４９】
図６１〜図８９は第３の実施形態を例示している。図６１及び図６２において、遊技機本体３００は、外枠（第１支持枠）３０１と、この外枠３０１の前側に配置された前枠（第２支持枠）３０２とを備えている。前枠３０２は、左端側に配置された上下一対の第１ヒンジ３０３を介して外枠３０１に開閉自在及び着脱自在に枢着されており、左右方向における第１ヒンジ３０３と反対の右端側に設けられた施錠手段３０４によって外枠３０１に対して閉状態で施錠可能となっている。
【０３５０】
前枠３０２は、本体枠３０５と、その本体枠３０５の前側に配置されたガラス扉３０６とを備えている。ガラス扉３０６は、左端側に配置された上下一対の第２ヒンジ３０７を介して本体枠３０５に開閉自在及び着脱自在に枢着されており、施錠手段３０４によって本体枠３０５に対して閉状態で施錠可能となっている。なお、第１ヒンジ３０３と第２ヒンジ３０７は同一軸心となるように配置されている。
【０３５１】
外枠３０１は、図６２に示すように、左右一対の縦枠材３０８と、上下一対の横枠材３０９とで矩形状に形成されている。下側の横枠材３０９には、この横枠材３０９を前側から覆う合成樹脂製の前カバー部材３１０が左右の縦枠材３０８の前側下部を連結するように装着されている。前カバー部材３１０は、左右の縦枠材３０８よりも前側に突出しており、その上側に本体枠３０５が配置されている。
【０３５２】
本体枠３０５は合成樹脂製であって、前カバー部材３１０の上側で外枠３０１の前縁側に当接可能な矩形状に構成されており、上部側に矩形開口状に設けられた遊技盤装着部３１１と、この遊技盤装着部３１１の下側に設けられた下部装着部３１２とを一体に備えている。
【０３５３】
遊技盤装着部３１１は、図６５〜図６８に示すように、遊技盤３１３が前側から着脱可能であり、この遊技盤装着部３１１には、遊技盤３１３が前側から当接する当接部３１４と、遊技盤装着部３１１内に遊技盤３１３の左右一端側を挿入したときに遊技盤３１３に係合する係合部３１５と、遊技盤装着部３１１内の遊技盤３１３の他端側を本体枠３０５に着脱自在に固定するための固定手段３１６とが設けられている。なお、遊技盤装着部３１１は遊技盤３１３を裏側から着脱可能にしてもよい。
【０３５４】
遊技盤３１３を遊技盤装着部３１１に装着する際には、図６５に二点鎖線で示すように、遊技盤装着部３１１の前側から遊技盤３１３の一端側を遊技盤装着部３１１の当接部３１４と係合部３１５との間に挿入する。次に遊技盤３１３の他端側を本体枠３０５内へと押圧すると、係合部３１５側又は当接部３１４と係合部３１５との中間側を回動中心Ｏとして遊技盤３１３が後方へと図６５の３１３Ａ矢示方向に回動するので、遊技盤３１３と遊技盤装着部３１１との間の摺動抵抗等に抗して、図６５に実線で示すように、遊技盤３１３を遊技盤装着部３１１内に押し込むことができる。
【０３５５】
そして、遊技盤３１３が遊技盤装着部３１１内に入れば、上下一対の固定手段３１６により遊技盤３１３の他端側を遊技盤装着部３１１に締め付けて固定する。これによって遊技盤３１３を容易に装着することができる。なお、遊技盤３１３を取り外すときには、遊技盤３１３の適当な部位に手指を掛けて、逆の順序で回動中心Ｏ廻りに反３１３Ａ矢示方向に回動させればよい。
【０３５６】
本体枠３０５には、図６２〜図６８に示すように、遊技盤装着部３１１の外周から後方に突出する囲繞壁３１７が一体又は別体に設けられている。囲繞壁３１７は遊技盤装着部３１１に装着された遊技盤３１３の裏側機構を外周側から囲繞して保護するものであり、遊技盤装着部３１１の上側から後方に突出する上壁部３１８と、遊技盤装着部３１１の左右両側から後方に突出する左右一対の側壁部３１９と、遊技盤装着部３１１の下側から後方に突出する底壁部３２０とを備えている。
【０３５７】
上壁部３１８、底壁部３２０は遊技盤装着部３１１の上下両側に左右方向に配置され、側壁部３１９は遊技盤装着部３１１の後方側の左右両側に上下方向に配置されている。底壁部３２０には遊技盤３１３の裏側に通過した遊技球を下方へと排出する排出口３２１が設けられている。
【０３５８】
ガラス扉３０６は、図６１、図６２に示すように、本体枠３０５の前面側に対応する矩形状に形成された合成樹脂製の扉ベース３２２を備えている。この扉ベース３２２には、遊技盤３１３に形成された遊技領域３２３の前側に対応して窓孔３２４が形成されると共に、窓孔３２４の周囲に上下左右等の所定箇所に複数のスピーカ３２５が配置され、その各スピーカ３２５を前側から略覆う装飾カバー３２６が装着されている。
【０３５９】
また、扉ベース３２２の下部前側には、図６１に示すように、遊技球を貯留して発射手段３２７に供給する上皿（発射球貯留皿）３２８と、上皿３２８の遊技球が満杯状態のときにその上皿３２８側から溢流する余剰球等を貯留する下皿（余剰球受皿）３２９と、発射手段３２７を作動させるために操作する発射ハンドル３３０等が配置され、更に上皿３２８、下皿３２９等を前側から略覆う下装飾カバー３３１が装着されている。
【０３６０】
下装飾カバー３３１は前向きの膨出状に形成されており、その上部側に、遊技者が押下操作可能な演出ボタン３３２、十字操作手段３３３等の操作手段が設けられている。十字操作手段３３３は後側の上キー、前側の下キー、左側の左キー、右側の右キーの４つの操作部３３４を備えている。
【０３６１】
扉ベース３２２の背面側には、図６２に示すように、窓孔３２４を後側から略塞ぐようにガラスユニット３４０が着脱自在に装着されると共に、第１，第２ヒンジ３０３，３０７側の縁部に沿って上下方向に配置された補強板金３３５と、開閉端側の縁部に沿って上下方向に配置された補強板金３３６と、窓孔３２４の下側に左右方向に配置された補強板金３３７とがねじ止め等により着脱自在に固定されている。
【０３６２】
補強板金３３７の背面側には、球送り手段３３８、球誘導手段３３９等が装着されている。球送り手段３３８は、上皿３２８内の遊技球を１個ずつ発射手段３２７に供給するためのもので、発射手段３２７の前側に対応して配置されている。球誘導手段３３９は、上皿３２８の遊技球が満杯となったときに上皿３２８から溢流する余剰球、及び遊技領域３２３に達することなく戻ってきたファール球を下皿３２９に誘導するためのもので、球送り手段３３８に隣接してその第１，第２ヒンジ３０３，３０７側に配置されている。
【０３６３】
本体枠３０５には、図６２〜図６９に示すように、遊技盤装着部３１１に遊技盤３１３が着脱可能に装着され、また、遊技盤３１３の裏側に演出制御基板３４５と電源モジュール基板３４６と主制御基板３５４とが配置されている。また、本体枠３０５の裏側には、上端部側に球タンク３４７と球案内レール３４８と外部情報取り出し手段３４９とが配置され、左右方向の一側部に球払い出し手段３５０と球案内手段３５１と中継基板３５２とが上下方向に配置され、左右方向の他側部にＬＥＤ接続基板３５３が上下方向に配置されている。更に本体枠３０５の裏側には、主制御基板３５４の下側に払い出し基板３５５と球貸し基板３５６とが左右に配置されている。
【０３６４】
球タンク３４７と球案内レール３４８と外部情報取り出し手段３４９は、図６３、図６４に示すように、囲繞壁３１７の上壁部３１８の上側に沿って左右方向に配置されている。球タンク３４７は賞球、貸し球用の遊技球を貯留するためのものであって、左右方向に長い平面視矩形状に構成され、囲繞壁３１７の上壁部３１８の段部３１８ａに当接して着脱自在に固定されている。なお、球タンク３４７は島側の補給手段３５７から補給される遊技球を受けるように上側が開放状になっている。
【０３６５】
球案内レール３４８は球タンク３４７からの遊技球を球払い出し手段３５０へと案内するためのものであって、球タンク３４７の下側から球払い出し手段３５０の上部側へと左右方向に傾斜状に配置され、本体枠３０５の裏側に着脱可能に装着されている。なお、球案内レール３４８の途中には、球崩し機構３５８が必要に応じて設けられている。外部情報取り出し手段３４９は各種の遊技情報を外部に取り出すためのものであって、左右方向に一列状に配列された複数の取り出し端子３５９を備え、球案内レール３４８の上側に配置されている。
【０３６６】
囲繞壁３１７の左右の側壁部３１９の内、第１，第２ヒンジ３０３，３０７側の側壁部３１９は、図６３〜図６８に示すように、後端から左右方向の内側へと屈曲する後取り付け台３６０を一体に備え、この後取り付け台３６０の裏側に球払い出し手段３５０と球案内手段３５１とが上下方向に一列状に配置され着脱可能に装着されている。
【０３６７】
球払い出し手段３５０は、払い出し基板３５５からの賞球の払い出し指令、球貸し基板３５６からの球貸し指令に基づいて球タンク３４７内の遊技球を払い出すためのものである。この球払い出し手段３５０は、図６４に示すように、前後方向に偏平な縦長矩形状に形成された払い出しケース３６２と、払い出しケース３６２内にジグザグ状に設けられた貯留通路３６３と、貯留通路３６３の遊技球を払い出す回転体３６４と、回転体３６４を駆動する駆動モータ（図示省略）とを備え、後取り付け台３６０の裏側に着脱可能に装着されている。なお、球払い出し手段３５０から払い出された遊技球は、球案内手段３５１を介して上皿３２８へと案内されるようになっている。
【０３６８】
球案内手段３５１は、図６４に示すように、払い出し通路３６６と抜き取り通路３６７とを有する。そして、球払い出し手段３５０が遊技球を払い出す際には、球払い出し手段３５０からの遊技球を払い出し通路３６６を経て上皿３２８へと案内し、また、球タンク３４７から球払い出し手段３５０までの遊技球を抜き取る際には、その遊技球を抜き取り通路３６７から抜き取り口（図示省略）を経て機外に抜き取ることが可能である。球案内手段３５１の裏側には中継基板３５２が設けられている。
【０３６９】
囲繞壁３１７の左右の側壁部３１９の内、遊技盤３１３の着脱時の回動中心Ｏと反対側に位置する側壁部３１９には、図６４〜図６８に示すように、その側壁部３１９を外側から補強する板金製の側壁補強部材３６８が設けられ、また、その側壁部３１９から底壁部３２０に沿って正面視Ｌ字状に枠側ジョイント部３６９が設けられている。側壁補強部材３６８は前枠３０２の開閉時に他の部材等と接触して、側壁部３１９及び遊技盤３１３の裏側機構等が破損しないように保護する機能を有する。
【０３７０】
枠側ジョイント部３６９は、図６６、図６９に示すように、遊技盤３１３の裏側の盤側ジョイント部３７０と前後に相対応して配置され、遊技盤３１３の遊技盤装着部３１１に対する着脱時に盤側ジョイント部３７０に対して電気的に着脱自在に接続するようになっている。
【０３７１】
下部装着部３１２の前側には、図６２に示すように、発射手段３２７、下部スピーカ３２５ａ等が配置されている。また、下部装着部３１２の裏側には、図６３、図６４に示すように、下部装着部３１２の裏側機構を裏側から覆うように第１基板取り付け台３７１が装着されており、この第１基板取り付け台３７１の裏側に、払い出し基板ケース３７２に収容された払い出し基板３５５と、球貸し基板ケース３７３に収容された球貸し基板３５６とが左右に配置されている。
【０３７２】
発射手段３２７は、図６９に示すように、板金製の支持板３７４と、この支持板３７４の前面に装着された発射レール３７５と、支持板３７４の前面に装着され且つ発射用の遊技球を発射レール３７５上に保持する球保持部３７６と、支持板３７４の前面で前後方向の駆動軸３７７廻りに揺動自在に支持された打撃槌３７８と、支持板３７４の裏側に装着され且つ打撃槌３７８を駆動軸３７７を介して打撃方向に駆動するロータリソレノイド等の発射駆動手段３７９とを備え、発射ハンドル３３０を回動操作したときに、その操作量に応じて発射駆動手段３７９により打撃槌３７８を打撃方向（時計廻り）に駆動して、発射レール３７５上の遊技球を遊技盤３１３側に発射するようになっている。
【０３７３】
払い出し基板３５５は払い出し指令に従って球払い出し手段３５０を制御するためのものである。この払い出し基板３５５を収容する払い出し基板ケース３７２は、図６３、図６４に示すように、左右一端側の係合手段３８０と他端側の締結具３８１とにより、第１基板取り付け台３７１に着脱可能に固定されている。締結具３８１は第１基板取り付け台３７１に前後軸廻りに回動操作可能な摘まみ部３８２を有し、その摘まみ部３８２で払い出し基板ケース３７２を第１基板取り付け台３７１側に締め付けるようになっている。
【０３７４】
球貸し基板３５６は、図６３、図６４に示すように、球貸しボタン等からの球貸し指令に従って球払い出し手段３５０を制御するためのものである。この球貸し基板３５６を収容する球貸し基板ケース３７３は、左右一端側の枢支手段３８３により縦軸廻りに回動自在に枢着され、他端側のロック手段３８４により第１基板取り付け台３７１に着脱可能に固定されている。ロック手段３８４は前後方向に操作可能なロックボタン３８５を有し、ロックボタン３８５を前側に押圧したときに球貸し基板ケース３７３を第１基板取り付け台３７１にロックし、ロックボタン３８５を後側に引いたときにロックを解除するようになっている。
【０３７５】
遊技盤３１３は、ベニヤ板等の非透光性材料又は合成樹脂等の透明性材料により略矩形状に構成されている。この遊技盤３１３の前側には、図７０に示すように、遊技領域３２３と、発射手段３２７から発射された遊技球を遊技領域３２３の上部側へと案内するガイドレール３８７と、略中央に配置され且つ遊技盤３１３に前側から着脱自在に装着された中央表示枠（センターケース）３８８とが設けられている。なお、遊技盤３１３の前面には、遊技領域３２３の外周側に前面装飾部材３８９が設けられている。
【０３７６】
また、遊技盤３１３の裏側には、図６５〜図６８、図７１〜図７５に示すように、取り付け枠３９１と、この取り付け枠３９１の下部側を覆うように配置された第２基板取り付け台３９２とが装着されている。取り付け枠３９１には、中央表示枠３８８に対応して遊技盤３１３の裏側に配置された液晶式等の画像表示手段３９３と、中央表示枠３８８及び画像表示手段３９３間に配置された第１〜第４可動演出手段３９４〜３９７と、前枠３０２の前面側の発光演出用のＬＥＤが接続されたＬＥＤ接続基板３５３と、裏面側に配置されたハーネスを受けるハーネス受け台３９９とが装着されている。
【０３７７】
更に画像表示手段３９３の裏側には、図７２に示すように、演出制御基板３４５と電源モジュール基板３４６とが装着されている。第２基板取り付け台３９２の裏側には、図７２に示すように、主制御基板３５４を収容する主制御基板ケース５１３と、遊技盤３１３の着脱時に枠側ジョイント部３６９に対して電気的に着脱する盤側ジョイント部３７０とが設けられている。
【０３７８】
取り付け枠３９１は前後方向に短い矩形筒状であって、遊技盤３１３の裏側に着脱可能に装着されている。第１〜第４可動演出手段３９４〜３９７は、図７０、図７３〜図７５に示すように取り付け枠３９１内に組み込まれており、遊技盤３１３に対する取り付け枠３９１の着脱によって、遊技盤３１３に対して取り付け枠３９１と一体的に裏側から着脱可能である。
【０３７９】
遊技領域３２３には、図７０に示すように、その略中央に中央表示枠３８８が配置されると共に、中央表示枠３８８の左右両側に左流下経路４０１と右流下経路４０２とが形成され、その中央表示枠３８８の下側の略中央に始動入賞手段４０３が配置され、この始動入賞手段４０３の左右両側に大入賞手段４０４と普通入賞手段４０５とが配置されている。中央表示枠３８８の前面側には、普通図柄表示手段４０６と普通保留個数表示手段４０７と第１特別図柄表示手段４０８と第２特別図柄表示手段４０９とを含む各種表示手段が適当位置に配置されている。
【０３８０】
ガイドレール３８７は、遊技領域３２３の外周側を取り囲むように遊技盤３１３の前面側に配置されており、発射手段３２７から発射された遊技球を案内経路４１１を経て遊技領域３２３の上部側へと案内するようになっている。遊技領域３２３には、多数の遊技釘（図示省略）が配置されており、ガイドレール３８７を経て遊技領域３２３の上部に打ち込まれた遊技球は、中央表示枠３８８等により左流下経路４０１と右流下経路４０２との何れかに振り分けられて遊技釘に衝突しながら流下するようになっている。
【０３８１】
遊技盤３１３には、図７０等に示すように中央表示枠３８８、始動入賞手段４０３、大入賞手段４０４、普通入賞手段４０５等を装着するための複数の装着孔４１３〜４１５、アウト口４１６等が前後方向に貫通状に形成されている。装着孔４１３は中央表示枠３８８を装着するためのもので、遊技領域３２３内の略中央部に設けられている。また、装着孔４１４は始動入賞手段４０３を、装着孔４１５は普通入賞手段４０５を夫々装着するためのもので、装着孔４１３の下側に設けられている。アウト口４１６は遊技領域３２３の最下部に配置されている。
【０３８２】
中央表示枠３８８は、図７６〜図８０等に示すように、画像表示手段３９３の外周側を前側から覆い且つ内側に画像表示手段３９３に対応する表示窓４１８を形成するものである。この中央表示枠３８８は、表示窓４１８を取り囲むように周方向に二分割された第１表示枠４１９と第２表示枠４２０とを備え、表示窓４１８の外周部分が装着孔４１３内に位置するように、遊技盤３１３の前側にねじ等で着脱自在に装着されている。なお、中央表示枠３８８は周方向に二分割された第１表示枠４１９と第２表示枠４２０とを備えているが、必要に応じて全体を三分割以上に分割してもよいし、前後方向に複数に分割してもよい。
【０３８３】
第１表示枠４１９は、図７３、図７６〜図８０に示すように、装着孔４１３の外側で遊技盤３１３の前面に沿って配置され且つその前側を遊技球が通過可能な板状その他の前面装着部４２１と、この前面装着部４２１の前側に頂部側から左右両側にわたって正面視略門形状に設けられ且つ前面装着部４２１の内周側で前向きに突設された装飾用の前枠部４２２と、前枠部４２２の内周から後方に屈曲して装着孔４１３内に配置され且つ表示窓４１８を外周から取り囲む窓枠部４２３と、表示窓４１８の左右両側で窓枠部４２３の後方に上下方向に配置された左右の装飾部材４２４とを備え、遊技盤３１３の前面に着脱可能に装着されている。
【０３８４】
装飾部材４２４は板状、その他の形状であって、図７３、図７６、図７７に示すように、窓枠部４２３の内周よりも表示窓４１８側に突出して配置されている。左右の装飾部材４２４の内、その一方の装飾部材４２４は取り付け部４２４ａを介して前枠部４２２等に固定され、また、他方の装飾部材４２４は取り付け部４２４ａを介して窓枠部４２３等に固定されている。
【０３８５】
前面装着部４２１と前枠部４２２と窓枠部４２３は、中央表示枠３８８の外周側の遊技領域３２３を区画する前側部材４２６を構成し、装飾部材４２４は前側部材４２６よりも後側で画像表示手段３９３の外周側に配置された後側部材４２７を構成している。第１表示枠４１９の前面側には、普通図柄表示手段４０６と普通保留個数表示手段４０７と第１特別図柄表示手段４０８と第２特別図柄表示手段４０９等の各種表示手段が適当位置に配置されている。
【０３８６】
第２表示枠４２０には、遊技球を遊技盤３１３の前側から始動入賞手段４０３へと落下させるステージ４２９と、左流下経路４０１側を流下する遊技球をステージ４２９へと誘導するワープ口４３０とが設けられている。
【０３８７】
この第２表示枠４２０は、第１表示枠４１９の窓枠部４２３等の左右の下端部間に配置されており、装着孔４１３の下部側で遊技盤３１３の前面に当接する板状等の前面装着部材４３２と、前面装着部材４３２の上側に配置されたステージ４２９と、ステージ４２９の上側から後側に配置された進入防止部材４３１とを備え、左右両端部が第１表示枠４１９の左右の両下端部にねじ等で着脱自在に接続されている。
【０３８８】
前面装着部材４３２は装着孔４１３の内周に配置される補強周壁部４３３を後側の左右方向の略全長に一体に備えている。この前面装着部材４３２には、図７６〜図８０に示すように、左流下経路４０１側に開口するワープ口４３０と、このワープ口４３０からの遊技球をステージ４２９側へと案内する案内通路４３４とが形成されている。案内通路４３４はその後側の進入防止部材４３１に形成された誘導通路４３５に連通され、左流下経路４０１を流下中にワープ口４３０に入った遊技球を、この案内通路４３４から誘導通路４３５を経てステージ４２９の一端側へと案内し誘導するようになっている。
【０３８９】
ワープ口４３０は前面装着部材４３２の前側に設けられている。前面装着部材４３２にはワープ口４３０の前側に開放部４３７が設けられ、そのワープ口４３０の下手側に、前側へとＵ字状に突出する案内通路４３４用の通路壁４３８が一体に設けられている。案内通路４３４の後側は接続孔４３９を介して誘導通路４３５に連通されている。誘導通路４３５は前面装着部材４３２と、進入防止部材４３１に断面Ｕ状に設けられた通路壁４４０との間に形成されている。
【０３９０】
このような構造のワープ口４３０、案内通路４３４を前面装着部材４３２に設けることにより、前後二つ割りの金型により前面装着部材４３２にワープ口４３０、案内通路４３４とを一体に成型することが可能であり、ワープ口４３０、案内通路４３４を含むワープ口部材を前面装着部材４３２に前側から着脱自在に設ける場合に比較して、第２表示枠４２０の部品点数を少なくでき製作コストを削減することができる。
【０３９１】
なお、ワープ口４３０と案内通路４３４との両者の後側を開放状に構成し、その誘導通路４３５との接続孔４３９を除く開放側を遊技盤３１３、ステージ４２９又は進入防止部材４３１等の他の部材で塞ぐようにしてもよい。要するにワープ口４３０、案内通路４３４を含む前面装着部材４３２を前後二つ割りの金型により一体に成型できる構成であればよい。
【０３９２】
ステージ４２９は左右両側が高くなる正面視略円弧状であって、左右方向の略中央に配置された中央落下部４５０と、中央落下部４５０の左右両側に配置された左右落下部４５１とを有し、ワープ口４３０から案内された遊技球が左右方向に自由に転動した後、中央落下部４５０と左右落下部４５１との何れかから遊技盤３１３の前側に落下するようになっている。中央落下部４５０は始動入賞手段４０３の略真上にあり、この中央落下部４５０から遊技球が落下したときに始動入賞手段４０３に遊技球が入賞する可能性が高くなっている。
【０３９３】
進入防止部材４３１は誘導通路４３５の他に、ステージ４２９を後側から覆うように遊技盤３１３と略平行に設けられた後進入防止板４４３と、この後進入防止板４４３の上端から前側に屈曲してステージ４２９を上側から覆う上進入防止板４４４とを一体に備え、これら進入防止板４４３，４４４により各流下経路４０１，４０２を流下中の遊技球、又はステージ４２９上で跳ね返った遊技球の後側への進入を防止するようになっている。なお、、進入防止部材４３１は透明な合成樹脂製であり、この進入防止部材４３１を介して画像表示手段３９３に表示される表示画像を前側から視認可能である。
【０３９４】
取り付け枠３９１は、図７１〜図７５、図８１〜図８３等に示すように、遊技盤３１３と略平行に形成され且つその略中央に矩形状の開口部４５５が形成された後壁部４４６と、その後壁部４４６の外縁部から遊技盤３１３の背面まで前向きに延設された周壁部４４７と、その周壁部４４７の前縁側から遊技盤３１３に沿って外側に屈曲して固定ねじ等により遊技盤３１３に固定された固定部４４８とを一体に備えている。周壁部４４７の上下、左右の壁部は、その外側の囲繞壁３１７の上壁部３１８、側壁部３１９及び底壁部３２０に近接して配置されている。
【０３９５】
取り付け枠３９１の後壁部４４６の裏面側には、図７３、図７５、図８１に示すように、画像表示手段３９３が遊技盤３１３に沿って上下方向に挿脱可能に装着される表示手段装着部４５３と、この表示手段装着部４５３の左右両側に上下方向に配置され且つ画像表示手段３９３よりも後方に膨出する平面視断面コ字状の膨出部４５４と、この膨出部４５４の下側で表示手段装着部４５３の裏側に配置されたハーネス受け台３９９とが設けられている。
【０３９６】
左右の各膨出部４５４には、図７２、図７３、図７５、図８１等に示すように、左右方向の外側に開口部４５６が上下方向に複数形成され、その開口部４５６の後側が取手部４５７となっている。この取手部４５７は各膨出部４５４に上下方向に複数設けられ、その左右両側の何れかの取手部４５７に手指を掛けることにより、各構成部品を装着した状態でも遊技盤３１３を容易に運搬できるようになっている。特に取り付け枠３９１には、左右両側に上下方向に複数の取手部４５７があるため、遊技盤３１３に対する各構成部品の装着状況等を考慮して、重量バランス上からも最適な位置にある取手部４５７を利用することが可能である。
【０３９７】
表示手段装着部４５３には、図６５、図６７、図６８、図７３、図８１、図８２に示すように、開口部４５５の外周側に設けられ且つ画像表示手段３９３の前面側の外周部分を前側から受ける受け部４６０と、この受け部４６０の左右両側に設けられ且つ画像表示手段３９３の左右両側を挿脱方向に案内する膨出部４５４と、受け部４６０の下側に設けられ且つ画像表示手段３９３が挿入端側に当接する突出壁４６１とが設けられ、上側が画像表示手段３９３用の挿脱部４６２となっている。
【０３９８】
突出壁４６１の後方への突出高さは膨出部４５４の半分前後であって、受け部４６０の左右両端側から上向きに屈曲して膨出部４５４の下側に達している。上側の受け部４６０には、画像表示手段３９３の上端側が左右方向に複数の固定手段４６３により着脱自在に固定され、また、突出壁４６１には、画像表示手段３９３の下端側が左右方向に複数の固定手段４６４により着脱自在に固定されている。
【０３９９】
表示手段装着部４５３の挿脱部４６２は、図６５、図６７、図６８、図８１、図８２に示すように取り付け枠３９１の上端側に設けられており、遊技盤３１３を前枠３０２の遊技盤装着部３１１に装着した状態では、この挿脱部４６２の上側近傍に前枠３０２の囲繞壁３１７の上壁部３１８、球タンク３４７等の枠側部材が近接しており、その上壁部３１８、球タンク３４７等の枠側部材によって上側から覆われている。従って、遊技盤３１３を装着状態では、画像表示手段３９３を挿脱部４６２から抜き取ることはできない。
【０４００】
膨出部４５４は図７３に示すように前側が開放する平面視断面コ字状であって、表示手段装着部４５３の左右両側に上下方向に配置されており、この左右両側の膨出部４５４と左右両側の受け部４６０とにより、画像表示手段３９３を左右両側で案内する案内レール４６５が構成されている。
【０４０１】
膨出部４５４の内部空間は、取り付け枠３９１内の内部機構（遊技部品）の一部又は全部を収容する収容部としての機能を有する。そして、左右の膨出部４５４の内、球払い出し手段３５０側の膨出部４５４は、後取り付け台３６０に近接して前後に重なって配置され、また、球払い出し手段３５０と反対側の膨出部４５４には、画像表示手段３９３よりも裏側に突出する側部基板取り付け台４６７が設けられている。側部基板取り付け台４６７は縦長矩形状であって、左右方向の外側が膨出部４５４の裏側に、下端部側がハーネス受け台３９９の裏側に夫々ねじ等の固定具により着脱可能に固定されている。
【０４０２】
側部基板取り付け台４６７は左右一側部が上下複数の固定具４７３により取り付け枠３９１の膨出部４５４に、下端部が左右複数の固定具４７４によりハーネス受け台３９９に夫々固定されている。ハーネス受け台３９９はねじ等の固定具４７５により取り付け枠３９１に固定されている。なお、固定具４７３〜４７５にはねじ等が使用されている。
【０４０３】
この側部基板取り付け台４６７、ハーネス受け台３９９は、表示手段装着部４５３よりも裏側に突出する突出部材（固定部材）を構成するものであって、表示手段装着部４５３の左右一側部及び下部に対して裏側から重なっており、画像表示手段３９３を挿脱する際に、その画像表示手段３９３を裏側から押えて案内する裏側案内手段を構成している。この側部基板取り付け台４６７、ハーネス受け台３９９は、裏側案内手段の他に、画像表示手段３９３の後側への移動を制限する制限手段（裏側押え手段）を構成している。なお、側部基板取り付け台４６７、ハーネス受け台３９９は、画像表示手段３９３との間の僅かな隙間を介して近接しているが、画像表示手段３９３に対して摺動自在に接触してもよい。
【０４０４】
側部基板取り付け台４６７には、図７１〜図７３、図８２に示すように、ねじ等を使用せずにＬＥＤ接続基板３５３が着脱可能に装着されている。ＬＥＤ接続基板３５３には、前枠３０２の前面側を発光演出するためのＬＥＤ（図示省略）が接続されている。側部基板取り付け台４６７は、ＬＥＤ接続基板３５３を取り囲む周壁部４６９と、ＬＥＤ接続基板３５３が裏側から当接する基板当接部４７０と、ＬＥＤ接続基板３５３の左右一端縁に係合する基板係合部４７１と、ＬＥＤ接続基板３５３の左右他端縁に係合する基板係合爪４７２とを有し、これらによりＬＥＤ接続基板３５３を着脱自在に固定するようになっている。
【０４０５】
基板当接部４７０はＬＥＤ接続基板３５３の外周部に対応して周壁部４６９の内周に周方向に複数設けられている。基板係合部４７１は基板当接部４７０間の中間に対応して、周壁部４６９の左右一方側の内側に上下方向に複数設けられている。基板係合爪４７２はＬＥＤ接続基板３５３に対して係脱方向に弾性変形可能であり、周壁部４６９の左右他方側に上下方向に複数設けられている。
【０４０６】
ＬＥＤ接続基板３５３を側部基板取り付け台４６７に装着する際には、先ずＬＥＤ接続基板３５３の一端側を基板当接部４７０と基板係合部４７１との間に挿入する。次に基板当接部４７０、基板係合部４７１側を支点にＬＥＤ接続基板３５３を側部基板取り付け台４６７側に押圧すると、基板係合爪４７２が外側へと弾性変形してＬＥＤ接続基板３５３が周壁部４６９内に収まり、その外周部分が各基板当接部４７０に当接する。そして、ＬＥＤ接続基板３５３が基板係合爪４７２を通過すると、基板係合爪４７２が弾性力により復元してＬＥＤ接続基板３５３の他側縁に係合する。
【０４０７】
従って、このように構成すれば、ＬＥＤ接続基板３５３を側部基板取り付け台４６７に対して容易に着脱することが可能であり、側部基板取り付け台４６７を取り外して合成樹脂材料として容易に再利用できる利点がある。また、ＬＥＤ接続基板３５３を固定するためのねじが不要であり、ねじの使用量を極力削減できる。
【０４０８】
なお、側部基板取り付け台４６７に対するＬＥＤ接続基板３５３の取り付け構造は、他の取り付け台に対して被取り付け部材を取り付ける場合にも、同様に採用可能である。
【０４０９】
画像表示手段３９３は、矩形状の液晶式等の画像表示パネル４８１を収容ケース４８２に収容して構成されたものであって、図６５、図６７、図６８、図７３、図８５、図８６に示すように、挿脱部４６２側から表示手段装着部４５３に対して上下方向に挿脱自在に挿入され、収容ケース４８２の上下両端側が固定手段４６３，４６４により固定されている。収容ケース４８２は前後に偏平状であって、前側の開放側から画像表示パネル４８１が着脱自在に収容されている。画像表示パネル４８１は収容ケース４８２と、画像表示パネル４８１の前側外周に対応して配置された押え枠４８３とにより保持されている。押え枠４８３は、収容ケース４８２の周壁部４８４に固定されている。
【０４１０】
固定手段４６３，４６４は画像表示手段３９３の上下両側に左右方向に複数組み設けられている。上側の固定手段４６３は、図６７に示すように、収容ケース４８２から上側に突出する取り付け部４８５と、この取り付け部４８５に対応して表示手段装着部４５３の受け部４６０に設けられた取り付け孔４８６と、取り付け部４８５から取り付け孔４８６に挿通するねじ等の固定具４８７とを備えている。
【０４１１】
下側の固定手段４６４は、図６８に示すように、収容ケース４８２から下側に突出する取り付け部４８８と、この取り付け部４８８に対応して表示手段装着部４５３の突出壁４６１に設けられた取り付け孔４８９と、取り付け部４８８から取り付け孔４８９に挿通するねじ等の固定具４９０とを備えている。突出壁４６１には、取り付け部４８８との間で画像表示手段３９３の左右位置を位置決めする位置決め部４９１が設けられている。
【０４１２】
位置決め部４９１は取り付け部４８８が上下方向に挿脱するように突出壁４６１に切り欠き状に形成され、その位置決め部４９１内に取り付け孔４８９が設けられている。取り付け部４８８と位置決め部４９１とにより、画像表示手段３９３用の位置決め手段が構成されている。ハーネス受け台３９９には、固定手段４６４に対向して開口状又は切り欠き状の操作部４９２が設けられ、この操作部４９２から固定具４９０用の工具等を挿入して、その固定具４９０を廻す等の操作を行うようになっている。
【０４１３】
収容ケース４８２は図８５、図８６に示すように、周壁部４８４と、この周壁部４８４の後端側に一体に形成され且つ画像表示パネル４８１の裏面に当接する上後壁部４９３及び下後壁部４９４とを備えている。収容ケース４８２は上後壁部４９３側の前後方向の深さが大であって、前側又は前後両側にリブ、その他の補強部４９３ａが設けられており、下後壁部４９４よりも後方に若干突出している。そして、上後壁部４９３の後側には、演出制御基板３４５、電源モジュール基板３４６が装着されている。下後壁部４９４は画像表示パネル４８１の裏面に近接しており、この下後壁部４９４の裏側にハーネス受け台３９９が接近して設けられている。
【０４１４】
演出制御基板３４５は画像表示手段３９３に表示される各種の演出画像を制御する機能、又は演出画像を制御する機能と他の各種の可動演出手段３９４〜３９７を制御する機能を有するものであって、演出制御基板ケース４９５内に収容されている。演出制御基板ケース４９５は、図８５（ａ）に示すように、前ケース４９５ａと後ケース４９５ｂとを前後方向に開閉可能に結合して構成されている。後ケース４９５ｂには、演出制御基板３４５の裏面のコネクタ４９７に対応して開口部４９８が設けられ、その開口部４９８側でコネクタ４９７にハーネス（図示省略）を接続するようになっている。
【０４１５】
演出制御基板ケース４９５は画像表示手段３９３の収容ケース４８２に対して固定係合部４９９と当接部５００と締結具５０１と係合爪５０２とにより、収容ケース４８２の裏側に着脱可能に装着されている。固定係合部４９９と当接部５００は演出制御基板ケース４９５分の間隔をおいて収容ケース４８２から後方に突出しており、その固定係合部４９９には演出制御基板ケース４９５が係脱自在に係合し、また、当接部５００は固定係合部４９９との間で演出制御基板ケース４９５を左右方向に挟むようになっている。
【０４１６】
締結具５０１は当接部５００上に枢軸５０５で回動自在に支持され、枢軸５０５廻りに操作して、演出制御基板ケース４９５を収容ケース４８２に締め付けるようになっている。なお、締結具５０１は当接部５００上で締結位置と解除位置とに位置決め可能になっている。係合爪５０２は収容ケース４８２から裏側に突出して当接部５００の上側に配置され、演出制御基板ケース４９５に係脱自在に係合している。
【０４１７】
当接部５００、締結具５０１及び係合爪５０２は、図８９（ａ）に示すように、画像表示手段３９３の表示手段装着部４５３に対する挿脱時に側部基板取り付け台４６７と干渉しないように配置されている。一方、固定係合部４９９は収容ケース４８２の左右方向の端縁側にあり、左右を間違った状態で画像表示手段３９３を表示手段装着部４５３に挿入しようとした場合には、図８９（ｂ）に示すように、その固定係合部４９９が側部基板取り付け台４６７の上端と干渉して、その状態での画像表示手段３９３の表示手段装着部４５３への挿入を阻止するようになっている。
【０４１８】
従って、固定係合部（第１部材）４９９と側部基板取り付け台（第２部材）４６７とにより、画像表示手段３９３の表示手段装着部４５３に対する誤装着を防止する誤装着防止手段５１６が構成されている。
【０４１９】
なお、固定係合部（第１部材）４９９は、収容ケース４８２に演出制御基板ケース４９５を着脱自在に取り付けるための取り付け具を構成しているが、その取り付け具の取り付け対象は演出制御基板ケース４９５以外の他の部品でもよい。また、第１部材は、他の目的で突出状に設けられる突起物でもよく、取り付け具に限定されるものではない。
【０４２０】
電源モジュール基板３４６は、図８５（ｂ）に示すように、電源モジュール基板ケース５０６に収容され、演出制御基板３４５の上側で収容ケース４８２の上後壁部４９３の裏側に係合手段５０３，５０４等を介して着脱自在に装着されている。
【０４２１】
画像表示手段３９３を遊技盤３１３の裏側の取り付け枠３９１に装着する場合には、図８９（ａ) に示すように、挿脱部４６２側から表示手段装着部４５３に画像表示手段３９３を挿入して装着する。なお、図８９では図面作成の便宜上、遊技盤３１３、画像表示手段３９３を起立姿勢としているが、遊技盤３１３側の組み立て等に際して画像表示手段３９３を装着する場合には、例えば前面を下側に向けて遊技盤３１３を水平状に倒した状態で作業を行う。
【０４２２】
画像表示手段３９３の装着に際しては、画像表示手段３９３を挿脱部４６２側から表示手段装着部４５３の案内レール４６５に沿って図８９（ａ) の矢印方向に挿入する。そして、収容ケース４８２の挿入端側が突出壁４６１に当接するまで画像表示手段３９３を表示手段装着部４５３内に挿入して行く。
【０４２３】
収容ケース４８２の挿入端側の取り付け部４８５が突出壁４６１の位置決め部４９１内に進入すれば、この取り付け部４８５と位置決め部４９１との位置決め機能により、表示手段装着部４５３内の画像表示手段３９３を左右方向の適正位置に位置決めすることができる。次に上下両側の固定手段４６３，４６４により画像表示手段３９３を表示手段装着部４５３の受け部４６０に固定すればよい。
【０４２４】
このように表示手段装着部４５３の挿脱部４６２側が開放状態にあれば、その挿脱部４６２側から画像表示手段３９３を遊技盤３１３と略平行に着脱できるので、表示手段装着部４５３の周辺に画像表示手段３９３に重なるように、側部基板取り付け台４６７、ハーネス受け台３９９等の他の構成部品があるにも拘らず、それらを取り外すことなく画像表示手段３９３を容易に着脱できる利点がある。そのため画像表示手段３９３の裏側に重なるように他の部品を配置することができる。
【０４２５】
また、画像表示手段３９３を表示手段装着部４５３内に挿入する際に、画像表示手段３９３の左右一端側が側部基板取り付け台４６７の下側に進入し、その後、画像表示手段３９３の下部側がハーネス受け台３９９の下側に進入するため、その側部基板取り付け台４６７、ハーネス受け台３９９を一種の案内部材として活用することができる。従って、遊技盤３１３が起立した状態で画像表示手段３９３を挿脱する場合にも、画像表示手段３９３が後方に脱落する等の恐れがなく、画像表示手段３９３の挿脱作業を容易且つ安全に行うことができる。
【０４２６】
組み立て等に際して、画像表示手段３９３の左右を間違えた状態で図８９（ｂ) に示すように表示手段装着部４５３に対して矢印方向に挿入しようとすると、演出制御基板ケース４９５を固定するための固定係合部４９９が表示手段装着部４５３の裏側の側部基板取り付け台４６７と干渉して、画像表示手段３９３を表示手段装着部４５３内に挿入することはできない。そのため画像表示手段３９３の誤挿入、誤装着等を未然に防止することができる。
【０４２７】
また、固定係合部４９９と側部基板取り付け台４６７とにより誤装着防止手段５１６を構成しており、固定係合部４９９と側部基板取り付け台４６７とを誤装着防止手段５１６に兼用しているため、専用の誤装着防止手段５１６を設ける場合に比較して構造的に簡素化することができる。
【０４２８】
なお、固定係合部４９９と側部基板取り付け台４６７とを誤装着防止用に兼用する場合でも、固定係合部４９９及び側部基板取り付け台４６７以外の他の部材を利用してもよい。また、他の部材で兼用せずに、誤装着防止用に専用の手段、部材を設けることも可能である。
【０４２９】
演出制御基板３４５を装着する場合には、演出制御基板ケース４９５の一端側を固定係合部４９９に係合した後、その演出制御基板ケース４９５を収容ケース４８２の背面に当接させて固定係合部４９９と当接部５００との間で挟む。また、演出制御基板ケース４９５を収容ケース４８２の背面に当接させたときに、演出制御基板ケース４９５に係合爪５０２が係合する。そのため遊技盤３１３が起立した状態でも、演出制御基板ケース４９５が脱落することがない。そして、最後に締結具５０１を枢軸５０５廻りに演出制御基板ケース４９５側へと廻して、締結具５０１により演出制御基板ケース４９５を収容ケース４８２の背面に締め付けて固定する。
【０４３０】
突出壁４６１の後側には、画像表示手段３９３の収容ケース４８２の下後壁部４９４に近接するように、表示手段装着部４５３の下部側の後方に配置されたハーネス受け台３９９が設けられている。ハーネス受け台３９９は、図８２〜図８４に示すように、下側及び左右両側の三辺がねじ等の固定具４７５により突出壁４６１に固定されてている。
【０４３１】
このハーネス受け台３９９の裏面には、図７２に示すように、ハーネス４７６用の掛け部５０７が上下方向及び左右方向に複数設けられており、その適当箇所の掛け部５０７を使用してハーネス４６７を止めるようになっている。掛け部５０７はハーネス受け台３９９の裏面に沿って配線されたハーネス４７６を止めるものであって、ハーネス受け台３９９と略平行に上下方向又は左右方向に配置され、弾性変形可能に長手方向の一端側がハーネス受け台３９９に連結されている。なお、この掛け部５０７は爪状、フック状に構成されている。
【０４３２】
ハーネス４７６の配線に際しては、ハーネス受け台３９９の裏面に沿って左右方向、その他の所定方向へとハーネス４７６を配線する一方、そのハーネス４７６を必要に応じて一部又は全部の掛け部５０７に引っ掛ける。掛け部５０７は適度の弾性を有する爪状、フック状に構成されており、ハーネス４７６が外れ難くなっている。
【０４３３】
このように表示手段装着部４５３の下部後方側にハーネス受け台３９９を設けて、このハーネス受け台３９９の裏側にハーネス４７６を配置することにより、表示手段装着部４５３に画像表示手段３９３を挿脱する際にも、画像表示手段３９３とハーネス４７６との錯綜を防止することができる。また、ハーネス受け台３９９を画像表示手段３９３の裏面に近接して配置することにより、このハーネス受け台３９９を画像表示手段３９３の案内用として兼用することもできる。
【０４３４】
第２基板取り付け台３９２は、図７２に示すように、ハーネス受け台３９９を含む取り付け枠３９１の下側を覆うように遊技盤３１３の裏面に装着されている。この第２基板取り付け台３９２は、ハーネス受け台３９９の裏側に位置する後壁部５０８と、取り付け枠３９１の下部の左右両側で遊技盤３１３に固定された側壁部５０９と、球排出口５１０が形成され且つ取り付け枠３９１の下側で遊技盤３１３に固定された底壁部５１１とを有する。
【０４３５】
この第２基板取り付け台３９２は、その後壁部５０８により、ハーネス受け台３９９の裏側に配線されたハーネスの裏側に対応する開口部５１２が設けられ、その開口部５１２を裏側から塞ぐように、主制御基板３５４を収容する主制御基板ケース５１３が後壁部５０８の裏側に着脱可能に装着されている。
【０４３６】
主制御基板ケース５１３は、図８３に示すように、前ケース５１３ａと後ケース５１３ｂとを前後方向に開閉可能に結合して構成されている。この主制御基板ケース５１３は、演出制御基板ケース４９５の下側に近接して横長状に配置され、左右両側の係合手段５１４，５１５等により、第２基板取り付け台３９２に着脱可能に装着されている。
【０４３７】
枠側ジョイント部３６９、盤側ジョイント部３７０は、図６６、図６９、図７１、図７２に示すように正面視略Ｌ字状に構成されており、その枠側ジョイント部３６９は前枠３０２のヒンジ３０３，３０７から遠い側の下部に前向きに、盤側ジョイント部３７０は遊技盤３１３のヒンジ３０３，３０７から遠い側の下部に後向きに前後方向に相対向して配置されている。
【０４３８】
枠側ジョイント部３６９は、図６６、図６９に示すように、側壁部３１９の後端から内側へと屈曲するジョイント支持部５１９と、側壁補強部材３６８の後端から内側へと屈曲してジョイント支持部５１９を裏側から補強するジョイント補強部５２０と、ジョイント支持部５１９の前側に配置された枠側取り付け板５２１と、枠側取り付け板５２１に前向きに取り付けられた第１〜第３枠側コネクタ５２５〜５２７とを備えている。
【０４３９】
枠側取り付け板５２１には、上下方向に配置された第１枠側取り付け部５２２と、左右方向に配置された第２，第３枠側取り付け部５２３，５２４とを有し、その第１枠側取り付け部５２２に第１枠側コネクタ５２５が、第２，第３枠側取り付け部５２３，５２４に第２，第３枠側コネクタ５２６，５２７が夫々前向きに装着されている。第１〜第３枠側コネクタ５２５〜５２７は、両端側の取り付け具５２８を介してフローティング可能に支持されている。
【０４４０】
盤側ジョイント部３７０は、図６６、図７１、図７２に示すように、枠側ジョイント部３６９に対向して第２基板取り付け台３９２の後壁部５０８の下隅部分に配置されており、その後壁部５０８に形成された上下方向の第１盤側取り付け部５３０と左右方向の第２，第３盤側取り付け部５３１，５３２とを有し、その第１盤側取り付け部５３０に第１盤側コネクタ５３３が、第２，第３盤側取り付け部５３１，５３２に第２，第３盤側コネクタ５３４，５３５が夫々後向きに配置されている。
【０４４１】
第１〜第３枠側取り付け部５２２〜５２４、第１〜第３枠側コネクタ５２５〜５２７は、遊技盤３１３の回動中心Ｏに近い側が前側に位置し、第１〜第３盤側取り付け部５３０〜５３２、第１〜第３盤側コネクタ５３３〜５３５は、遊技盤３１３の回動中心Ｏに近い側が前側に位置するように、夫々左右方向の線分に対して斜め方向に傾斜して配置されている。そして、第１〜第３枠側コネクタ５２５〜５２７と第１〜第３盤側コネクタ５３３〜５３５は、係合部３１５側を回動中心Ｏとして遊技盤３１３を回動させたときに、回動中心Ｏに近い側から順次ピン挿脱部分が回動中心Ｏ廻りの接線方向に接続するように構成されている。
【０４４２】
第１〜第３盤側取り付け部５３０〜５３２は、略回動中心Ｏを通る線分上に配置されており、その第１〜第３盤側取り付け部５３０〜５３２に第１〜第３盤側中継基板５３６〜５３８を介して第１〜第３盤側コネクタ５３３〜５３５が装着されている。そのため第１〜第３盤側コネクタ５３３〜５３５のピン挿脱部分は第１〜第３盤側取り付け部５３０〜５３２と略平行であり、第１〜第３盤側取り付け部５３０〜５３２の前側に接近して配置されている。第１〜第３盤側中継基板５３６〜５３８には、遊技盤３１３側の各基板との間のハーネス４７６を接続するための第１〜第３中継コネクタ５３９〜５４１が設けられている。
【０４４３】
枠側ジョイント部３６９の第１〜第３枠側コネクタ５２５〜５２７は、盤側ジョイント部３７０の第１〜第３盤側コネクタ５３３〜５３５に対応して構成されている。第２，第３枠側コネクタ５２６，５２７と第２，第３盤側コネクタ５３４，５３５は、回動中心Ｏから遠い側の第２枠側コネクタ５２６及び第２盤側コネクタ５３４が近い側の第３枠側コネクタ５２７及び第３盤側コネクタ５３５よりも上側に配置されている。第１〜第３枠側コネクタ５２５〜５２７と第１〜第３盤側コネクタ５３３〜５３５は、略同時にピン挿脱部分が挿脱するように配置してもよいし、回動中心Ｏに遠い側からピン挿脱部分が順次挿脱するように配置してもよい。
【０４４４】
このような構成の枠側ジョイント部３６９と盤側ジョイント部３７０とを設けておけば、遊技盤３１３を遊技盤装着部３１１に装着する際に、遊技盤３１３を回動中心Ｏ廻りに回動させることにより、枠側ジョイント部３６９の枠側コネクタ５２５〜５２７と、盤側ジョイント部３７０の盤側コネクタ５３３〜５３５とが接線方向に接続するため、盤側コネクタ５３３〜５３５を枠側コネクタ５２５〜５２７に対して無理なく接続することができる。
【０４４５】
即ち、遊技盤３１３の一端側を遊技盤装着部３１１の当接部と３１４と係合部３１５との間に挿入し、遊技盤３１３の他端側を前側から矢印方向に押圧して、遊技盤３１３を回動中心Ｏ廻りに回動させることにより、枠側ジョイント部３６９の枠側コネクタ５２５〜５２７と、盤側ジョイント部３７０の盤側コネクタ５３３〜５３５とが接線方向に接続するため、盤側コネクタ５３３〜５３５を枠側コネクタ５２５〜５２７に対して無理なく接続することができる。
【０４４６】
遊技盤装着部３１１に遊技盤３１３を装着する際には、図６５に二点鎖線で示すように、遊技盤装着部３１１の前側から遊技盤３１３の一端側を遊技盤装着部３１１の当接部３１４と係合部３１５との間に挿入し、次に遊技盤３１３の他端側を本体枠３０５内へと押圧する。すると遊技盤３１３が回動中心Ｏ廻りに図６５の３１３Ａ矢示方向に回動するので、遊技盤３１３を遊技盤装着部３１１内に押し込むことができる。
【０４４７】
そして、遊技盤３１３が３１３Ａ矢示方向に回動するときに、盤側ジョイント部３７０の各盤側コネクタ５３３〜５３５と枠側ジョイント部３６９の枠側コネクタ５２５〜５２７とが図８７（ａ）に示す状態を経て図８７（ｂ）に示すように接近して、対応する盤側コネクタ５３３〜５３５と枠側コネクタ５２５〜５２７とが回動中心Ｏに近い側から順次接線方向に接続する。従って、盤側コネクタ５３３〜５３５と枠側コネクタ５２５〜５２７とを無理なく接続することができる。
【０４４８】
また、複数の枠側ジョイント部３６９及び盤側ジョイント部３７０とをＬ字状に配置することにより、例えば盤側ジョイント部３７０側であれば、第２基板取り付け台３９２の隅部分の二辺を有効に活用して盤側ジョイント部３７０を配置することが可能である。従って、枠側コネクタ５２５〜５２７及び盤側コネクタ５３３〜５３５の数が複数あるにも拘わらず、二辺の少ないスペースを有効に活用して枠側ジョイント部３６９及び盤側ジョイント部３７０を効率的に配置することができる。
【０４４９】
取り付け枠３９１内には、図７０、図７３〜図７５に示すように、画像表示手段３９３の前側の上下に第１，第２可動演出手段３９４，３９５が配置され、画像表示手段３９３の前側の左右に第３，第４可動演出手段３９６，３９７が配置されている。
【０４５０】
第１可動演出手段３９４は、図７０、図７３〜図７５に示すように、第１可動演出体５４６と、この第１可動演出体５４６を上下方向に駆動する第１駆動手段５４７とを備え、第１駆動手段５４７の駆動により、略水平な状態を保ったままで、画像表示手段３９３の上部前側の上部位置と下部前側の下部位置との間で上下方向に移動可能である。なお、第１駆動手段５４７は第１可動演出体５４６を支持する支持機構を兼用している。
【０４５１】
第１可動演出体５４６は、画像表示手段３９３の前側上部に横長状に配置された支持体５４８と、この支持体５４８の前面側に装着された装飾体５４９とを備え、支持体５４８の左右両端側が画像表示手段３９３の左右両側に配置された一対の第１駆動手段５４７により、第１駆動連結体５５０を介して上下方向に移動可能に支持されている。
【０４５２】
第１駆動手段５４７は、縦長状の支持部材５５１を介して取り付け枠３９１に支持されている。この第１駆動手段５４７は、画像表示手段３９３の外側縁に沿ってその上下両端側にかけて上下方向に配置され且つ第１駆動連結体５５０を上下方向に案内する細長円柱状の昇降案内体５５２と、この昇降案内体５５２の下端近傍に配置された駆動プーリ５５３と、昇降案内体５５２の上端側近傍に配置された従動プーリ５５４と、駆動プーリ５５３を回転駆動するステッピングモータ等の駆動源５５５と、駆動プーリ５５３と従動プーリ５５４とに巻き掛けられ且つその周方向の所定箇所に第１駆動連結体５５０が固定された無端状のタイミングベルト５５６とを備えている。
【０４５３】
第１駆動連結体５５０には、第１可動演出体５４６の端部が前後方向の枢軸５５７により回転可能に連結されている。第１可動演出体５４６の一端側には、枢軸５５７が左右方向に摺動自在に挿通される長孔５５８が形成されている。従って、第１可動演出体５４６は枢軸５５７が長孔５５８内を摺動する範囲内で斜めに傾斜することも可能である。
【０４５４】
装飾体５４９には飛行機をモチーフにした立体装飾が採用されており、胴体部５５９と、この胴体部５５９から左右両側に伸びる翼部５６０とを有する。装飾体５４９は胴体部５５９の先端側が中央表示枠３８８の表示窓４１８内に突出して配置されている。翼部５６０はその先端側が中央表示枠３８８の左右の装飾部材４２４の前に配置されている。
【０４５５】
装飾体５４９の一部である翼部５６０は、中央表示枠３８８の装飾部材４２４の前側に配置される前側部を構成し、胴体部５５９等を除く他の部分が装飾部材４２４の後側に配置される後側部を構成している。従って、このように装飾体５４９を中央表示枠３８８の装飾部材４２４の前後両側に重ねて配置することにより、第１可動演出手段３９４の配置領域を十分に確保することができる。
【０４５６】
また、中央表示枠３８８の左右の装飾部材４２４間の間隔は上下で異なっており、装飾体５４９はその間隔の広がった位置で左右の装飾部材４２４に対して前後方向に通過可能になっている。例えば、この実施形態では、下部側で左右の装飾部材４２４間の間隔が大きくなっているため、第１可動演出手段３９４を取り付け枠３９１に組み付ける際には、装飾部材４２４の下部側まで第１可動演出体５４６を移動させて、装飾体５４９の翼部５６０を装飾部材４２４の前に位置させることになる。
【０４５７】
取り付け枠３９１の左右両側壁の内側には、第１可動演出手段３９４の第１可動演出体５４６、取り分けその装飾体５４９を照明するようにＬＥＤ基板５４２が設けられている。ＬＥＤ基板５４２は第１可動演出体５４６の移動範囲に対応して上下方向に複数のＬＥＤ５４３を備え、所定の可動演出時にＬＥＤ５４３を発光させて装飾体５４９を照明するようになっている。
【０４５８】
なお、装飾体５４９は飛行機以外のモチーフでもよく、左右方向に移動する場合には、装飾体５４９が装飾部材４２４から内側に外れる位置まで移動させた状態で組み付けるようにすればよい。また、装飾体５４９は装飾部材４２４の前側と装飾部材４２４の前側から外れる位置との間で移動可能であればよく、上下方向、左右方向等に直線的に運動する他、回転又は揺動運動するようにしてもよい。また、弾性変形により装飾部材４２４の前側から外れるようにしてもよい。更に第１可動演出手段３９４は、その少なくとも一部を中央表示枠３８８の装飾部材４２４の前側に配置し、その他の主要部を中央表示枠３８８の装飾部材４２４の裏側に配置してもよい。
【０４５９】
第２可動演出手段３９５は、図７０、図７３〜図７５に示すように、第２可動演出体５６２と、取り付け枠３９１に固定された支持部材５６３により支持され且つ第２可動演出体５６２を上下方向に駆動する第２駆動手段５６４とを備え、第２可動演出体５６２が第２駆動手段５６４の駆動により、略水平な状態を保ったままで、画像表示手段３９３の下部前側の下部位置と上下中間部前側の上部位置との間で移動可能である。なお、第２駆動手段５６４は第２可動演出体５６２を支持する支持機構を兼用している。
【０４６０】
第２駆動手段５６４は、第１駆動手段５４７の後側で取り付け枠３９１の後壁部４４６の前側に配置されており、画像表示手段３９３の側縁に沿ってその下部側に上下方向に配置され且つ第２駆動連結体５６５を上下方向に案内する細長円柱状の昇降案内体５６６と、この昇降案内体５６６の上端側近傍に配置された駆動プーリ５６７と、昇降案内体５６６の下端側近傍に配置された従動プーリ５６８と、駆動プーリ５６７を回転駆動するステッピングモータ等の駆動源５６９と、駆動プーリ５６７と従動プーリ５６８とに巻き掛けられ且つその周方向の所定箇所に第２駆動連結体５６５が固定された無端状のタイミングベルト５７０とを備えている。
【０４６１】
駆動源５６９は支持部材５６３の裏側に固定されており、その後端側が取り付け枠３９１の膨出部４５４内に配置されている。勿論、この場合には第２駆動手段５６４の一部である駆動源５６９が膨出部４５４内に配置されているが、第２可動演出手段３９５の少なくとも一部、例えば第２可動演出手段３９５の支持機構及び／又は第２駆動手段５６４の少なくとも一部を膨出部４５４内に組み込んでもよい。
【０４６２】
このように取り付け枠３９１の内側に配置される内部機構である遊技部品を膨出部４５４内に組み込むことにより、画像表示手段３９３の前側に第１可動演出手段３９４と第２可動演出手段３９５とを配置する場合でも、遊技盤３１３と画像表示手段３９３との間に大きな間隔を確保する必要がなく、画像表示手段３９３を遊技盤３１３側に接近させて配置することができる。
【０４６３】
第２駆動連結体５６５には、第２可動演出体５６２の端部が前後方向の枢軸５７１により回転可能に連結されている。なお、第１可動演出体５４６の一端側には、枢軸５７１が左右方向に摺動自在に挿通される長孔５７２が形成されている。従って、第２可動演出体５６２は枢軸５７１が長孔５７２内を摺動する範囲内で斜めに傾斜することも可能である。
【０４６４】
第１可動演出体５４６と第２可動演出体５６２は上下に配置されているが、第１可動演出体５４６の移動経路と、第２可動演出体５６２の移動経路は前後方向にずれて配置されている。従って、第１可動演出体５４６と第２可動演出体５６２は、互いに相手側と干渉することなく任意に上下方向に移動可能である。
【０４６５】
第３，第４可動演出手段３９６，３９７は、図７０、図７３〜図７５に示すように、画像表示手段３９３の左右両側に対応して左右対称に配置されており、縦長状の可動演出体５７４と、この可動演出体５７４を左右方向に駆動する駆動手段５７５とを備え、駆動手段５７５により、画像表示手段３９３に対して左右方向の外側の外部位置と、左右方向の内側の内部位置との間で移動可能である。なお、駆動手段５７５は可動演出体５７４を支持する支持機構を兼用している。
【０４６６】
可動演出体５７４は前面側に任意の装飾（図示省略）が施されており、画像表示手段３９３の左右の縁部に沿ってその前側に縦長状に配置されている。駆動手段５７５は、取り付け枠３９１の周壁部４４７の内側に固定された支持部５７６と、この支持部５７６に対して左右方向に摺動可能に設けられ且つ前側に可動演出体５７４が固定された摺動部５７７とを含む電磁摺動手段により構成されている。可動演出体５７４は、駆動手段５７５により、画像表示手段３９３に対して左右方向の外側の外部位置と、左右方向の内側の内部位置との間で移動可能である。
【０４６７】
なお、第３可動演出手段３９６と第４可動演出手段３９７との可動演出体５７４は左右両側に離間しており、内部位置へと移動したときにも互いに干渉することはない。また、第３，第４可動演出手段３９６，３９７の各可動演出体５７４の移動経路は、第１可動演出体５４６の移動経路と第２可動演出体５６２の移動経路との間にあり、移動時に第３，第４可動演出手段３９６，３９７の各可動演出体５７４が互いに干渉することもない。
【０４６８】
第１〜第４可動演出手段３９４〜３９７は、第１の実施形態と同様の可動演出に使用する他、第１〜第４可動演出手段３９４〜３９７の全て又は一部を適宜移動させて、画像表示手段３９３の表示画面５７８の画像表示領域５７９を狭く制限したり、広く拡大したりすることも可能である。
【０４６９】
例えば通常時に、図８８（ａ）に示すように第１〜第４可動演出手段３９４〜３９７により表示画面５７８を制限して狭い画像表示領域５７９で遊技を行い、リーチその他の遊技者に有利な特定の遊技状態、又はその前兆の遊技状態の場合には、図８８（ｂ）に示すように第１〜第４可動演出手段３９４〜３９７を表示画面５７８の外側へと後退させて表示画面５７８の全域まで広げて、広い画像表示領域５７９で遊技を行うことも可能である。
【０４７０】
画像表示領域５７９を制限する方法としては、上下の第１，第２可動演出手段３９４，３９５の一方又は両方を画像表示手段３９３の表示画面５７８の中央側に移動させて画像表示領域５７９の上下幅を制限する第１の方法と、左右の第３，第４可動演出手段３９６，３９７の一方又は両方を画像表示手段３９３の表示画面５７８の中央側に移動させて画像表示領域５７９の左右幅を制限する第２の方法とがある。また、第１の方法と第２の方法とを組み合わせて、画像表示領域５７９の上下幅と左右幅とを制限する方法もある。第１〜第４可動演出手段３９４〜３９７の全て又は一部を利用して表示領域の上下幅及び／又は左右幅の拡大、縮小は、間欠的に複数回繰り返してもよい。
【０４７１】
図９０〜図１０７は本願発明の第４の実施形態を示し、この実施形態では、遊技盤３１３の裏側の表示手段装着部４５３に対して画像表示手段３９３を横方向に挿脱可能にした横挿脱式を例示する。
【０４７２】
遊技盤３１３は図９０〜図９２に示すように裏側に取り付け枠３９１を備えている。この取り付け枠３９１の裏側には、遊技盤３１３の前面側の中央表示枠３８８に対応する液晶式等の画像表示手段３９３と、前枠３０２の前面側の発光演出用のＬＥＤ（図示省略）が接続されたＬＥＤ接続基板３５３と、裏面側に配置されたハーネスを受けるハーネス受け台３９９と、各ハーネスを中継する中継基板３５２とが装着されている。
【０４７３】
画像表示手段３９３の裏側には、演出制御基板３４５を収容する演出制御基板ケース４９５と、電源モジュール基板３４６を収容する電源モジュール基板ケース５０６とが装着されており、その演出制御基板ケース４９５の下側にハーネス受け台３９９が設けられている。
【０４７４】
取り付け枠３９１は、図９３〜図９８等に示すように、遊技盤３１３と略平行に形成され且つその略中央に矩形状の開口部４５５が形成された後壁部４４６と、その後壁部４４６の外縁部から遊技盤３１３の背面まで前向きに延設された周壁部４４７とを備え、その周壁部４４７の前端部がねじ、釘等の固定具５８６により遊技盤３１３の裏側に固定されている。
【０４７５】
取り付け枠３９１の後壁部４４６の裏面側には、図９３に示すように、画像表示手段３９３を遊技盤３１３に沿って左右方向に挿脱可能な表示手段装着部４５３と、この表示手段装着部４５３の左右一端側に画像表示手段３９３よりも後方に突出して上下方向に配置され且つＬＥＤ接続基板３５３が着脱自在に装着された側部基板取り付け台４６７とが設けられている。
【０４７６】
画像表示手段３９３は、図９９に示すように、矩形状の液晶式等の画像表示パネル４８１を収容ケース４８２に収容して構成されている。そして、この画像表示手段３９３は、表示手段装着部４５３の側部基板取り付け台４６７と左右方向の反対側に開放状に設けられた挿脱部４６２から、表示手段装着部４５３に左右方向（横方向）に挿脱可能であり、左右両端の固定手段５８４，５８５により所定の装着位置に固定されている。
【０４７７】
収容ケース４８２は前後方向に偏平状であって、図９４〜図９９に示すように、前側の開放側から画像表示パネル４８１が着脱自在に収容され、周壁部４８４に左右両側から挿通されて画像表示パネル４８１の側面に当接するねじ等の固定具５８６により、画像表示パネル４８１が着脱自在に保持されている。収容ケース４８２は上後壁部４９３と下後壁部４９４とを有し、その上後壁部４９３には、収容ケース４８２の強度を確保するために縦方向、横方向等の所定方向に補強リブ５８７、断面Ｕ字状の補強突条部５８８が設けられている。
【０４７８】
この収容ケース４８２の上，下後壁部４９３，４９４側の補強リブ５８７、補強突条部５８８等の前端面と、画像表示パネル４８１の裏面との間には、図９９に示すように前後方向に僅かの隙間ｓが設けられている。そのため画像表示手段３９３を単体で取り扱う際に、仮に収容ケース４８２の上，下後壁部４９３，４９４の何れか一方又は両方を画像表示パネル４８１側に押圧するようなことがあっても、補強リブ５８７、補強突条部５８８等と画像表示パネル４８１との間の隙間ｓの範囲内で収容ケース４８２の上，下後壁部４９３，４９４が画像表示パネル４８１側に多少変形するだけであり、収容ケース４８２の上，下後壁部４９３，４９４の変形によって画像表示パネル４８１が直ちに変形又は破損するようなことはない。
【０４７９】
固定手段５８４，５８５は、図９０〜図９２に示すように、画像表示手段３９３の左右両側に上下方向に複数組み設けられている。そして、各固定手段５８４，５８５は、図９８に示すように、収容ケース４８２から左右方向に突出する取り付け部５８９，５９０と、この取り付け部５８９，５９０に対応して表示手段装着部４５３に設けられた取り付け孔５９１，５９２と、取り付け部５８９，５９０から取り付け孔５９１，５９２に挿通するねじ等の固定具５９３，５９４とを備えている。
【０４８０】
画像表示手段３９３の先端側の固定手段５８４の取り付け孔５９１は、後壁部４４６から後方に突出する突出壁５９５の切り欠き部５９６内に設けられている。また、切り欠き部５９６は取り付け部５８９に対応して形成されており、この切り欠き部５９６に取り付け部５８９が横方向に挿脱自在である。従って、切り欠き部５９６は位置決め部としての機能を有し、収容ケース４８２側の取り付け部５８９との間で収容ケース４８２を位置決めする位置決め手段を構成している。
【０４８１】
取り付け部５８９の先端側に傾斜状の案内部５９８が設けられ、また、突出壁５９５には切り欠き部５９６に対応して案内部５９９が設けられており、これら案内部５９８，５９９により、取り付け部５８９を突出壁５９５の切り欠き部５９６へと案内するようになっている。案内部５９８，５９９は傾斜部により構成されているが、円弧面等でもよい。
【０４８２】
収容ケース４８２の上後壁部４９３の裏側には、第３の実施形態と同様に、演出制御基板３４５を収容する演出制御基板ケース４９５と、電源モジュール基板３４６を収容する電源モジュール基板ケース５０６とが着脱自在に配置されている。演出制御基板ケース４９５は左右方向に横長状であって、その上側に電源モジュール基板ケース５０６が配置されている。
【０４８３】
演出制御基板ケース４９５は、図９０に示すように、画像表示手段３９３の収容ケース４８２に対して固定係合部４９９と当接部５００と締結具５０１と係合爪５０２とにより、上後壁部４９３の裏側に着脱可能に装着されている。固定係合部４９９と当接部５００は演出制御基板ケース４９５分の間隔をおいて収容ケース４８２から後方に突出しており、その固定係合部４９９には演出制御基板ケース４９５の係合突部５０３が係脱自在に係合し、また、当接部５００は固定係合部４９９との間で演出制御基板ケース４９５を左右方向に挟むようになっている。
【０４８４】
締結具５０１は枢軸５０５により当接部５００上に回動自在に支持され、枢軸５０５廻りに操作して、演出制御基板ケース４９５を上後壁部４９３に締め付けるようになっている。係合爪５０２は収容ケース４８２から裏側に突出して当接部５００の上側に配置され、演出制御基板ケース４９５に係脱自在に係合している。
【０４８５】
収容ケース４８２の下後壁部４９４の裏面側には、図９１〜図９２、図１００〜図１０３に示すように、演出制御基板ケース４９５の下側にハーネス受け台３９９が設けられている。このハーネス受け台３９９は、収容ケース４８２の下後壁部４９４自体により構成されており、演出制御基板３４５と可動演出手段（図示省略）とを接続するフラットハーネス等の各種のハーネス６００が所定方向に配置され、止め具６０１で止めるようになっている。
【０４８６】
ハーネス受け台３９９を構成する収容ケース４８２の下後壁部４９４の裏面側には、複数箇所に取り付け部６０２が凹入状に設けられ、その各取り付け部６０２に縦横に多数の取り付け孔６０３が設けられている。
【０４８７】
取り付け部６０２は、上下方向に長い縦部分６０２ａと、左右方向に長い横部分６０２ｂとを有し、その取り付け部６０２の縦，横部分６０２ａ，６０２ｂに止め具６０１用の二個一組（複数一組）の取り付け孔６０３が多数組み設けられ、その何れかの取り付け孔６０３を利用して止め具６０１を取り付けることにより、止め具６０１の装着位置を上下方向、左右方向に任意に変更可能である。
【０４８８】
止め具（止め部）６０１は、図１０３に示すように、基部６０４と、この基部６０４の一端に一体に形成された押え部６０５と、押え部６０５の他端側を基部６０４の他端側に係脱自在に係止する係止手段６０６とを有し、その基部６０４と押え部６０５との間でハーネス６００を挟み込んで、押え部６０５の他端を基部６０４の他端に対して係止手段６０６により係止するようになっている。係止手段６０６は基部６０４側の係止部６０７と、押え部６０５側の被係止部６０８とを有し、その係止部６０７と被係止部６０８とが係脱するようになっている。
【０４８９】
基部６０４は取り付け部６０２の凹入深さと略同程度の厚さであり、取り付け孔６０３に挿入可能な二個（複数）の取り付け突部６０９を備え、その取り付け突部６０９を取り付け孔６０３に挿入して止め具６０１を着脱自在に取り付けるようになっている。止め具（止め部）６０１はハーネス受け台３９９と一体に設けてもよい。
【０４９０】
ハーネス６００の一端は演出制御基板３４５に接続されている。また、ハーネス６００の他端は、図１０１、図１０２に示すように、収容ケース４８２の側面から取り付け枠３９１の側面を経て取り付け枠３９１の内部へと導かれており、取り付け枠３９１の内部で可動演出手段３９４〜３９７側に接続されている。ハーネス６００の途中は、押え部材６３８により取り付け枠３９１の周壁部４４７の側面に沿って押えられている。押え部材６３８はねじ等の固定具６３７により取り付け枠３９１に固定されている。
【０４９１】
このように収容ケース４８２の取り付け部６０２に多数組みの取り付け孔６０３を設けておけば、ハーネス６００の配線位置、配線方向等に応じて必要箇所に止め具６０１を配置することが可能であり、ハーネス６００の配線の変更、その他に任意に対応することができる。また、収容ケース４８２の取り付け部５７２が凹入状であり、その取り付け部５７２に止め具６０１を配置することにより、止め具６０１の基部６０４の後方への突出量を少なくすることができる。その結果、収容ケース４８２の下後壁部４９４に沿ってハーネス６００を配置することができる。
【０４９２】
表示手段装着部４５３は、図９３〜図９８、図１０６に示すように、開口部４５５の外周側に設けられ且つ画像表示手段３９３を前側から受ける受け部４６０と、この受け部４６０の上下両側に設けられ且つ画像表示手段３９３の上下両側を横挿脱方向に案内する案内突条６１０とを備え、その左右一端側に配置された側部基板取り付け台４６７とは反対の他端側が挿脱部４６２となっている。なお、上側の案内突条６１０はリブ状に形成され、下側の案内突条６１０は断面Ｕ字状に形成されているが、この案内突条６１０は上下共に略同じ構造にしてもよい。
【０４９３】
受け部４６０と案内突条６１０とにより、開口部４５５の上下両側で画像表示手段３９３を左右方向に案内する上下一対の案内レール６１１が構成されている。案内レール６１１は受け部４６０により構成され且つ収容ケース４８２の先端摺動部６１２を含む摺動部を案内する前側レール部６１３と、この前側レール部６１３の外側から裏側に突出し且つ収容ケース４８２の上下両側を外側から案内する外側レール部６１４とを有する。先端摺動部６１２は収容ケース４８２の挿入端側の上下両端部に設けられており、収容ケース４８２の周壁部４８４から先端側へと突出している。
【０４９４】
挿脱部４６２は、図１０６、図１０７に示すように、表示手段装着部４５３の他端裏側に配置されている。この挿脱部４６２は表示手段装着部４５３の他端側において、画像表示手段３９３を案内レール６１１に対して後側から斜め方向に傾斜させて、その状態で先端摺動部６１２を案内レール６１１の前側レール部６１３に当接させることが可能であればよい。従って、挿脱部４６２は表示手段装着部４５３の他端側の所定範囲に設けられている。
【０４９５】
案内レール６１１の前側レール部６１３には、その一部を切り欠いて欠落した挿入部６１５がＬＥＤ接続基板３５３用の側部基板取り付け台４６７の前側に対応して設けられ、画像表示手段３９３を挿脱部４６２側から案内レール６１１に対して斜め方向に傾斜させたときに、画像表示手段３９３の先端摺動部６１２側が挿入部６１５内に入って前側レール部６１３に対して交差状になるように構成されている。
【０４９６】
上側の案内レール６１１には、図９６、図１０４に示すように、画像表示手段３９３の先端摺動部６１２側が挿入部６１５に入ったときに、その先端摺動部６１２が当接する規制部６１６と、先端摺動部６１２が規制部６１６に当接して規制された状態で画像表示手段３９３の後端側を前側レール部６１３へと回動させるときに支点となる支点部６１７とが設けられている。
【０４９７】
先端摺動部６１２と規制部６１６は、画像表示手段３９３を支点部６１７廻りに後端側が前側レール部６１３に接近するように回動させたとき、先端摺動部６１２が上がるように相対的に案内する案内部６１８と案内部６１９とを有する。
【０４９８】
側部基板取り付け台４６７の挿脱部４６２側の端縁は、傾斜姿勢の画像表示手段３９３を案内レール６１１に沿って装着位置側へと移動させたときに、その画像表示手段３９３の挿入端側又は挿入端側の近傍が当接する当接部６２０となっている。
【０４９９】
下側の案内レール６１１には支点部６１７があるが、規制部６１６は設けられていない。しかし、下側の案内レール６１１も上側の案内レール６１１と同様に構成してもよい。従って、規制部６１６は上下の案内レール６１１の内、少なくとも一方にあればよい。
【０５００】
なお、収容ケース４８２の取り付け部５７２は、先端摺動部６１２よりも突出しているが、先端摺動部６１２が前側レール部６１３に対応するのに対して、取り付け部５７２は開口部４５５に対応しているため、先端摺動部６１２が規制部６１６に当接したときにも、取り付け部５７２が他の部材等と干渉するようなことはない。
【０５０１】
表示手段装着部４５３には、図９０、図９２、図９６、図１０５に示すように、画像表示手段３９３の後端側に対応して上下両側に押し込み手段（移動助勢手段）６２３が設けられている。この押し込み手段６２３は、画像表示手段３９３が前側レール部６１３に沿うように、図１０４の支点部６１７廻りに画像表示手段３９３の後端側を前側レール部６１３へと６１７Ａ矢示方向に回動させたときに、画像表示手段３９３の後端を前側レール部６１３に沿って所定の装着位置へと６１３Ａ矢示方向に押し込む（画像表示手段３９３の６１３Ａ矢示方向への移動を助勢する）ためのものであって、画像表示手段３９３の収容ケース４８２の後端部に設けられた被押圧部６２４と、取り付け枠３９１の後壁部４４６に傾斜状に形成され且つ被押圧部６２４が当接したときに収容ケース４８２を装着位置へと押圧して案内する押圧案内部６２５とを有する。
【０５０２】
押し込み手段６２３は前側レール部６１３に対応して表示手段装着部４５３の上下両側に設けられており、収容ケース４８２の上下両端側を押圧するようになっている。取り付け枠３９１の後壁部４４６は、押圧案内部６２５に対応して断面Ｕ字状に屈曲する補強部６２６が設けられている。この補強部６２６は開口部４５５の開口縁に沿って上下方向の全長に設けてもよい。
【０５０３】
なお、被押圧部６２４は収容ケース４８２側に角形状に設けられ、押圧案内部６２５は取り付け枠３９１の後壁部４４６側に傾斜状に固定されているが、逆に構成してもよいし、被押圧部６２４及び押圧案内部６２５を共に傾斜状又は湾曲状に構成することも可能である。
【０５０４】
また、押し込み手段６２３は、表示手段装着部４５３の装着位置への画像表示手段３９３の移動方向と反対側の端部、即ち開口部４５５に対して側部基板取り付け台４６７と反対側の端部にあればよく、上下両側の他に上下方向の中間部又は中央部に設ける等、上下方向に１又は複数配置すればよい。また、押圧案内部６２５は縦軸廻りに回転する回転体等により構成することも可能である。
【０５０５】
前側レール部６１３には、図９６、図９７に示すように、挿入部６１５よりも押し込み手段６２３側に乗り上げ部６２７が設けられている。画像表示手段３９３の収容ケース４８２には、画像表示手段３９３が所定の装着位置のときに乗り上げ部６２７が入る収容凹部６２８とが設けられている。
【０５０６】
乗り上げ部６２７は、画像表示手段３９３が前側レール部６１３に沿うように、この画像表示手段３９３を支点部６１７廻りに図１０４の６１７Ａ矢示方向に回動させたときに収容ケース４８２の前面が当接して、その乗り上げ部６２７廻りに収容ケース４８２の先端摺動部６１２側を図１０４の６２７Ａ矢示方向に持ち上げて規制部６１６から上側に外すようになっている。
【０５０７】
収容凹部６２８は収容ケース４８２の上下両端側の前面に凹入状に形成され、画像表示手段３９３が所定の装着位置に位置するときに乗り上げ部６２７が入るようになっている。なお、乗り上げ部６２７は、収容ケース４８２の先端摺動部６１２が摺動し易くなるように、押圧案内部６２５側が傾斜状に形成されている。下側の案内レール６１１には、前側レール部６１３に切り欠き部６３９が設けられているが、切り欠き部６３９はなくてもよい。
【０５０８】
画像表示手段３９３を表示手段装着部４５３に装着する際には、例えば遊技盤３１３の前面が下側となり取り付け枠３９１が上側となるように遊技盤３１３を倒して、その状態で図１０７（ａ）〜（ｃ）に示すような手順により行う。
【０５０９】
先ず挿脱部４６２側において、画像表示手段３９３を一対の案内レール６１１の前側レール部６１３に対して図１０７（ａ）に示すように斜め方向に傾斜させた傾斜状態に配置し、その先端側の先端摺動部６１２を案内レール６１１に当接させる。次に先端摺動部６１２を前側レール部６１３に沿って６１３Ａ矢示方向に摺動させて、図１０７（ｂ）に示すように、側部基板取り付け台４６７の下側の装着位置へと移動させる。
【０５１０】
このとき画像表示手段３９３が側部基板取り付け台４６７の当接部６２０に当接すれば、必要に応じて画像表示手段３９３を案内レール６１１に沿うように先端摺動部６１２廻りに倒しながら、画像表示手段３９３の先端側を側部基板取り付け台４６７の下側へと挿入する。
【０５１１】
画像表示手段３９３が傾斜状態で装着位置へと移動する途中に、その先端摺動部６１２が側部基板取り付け台４６７の下側に進入して挿入部６１５に対応すると、図１０７（ｃ）に示すように、先端摺動部６１２を含む画像表示手段３９３の先端側が挿入部６１５内に進入し、その先端摺動部６１２の先端が規制部６１６に当接する。
【０５１２】
従って、表示手段装着部４５３の裏側に、取り付け状態の画像表示手段３９３の裏側に近接するように側部基板取り付け台４６７があるにも拘わらず、画像表示手段３９３の先端側を側部基板取り付け台４６７の下側に大きく挿入することができる。
【０５１３】
なお、画像表示手段３９３が大きな傾斜角度の場合には、側部基板取り付け台４６７に接近した時点で、画像表示手段３９３がその当接部６２０に当接する。そのため画像表示手段３９３が当接部６２０に当接すれば、画像表示手段３９３の反挿入端側が案内レール６１１に接近するように画像表示手段３９３を倒して行く。これによって、画像表示手段３９３を所定の角度で挿入部６１５内に挿入することができる。
【０５１４】
次に画像表示手段３９３の反挿入端側を案内レール６１１側に押圧すると、画像表示手段３９３を支点部６１７廻りに６１７Ａ矢示方向に回動させて案内レール６１１の前側レール部６１３に沿った状態にする。このとき画像表示手段３９３の先端摺動部６１２が支点部６１７廻りの６１７Ａ矢示方向の回動に伴って規制部６１６に案内されながら、規制部６１６から外れて行く。
【０５１５】
そして、画像表示手段３９３の反挿入端側が前側レール部６１３に接近すると、図１０５に二点鎖線で示すように、画像表示手段３９３の反挿入端側の被押圧部６２４が取り付け枠３９１側の押圧案内部６２５に当接して、その押圧案内部６２５の傾斜に沿って被押圧部６２４を押し込み方向へと６１３Ａ矢示方向に案内する。これによって画像表示手段３９３を案内レール６１１に沿って所定の装着位置へと図１０７の６１３Ａ矢示方向に押し込むことができる。
【０５１６】
従って、画像表示手段３９３を上下の案内レール６１１間に傾斜状に載せて、その先端摺動部６１２を案内レール６１１に沿って摺動させながら、画像表示手段３９３の後端側が案内レール６１１上に載るように、画像表示手段３９３を案内レール６１１間に倒し込んで行くことにより、画像表示手段３９３を案内レール６１１に沿って所定の装着位置へと容易且つ確実に案内することができる。
【０５１７】
画像表示手段３９３が６１７Ａ矢示方向に回動するときに、押し込み手段６２３が案内レール６１１上の画像表示手段３９３を装着位置へと６１３Ａ矢示方向に押し込む前に、画像表示手段３９３の収容ケース４８２の前面が乗り上げ部６２７に当接する。そのため画像表示手段３９３の先端側が若干持ち上がった状態となり、その状態で画像表示手段３９３が装着位置へと６１３Ａ矢示方向へと摺動する。
【０５１８】
また、取り付け部５８９と突出壁５９５の切り欠き部５９６とには案内部５９８，５９９があり、この案内部５９８，５９９を介して取り付け部５８９を突出壁５９５の切り欠き部５９６へと案内する。そのため画像表示手段３９３の先端側に取り付け部５８９が突出状にあるにも拘わらず、その取り付け部５８９を突出壁５９５の切り欠き部５９６に容易に挿入することができる。
【０５１９】
画像表示手段３９３が所定の装着位置まで移動すると、乗り上げ部６２７が収容凹部６２８と対応するため、画像表示手段３９３の収容ケース４８２の前面が前側レール部６１３を含む受け部４６０に当接する。その後に画像表示手段３９３の左右両側の複数の固定手段５８４，５８５により取り付け枠３９１の後壁部４４６に固定すれば、図９８に示すように画像表示手段３９３を取り付けることができる。
【０５２０】
画像表示手段３９３を表示手段装着部４５３から取り外す場合には、逆の手順で行う。先ず固定手段５８４，５８５による画像表示手段３９３の固定を解除した後、画像表示手段３９３の裏側に装着された演出制御基板ケース４９５、その他の適当箇所に手指を掛けて、画像表示手段３９３を離脱方向へと移動させる。すると画像表示手段３９３の被押圧部６２４が押圧案内部６２５の傾斜面に沿って摺動して、画像表示手段３９３の後端側が前側レール部６１３から浮き上がるので、画像表示手段３９３の後端側を手指で掴むことができる。そのため画像表示手段３９３を表示手段装着部４５３から容易に取り出すことができる。
【０５２１】
なお、画像表示手段３９３の装着に際しては、画像表示手段３９３の先端摺動部６１２を前側レール部６１３に当接した状態で摺動させながら、その先端側をＬＥＤ接続基板３５３用の側部基板取り付け台４６７の下側に挿入することも可能である。従って、その場合には、案内レール６１１の挿入部６１５、規制部６１６、支点部６１７等は省略することができる。
【０５２２】
ＬＥＤ接続基板３５３用の側部基板取り付け台４６７は、表示手段装着部４５３の前側レール部６１３との間に画像表示手段３９３が収まるだけの隙間を置いて上下方向に配置されており、図９０、図９１、図９３に示すように、表示手段装着部４５３の開口部４５５の両側に配置された上支持台６２９と下支持台６３０とに裏側から着脱自在に固定されている。
【０５２３】
上支持台６２９は開口部４５５の上部側で取り付け枠３９１の後壁部４４６から後方に突出する複数の基部６３１，６３２と、この基部６３１，６３２の後端から開口部４５５側へと屈曲する取り付け部６３３とを有する。複数の基部６３１，６３２の内、その一方の基部６３１は開口部４５５の上側に左右方向に配置され、また、他方の基部６３２は開口部４５５の端部に上下方向に配置されており、その間に開口６３４が形成されている。そして、この開口６３４に対応して規制部６１６が形成され、また、収容ケース４８２の上側の先端摺動部６１２が突出するようになっている。
【０５２４】
下支持台６３０は開口部４５５の下部側で取り付け枠３９１の後壁部４４６から後方に突出する複数の基部６３５と、この基部６３５の後端から開口部４５５側へと上向きに屈曲する取り付け部６３６とを有し、Ｌ字状に構成されている。側部基板取り付け台４６７は、上，下支持台６２９，６３０の取り付け部６３３，６３６に裏側からねじ等の固定具６４０，６４１により着脱自在に装着されている。側部基板取り付け台４６７の裏側には、第３の実施形態と同様にＬＥＤ接続基板３５３が着脱自在に装着されている。
【０５２５】
このように取り付け枠３９１の表示手段装着部４５３用の開口部４５５に対応して側部基板取り付け台４６７を設ける場合、取り付け枠３９１に一体に設けることも可能である。しかし、基部６３１，６３２と、その後端から開口部４５５側へと屈曲する取り付け部６３３，６３６とを備えた支持台６２９，６３０を上下に設け、この支持台６２９，６３０に側部基板取り付け台４６７を取り付けることにより、支持台６２９，６３０、側部基板取り付け台４６７を剛強に構成できるため、表示手段装着部４５３を含む取り付け枠３９１の耐久性を向上させることができる。
【０５２６】
なお、側部基板取り付け台４６７には、第３の実施形態と同様にＬＥＤ接続基板３５３が取り付けられているが、ＬＥＤ接続基板３５３以外の中継基板、その他の基板でもよい。また、側部基板取り付け台４６７は取り付け枠３９１の後壁部４４６に一体に設けてもよい。
【０５２７】
また、第４の実施形態では、先ず画像表示手段３９３を挿脱部４６２側から案内レール６１１に対して斜めに傾斜させた後、その状態で先端摺動部６１２を案内レール６１１に沿って左右方向に摺動させながら、先端摺動部６１２を支点として画像表示手段３９３の後端側を案内レール６１１側へと倒し込むようにして、画像表示手段３９３を左右方向に摺動させて取り付けるようにしているが、上下方向に摺動させて取り付けるようにしてもよい。なお、他の構成は第３の実施形態と同様である。
【０５２８】
以上、本発明の第３及び第４の各実施形態について詳述したが、本発明は第３及び第４の各実施形態に限定されるものではなく、その趣旨が逸脱しない範囲で種々の変更が可能である。
【０５２９】
また、支持枠３０１，３０２に着脱可能に装着された遊技盤３１３と、この遊技盤３１３の裏側の表示手段装着部４５３に装着された画像表示手段３９３とを備えた遊技機の場合、画像表示手段３９３は表示手段装着部４５３に対して、上下方向の一方の挿脱部４６２側（例えば第３の実施形態に示す上側の挿脱部４６２側）から挿脱可能にしてもよいし、又は左右方向の一方側（例えば第４の実施形態に示す左右方向の一方側である左又は右）から挿脱可能にしてもよい。その場合、前者では画像表示手段３９３の挿脱部４６２側に配置される支持枠３０２側の枠側部材は、球タンク３４７、球案内レール３４８、外部情報取り出し手段３４９等となるが、後者では球払い出し手段３５０等が考えられる。勿論の他の枠側部材でもよい。
【０５３０】
遊技盤３１３の裏側の取り付け枠３９１に表示手段装着部４５３を備え、この表示手段装着部４５３に画像表示手段３９３を着脱可能に備えた遊技機の場合、第３の実施形態では、表示手段装着部４５３に対して画像表示手段３９３の着脱方向（上下方向又は左右方向）と交差する方向の両方に、取り付け枠３９１から後方へと膨出して画像表示手段３９３を着脱方向に案内する膨出部４５４を設けて、この膨出部４５４内に取り付け枠３９１内の遊技部品を配置しているが、その膨出部４５４は画像表示手段３９３の着脱方向（上下方向又は左右方向）と交差する方向の一方に設けてもよい。
【０５３１】
また、取り付け枠３９１内の内部機構としては、画像表示手段３９３の前側で取り付け枠３９１内に可動演出手段３９４〜３９７があり、その可動演出手段３９４〜３９７の機構部分の一部を膨出部４５４内に配置することが考えられるが、その他のものでもよい。膨出部４５４は案内レール６１１の全長又はそれ以上でもよいし、一部でもよい。可動演出手段３９４〜３９７は、画像表示手段３９３の前側に配置された可動演出体５４６，５６２，５７４と、この可動演出体５４６，５６２，５７４を移動可能に支持する支持機構と、可動演出体５４６，５６２，５７４を駆動する駆動手段５４７，５６４，５７５とを備えたものであればよく、第３の実施形態に例示する以外のものでもよい。その場合、支持機構及び／又は駆動手段５４７，５６４，５７５の少なくとも一部を膨出部４５４内に配置すればよい。
【０５３２】
画像表示手段３９３の表示手段装着部４５３に対する誤装着を防止する誤装着防止手段５１６は、画像表示手段３９３側に設けられた第１部材４９９と、表示手段装着部４５３側に設けられ且つ誤装着時に第１部材４９９と干渉する第２部材４６７とを備えたものであれば十分であり、第３の実施形態に例示のように、演出制御基板ケース４９５を固定するための係合部（固定具）と側部基板取り付け台４６７との組み合わせの他、種々のものを利用することが可能である。また、誤装着防止手段５１６はそれ専用のものでもよいし、何等かの構成部材を兼用するものでもよい。
【０５３３】
取り付け枠３９１の表示手段装着部４５３に対して挿脱部４６２側から挿脱自在に画像表示手段３９３を装着する場合、画像表示手段３９３の挿入端側に画像表示手段３９３を裏側から押える押え部材を設けることが望ましいが、この押え部材は専用の部材の他、取り付け枠３９１に固定された他の固定部材を兼用するようにしてもよい。その場合、画像表示手段３９３の裏側へと突出する突出部材を取り付け枠３９１に備え、その突出部材を裏側押え部材に兼用してもよい。実施形態では、突出部材として側部基板取り付け台４６７を例示し、この側部基板取り付け台４６７の裏側に基板を配置しているが、側部基板取り付け台４６７以外のものでもよい。
【０５３４】
画像表示手段３９３と可動演出手段３９４とを併用する場合、その可動演出手段３９４は少なくとも一部が画像表示手段３９３よりも前側にあればよい。また、遊技盤３１３の略中央に前側から装着するセンターケース３８８は、遊技盤３１３の前側に配置され且つ外周側に遊技球が流下する遊技領域３２３を形成する前側部材４２６と、この前側部材４２６よりも後側で画像表示手段３９３の外周側に配置された後側部材４２７とを一体に備えるか、又は別体に備えたものでもよい。
【０５３５】
可動演出手段３９４の少なくとも一部をセンターケース３８８の後側部材４２７の前側に配置することにより、可動演出手段３９４の配置領域の拡大を図ることができる。その場合、可動演出手段３９４は、センターケース３８８の後側部材４２７の後側に配置された後側部と、この後側部からセンターケース３８８の後側部材４２７の内側を経て前側に重なる前側部とを備えた構成とすることが望ましい。
【０５３６】
可動演出手段３９４の前側部にはＬＥＤ基板を設けず、可動演出手段３９４の後側部にＬＥＤ基板を設ける構成としてもよい。後側から前側に向かって後側部→後側部材４２７→前側部と配置されているため、後側部に設けたＬＥＤ基板からの発光演出を後側部材４２７と前側部にも反映することが可能である。また、前側部にもＬＥＤ基板を設けるようにしてもよい。その場合には、後側部にはＬＥＤ基板を設けないことが望ましい。また、両側にＬＥＤ基板を設ける場合には、各ＬＥＤ基板の少なくとも一部が前後方向に重ならないように配置することが望ましい。
【０５３７】
可動演出体５４６の前側部の少なくとも一部がセンターケース３８８の後側部材４２７に重なる位置に配置されている場合に、後側部又は後側部材４２７又は前側部の少なくともいずれか１つに設けられた発光手段によって、所定の発光演出を実行するようにしてもよい。また、センターケース３８８の一部にＬＥＤ基板が装着されている場合には、それらＬＥＤ基板に設けられた発光手段によって所定の発光演出を実行するようにしてもよい。また、センターケース３８８に限らず、遊技盤３１３側又は枠側に設けられたＬＥＤ基板の発光手段により所定の発光演出を実行するようにしてもよい。
【０５３８】
可動演出体５４６の前側部の少なくとも一部がセンターケース３８８の後側部材４２７に重なる位置に配置されている場合に、前側部を可動させる前側部可動演出を実行するようにしてもよい。また、後側部を可動させる後側部可動演出を実行するようにしてもよいし、両方を実行するようにしてもよい。
【０５３９】
センターケース３８８の後側部は、少なくとも一部が透明又は透光性を有する樹脂部材により成型されていることが望ましい。これにより、後方に配置された後側部材４２７を、前側から視認することが可能である。
【０５４０】
可動演出手段３９４の前側部は、少なくとも一部が透明又は透光性を有する樹脂部材により成型されていることが望ましい。これにより、後方に配置された後側部材４２７や後側部を、前側から見ることが可能である。
【０５４１】
可動演出体５４６の前側部がセンターケース３８８の後側部材４２７に重なる位置に配置される場合について、可動演出体５４６の可動演出時において重なるように構成してもよいし、可動演出体５４６の非可動演出時（原点位置）において重なるように構成してもよい。ここで、可動演出時とは、可動演出体５４６が所定の演出位置に位置している場合及び可動演出体５４６が所定の演出位置に向けて移動している場合の両方を想定したものである。また、可動演出体５４６の前側部の全部が後側部材４２７と重なるように構成してもよいし、少なくとも一部が重なるように構成するようにしてもよい。
【０５４２】
可動演出体５４６の前側部が重なるセンターケース３８８の一部をステージ４２９の後方を構成する壁部としてもよいし、ステージ４２９の後方上部に位置する球跳ね返り防止部としてもよい。
【０５４３】
センターケース３８８の後側部材４２７に所定の装飾部を設けるようにしてもよい。例えば文字情報や数字情報等を表示するなどしてもよい。また、装飾部の少なくとも一部を可動演出体５４６の前側部と重ならない位置に表示することで、装飾部の視認性を低下させることなく後側部材４２７の装飾性を高めることができる。
【０５４４】
可動演出体５４６の前側部がセンターケース３８８の後側部材４２７に重なる位置に配置されている状態において、液晶上に可動演出体５４６と対応するように所定の演出画像を表示するようにしてもよい。ここで、演出画像とは例えば変動表示の当選期待度を示す信頼度（例：青、緑、赤、金）に対応した所定のエフェクト表示などが考えられる。また、エフェクト表示の表示態様は、可動演出体５４６に応じて表示されることが望ましく、例えば前側部の形状や大きさ、駆動態様などに応じて表示態様を決定するようにしてもよい。
【０５４５】
可動演出体５４６の前側部がセンターケース３８８の後側部材４２７に重なる位置に配置されるようにしたが、後側部材４２７と前側部との間には所定の間隔を設けることが望ましい。また、後側部と後側部材４２７との間においても所定の間隔を設けることが望ましい。これにより可動演出体５４６とセンターケース３８８の干渉を防止することができる。また、所定の間隔は短ければ短いほど可動演出体５４６の一部とセンターケース３８８との一体感が生まれるため、より装飾性を高めることができる。
【０５４６】
また、干渉を防止するために所定の間隔を設けることとしたが、これに限らず可動演出体５４６とセンターケース３８８との一体感をより出すために、互いが干渉した状態で配置するようにしてもよい。
【０５４７】
可動演出体５４６の前側部がセンターケース３８８の後側部材４２７に重なる位置に配置されるようにしたが、これに限らず、遊技盤３１３の前側から装着される遊技部品の一部であれば何れでもよく、特にセンターケース３８８に限定されない。
【０５４８】
可動演出体５４６が原点位置に位置している状態で、前側部がセンターケース３８８の後側部材４２７の前側に位置するように構成する場合において、遊技盤３１３の組み立て時においては、可動演出体５４６を遊技盤３１３後側から装着し、センターケース３８８を遊技盤３１３前側から装着しているため、組み立てが困難になると言う課題がある。例えば、可動演出体５４６を遊技盤３１３に装着した後、センターケース３８８を装着する場合には、センターケース３８８の後側部材４２７が可動演出体５４６の前側部と当接しないように避けて組み立てを行わないといけない。このように組み立て作業が煩雑化してしまう恐れがある。
【０５４９】
そこで、組み立て時には可動演出体５４６が異なる位置に配置されるように構成することで、両者が干渉することを防ぎ、組み立て作業も簡単に行うことができる。そして、組み立て後に電源投入等を契機として行われる可動演出体５４６のイニシャライズ動作において、可動演出体５４６を本体の原点位置に移動させることで、前側部がセンターケース３８８の後側部材４２７の前側に位置するように構成してもよい。
【０５５０】
一般的にセンターケース３８８は遊技盤３１３に対して前側から着脱可能であるのに対して、可動演出手段３９４は遊技盤３１３に対して裏側から着脱可能であるため、可動演出手段３９４の前側部は後側部材４２７から内側へと外れるように後側部材４２７に対して相対的に移動可能にする必要がある。その場合の前側部は後側部材４２７に対して相対的に移動可能であれば、揺動運動、直線運動等の何れの運動形式を採用してもよいし、また、前側部材４２６と後側部材４２７との何れか一方が他方に対して移動するようにしてもよいし、両方が移動するようにしてもよい。また、可動演出手段３９４の前側部は画像表示手段３９３の左右方向の一方側又は両側でもよいし、上下方向の一方側又は両側でもよい。可動演出手段３９４〜３９７の前側部の形状、構造は問題ではない。
【０５５１】
画像表示手段３９３を挿脱部４６２側から表示手段装着部４５３の所定の装着位置に対して挿脱する場合、案内レール６１１の一端側を挿脱部４６２として、その挿脱部４６２から案内レール６１１に沿って画像表示手段３９３を挿脱方向に移動させてもよい。但し、この場合には表示手段装着部４５３の挿脱部４６２側を開放状に構成する必要があり、また、挿脱に際しての画像表示手段３９３の移動距離が長くなる。
【０５５２】
これに比べて画像表示手段３９３を案内レール６１１に対して斜め方向の傾斜姿勢にしてその先端側を案内レール６１１に当接させた後、その傾斜姿勢から画像表示手段３９３を案内レール６１１側へと倒しながら、画像表示手段３９３を案内レール６１１に沿って所定の装着位置へと移動させる場合には、案内レール６１１の挿脱部４６２側を開放状にする必要がなく、画像表示手段３９３の移動距離も短くできる。画像表示手段３９３は案内レール６１１に沿って挿脱するが、その挿脱方向は左右方向の他、上下方向又は背面視斜め方向でもよい。
【０５５３】
画像表示手段３９３を案内レール６１１に対して傾斜姿勢にして挿脱する場合、傾斜姿勢にある画像表示手段３９３の挿入側を保持部により保持した後に、その画像表示手段３９３を案内レール６１１側に倒すことが望ましいが、保持部は傾斜姿勢の画像表示手段３９３の裏側に当接するようにしてもよいし、画像表示手段３９３が所定の装着位置に達したときにその先端側が当接するものでもよい。また、画像表示手段３９３の先端側を案内レール６１１の挿入部６１５に挿入したときに、画像表示手段３９３の先端側が当接する規制部６１６も保持部の一つである。画像表示手段３９３が所定の装着位置に達したときにその先端側が保持部に当接する構成の場合は、案内レール６１１の挿入部６１５は不要である。
【０５５４】
表示手段装着部４５３は、画像表示手段３９３を装着位置へと案内する案内レール６１１と、画像表示手段３９３を傾斜姿勢から案内レール６１１側に移動させたときに、この画像表示手段３９３を案内レール６１１に沿って装着位置へと押し込む押し込み手段６２３を備えておけば、案内レール６１１に沿って画像表示手段３９３を装着位置へと容易且つ確実に移動させることができる。この押し込み手段６２３は、画像表示手段３９３の装着位置への移動方向とは反対側で画像表示手段３９３の後端側に設けることが望ましいが、画像表示手段３９３の移動方向の途中に設けることも可能である。
【０５５５】
また、押し込み手段６２３は画像表示手段３９３を傾斜姿勢から案内レール６１１側に移動させたときに、傾斜状の押圧案内部６２５により画像表示手段３９３側の被押圧部６２４を押圧して、画像表示手段３９３を装着位置へと案内するように構成することが望ましいが、画像表示手段３９３側の被押圧部６２４を傾斜状に構成して、その押圧案内部６２５は被押圧部６２４に当接する棒状、球面状、その他の形状に構成することも可能である。更に本発明はパチンコ機に限らず、アレンジボール機、雀球遊技機等の他の遊技機においても同様に実施することが可能である。
【０５５６】
図６１〜図１７７は本発明の第３の実施形態を例示する。このパチンコ機３００は、図
１及び図６２に示すように、外枠３０１と、この外枠３０１の前側に配置された前枠３
２とを備えている。なお、外枠３０１と前枠３０２とにより遊技機本体が構成されている。
【０５５７】
前枠３０２は、左端側に配置された上下一対の第１ヒンジ３０３を介して外枠３０１に開閉自在及び着脱自在に枢着されており、左右方向における第１ヒンジ３０３と反対の右端側に設けられた施錠手段３０４によって外枠３０１に対して閉状態で施錠可能となっている。
【０５５８】
前枠３０２は、本体枠３０５と、その本体枠３０５の前側に配置された前扉３０６とを備えている。前扉３０６は、左端側に配置された上下一対の第２ヒンジ３０７を介して本体枠３０５に開閉自在及び着脱自在に枢着されており、施錠手段３０４によって本体枠３０５に対して閉状態で施錠可能となっている。なお、第１ヒンジ３０３と第２ヒンジ３０７は同一軸心となるように配置されている。
【０５５９】
外枠３０１は、図６２に示すように、左右一対の縦枠材３０８と、上下一対の横枠材３０９とで矩形状に形成されている。下側の横枠材３０９には、この横枠材３０９を前側から覆う合成樹脂製の前飾り部材３１０が左右の縦枠材３０８の前側下部を連結するように装着されている。前飾り部材３１０は、左右の縦枠材３０８よりも前側に突出しており、その上側に本体枠３０５が配置されている。
【０５６０】
本体枠３０５は合成樹脂製であって、前飾り部材３１０の上側で外枠３０１の前縁側に当接可能な矩形状に構成されており、上部側に矩形開口状に設けられた遊技盤装着部３１１と、この遊技盤装着部３１１の下側に設けられた下部装着部３１２とを一体に備えている。
【０５６１】
遊技盤装着部３１１は、図６５〜図６８に示すように、遊技盤３１３が前側から着脱可能であり、この遊技盤装着部３１１には、遊技盤３１３が前側から当接する当接部３１４と、遊技盤装着部３１１内に遊技盤３１３の左右一端側を挿入したときに遊技盤３１３に係合する係合部３１５と、遊技盤装着部３１１内の遊技盤３１３の他端側を本体枠３０５に着脱自在に固定するための固定手段３１６とが設けられている。なお、遊技盤装着部３１１は遊技盤３１３を裏側から着脱可能にしてもよい。
【０５６２】
遊技盤３１３を遊技盤装着部３１１に装着する際には、図６５に二点鎖線で示すように、遊技盤装着部３１１の前側から遊技盤３１３の一端側を遊技盤装着部３１１の当接部３１４と係合部３１５との間に挿入する。次に遊技盤３１３の他端側を本体枠３０５内へと押圧すると、係合部３１５側又は当接部３１４と係合部３１５との中間側を回動中心Ｏとして遊技盤３１３が後方へと図６５の３１３Ａ矢示方向に回動するので、遊技盤３１３と遊技盤装着部３１１との間の摺動抵抗等に抗して、図６５に実線で示すように、遊技盤３１３を遊技盤装着部３１１内に押し込むことができる。
【０５６３】
そして、遊技盤３１３が遊技盤装着部３１１内に入れば、上下一対の固定手段３１６により遊技盤３１３の他端側を遊技盤装着部３１１に締め付けて固定する。これによって遊技盤３１３を容易に装着することができる。なお、遊技盤３１３を取り外すときには、遊技盤３１３の適当な部位に手指を掛けて、逆の順序で回動中心Ｏ廻りに反３１３Ａ矢示方向に回動させればよい。
【０５６４】
本体枠３０５には、図６２〜図６８に示すように、遊技盤装着部３１１の外周から後方に突出する囲繞壁３１７が一体又は別体に設けられている。囲繞壁３１７は遊技盤装着部３１１に装着された遊技盤３１３の裏側機構を外周側から囲繞して保護するものであり、遊技盤装着部３１１の上側から後方に突出する上壁部３１８と、遊技盤装着部３１１の左右両側から後方に突出する左右一対の側壁部３１９と、遊技盤装着部３１１の下側から後方に突出する底壁部３２０とを備えている。
【０５６５】
上壁部３１８、底壁部３２０は遊技盤装着部３１１の上下両側に左右方向に配置され、側壁部３１９は遊技盤装着部３１１の後方側の左右両側に上下方向に配置されている。底壁部３２０には遊技盤３１３の裏側に通過した遊技球を下方へと排出する排出口３２１が設けられている。
【０５６６】
前扉３０６は、図６１、図６２に示すように、本体枠３０５の前面側に対応する矩形状に形成された合成樹脂製の扉ベース３２２を備えている。この扉ベース３２２には、遊技盤３１３に形成された遊技領域３２３の前側に対応して窓孔３２４が形成されると共に、窓孔３２４の周囲に上下左右等の所定箇所に複数のスピーカ３２５が配置され、その各スピーカ３２５を前側から略覆う装飾カバー３２６が装着されている。
【０５６７】
また、扉ベース３２２の下部前側には、図６１に示すように、遊技球を貯留して発射手段３２７に供給する上皿（発射球貯留部）３２８と、上皿３２８の遊技球が満杯状態のときにその上皿３２８側から溢流する余剰球等を貯留する下皿（余剰球受け部）３２９と、発射手段３２７を作動させるために操作する発射ハンドル３３０等が配置され、更に上皿３２８、下皿３２９等を前側から略覆う下装飾カバー３３１が装着されている。
【０５６８】
下装飾カバー３３１は前向きの膨出状に形成されており、その上部側に、遊技者が押下操作可能な演出ボタン３３２、十字操作手段３３３等の操作手段が設けられている。十字操作手段３３３は後側の上キー、前側の下キー、左側の左キー、右側の右キーの４つの操作部３３４を備えている。
【０５６９】
扉ベース３２２の背面側には、図６２に示すように、窓孔３２４を後側から略塞ぐようにガラスユニット３４０が着脱自在に装着されると共に、第１，第２ヒンジ３０３，３０７側の縁部に沿って上下方向に配置された補強板金３３５と、開閉端側の縁部に沿って上下方向に配置された補強板金３３６と、窓孔３２４の下側に左右方向に配置された補強板金３３７とがねじ止め等により着脱自在に固定されている。
【０５７０】
補強板金３３７の背面側には、球送り手段３３８、球誘導手段３３９等が装着されている。球送り手段３３８は、上皿３２８内の遊技球を１個ずつ発射手段３２７に供給するためのもので、発射手段３２７の前側に対応して配置されている。球誘導手段３３９は、上皿３２８の遊技球が満杯となったときに上皿３２８から溢流する余剰球、及び遊技領域３２３に達することなく戻ってきたファール球を下皿３２９に誘導するためのもので、球送り手段３３８に隣接してその第１，第２ヒンジ３０３，３０７側に配置されている。
【０５７１】
本体枠３０５には、図６２〜図６９に示すように、遊技盤装着部３１１に遊技盤３１３が着脱可能に装着され、また、遊技盤３１３の裏側に演出制御基板３４５と電源モジュール基板３４６と主制御基板３５４とが配置されている。また、本体枠３０５の裏側には、上端部側に球タンク３４７と球案内レール３４８と外部情報取り出し手段３４９とが配置され、左右方向の一側部に球払い出し手段３５０と球案内手段３５１と中継基板３５２とが上下方向に配置され、左右方向の他側部にＬＥＤ接続基板３５３が上下方向に配置されている。更に本体枠３０５の裏側には、主制御基板３５４の下側に払い出し基板３５５と球貸し基板３５６とが左右に配置されている。
【０５７２】
球タンク３４７と球案内レール３４８と外部情報取り出し手段３４９は、図６３、図６４に示すように、囲繞壁３１７の上壁部３１８の上側に沿って左右方向に配置されている。球タンク３４７は賞球、貸し球用の遊技球を貯留するためのものであって、左右方向に長い平面視矩形状に構成され、囲繞壁３１７の上壁部３１８の段部３１８ａに当接して着脱自在に固定されている。なお、球タンク３４７は島側の補給手段３５７から補給される遊技球を受けるように上側が開放状になっている。
【０５７３】
球案内レール３４８は球タンク３４７からの遊技球を球払い出し手段３５０へと案内するためのものであって、球タンク３４７の下側から球払い出し手段３５０の上部側へと左右方向に傾斜状に配置され、本体枠３０５の裏側に着脱可能に装着されている。なお、球案内レール３４８の途中には、球崩し機構３５８が必要に応じて設けられている。外部情報取り出し手段３４９は各種の遊技情報を外部に取り出すためのものであって、左右方向に一列状に配列された複数の取り出し端子３５９を備え、球案内レール３４８の上側に配置されている。
【０５７４】
囲繞壁３１７の左右の側壁部３１９の内、第１，第２ヒンジ３０３，３０７側の側壁部３１９は、図６３〜図６８に示すように、後端から左右方向の内側へと屈曲する後取り付け台３６０を一体に備え、この後取り付け台３６０の裏側に球払い出し手段３５０と球案内手段３５１とが上下方向に一列状に配置され着脱可能に装着されている。
【０５７５】
球払い出し手段３５０は、払い出し基板３５５からの賞球の払い出し指令、球貸し基板３５６からの球貸し指令に基づいて球タンク３４７内の遊技球を払い出すためのものである。この球払い出し手段３５０は、図６４に示すように、前後方向に偏平な縦長矩形状に形成された払い出しケース３６２と、払い出しケース３６２内にジグザグ状に設けられた貯留通路３６３と、貯留通路３６３の遊技球を払い出す回転体３６４と、回転体３６４を駆動する駆動モータ（図示省略）とを備え、後取り付け台３６０の裏側に着脱可能に装着されている。なお、球払い出し手段３５０から払い出された遊技球は、球案内手段３５１を介して上皿３２８へと案内されるようになっている。
【０５７６】
球案内手段３５１は、図６４に示すように、払い出し通路３６６と抜き取り通路３６７とを有する。そして、球払い出し手段３５０が遊技球を払い出す際には、球払い出し手段３５０からの遊技球を払い出し通路３６６を経て上皿３２８へと案内し、また、球タンク３４７から球払い出し手段３５０までの遊技球を抜き取る際には、その遊技球を抜き取り通路３６７から抜き取り口（図示省略）を経て機外に抜き取ることが可能である。球案内手段３５１の裏側には中継基板３５２が設けられている。
【０５７７】
囲繞壁３１７の左右の側壁部３１９の内、遊技盤３１３の着脱時の回動中心Ｏと反対側に位置する側壁部３１９には、図６４〜図６８に示すように、その側壁部３１９を外側から補強する板金製の側壁補強部材３６８が設けられ、また、その側壁部３１９から底壁部３２０に沿って正面視Ｌ字状に枠側ジョイント部３６９が設けられている。側壁補強部材３６８は前枠３０２の開閉時に他の部材等と接触して、側壁部３１９及び遊技盤３１３の裏側機構等が破損しないように保護する機能を有する。
【０５７８】
枠側ジョイント部３６９は、図６６、図６９に示すように、遊技盤３１３の裏側の盤側ジョイント部３７０と前後に相対応して配置され、遊技盤３１３の遊技盤装着部３１１に対する着脱時に盤側ジョイント部３７０に対して電気的に着脱自在に接続するようになっている。
【０５７９】
下部装着部３１２の前側には、図６２に示すように、発射手段３２７、下部スピーカ３２５ａ等が配置されている。また、下部装着部３１２の裏側には、図６３、図６４に示すように、下部装着部３１２の裏側機構を裏側から覆うように第１基板取り付け台３７１が装着されており、この第１基板取り付け台３７１の裏側に、払い出し基板ケース３７２に収容された払い出し基板３５５と、球貸し基板ケース３７３に収容された球貸し基板３５６とが左右に配置されている。
【０５８０】
発射手段３２７は、図６９に示すように、板金製の支持板３７４と、この支持板３７４の前面に装着された発射レール３７５と、支持板３７４の前面に装着され且つ発射用の遊技球を発射レール３７５上に保持する球保持部３７６と、支持板３７４の前面で前後方向の駆動軸３７７廻りに揺動自在に支持された打撃槌３７８と、支持板３７４の裏側に装着され且つ打撃槌３７８を駆動軸３７７を介して打撃方向に駆動するロータリソレノイド等の発射駆動手段３７９とを備え、発射ハンドル３３０を回動操作したときに、その操作量に応じて発射駆動手段３７９により打撃槌３７８を打撃方向（時計廻り）に駆動して、発射レール３７５上の遊技球を遊技盤３１３側に発射するようになっている。
【０５８１】
払い出し基板３５５は払い出し指令に従って球払い出し手段３５０を制御するためのものである。この払い出し基板３５５を収容する払い出し基板ケース３７２は、図６３、図６４に示すように、左右一端側の係合手段３８０と他端側の締結具３８１とにより、第１基板取り付け台３７１に着脱可能に固定されている。締結具３８１は第１基板取り付け台３７１に前後軸廻りに回動操作可能な摘まみ部３８２を有し、その摘まみ部３８２で払い出し基板ケース３７２を第１基板取り付け台３７１側に締め付けるようになっている。
【０５８２】
球貸し基板３５６は、図６３、図６４に示すように、球貸しボタン等からの球貸し指令に従って球払い出し手段３５０を制御するためのものである。この球貸し基板３５６を収容する球貸し基板ケース３７３は、左右一端側の枢支手段３８３により縦軸廻りに回動自在に枢着され、他端側のロック手段３８４により第１基板取り付け台３７１に着脱可能に固定されている。ロック手段３８４は前後方向に操作可能なロックボタン３８５を有し、ロックボタン３８５を前側に押圧したときに球貸し基板ケース３７３を第１基板取り付け台３７１にロックし、ロックボタン３８５を後側に引いたときにロックを解除するようになっている。
【０５８３】
遊技盤３１３は、ベニヤ板等の非透光性材料又は合成樹脂等の透明性材料により略矩形状に構成されている。この遊技盤３１３の前側には、図７０に示すように、遊技領域３２３と、発射手段３２７から発射された遊技球を遊技領域３２３の上部側へと案内するガイドレール３８７と、略中央に配置され且つ遊技盤３１３に前側から着脱自在に装着された中央表示枠（センターケース）３８８とが設けられている。なお、遊技盤３１３の前面には、遊技領域３２３の外周側に前面装飾部材３８９が設けられている。
【０５８４】
また、遊技盤３１３の裏側には、図６５〜図６８、図７１〜図７５に示すように、取り付け枠３９１と、この取り付け枠３９１の下部側を覆うように配置された第２基板取り付け台３９２とが装着されている。取り付け枠３９１には、中央表示枠３８８に対応して遊技盤３１３の裏側に配置された液晶式等の画像表示手段３９３と、中央表示枠３８８及び画像表示手段３９３間に配置された第１〜第４可動演出手段３９４〜３９７と、前枠３０２の前面側の発光演出用のＬＥＤが接続されたＬＥＤ接続基板３５３と、裏面側に配置されたハーネスを受けるハーネス受け台３９９とが装着されている。
【０５８５】
更に画像表示手段３９３の裏側には、図７２に示すように、演出制御基板３４５と電源モジュール基板３４６とが装着されている。第２基板取り付け台３９２の裏側には、図７２に示すように、主制御基板３５４を収容する主制御基板ケース５１３と、遊技盤３１３の着脱時に枠側ジョイント部３６９に対して電気的に着脱する盤側ジョイント部３７０とが設けられている。
【０５８６】
取り付け枠３９１は前後方向に短い矩形筒状であって、遊技盤３１３の裏側に着脱可能に装着されている。第１〜第４可動演出手段３９４〜３９７は、図７０、図７３〜図７５に示すように取り付け枠３９１内に組み込まれており、遊技盤３１３に対する取り付け枠３９１の着脱によって、遊技盤３１３に対して取り付け枠３９１と一体的に裏側から着脱可能である。
【０５８７】
遊技領域３２３には、図７０に示すように、その略中央に中央表示枠３８８が配置されると共に、中央表示枠３８８の左右両側に左流下経路４０１と右流下経路４０２とが形成され、その中央表示枠３８８の下側の略中央に始動入賞手段４０３が配置され、この始動入賞手段４０３の左右両側に可変入賞手段４０４と普通入賞手段４０５とが配置されている。中央表示枠３８８の前面側には、普通図柄表示手段４０６と普通保留個数表示手段４０７と第１特別図柄表示手段４０８と第２特別図柄表示手段４０９とを含む各種表示手段が適当位置に配置されている。
【０５８８】
ガイドレール３８７は、遊技領域３２３の外周側を取り囲むように遊技盤３１３の前面側に配置されており、発射手段３２７から発射された遊技球を案内経路４１１を経て遊技領域３２３の上部側へと案内するようになっている。遊技領域３２３には、多数の遊技釘（図示省略）が配置されており、ガイドレール３８７を経て遊技領域３２３の上部に打ち込まれた遊技球は、中央表示枠３８８等により左流下経路４０１と右流下経路４０２との何れかに振り分けられて遊技釘に衝突しながら流下するようになっている。
【０５８９】
遊技盤３１３には、図７０等に示すように中央表示枠３８８、始動入賞手段４０３、可変入賞手段４０４、普通入賞手段４０５等を装着するための複数の装着孔４１３〜４１５、アウト口４１６等が前後方向に貫通状に形成されている。装着孔４１３は中央表示枠３８８を装着するためのもので、遊技領域３２３内の略中央部に設けられている。また、装着孔４１４は始動入賞手段４０３を、装着孔４１５は普通入賞手段４０５を夫々装着するためのもので、装着孔４１３の下側に設けられている。アウト口４１６は遊技領域３２３の最下部に配置されている。
【０５９０】
中央表示枠３８８は、図７６〜図８０等に示すように、画像表示手段３９３の外周側を前側から覆い且つ内側に画像表示手段３９３に対応する表示窓４１８を形成するものである。この中央表示枠３８８は、表示窓４１８を取り囲むように周方向に二分割された第１表示枠４１９と第２表示枠４２０とを備え、表示窓４１８の外周部分が装着孔４１３内に位置するように、遊技盤３１３の前側にねじ等で着脱自在に装着されている。なお、中央表示枠３８８は周方向に二分割された第１表示枠４１９と第２表示枠４２０とを備えているが、必要に応じて全体を三分割以上に分割してもよいし、前後方向に複数に分割してもよい。
【０５９１】
第１表示枠４１９は、図７３、図７６〜図８０に示すように、装着孔４１３の外側で遊技盤３１３の前面に沿って配置され且つその前側を遊技球が通過可能な板状その他の前面装着部４２１と、この前面装着部４２１の前側に頂部側から左右両側にわたって正面視略門形状に設けられ且つ前面装着部４２１の内周側で前向きに突設された装飾用の前枠部４２２と、前枠部４２２の内周から後方に屈曲して装着孔４１３内に配置され且つ表示窓４１８を外周から取り囲む窓枠部４２３と、表示窓４１８の左右両側で窓枠部４２３の後方に上下方向に配置された左右の装飾部材４２４とを備え、遊技盤３１３の前面に着脱可能に装着されている。
【０５９２】
装飾部材４２４は板状、その他の形状であって、図７３、図７６、図７７に示すように、窓枠部４２３の内周よりも表示窓４１８側に突出して配置されている。左右の装飾部材４２４の内、その一方の装飾部材４２４は取り付け部４２４ａを介して前枠部４２２等に固定され、また、他方の装飾部材４２４は取り付け部４２４ａを介して窓枠部４２３等に固定されている。
【０５９３】
前面装着部４２１と前枠部４２２と窓枠部４２３は、中央表示枠３８８の外周側の遊技領域３２３を区画する前側部材４２６を構成し、装飾部材４２４は前側部材４２６よりも後側で画像表示手段３９３の外周側に配置された後側部材４２７を構成している。第１表示枠４１９の前面側には、普通図柄表示手段４０６と普通保留個数表示手段４０７と第１特別図柄表示手段４０８と第２特別図柄表示手段４０９等の各種表示手段が適当位置に配置されている。
【０５９４】
第２表示枠４２０には、遊技球を遊技盤３１３の前側から始動入賞手段４０３へと落下させるステージ４２９と、左流下経路４０１側を流下する遊技球をステージ４２９へと誘導するワープ口４３０とが設けられている。
【０５９５】
この第２表示枠４２０は、第１表示枠４１９の窓枠部４２３等の左右の下端部間に配置されており、装着孔４１３の下部側で遊技盤３１３の前面に当接する板状等の前面装着部材４３２と、前面装着部材４３２の上側に配置されたステージ４２９と、ステージ４２９の上側から後側に配置された進入防止部材４３１とを備え、左右両端部が第１表示枠４１９の左右の両下端部にねじ等で着脱自在に接続されている。
【０５９６】
前面装着部材４３２は装着孔４１３の内周に配置される補強周壁部４３３を後側の左右方向の略全長に一体に備えている。この前面装着部材４３２には、図７６〜図８０に示すように、左流下経路４０１側に開口するワープ口４３０と、このワープ口４３０からの遊技球をステージ４２９側へと案内する案内通路４３４とが形成されている。案内通路４３４はその後側の進入防止部材４３１に形成された誘導通路４３５に連通され、左流下経路４０１を流下中にワープ口４３０に入った遊技球を、この案内通路４３４から誘導通路４３５を経てステージ４２９の一端側へと案内し誘導するようになっている。
【０５９７】
ワープ口４３０は前面装着部材４３２の前側に設けられている。前面装着部材４３２にはワープ口４３０の前側に開放部４３７が設けられ、そのワープ口４３０の下手側に、前側へとＵ字状に突出する案内通路４３４用の通路壁４３８が一体に設けられている。案内通路４３４の後側は接続孔４３９を介して誘導通路４３５に連通されている。誘導通路４３５は前面装着部材４３２と、進入防止部材４３１に断面Ｕ状に設けられた通路壁４４０との間に形成されている。
【０５９８】
このような構造のワープ口４３０、案内通路４３４を前面装着部材４３２に設けることにより、前後二つ割りの金型により前面装着部材４３２にワープ口４３０、案内通路４３４とを一体に成型することが可能であり、ワープ口４３０、案内通路４３４を含むワープ口部材を前面装着部材４３２に前側から着脱自在に設ける場合に比較して、第２表示枠４２０の部品点数を少なくでき製作コストを削減することができる。
【０５９９】
なお、ワープ口４３０と案内通路４３４との両者の後側を開放状に構成し、その誘導通路４３５との接続孔４３９を除く開放側を遊技盤３１３、ステージ４２９又は進入防止部材４３１等の他の部材で塞ぐようにしてもよい。要するにワープ口４３０、案内通路４３４を含む前面装着部材４３２を前後二つ割りの金型により一体に成型できる構成であればよい。
【０６００】
ステージ４２９は左右両側が高くなる正面視略円弧状であって、左右方向の略中央に配置された中央落下部４５０と、中央落下部４５０の左右両側に配置された左右落下部４５１とを有し、ワープ口４３０から案内された遊技球が左右方向に自由に転動した後、中央落下部４５０と左右落下部４５１との何れかから遊技盤３１３の前側に落下するようになっている。中央落下部４５０は始動入賞手段４０３の略真上にあり、この中央落下部４５０から遊技球が落下したときに始動入賞手段４０３に遊技球が入賞する可能性が高くなっている。
【０６０１】
進入防止部材４３１は誘導通路４３５の他に、ステージ４２９を後側から覆うように遊技盤３１３と略平行に設けられた後進入防止板４４３と、この後進入防止板４４３の上端から前側に屈曲してステージ４２９を上側から覆う上進入防止板４４４とを一体に備え、これら進入防止板４４３，４４４により各流下経路４０１，４０２を流下中の遊技球、又はステージ４２９上で跳ね返った遊技球の後側への進入を防止するようになっている。なお、進入防止部材４３１は透明な合成樹脂製であり、この進入防止部材４３１を介して画像表示手段３９３に表示される表示画像を前側から視認可能である。
【０６０２】
取り付け枠３９１は、図７１〜図７５、図８１〜図８３等に示すように、遊技盤３１３と略平行に形成され且つその略中央に矩形状の開口部４５５が形成された後壁部４４６と、その後壁部４４６の外縁部から遊技盤３１３の背面まで前向きに延設された周壁部４４７と、その周壁部４４７の前縁側から遊技盤３１３に沿って外側に屈曲して固定ねじ等により遊技盤３１３に固定された固定部４４８とを一体に備えている。周壁部４４７の上下、左右の壁部は、その外側の囲繞壁３１７の上壁部３１８、側壁部３１９及び底壁部３２０に近接して配置されている。
【０６０３】
取り付け枠３９１の後壁部４４６の裏面側には、図７３、図７５、図８１に示すように、画像表示手段３９３が遊技盤３１３に沿って上下方向に挿脱可能に装着される表示手段装着部４５３と、この表示手段装着部４５３の左右両側に上下方向に配置され且つ画像表示手段３９３よりも後方に膨出する平面視断面コ字状の膨出部４５４と、この膨出部４５４の下側で表示手段装着部４５３の裏側に配置されたハーネス受け台３９９とが設けられている。
【０６０４】
左右の各膨出部４５４には、図７２、図７３、図７５、図８１等に示すように、左右方向の外側に開口部４５６が上下方向に複数形成され、その開口部４５６の後側が取手部４５７となっている。この取手部４５７は各膨出部４５４に上下方向に複数設けられ、その左右両側の何れかの取手部４５７に手指を掛けることにより、各構成部品を装着した状態でも遊技盤３１３を容易に運搬できるようになっている。特に取り付け枠３９１には、左右両側に上下方向に複数の取手部４５７があるため、遊技盤３１３に対する各構成部品の装着状況等を考慮して、重量バランス上からも最適な位置にある取手部４５７を利用することが可能である。
【０６０５】
表示手段装着部４５３には、図６５、図６７、図６８、図７３、図８１、図８２に示すように、開口部４５５の外周側に設けられ且つ画像表示手段３９３の前面側の外周部分を前側から受ける受け部４６０と、この受け部４６０の左右両側に設けられ且つ画像表示手段３９３の左右両側を挿脱方向に案内する膨出部４５４と、受け部４６０の下側に設けられ且つ画像表示手段３９３が挿入端側に当接する突出壁４６１とが設けられ、上側が画像表示手段３９３用の挿脱部４６２となっている。
【０６０６】
突出壁４６１の後方への突出高さは膨出部４５４の半分前後であって、受け部４６０の左右両端側から上向きに屈曲して膨出部４５４の下側に達している。上側の受け部４６０には、画像表示手段３９３の上端側が左右方向に複数の固定手段４６３により着脱自在に固定され、また、突出壁４６１には、画像表示手段３９３の下端側が左右方向に複数の固定手段４６４により着脱自在に固定されている。
【０６０７】
表示手段装着部４５３の挿脱部４６２は、図６５、図６７、図６８、図８１、図８２に示すように取り付け枠３９１の上端側に設けられており、遊技盤３１３を前枠３０２の遊技盤装着部３１１に装着した状態では、この挿脱部４６２の上側近傍に前枠３０２の囲繞壁３１７の上壁部３１８、球タンク３４７等の枠側部材が近接しており、その上壁部３１８、球タンク３４７等の枠側部材によって上側から覆われている。従って、遊技盤３１３を装着状態では、画像表示手段３９３を挿脱部４６２から抜き取ることはできない。
【０６０８】
膨出部４５４は図７３に示すように前側が開放する平面視断面コ字状であって、表示手段装着部４５３の左右両側に上下方向に配置されており、この左右両側の膨出部４５４と左右両側の受け部４６０とにより、画像表示手段３９３を左右両側で案内する案内レール４６５が構成されている。
【０６０９】
膨出部４５４の内部空間は、取り付け枠３９１内の内部機構（遊技部品）の一部又は全部を収容する収容部としての機能を有する。そして、左右の膨出部４５４の内、球払い出し手段３５０側の膨出部４５４は、後取り付け台３６０に近接して前後に重なって配置され、また、球払い出し手段３５０と反対側の膨出部４５４には、画像表示手段３９３よりも裏側に突出する側部基板取り付け台４６７が設けられている。側部基板取り付け台４６７は縦長矩形状であって、左右方向の外側が膨出部４５４の裏側に、下端部側がハーネス受け台３９９の裏側に夫々ねじ等の固定具により着脱可能に固定されている。
【０６１０】
側部基板取り付け台４６７は左右一側部が上下複数の固定具４７３により取り付け枠３９１の膨出部４５４に、下端部が左右複数の固定具４７４によりハーネス受け台３９９に夫々固定されている。ハーネス受け台３９９はねじ等の固定具４７５により取り付け枠３９１に固定されている。なお、固定具４７３〜４７５にはねじ等が使用されている。
【０６１１】
この側部基板取り付け台４６７、ハーネス受け台３９９は、表示手段装着部４５３よりも裏側に突出する突出部材（固定部材）を構成するものであって、表示手段装着部４５３の左右一側部及び下部に対して裏側から重なっており、画像表示手段３９３を挿脱する際に、その画像表示手段３９３を裏側から押えて案内する裏側案内手段を構成している。この側部基板取り付け台４６７、ハーネス受け台３９９は、裏側案内手段の他に、画像表示手段３９３の後側への移動を制限する制限手段（裏側押え手段）を構成している。なお、側部基板取り付け台４６７、ハーネス受け台３９９は、画像表示手段３９３との間の僅かな隙間を介して近接しているが、画像表示手段３９３に対して摺動自在に接触してもよい。
【０６１２】
側部基板取り付け台４６７には、図７１〜図７３、図８２に示すように、ねじ等を使用せずにＬＥＤ接続基板３５３が着脱可能に装着されている。ＬＥＤ接続基板３５３には、前枠３０２の前面側を発光演出するためのＬＥＤ（図示省略）が接続されている。側部基板取り付け台４６７は、ＬＥＤ接続基板３５３を取り囲む周壁部４６９と、ＬＥＤ接続基板３５３が裏側から当接する基板当接部４７０と、ＬＥＤ接続基板３５３の左右一端縁に係合する基板係合部４７１と、ＬＥＤ接続基板３５３の左右他端縁に係合する基板係合爪４７２とを有し、これらによりＬＥＤ接続基板３５３を着脱自在に固定するようになっている。
【０６１３】
基板当接部４７０はＬＥＤ接続基板３５３の外周部に対応して周壁部４６９の内周に周方向に複数設けられている。基板係合部４７１は基板当接部４７０間の中間に対応して、周壁部４６９の左右一方側の内側に上下方向に複数設けられている。基板係合爪４７２はＬＥＤ接続基板３５３に対して係脱方向に弾性変形可能であり、周壁部４６９の左右他方側に上下方向に複数設けられている。
【０６１４】
ＬＥＤ接続基板３５３を側部基板取り付け台４６７に装着する際には、先ずＬＥＤ接続基板３５３の一端側を基板当接部４７０と基板係合部４７１との間に挿入する。次に基板当接部４７０、基板係合部４７１側を支点にＬＥＤ接続基板３５３を側部基板取り付け台４６７側に押圧すると、基板係合爪４７２が外側へと弾性変形してＬＥＤ接続基板３５３が周壁部４６９内に収まり、その外周部分が各基板当接部４７０に当接する。そして、ＬＥＤ接続基板３５３が基板係合爪４７２を通過すると、基板係合爪４７２が弾性力により復元してＬＥＤ接続基板３５３の他側縁に係合する。
【０６１５】
従って、このように構成すれば、ＬＥＤ接続基板３５３を側部基板取り付け台４６７に対して容易に着脱することが可能であり、側部基板取り付け台４６７を取り外して合成樹脂材料として容易に再利用できる利点がある。また、ＬＥＤ接続基板３５３を固定するためのねじが不要であり、ねじの使用量を極力削減できる。
【０６１６】
なお、側部基板取り付け台４６７に対するＬＥＤ接続基板３５３の取り付け構造は、他の取り付け台に対して被取り付け部材を取り付ける場合にも、同様に採用可能である。
【０６１７】
画像表示手段３９３は、矩形状の液晶式等の画像表示パネル４８１を収容ケース４８２に収容して構成されたものであって、図６５、図６７、図６８、図７３、図８５、図８６に示すように、挿脱部４６２側から表示手段装着部４５３に対して上下方向に挿脱自在に挿入され、収容ケース４８２の上下両端側が固定手段４６３，４６４により固定されている。収容ケース４８２は前後に偏平状であって、前側の開放側から画像表示パネル４８１が着脱自在に収容されている。画像表示パネル４８１は収容ケース４８２と、画像表示パネル４８１の前側外周に対応して配置された押え枠４８３とにより保持されている。押え枠４８３は、収容ケース４８２の周壁部４８４に固定されている。
【０６１８】
固定手段４６３，４６４は画像表示手段３９３の上下両側に左右方向に複数組み設けられている。上側の固定手段４６３は、図６７に示すように、収容ケース４８２から上側に突出する取り付け部４８５と、この取り付け部４８５に対応して表示手段装着部４５３の受け部４６０に設けられた取り付け孔４８６と、取り付け部４８５から取り付け孔４８６に挿通するねじ等の固定具４８７とを備えている。
【０６１９】
下側の固定手段４６４は、図６８に示すように、収容ケース４８２から下側に突出する取り付け部４８８と、この取り付け部４８８に対応して表示手段装着部４５３の突出壁４６１に設けられた取り付け孔４８９と、取り付け部４８８から取り付け孔４８９に挿通するねじ等の固定具４９０とを備えている。突出壁４６１には、取り付け部４８８との間で画像表示手段３９３の左右位置を位置決めする位置決め部４９１が設けられている。
【０６２０】
位置決め部４９１は取り付け部４８８が上下方向に挿脱するように突出壁４６１に切り欠き状に形成され、その位置決め部４９１内に取り付け孔４８９が設けられている。取り付け部４８８と位置決め部４９１とにより、画像表示手段３９３用の位置決め手段が構成されている。ハーネス受け台３９９には、固定手段４６４に対向して開口状又は切り欠き状の操作部４９２が設けられ、この操作部４９２から固定具４９０用の工具等を挿入して、その固定具４９０を廻す等の操作を行うようになっている。
【０６２１】
収容ケース４８２は図８５、図８６に示すように、周壁部４８４と、この周壁部４８４の後端側に一体に形成され且つ画像表示パネル４８１の裏面に当接する上後壁部４９３及び下後壁部４９４とを備えている。収容ケース４８２は上後壁部４９３側の前後方向の深さが大であって、前側又は前後両側にリブ、その他の補強部４９３ａが設けられており、下後壁部４９４よりも後方に若干突出している。そして、上後壁部４９３の後側には、演出制御基板３４５、電源モジュール基板３４６が装着されている。下後壁部４９４は画像表示パネル４８１の裏面に近接しており、この下後壁部４９４の裏側にハーネス受け台３９９が接近して設けられている。
【０６２２】
演出制御基板３４５は画像表示手段３９３に表示される各種の演出画像を制御する機能、又は演出画像を制御する機能と他の各種の可動演出手段３９４〜３９７を制御する機能を有するものであって、演出制御基板ケース４９５内に収容されている。演出制御基板ケース４９５は、図８５（ａ）に示すように、前ケース４９５ａと後ケース４９５ｂとを前後方向に開閉可能に結合して構成されている。後ケース４９５ｂには、演出制御基板３４５の裏面のコネクタ４９７に対応して開口部４９８が設けられ、その開口部４９８側でコネクタ４９７にハーネス（図示省略）を接続するようになっている。
【０６２３】
演出制御基板ケース４９５は画像表示手段３９３の収容ケース４８２に対して固定係合部４９９と当接部５００と締結具５０１と係合爪５０２とにより、収容ケース４８２の裏側に着脱可能に装着されている。固定係合部４９９と当接部５００は演出制御基板ケース４９５分の間隔をおいて収容ケース４８２から後方に突出しており、その固定係合部４９９には演出制御基板ケース４９５が係脱自在に係合し、また、当接部５００は固定係合部４９９との間で演出制御基板ケース４９５を左右方向に挟むようになっている。
【０６２４】
締結具５０１は当接部５００上に枢軸５０５で回動自在に支持され、枢軸５０５廻りに操作して、演出制御基板ケース４９５を収容ケース４８２に締め付けるようになっている。なお、締結具５０１は当接部５００上で締結位置と解除位置とに位置決め可能になっている。係合爪５０２は収容ケース４８２から裏側に突出して当接部５００の上側に配置され、演出制御基板ケース４９５に係脱自在に係合している。
【０６２５】
当接部５００、締結具５０１及び係合爪５０２は、図８９（ａ）に示すように、画像表示手段３９３の表示手段装着部４５３に対する挿脱時に側部基板取り付け台４６７と干渉しないように配置されている。一方、固定係合部４９９は収容ケース４８２の左右方向の端縁側にあり、左右を間違った状態で画像表示手段３９３を表示手段装着部４５３に挿入しようとした場合には、図８９（ｂ）に示すように、その固定係合部４９９が側部基板取り付け台４６７の上端と干渉して、その状態での画像表示手段３９３の表示手段装着部４５３への挿入を阻止するようになっている。
【０６２６】
従って、固定係合部（第１部材）４９９と側部基板取り付け台（第２部材）４６７とにより、画像表示手段３９３の表示手段装着部４５３に対する誤装着を防止する誤装着防止手段５１６が構成されている。
【０６２７】
なお、固定係合部（第１部材）４９９は、収容ケース４８２に演出制御基板ケース４９５を着脱自在に取り付けるための取り付け具を構成しているが、その取り付け具の取り付け対象は演出制御基板ケース４９５以外の他の部品でもよい。また、第１部材は、他の目的で突出状に設けられる突起物でもよく、取り付け具に限定されるものではない。
【０６２８】
電源モジュール基板３４６は、図８５（ｂ）に示すように、電源モジュール基板ケース５０６に収容され、演出制御基板３４５の上側で収容ケース４８２の上後壁部４９３の裏側に係合手段５０３，５０４等を介して着脱自在に装着されている。
【０６２９】
画像表示手段３９３を遊技盤３１３の裏側の取り付け枠３９１に装着する場合には、図８９（ａ) に示すように、挿脱部４６２側から表示手段装着部４５３に画像表示手段３９３を挿入して装着する。なお、図８９では図面作成の便宜上、遊技盤３１３、画像表示手段３９３を起立姿勢としているが、遊技盤３１３側の組み立て等に際して画像表示手段３９３を装着する場合には、例えば前面を下側に向けて遊技盤３１３を水平状に倒した状態で作業を行う。
【０６３０】
画像表示手段３９３の装着に際しては、画像表示手段３９３を挿脱部４６２側から表示手段装着部４５３の案内レール４６５に沿って図８９（ａ) の矢印方向に挿入する。そして、収容ケース４８２の挿入端側が突出壁４６１に当接するまで画像表示手段３９３を表示手段装着部４５３内に挿入して行く。
【０６３１】
収容ケース４８２の挿入端側の取り付け部４８５が突出壁４６１の位置決め部４９１内に進入すれば、この取り付け部４８５と位置決め部４９１との位置決め機能により、表示手段装着部４５３内の画像表示手段３９３を左右方向の適正位置に位置決めすることができる。次に上下両側の固定手段４６３，４６４により画像表示手段３９３を表示手段装着部４５３の受け部４６０に固定すればよい。
【０６３２】
このように表示手段装着部４５３の挿脱部４６２側が開放状態にあれば、その挿脱部４６２側から画像表示手段３９３を遊技盤３１３と略平行に着脱できるので、表示手段装着部４５３の周辺に画像表示手段３９３に重なるように、側部基板取り付け台４６７、ハーネス受け台３９９等の他の構成部品があるにも拘らず、それらを取り外すことなく画像表示手段３９３を容易に着脱できる利点がある。そのため画像表示手段３９３の裏側に重なるように他の部品を配置することができる。
【０６３３】
また、画像表示手段３９３を表示手段装着部４５３内に挿入する際に、画像表示手段３９３の左右一端側が側部基板取り付け台４６７の下側に進入し、その後、画像表示手段３９３の下部側がハーネス受け台３９９の下側に進入するため、その側部基板取り付け台４６７、ハーネス受け台３９９を一種の案内部材として活用することができる。従って、遊技盤３１３が起立した状態で画像表示手段３９３を挿脱する場合にも、画像表示手段３９３が後方に脱落する等の恐れがなく、画像表示手段３９３の挿脱作業を容易且つ安全に行うことができる。
【０６３４】
組み立て等に際して、画像表示手段３９３の左右を間違えた状態で図８９（ｂ) に示すように表示手段装着部４５３に対して矢印方向に挿入しようとすると、演出制御基板ケース４９５を固定するための固定係合部４９９が表示手段装着部４５３の裏側の側部基板取り付け台４６７と干渉して、画像表示手段３９３を表示手段装着部４５３内に挿入することはできない。そのため画像表示手段３９３の誤挿入、誤装着等を未然に防止することができる。
【０６３５】
また、固定係合部４９９と側部基板取り付け台４６７とにより誤装着防止手段５１６を構成しており、固定係合部４９９と側部基板取り付け台４６７とを誤装着防止手段５１６に兼用しているため、専用の誤装着防止手段５１６を設ける場合に比較して構造的に簡素化することができる。
【０６３６】
なお、固定係合部４９９と側部基板取り付け台４６７とを誤装着防止用に兼用する場合でも、固定係合部４９９及び側部基板取り付け台４６７以外の他の部材を利用してもよい。また、他の部材で兼用せずに、誤装着防止用に専用の手段、部材を設けることも可能である。
【０６３７】
演出制御基板３４５を装着する場合には、演出制御基板ケース４９５の一端側を固定係合部４９９に係合した後、その演出制御基板ケース４９５を収容ケース４８２の背面に当接させて固定係合部４９９と当接部５００との間で挟む。また、演出制御基板ケース４９５を収容ケース４８２の背面に当接させたときに、演出制御基板ケース４９５に係合爪５０２が係合する。そのため遊技盤３１３が起立した状態でも、演出制御基板ケース４９５が脱落することがない。そして、最後に締結具５０１を枢軸５０５廻りに演出制御基板ケース４９５側へと廻して、締結具５０１により演出制御基板ケース４９５を収容ケース４８２の背面に締め付けて固定する。
【０６３８】
突出壁４６１の後側には、画像表示手段３９３の収容ケース４８２の下後壁部４９４に近接するように、表示手段装着部４５３の下部側の後方に配置されたハーネス受け台３９９が設けられている。ハーネス受け台３９９は、図８２〜図８４に示すように、下側及び左右両側の三辺がねじ等の固定具４７５により突出壁４６１に固定されてている。
【０６３９】
このハーネス受け台３９９の裏面には、図７２に示すように、ハーネス４７６用の掛け部５０７が上下方向及び左右方向に複数設けられており、その適当箇所の掛け部５０７を使用してハーネス４６７を止めるようになっている。掛け部５０７はハーネス受け台３９９の裏面に沿って配線されたハーネス４７６を止めるものであって、ハーネス受け台３９９と略平行に上下方向又は左右方向に配置され、弾性変形可能に長手方向の一端側がハーネス受け台３９９に連結されている。なお、この掛け部５０７は爪状、フック状に構成されている。
【０６４０】
ハーネス４７６の配線に際しては、ハーネス受け台３９９の裏面に沿って左右方向、その他の所定方向へとハーネス４７６を配線する一方、そのハーネス４７６を必要に応じて一部又は全部の掛け部５０７に引っ掛ける。掛け部５０７は適度の弾性を有する爪状、フック状に構成されており、ハーネス４７６が外れ難くなっている。
【０６４１】
このように表示手段装着部４５３の下部後方側にハーネス受け台３９９を設けて、このハーネス受け台３９９の裏側にハーネス４７６を配置することにより、表示手段装着部４５３に画像表示手段３９３を挿脱する際にも、画像表示手段３９３とハーネス４７６との錯綜を防止することができる。また、ハーネス受け台３９９を画像表示手段３９３の裏面に近接して配置することにより、このハーネス受け台３９９を画像表示手段３９３の案内用として兼用することもできる。
【０６４２】
第２基板取り付け台３９２は、図７２に示すように、ハーネス受け台３９９を含む取り付け枠３９１の下側を覆うように遊技盤３１３の裏面に装着されている。この第２基板取り付け台３９２は、ハーネス受け台３９９の裏側に位置する後壁部５０８と、取り付け枠３９１の下部の左右両側で遊技盤３１３に固定された側壁部５０９と、球排出口５１０が形成され且つ取り付け枠３９１の下側で遊技盤３１３に固定された底壁部５１１とを有する。
【０６４３】
この第２基板取り付け台３９２は、その後壁部５０８により、ハーネス受け台３９９の裏側に配線されたハーネスの裏側に対応する開口部５１２が設けられ、その開口部５１２を裏側から塞ぐように、主制御基板３５４を収容する主制御基板ケース５１３が後壁部５０８の裏側に着脱可能に装着されている。
【０６４４】
主制御基板ケース５１３は、図８３に示すように、前ケース５１３ａと後ケース５１３ｂとを前後方向に開閉可能に結合して構成されている。この主制御基板ケース５１３は、演出制御基板ケース４９５の下側に近接して横長状に配置され、左右両側の係合手段５１４，５１５等により、第２基板取り付け台３９２に着脱可能に装着されている。
【０６４５】
枠側ジョイント部３６９、盤側ジョイント部３７０は、図６６、図６９、図７１、図７２に示すように正面視略Ｌ字状に構成されており、その枠側ジョイント部３６９は前枠３０２のヒンジ３０３，３０７から遠い側の下部に前向きに、盤側ジョイント部３７０は遊技盤３１３のヒンジ３０３，３０７から遠い側の下部に後向きに前後方向に相対向して配置されている。
【０６４６】
枠側ジョイント部３６９は、図６６、図６９に示すように、側壁部３１９の後端から内側へと屈曲するジョイント支持部５１９と、側壁補強部材３６８の後端から内側へと屈曲してジョイント支持部５１９を裏側から補強するジョイント補強部５２０と、ジョイント支持部５１９の前側に配置された枠側取り付け板５２１と、枠側取り付け板５２１に前向きに取り付けられた第１〜第３枠側コネクタ５２５〜５２７とを備えている。
【０６４７】
枠側取り付け板５２１には、上下方向に配置された第１枠側取り付け部５２２と、左右方向に配置された第２，第３枠側取り付け部５２３，５２４とを有し、その第１枠側取り付け部５２２に第１枠側コネクタ５２５が、第２，第３枠側取り付け部５２３，５２４に第２，第３枠側コネクタ５２６，５２７が夫々前向きに装着されている。第１〜第３枠側コネクタ５２５〜５２７は、両端側の取り付け具５２８を介してフローティング可能に支持されている。
【０６４８】
盤側ジョイント部３７０は、図６６、図７１、図７２に示すように、枠側ジョイント部３６９に対向して第２基板取り付け台３９２の後壁部５０８の下隅部分に配置されており、その後壁部５０８に形成された上下方向の第１盤側取り付け部５３０と左右方向の第２，第３盤側取り付け部５３１，５３２とを有し、その第１盤側取り付け部５３０に第１盤側コネクタ５３３が、第２，第３盤側取り付け部５３１，５３２に第２，第３盤側コネクタ５３４，５３５が夫々後向きに配置されている。
【０６４９】
第１〜第３枠側取り付け部５２２〜５２４、第１〜第３枠側コネクタ５２５〜５２７は、遊技盤３１３の回動中心Ｏに近い側が前側に位置し、第１〜第３盤側取り付け部５３０〜５３２、第１〜第３盤側コネクタ５３３〜５３５は、遊技盤３１３の回動中心Ｏに近い側が前側に位置するように、夫々左右方向の線分に対して斜め方向に傾斜して配置されている。そして、第１〜第３枠側コネクタ５２５〜５２７と第１〜第３盤側コネクタ５３３〜５３５は、係合部３１５側を回動中心Ｏとして遊技盤３１３を回動させたときに、回動中心Ｏに近い側から順次ピン挿脱部分が回動中心Ｏ廻りの接線方向に接続するように構成されている。
【０６５０】
第１〜第３盤側取り付け部５３０〜５３２は、略回動中心Ｏを通る線分上に配置されており、その第１〜第３盤側取り付け部５３０〜５３２に第１〜第３盤側中継基板５３６〜５３８を介して第１〜第３盤側コネクタ５３３〜５３５が装着されている。そのため第１〜第３盤側コネクタ５３３〜５３５のピン挿脱部分は第１〜第３盤側取り付け部５３０〜５３２と略平行であり、第１〜第３盤側取り付け部５３０〜５３２の前側に接近して配置されている。第１〜第３盤側中継基板５３６〜５３８には、遊技盤３１３側の各基板との間のハーネス４７６を接続するための第１〜第３中継コネクタ５３９〜５４１が設けられている。
【０６５１】
枠側ジョイント部３６９の第１〜第３枠側コネクタ５２５〜５２７は、盤側ジョイント部３７０の第１〜第３盤側コネクタ５３３〜５３５に対応して構成されている。第２，第３枠側コネクタ５２６，５２７と第２，第３盤側コネクタ５３４，５３５は、回動中心Ｏから遠い側の第２枠側コネクタ５２６及び第２盤側コネクタ５３４が近い側の第３枠側コネクタ５２７及び第３盤側コネクタ５３５よりも上側に配置されている。第１〜第３枠側コネクタ５２５〜５２７と第１〜第３盤側コネクタ５３３〜５３５は、略同時にピン挿脱部分が挿脱するように配置してもよいし、回動中心Ｏに遠い側からピン挿脱部分が順次挿脱するように配置してもよい。
【０６５２】
このような構成の枠側ジョイント部３６９と盤側ジョイント部３７０とを設けておけば、遊技盤３１３を遊技盤装着部３１１に装着する際に、遊技盤３１３を回動中心Ｏ廻りに回動させることにより、枠側ジョイント部３６９の枠側コネクタ５２５〜５２７と、盤側ジョイント部３７０の盤側コネクタ５３３〜５３５とが接線方向に接続するため、盤側コネクタ５３３〜５３５を枠側コネクタ５２５〜５２７に対して無理なく接続することができる。
【０６５３】
即ち、遊技盤３１３の一端側を遊技盤装着部３１１の当接部と３１４と係合部３１５との間に挿入し、遊技盤３１３の他端側を前側から矢印方向に押圧して、遊技盤３１３を回動中心Ｏ廻りに回動させることにより、枠側ジョイント部３６９の枠側コネクタ５２５〜５２７と、盤側ジョイント部３７０の盤側コネクタ５３３〜５３５とが接線方向に接続するため、盤側コネクタ５３３〜５３５を枠側コネクタ５２５〜５２７に対して無理なく接続することができる。
【０６５４】
遊技盤装着部３１１に遊技盤３１３を装着する際には、図６５に二点鎖線で示すように、遊技盤装着部３１１の前側から遊技盤３１３の一端側を遊技盤装着部３１１の当接部３１４と係合部３１５との間に挿入し、次に遊技盤３１３の他端側を本体枠３０５内へと押圧する。すると遊技盤３１３が回動中心Ｏ廻りに図６５の３１３Ａ矢示方向に回動するので、遊技盤３１３を遊技盤装着部３１１内に押し込むことができる。
【０６５５】
そして、遊技盤３１３が３１３Ａ矢示方向に回動するときに、盤側ジョイント部３７０の各盤側コネクタ５３３〜５３５と枠側ジョイント部３６９の枠側コネクタ５２５〜５２７とが図８７（ａ）に示す状態を経て図８７（ｂ）に示すように接近して、対応する盤側コネクタ５３３〜５３５と枠側コネクタ５２５〜５２７とが回動中心Ｏに近い側から順次接線方向に接続する。従って、盤側コネクタ５３３〜５３５と枠側コネクタ５２５〜５２７とを無理なく接続することができる。
【０６５６】
また、複数の枠側ジョイント部３６９及び盤側ジョイント部３７０とをＬ字状に配置することにより、例えば盤側ジョイント部３７０側であれば、第２基板取り付け台３９２の隅部分の二辺を有効に活用して盤側ジョイント部３７０を配置することが可能である。従って、枠側コネクタ５２５〜５２７及び盤側コネクタ５３３〜５３５の数が複数あるにも拘わらず、二辺の少ないスペースを有効に活用して枠側ジョイント部３６９及び盤側ジョイント部３７０を効率的に配置することができる。
【０６５７】
取り付け枠３９１内には、図７０、図７３〜図７５に示すように、画像表示手段３９３の前側の上下に第１，第２可動演出手段３９４，３９５が配置され、画像表示手段３９３の前側の左右に第３，第４可動演出手段３９６，３９７が配置されている。
【０６５８】
第１可動演出手段３９４は、図７０、図７３〜図７５に示すように、第１可動演出体５４６と、この第１可動演出体５４６を上下方向に駆動する第１駆動手段５４７とを備え、第１駆動手段５４７の駆動により、略水平な状態を保ったままで、画像表示手段３９３の上部前側の上部位置と下部前側の下部位置との間で上下方向に移動可能である。なお、第１駆動手段５４７は第１可動演出体５４６を支持する支持機構を兼用している。
【０６５９】
第１可動演出体５４６は、画像表示手段３９３の前側上部に横長状に配置された支持体５４８と、この支持体５４８の前面側に装着された装飾体５４９とを備え、支持体５４８の左右両端側が画像表示手段３９３の左右両側に配置された一対の第１駆動手段５４７により、第１駆動連結体５５０を介して上下方向に移動可能に支持されている。
【０６６０】
第１駆動手段５４７は、縦長状の支持部材５５１を介して取り付け枠３９１に支持されている。この第１駆動手段５４７は、画像表示手段３９３の外側縁に沿ってその上下両端側にかけて上下方向に配置され且つ第１駆動連結体５５０を上下方向に案内する細長円柱状の昇降案内体５５２と、この昇降案内体５５２の下端近傍に配置された駆動プーリ５５３と、昇降案内体５５２の上端側近傍に配置された従動プーリ５５４と、駆動プーリ５５３を回転駆動するステッピングモータ等の駆動源５５５と、駆動プーリ５５３と従動プーリ５５４とに巻き掛けられ且つその周方向の所定箇所に第１駆動連結体５５０が固定された無端状のタイミングベルト５５６とを備えている。
【０６６１】
第１駆動連結体５５０には、第１可動演出体５４６の端部が前後方向の枢軸５５７により回転可能に連結されている。第１可動演出体５４６の一端側には、枢軸５５７が左右方向に摺動自在に挿通される長孔５５８が形成されている。従って、第１可動演出体５４６は枢軸５５７が長孔５５８内を摺動する範囲内で斜めに傾斜することも可能である。
【０６６２】
装飾体５４９には飛行機をモチーフにした立体装飾が採用されており、胴体部５５９と、この胴体部５５９から左右両側に伸びる翼部５６０とを有する。装飾体５４９は胴体部５５９の先端側が中央表示枠３８８の表示窓４１８内に突出して配置されている。翼部５６０はその先端側が中央表示枠３８８の左右の装飾部材４２４の前に配置されている。
【０６６３】
装飾体５４９の一部である翼部５６０は、中央表示枠３８８の装飾部材４２４の前側に配置される前側部を構成し、胴体部５５９等を除く他の部分が装飾部材４２４の後側に配置される後側部を構成している。従って、このように装飾体５４９を中央表示枠３８８の装飾部材４２４の前後両側に重ねて配置することにより、第１可動演出手段３９４の配置領域を十分に確保することができる。
【０６６４】
また、中央表示枠３８８の左右の装飾部材４２４間の間隔は上下で異なっており、装飾体５４９はその間隔の広がった位置で左右の装飾部材４２４に対して前後方向に通過可能になっている。例えば、この実施形態では、下部側で左右の装飾部材４２４間の間隔が大きくなっているため、第１可動演出手段３９４を取り付け枠３９１に組み付ける際には、装飾部材４２４の下部側まで第１可動演出体５４６を移動させて、装飾体５４９の翼部５６０を装飾部材４２４の前に位置させることになる。
【０６６５】
取り付け枠３９１の左右両側壁の内側には、第１可動演出手段３９４の第１可動演出体５４６、取り分けその装飾体５４９を照明するようにＬＥＤ基板５４２が設けられている。ＬＥＤ基板５４２は第１可動演出体５４６の移動範囲に対応して上下方向に複数のＬＥＤ５４３を備え、所定の可動演出時にＬＥＤ５４３を発光させて装飾体５４９を照明するようになっている。
【０６６６】
なお、装飾体５４９は飛行機以外のモチーフでもよく、左右方向に移動する場合には、装飾体５４９が装飾部材４２４から内側に外れる位置まで移動させた状態で組み付けるようにすればよい。また、装飾体５４９は装飾部材４２４の前側と装飾部材４２４の前側から外れる位置との間で移動可能であればよく、上下方向、左右方向等に直線的に運動する他、回転又は揺動運動するようにしてもよい。また、弾性変形により装飾部材４２４の前側から外れるようにしてもよい。更に第１可動演出手段３９４は、その少なくとも一部を中央表示枠３８８の装飾部材４２４の前側に配置し、その他の主要部を中央表示枠３８８の装飾部材４２４の裏側に配置してもよい。
【０６６７】
第２可動演出手段３９５は、図７０、図７３〜図７５に示すように、第２可動演出体５６２と、取り付け枠３９１に固定された支持部材５６３により支持され且つ第２可動演出体５６２を上下方向に駆動する第２駆動手段５６４とを備え、第２可動演出体５６２が第２駆動手段５６４の駆動により、略水平な状態を保ったままで、画像表示手段３９３の下部前側の下部位置と上下中間部前側の上部位置との間で移動可能である。なお、第２駆動手段５６４は第２可動演出体５６２を支持する支持機構を兼用している。
【０６６８】
第２駆動手段５６４は、第１駆動手段５４７の後側で取り付け枠３９１の後壁部４４６の前側に配置されており、画像表示手段３９３の側縁に沿ってその下部側に上下方向に配置され且つ第２駆動連結体５６５を上下方向に案内する細長円柱状の昇降案内体５６６と、この昇降案内体５６６の上端側近傍に配置された駆動プーリ５６７と、昇降案内体５６６の下端側近傍に配置された従動プーリ５６８と、駆動プーリ５６７を回転駆動するステッピングモータ等の駆動源５６９と、駆動プーリ５６７と従動プーリ５６８とに巻き掛けられ且つその周方向の所定箇所に第２駆動連結体５６５が固定された無端状のタイミングベルト５７０とを備えている。
【０６６９】
駆動源５６９は支持部材５６３の裏側に固定されており、その後端側が取り付け枠３９１の膨出部４５４内に配置されている。勿論、この場合には第２駆動手段５６４の一部である駆動源５６９が膨出部４５４内に配置されているが、第２可動演出手段３９５の少なくとも一部、例えば第２可動演出手段３９５の支持機構及び／又は第２駆動手段５６４の少なくとも一部を膨出部４５４内に組み込んでもよい。
【０６７０】
このように取り付け枠３９１の内側に配置される内部機構である遊技部品を膨出部４５４内に組み込むことにより、画像表示手段３９３の前側に第１可動演出手段３９４と第２可動演出手段３９５とを配置する場合でも、遊技盤３１３と画像表示手段３９３との間に大きな間隔を確保する必要がなく、画像表示手段３９３を遊技盤３１３側に接近させて配置することができる。
【０６７１】
第２駆動連結体５６５には、第２可動演出体５６２の端部が前後方向の枢軸５７１により回転可能に連結されている。なお、第１可動演出体５４６の一端側には、枢軸５７１が左右方向に摺動自在に挿通される長孔５７２が形成されている。従って、第２可動演出体５６２は枢軸５７１が長孔５７２内を摺動する範囲内で斜めに傾斜することも可能である。
【０６７２】
第１可動演出体５４６と第２可動演出体５６２は上下に配置されているが、第１可動演出体５４６の移動経路と、第２可動演出体５６２の移動経路は前後方向にずれて配置されている。従って、第１可動演出体５４６と第２可動演出体５６２は、互いに相手側と干渉することなく任意に上下方向に移動可能である。
【０６７３】
第３，第４可動演出手段３９６，３９７は、図７０、図７３〜図７５に示すように、画像表示手段３９３の左右両側に対応して左右対称に配置されており、縦長状の可動演出体５７４と、この可動演出体５７４を左右方向に駆動する駆動手段５７５とを備え、駆動手段５７５により、画像表示手段３９３に対して左右方向の外側の外部位置と、左右方向の内側の内部位置との間で移動可能である。なお、駆動手段５７５は可動演出体５７４を支持する支持機構を兼用している。
【０６７４】
可動演出体５７４は前面側に任意の装飾（図示省略）が施されており、画像表示手段３９３の左右の縁部に沿ってその前側に縦長状に配置されている。駆動手段５７５は、取り付け枠３９１の周壁部４４７の内側に固定された支持部５７６と、この支持部５７６に対して左右方向に摺動可能に設けられ且つ前側に可動演出体５７４が固定された摺動部５７７とを含む電磁摺動手段により構成されている。可動演出体５７４は、駆動手段５７５により、画像表示手段３９３に対して左右方向の外側の外部位置と、左右方向の内側の内部位置との間で移動可能である。
【０６７５】
なお、第３可動演出手段３９６と第４可動演出手段３９７との可動演出体５７４は左右両側に離間しており、内部位置へと移動したときにも互いに干渉することはない。また、第３，第４可動演出手段３９６，３９７の各可動演出体５７４の移動経路は、第１可動演出体５４６の移動経路と第２可動演出体５６２の移動経路との間にあり、移動時に第３，第４可動演出手段３９６，３９７の各可動演出体５７４が互いに干渉することもない。
【０６７６】
第１〜第４可動演出手段３９４〜３９７は、第１の実施形態と同様の可動演出に使用する他、第１〜第４可動演出手段３９４〜３９７の全て又は一部を適宜移動させて、画像表示手段３９３の表示画面５７８の画像表示領域５７９を狭く制限したり、広く拡大したりすることも可能である。
【０６７７】
例えば通常時に、図８８（ａ）に示すように第１〜第４可動演出手段３９４〜３９７により表示画面５７８を制限して狭い画像表示領域５７９で遊技を行い、リーチその他の遊技者に有利な特定の遊技状態、又はその前兆の遊技状態の場合には、図８８（ｂ）に示すように第１〜第４可動演出手段３９４〜３９７を表示画面５７８の外側へと後退させて表示画面５７８の全域まで広げて、広い画像表示領域５７９で遊技を行うことも可能である。
【０６７８】
画像表示領域５７９を制限する方法としては、上下の第１，第２可動演出手段３９４，３９５の一方又は両方を画像表示手段３９３の表示画面５７８の中央側に移動させて画像表示領域５７９の上下幅を制限する第１の方法と、左右の第３，第４可動演出手段３９６，３９７の一方又は両方を画像表示手段３９３の表示画面５７８の中央側に移動させて画像表示領域５７９の左右幅を制限する第２の方法とがある。また、第１の方法と第２の方法とを組み合わせて、画像表示領域５７９の上下幅と左右幅とを制限する方法もある。第１〜第４可動演出手段３９４〜３９７の全て又は一部を利用して表示領域の上下幅及び／又は左右幅の拡大、縮小は、間欠的に複数回繰り返してもよい。
【０６７９】
図９０〜図１０７は本願発明の第４の実施形態を示し、この実施形態では、遊技盤３１３の裏側の表示手段装着部４５３に対して画像表示手段３９３を横方向に挿脱可能にした横挿脱式を例示する。
【０６８０】
遊技盤３１３は図９０〜図９２に示すように裏側に取り付け枠３９１を備えている。この取り付け枠３９１の裏側には、遊技盤３１３の前面側の中央表示枠３８８に対応する液晶式等の画像表示手段３９３と、前枠３０２の前面側の発光演出用のＬＥＤ（図示省略）が接続されたＬＥＤ接続基板３５３と、裏面側に配置されたハーネスを受けるハーネス受け台３９９と、各ハーネスを中継する中継基板３５２とが装着されている。
【０６８１】
画像表示手段３９３の裏側には、演出制御基板３４５を収容する演出制御基板ケース４９５と、電源モジュール基板３４６を収容する電源モジュール基板ケース５０６とが装着されており、その演出制御基板ケース４９５の下側にハーネス受け台３９９が設けられている。
【０６８２】
取り付け枠３９１は、図９３〜図９８等に示すように、遊技盤３１３と略平行に形成され且つその略中央に矩形状の開口部４５５が形成された後壁部４４６と、その後壁部４４６の外縁部から遊技盤３１３の背面まで前向きに延設された周壁部４４７とを備え、その周壁部４４７の前端部がねじ、釘等の固定具５８６により遊技盤３１３の裏側に固定されている。
【０６８３】
取り付け枠３９１の後壁部４４６の裏面側には、図９３に示すように、画像表示手段３９３を遊技盤３１３に沿って左右方向に挿脱可能な表示手段装着部４５３と、この表示手段装着部４５３の左右一端側に画像表示手段３９３よりも後方に突出して上下方向に配置され且つＬＥＤ接続基板３５３が着脱自在に装着された側部基板取り付け台４６７とが設けられている。
【０６８４】
画像表示手段３９３は、図９９に示すように、矩形状の液晶式等の画像表示パネル４８１を収容ケース４８２に収容して構成されている。そして、この画像表示手段３９３は、表示手段装着部４５３の側部基板取り付け台４６７と左右方向の反対側に開放状に設けられた挿脱部４６２から、表示手段装着部４５３に左右方向（横方向）に挿脱可能であり、左右両端の固定手段５８４，５８５により所定の装着位置に固定されている。
【０６８５】
収容ケース４８２は前後方向に偏平状であって、図９４〜図９９に示すように、前側の開放側から画像表示パネル４８１が着脱自在に収容され、周壁部４８４に左右両側から挿通されて画像表示パネル４８１の側面に当接するねじ等の固定具５８６により、画像表示パネル４８１が着脱自在に保持されている。収容ケース４８２は上後壁部４９３と下後壁部４９４とを有し、その上後壁部４９３には、収容ケース４８２の強度を確保するために縦方向、横方向等の所定方向に補強リブ５８７、断面Ｕ字状の補強突条部５８８が設けられている。
【０６８６】
この収容ケース４８２の上，下後壁部４９３，４９４側の補強リブ５８７、補強突条部５８８等の前端面と、画像表示パネル４８１の裏面との間には、図９９に示すように前後方向に僅かの隙間ｓが設けられている。そのため画像表示手段３９３を単体で取り扱う際に、仮に収容ケース４８２の上，下後壁部４９３，４９４の何れか一方又は両方を画像表示パネル４８１側に押圧するようなことがあっても、補強リブ５８７、補強突条部５８８等と画像表示パネル４８１との間の隙間ｓの範囲内で収容ケース４８２の上，下後壁部４９３，４９４が画像表示パネル４８１側に多少変形するだけであり、収容ケース４８２の上，下後壁部４９３，４９４の変形によって画像表示パネル４８１が直ちに変形又は破損するようなことはない。
【０６８７】
固定手段５８４，５８５は、図９０〜図９２に示すように、画像表示手段３９３の左右両側に上下方向に複数組み設けられている。そして、各固定手段５８４，５８５は、図９８に示すように、収容ケース４８２から左右方向に突出する取り付け部５８９，５９０と、この取り付け部５８９，５９０に対応して表示手段装着部４５３に設けられた取り付け孔５９１，５９２と、取り付け部５８９，５９０から取り付け孔５９１，５９２に挿通するねじ等の固定具５９３，５９４とを備えている。
【０６８８】
画像表示手段３９３の先端側の固定手段５８４の取り付け孔５９１は、後壁部４４６から後方に突出する突出壁５９５の切り欠き部５９６内に設けられている。また、切り欠き部５９６は取り付け部５８９に対応して形成されており、この切り欠き部５９６に取り付け部５８９が横方向に挿脱自在である。従って、切り欠き部５９６は位置決め部としての機能を有し、収容ケース４８２側の取り付け部５８９との間で収容ケース４８２を位置決めする位置決め手段を構成している。
【０６８９】
取り付け部５８９の先端側に傾斜状の案内部５９８が設けられ、また、突出壁５９５には切り欠き部５９６に対応して案内部５９９が設けられており、これら案内部５９８，５９９により、取り付け部５８９を突出壁５９５の切り欠き部５９６へと案内するようになっている。案内部５９８，５９９は傾斜部により構成されているが、円弧面等でもよい。
【０６９０】
収容ケース４８２の上後壁部４９３の裏側には、第３の実施形態と同様に、演出制御基板３４５を収容する演出制御基板ケース４９５と、電源モジュール基板３４６を収容する電源モジュール基板ケース５０６とが着脱自在に配置されている。演出制御基板ケース４９５は左右方向に横長状であって、その上側に電源モジュール基板ケース５０６が配置されている。
【０６９１】
演出制御基板ケース４９５は、図９０に示すように、画像表示手段３９３の収容ケース４８２に対して固定係合部４９９と当接部５００と締結具５０１と係合爪５０２とにより、上後壁部４９３の裏側に着脱可能に装着されている。固定係合部４９９と当接部５００は演出制御基板ケース４９５分の間隔をおいて収容ケース４８２から後方に突出しており、その固定係合部４９９には演出制御基板ケース４９５の係合突部５０３が係脱自在に係合し、また、当接部５００は固定係合部４９９との間で演出制御基板ケース４９５を左右方向に挟むようになっている。
【０６９２】
締結具５０１は枢軸５０５により当接部５００上に回動自在に支持され、枢軸５０５廻りに操作して、演出制御基板ケース４９５を上後壁部４９３に締め付けるようになっている。係合爪５０２は収容ケース４８２から裏側に突出して当接部５００の上側に配置され、演出制御基板ケース４９５に係脱自在に係合している。
【０６９３】
収容ケース４８２の下後壁部４９４の裏面側には、図９１〜図９２、図１００〜図１０３に示すように、演出制御基板ケース４９５の下側にハーネス受け台３９９が設けられている。このハーネス受け台３９９は、収容ケース４８２の下後壁部４９４自体により構成されており、演出制御基板３４５と可動演出手段（図示省略）とを接続するフラットハーネス等の各種のハーネス６００が所定方向に配置され、止め具６０１で止めるようになっている。
【０６９４】
ハーネス受け台３９９を構成する収容ケース４８２の下後壁部４９４の裏面側には、複数箇所に取り付け部６０２が凹入状に設けられ、その各取り付け部６０２に縦横に多数の取り付け孔６０３が設けられている。
【０６９５】
取り付け部６０２は、上下方向に長い縦部分６０２ａと、左右方向に長い横部分６０２ｂとを有し、その取り付け部６０２の縦，横部分６０２ａ，６０２ｂに止め具６０１用の二個一組（複数一組）の取り付け孔６０３が多数組み設けられ、その何れかの取り付け孔６０３を利用して止め具６０１を取り付けることにより、止め具６０１の装着位置を上下方向、左右方向に任意に変更可能である。
【０６９６】
止め具（止め部）６０１は、図１０３に示すように、基部６０４と、この基部６０４の一端に一体に形成された押え部６０５と、押え部６０５の他端側を基部６０４の他端側に係脱自在に係止する係止手段６０６とを有し、その基部６０４と押え部６０５との間でハーネス６００を挟み込んで、押え部６０５の他端を基部６０４の他端に対して係止手段６０６により係止するようになっている。係止手段６０６は基部６０４側の係止部６０７と、押え部６０５側の被係止部６０８とを有し、その係止部６０７と被係止部６０８とが係脱するようになっている。
【０６９７】
基部６０４は取り付け部６０２の凹入深さと略同程度の厚さであり、取り付け孔６０３に挿入可能な二個（複数）の取り付け突部６０９を備え、その取り付け突部６０９を取り付け孔６０３に挿入して止め具６０１を着脱自在に取り付けるようになっている。止め具（止め部）６０１はハーネス受け台３９９と一体に設けてもよい。
【０６９８】
ハーネス６００の一端は演出制御基板３４５に接続されている。また、ハーネス６００の他端は、図１０１、図１０２に示すように、収容ケース４８２の側面から取り付け枠３９１の側面を経て取り付け枠３９１の内部へと導かれており、取り付け枠３９１の内部で可動演出手段３９４〜３９７側に接続されている。ハーネス６００の途中は、押え部材６３８により取り付け枠３９１の周壁部４４７の側面に沿って押えられている。押え部材６３８はねじ等の固定具６３７により取り付け枠３９１に固定されている。
【０６９９】
このように収容ケース４８２の取り付け部６０２に多数組みの取り付け孔６０３を設けておけば、ハーネス６００の配線位置、配線方向等に応じて必要箇所に止め具６０１を配置することが可能であり、ハーネス６００の配線の変更、その他に任意に対応することができる。また、収容ケース４８２の取り付け部５７２が凹入状であり、その取り付け部５７２に止め具６０１を配置することにより、止め具６０１の基部６０４の後方への突出量を少なくすることができる。その結果、収容ケース４８２の下後壁部４９４に沿ってハーネス６００を配置することができる。
【０７００】
表示手段装着部４５３は、図９３〜図９８、図１０６に示すように、開口部４５５の外周側に設けられ且つ画像表示手段３９３を前側から受ける受け部４６０と、この受け部４６０の上下両側に設けられ且つ画像表示手段３９３の上下両側を横挿脱方向に案内する案内突条６１０とを備え、その左右一端側に配置された側部基板取り付け台４６７とは反対の他端側が挿脱部４６２となっている。なお、上側の案内突条６１０はリブ状に形成され、下側の案内突条６１０は断面Ｕ字状に形成されているが、この案内突条６１０は上下共に略同じ構造にしてもよい。
【０７０１】
受け部４６０と案内突条６１０とにより、開口部４５５の上下両側で画像表示手段３９３を左右方向に案内する上下一対の案内レール６１１が構成されている。案内レール６１１は受け部４６０により構成され且つ収容ケース４８２の先端摺動部６１２を含む摺動部を案内する前側レール部６１３と、この前側レール部６１３の外側から裏側に突出し且つ収容ケース４８２の上下両側を外側から案内する外側レール部６１４とを有する。先端摺動部６１２は収容ケース４８２の挿入端側の上下両端部に設けられており、収容ケース４８２の周壁部４８４から先端側へと突出している。
【０７０２】
挿脱部４６２は、図１０６、図１０７に示すように、表示手段装着部４５３の他端裏側に配置されている。この挿脱部４６２は表示手段装着部４５３の他端側において、画像表示手段３９３を案内レール６１１に対して後側から斜め方向に傾斜させて、その状態で先端摺動部６１２を案内レール６１１の前側レール部６１３に当接させることが可能であればよい。従って、挿脱部４６２は表示手段装着部４５３の他端側の所定範囲に設けられている。
【０７０３】
案内レール６１１の前側レール部６１３には、その一部を切り欠いて欠落した挿入部６１５がＬＥＤ接続基板３５３用の側部基板取り付け台４６７の前側に対応して設けられ、画像表示手段３９３を挿脱部４６２側から案内レール６１１に対して斜め方向に傾斜させたときに、画像表示手段３９３の先端摺動部６１２側が挿入部６１５内に入って前側レール部６１３に対して交差状になるように構成されている。
【０７０４】
上側の案内レール６１１には、図９６、図１０４に示すように、画像表示手段３９３の先端摺動部６１２側が挿入部６１５に入ったときに、その先端摺動部６１２が当接する規制部６１６と、先端摺動部６１２が規制部６１６に当接して規制された状態で画像表示手段３９３の後端側を前側レール部６１３へと回動させるときに支点となる支点部６１７とが設けられている。
【０７０５】
先端摺動部６１２と規制部６１６は、画像表示手段３９３を支点部６１７廻りに後端側が前側レール部６１３に接近するように回動させたとき、先端摺動部６１２が上がるように相対的に案内する案内部６１８と案内部６１９とを有する。
【０７０６】
側部基板取り付け台４６７の挿脱部４６２側の端縁は、傾斜姿勢の画像表示手段３９３を案内レール６１１に沿って装着位置側へと移動させたときに、その画像表示手段３９３の挿入端側又は挿入端側の近傍が当接する当接部６２０となっている。
【０７０７】
下側の案内レール６１１には支点部６１７があるが、規制部６１６は設けられていない。しかし、下側の案内レール６１１も上側の案内レール６１１と同様に構成してもよい。従って、規制部６１６は上下の案内レール６１１の内、少なくとも一方にあればよい。
【０７０８】
なお、収容ケース４８２の取り付け部５７２は、先端摺動部６１２よりも突出しているが、先端摺動部６１２が前側レール部６１３に対応するのに対して、取り付け部５７２は開口部４５５に対応しているため、先端摺動部６１２が規制部６１６に当接したときにも、取り付け部５７２が他の部材等と干渉するようなことはない。
【０７０９】
表示手段装着部４５３には、図９０、図９２、図９６、図１０５に示すように、画像表示手段３９３の後端側に対応して上下両側に押し込み手段（移動助勢手段）６２３が設けられている。この押し込み手段６２３は、画像表示手段３９３が前側レール部６１３に沿うように、図１０４の支点部６１７廻りに画像表示手段３９３の後端側を前側レール部６１３へと６１７Ａ矢示方向に回動させたときに、画像表示手段３９３の後端を前側レール部６１３に沿って所定の装着位置へと６１３Ａ矢示方向に押し込む（画像表示手段３９３の６１３Ａ矢示方向への移動を助勢する）ためのものであって、画像表示手段３９３の収容ケース４８２の後端部に設けられた被押圧部６２４と、取り付け枠３９１の後壁部４４６に傾斜状に形成され且つ被押圧部６２４が当接したときに収容ケース４８２を装着位置へと押圧して案内する押圧案内部６２５とを有する。
【０７１０】
押し込み手段６２３は前側レール部６１３に対応して表示手段装着部４５３の上下両側に設けられており、収容ケース４８２の上下両端側を押圧するようになっている。取り付け枠３９１の後壁部４４６は、押圧案内部６２５に対応して断面Ｕ字状に屈曲する補強部６２６が設けられている。この補強部６２６は開口部４５５の開口縁に沿って上下方向の全長に設けてもよい。
【０７１１】
なお、被押圧部６２４は収容ケース４８２側に角形状に設けられ、押圧案内部６２５は取り付け枠３９１の後壁部４４６側に傾斜状に固定されているが、逆に構成してもよいし、被押圧部６２４及び押圧案内部６２５を共に傾斜状又は湾曲状に構成することも可能である。
【０７１２】
また、押し込み手段６２３は、表示手段装着部４５３の装着位置への画像表示手段３９３の移動方向と反対側の端部、即ち開口部４５５に対して側部基板取り付け台４６７と反対側の端部にあればよく、上下両側の他に上下方向の中間部又は中央部に設ける等、上下方向に１又は複数配置すればよい。また、押圧案内部６２５は縦軸廻りに回転する回転体等により構成することも可能である。
【０７１３】
前側レール部６１３には、図９６、図９７に示すように、挿入部６１５よりも押し込み手段６２３側に乗り上げ部６２７が設けられている。画像表示手段３９３の収容ケース４８２には、画像表示手段３９３が所定の装着位置のときに乗り上げ部６２７が入る収容凹部６２８とが設けられている。
【０７１４】
乗り上げ部６２７は、画像表示手段３９３が前側レール部６１３に沿うように、この画像表示手段３９３を支点部６１７廻りに図１０４の６１７Ａ矢示方向に回動させたときに収容ケース４８２の前面が当接して、その乗り上げ部６２７廻りに収容ケース４８２の先端摺動部６１２側を図１０４の６２７Ａ矢示方向に持ち上げて規制部６１６から上側に外すようになっている。
【０７１５】
収容凹部６２８は収容ケース４８２の上下両端側の前面に凹入状に形成され、画像表示手段３９３が所定の装着位置に位置するときに乗り上げ部６２７が入るようになっている。なお、乗り上げ部６２７は、収容ケース４８２の先端摺動部６１２が摺動し易くなるように、押圧案内部６２５側が傾斜状に形成されている。下側の案内レール６１１には、前側レール部６１３に切り欠き部６３９が設けられているが、切り欠き部６３９はなくてもよい。
【０７１６】
画像表示手段３９３を表示手段装着部４５３に装着する際には、例えば遊技盤３１３の前面が下側となり取り付け枠３９１が上側となるように遊技盤３１３を倒して、その状態で図１０７（ａ）〜（ｃ）に示すような手順により行う。
【０７１７】
先ず挿脱部４６２側において、画像表示手段３９３を一対の案内レール６１１の前側レール部６１３に対して図１０７（ａ）に示すように斜め方向に傾斜させた傾斜状態に配置し、その先端側の先端摺動部６１２を案内レール６１１に当接させる。次に先端摺動部６１２を前側レール部６１３に沿って６１３Ａ矢示方向に摺動させて、図１０７（ｂ）に示すように、側部基板取り付け台４６７の下側の装着位置へと移動させる。
【０７１８】
このとき画像表示手段３９３が側部基板取り付け台４６７の当接部６２０に当接すれば、必要に応じて画像表示手段３９３を案内レール６１１に沿うように先端摺動部６１２廻りに倒しながら、画像表示手段３９３の先端側を側部基板取り付け台４６７の下側へと挿入する。
【０７１９】
画像表示手段３９３が傾斜状態で装着位置へと移動する途中に、その先端摺動部６１２が側部基板取り付け台４６７の下側に進入して挿入部６１５に対応すると、図１０７（ｃ）に示すように、先端摺動部６１２を含む画像表示手段３９３の先端側が挿入部６１５内に進入し、その先端摺動部６１２の先端が規制部６１６に当接する。
【０７２０】
従って、表示手段装着部４５３の裏側に、取り付け状態の画像表示手段３９３の裏側に近接するように側部基板取り付け台４６７があるにも拘わらず、画像表示手段３９３の先端側を側部基板取り付け台４６７の下側に大きく挿入することができる。
【０７２１】
なお、画像表示手段３９３が大きな傾斜角度の場合には、側部基板取り付け台４６７に接近した時点で、画像表示手段３９３がその当接部６２０に当接する。そのため画像表示手段３９３が当接部６２０に当接すれば、画像表示手段３９３の反挿入端側が案内レール６１１に接近するように画像表示手段３９３を倒して行く。これによって、画像表示手段３９３を所定の角度で挿入部６１５内に挿入することができる。
【０７２２】
次に画像表示手段３９３の反挿入端側を案内レール６１１側に押圧すると、画像表示手段３９３を支点部６１７廻りに６１７Ａ矢示方向に回動させて案内レール６１１の前側レール部６１３に沿った状態にする。このとき画像表示手段３９３の先端摺動部６１２が支点部６１７廻りの６１７Ａ矢示方向の回動に伴って規制部６１６に案内されながら、規制部６１６から外れて行く。
【０７２３】
そして、画像表示手段３９３の反挿入端側が前側レール部６１３に接近すると、図１０５に二点鎖線で示すように、画像表示手段３９３の反挿入端側の被押圧部６２４が取り付け枠３９１側の押圧案内部６２５に当接して、その押圧案内部６２５の傾斜に沿って被押圧部６２４を押し込み方向へと６１３Ａ矢示方向に案内する。これによって画像表示手段３９３を案内レール６１１に沿って所定の装着位置へと図１０７の６１３Ａ矢示方向に押し込むことができる。
【０７２４】
従って、画像表示手段３９３を上下の案内レール６１１間に傾斜状に載せて、その先端摺動部６１２を案内レール６１１に沿って摺動させながら、画像表示手段３９３の後端側が案内レール６１１上に載るように、画像表示手段３９３を案内レール６１１間に倒し込んで行くことにより、画像表示手段３９３を案内レール６１１に沿って所定の装着位置へと容易且つ確実に案内することができる。
【０７２５】
画像表示手段３９３が６１７Ａ矢示方向に回動するときに、押し込み手段６２３が案内レール６１１上の画像表示手段３９３を装着位置へと６１３Ａ矢示方向に押し込む前に、画像表示手段３９３の収容ケース４８２の前面が乗り上げ部６２７に当接する。そのため画像表示手段３９３の先端側が若干持ち上がった状態となり、その状態で画像表示手段３９３が装着位置へと６１３Ａ矢示方向へと摺動する。
【０７２６】
また、取り付け部５８９と突出壁５９５の切り欠き部５９６とには案内部５９８，５９９があり、この案内部５９８，５９９を介して取り付け部５８９を突出壁５９５の切り欠き部５９６へと案内する。そのため画像表示手段３９３の先端側に取り付け部５８９が突出状にあるにも拘わらず、その取り付け部５８９を突出壁５９５の切り欠き部５９６に容易に挿入することができる。
【０７２７】
画像表示手段３９３が所定の装着位置まで移動すると、乗り上げ部６２７が収容凹部６２８と対応するため、画像表示手段３９３の収容ケース４８２の前面が前側レール部６１３を含む受け部４６０に当接する。その後に画像表示手段３９３の左右両側の複数の固定手段５８４，５８５により取り付け枠３９１の後壁部４４６に固定すれば、図９８に示すように画像表示手段３９３を取り付けることができる。
【０７２８】
画像表示手段３９３を表示手段装着部４５３から取り外す場合には、逆の手順で行う。先ず固定手段５８４，５８５による画像表示手段３９３の固定を解除した後、画像表示手段３９３の裏側に装着された演出制御基板ケース４９５、その他の適当箇所に手指を掛けて、画像表示手段３９３を離脱方向へと移動させる。すると画像表示手段３９３の被押圧部６２４が押圧案内部６２５の傾斜面に沿って摺動して、画像表示手段３９３の後端側が前側レール部６１３から浮き上がるので、画像表示手段３９３の後端側を手指で掴むことができる。そのため画像表示手段３９３を表示手段装着部４５３から容易に取り出すことができる。
【０７２９】
なお、画像表示手段３９３の装着に際しては、画像表示手段３９３の先端摺動部６１２を前側レール部６１３に当接した状態で摺動させながら、その先端側をＬＥＤ接続基板３５３用の側部基板取り付け台４６７の下側に挿入することも可能である。従って、その場合には、案内レール６１１の挿入部６１５、規制部６１６、支点部６１７等は省略することができる。
【０７３０】
ＬＥＤ接続基板３５３用の側部基板取り付け台４６７は、表示手段装着部４５３の前側レール部６１３との間に画像表示手段３９３が収まるだけの隙間を置いて上下方向に配置されており、図９０、図９１、図９３に示すように、表示手段装着部４５３の開口部４５５の両側に配置された上支持台６２９と下支持台６３０とに裏側から着脱自在に固定されている。
【０７３１】
上支持台６２９は開口部４５５の上部側で取り付け枠３９１の後壁部４４６から後方に突出する複数の基部６３１，６３２と、この基部６３１，６３２の後端から開口部４５５側へと屈曲する取り付け部６３３とを有する。複数の基部６３１，６３２の内、その一方の基部６３１は開口部４５５の上側に左右方向に配置され、また、他方の基部６３２は開口部４５５の端部に上下方向に配置されており、その間に開口６３４が形成されている。そして、この開口６３４に対応して規制部６１６が形成され、また、収容ケース４８２の上側の先端摺動部６１２が突出するようになっている。
【０７３２】
下支持台６３０は開口部４５５の下部側で取り付け枠３９１の後壁部４４６から後方に突出する複数の基部６３５と、この基部６３５の後端から開口部４５５側へと上向きに屈曲する取り付け部６３６とを有し、Ｌ字状に構成されている。側部基板取り付け台４６７は、上，下支持台６２９，６３０の取り付け部６３３，６３６に裏側からねじ等の固定具６４０，６４１により着脱自在に装着されている。側部基板取り付け台４６７の裏側には、第３の実施形態と同様にＬＥＤ接続基板３５３が着脱自在に装着されている。
【０７３３】
このように取り付け枠３９１の表示手段装着部４５３用の開口部４５５に対応して側部基板取り付け台４６７を設ける場合、取り付け枠３９１に一体に設けることも可能である。しかし、基部６３１，６３２と、その後端から開口部４５５側へと屈曲する取り付け部６３３，６３６とを備えた支持台６２９，６３０を上下に設け、この支持台６２９，６３０に側部基板取り付け台４６７を取り付けることにより、支持台６２９，６３０、側部基板取り付け台４６７を剛強に構成できるため、表示手段装着部４５３を含む取り付け枠３９１の耐久性を向上させることができる。
【０７３４】
なお、側部基板取り付け台４６７には、第３の実施形態と同様にＬＥＤ接続基板３５３が取り付けられているが、ＬＥＤ接続基板３５３以外の中継基板、その他の基板でもよい。また、側部基板取り付け台４６７は取り付け枠３９１の後壁部４４６に一体に設けてもよい。
【０７３５】
また、第４の実施形態では、先ず画像表示手段３９３を挿脱部４６２側から案内レール６１１に対して斜めに傾斜させた後、その状態で先端摺動部６１２を案内レール６１１に沿って左右方向に摺動させながら、先端摺動部６１２を支点として画像表示手段３９３の後端側を案内レール６１１側へと倒し込むようにして、画像表示手段３９３を左右方向に摺動させて取り付けるようにしているが、上下方向に摺動させて取り付けるようにしてもよい。なお、他の構成は第３の実施形態と同様である。
【０７３６】
以上、本発明の第３及び第４の各実施形態について詳述したが、本発明は第３及び第４の各実施形態に限定されるものではなく、その趣旨が逸脱しない範囲で種々の変更が可能である。
【０７３７】
また、支持枠３０１，３０２に着脱可能に装着された遊技盤３１３と、この遊技盤３１３の裏側の表示手段装着部４５３に装着された画像表示手段３９３とを備えた遊技機の場合、画像表示手段３９３は表示手段装着部４５３に対して、上下方向の一方の挿脱部４６２側（例えば第３の実施形態に示す上側の挿脱部４６２側）から挿脱可能にしてもよいし、又は左右方向の一方側（例えば第４の実施形態に示す左右方向の一方側である左又は右）から挿脱可能にしてもよい。その場合、前者では画像表示手段３９３の挿脱部４６２側に配置される支持枠３０２側の枠側部材は、球タンク３４７、球案内レール３４８、外部情報取り出し手段３４９等となるが、後者では球払い出し手段３５０等が考えられる。勿論の他の枠側部材でもよい。
【０７３８】
遊技盤３１３の裏側の取り付け枠３９１に表示手段装着部４５３を備え、この表示手段装着部４５３に画像表示手段３９３を着脱可能に備えた遊技機の場合、第３の実施形態では、表示手段装着部４５３に対して画像表示手段３９３の着脱方向（上下方向又は左右方向）と交差する方向の両方に、取り付け枠３９１から後方へと膨出して画像表示手段３９３を着脱方向に案内する膨出部４５４を設けて、この膨出部４５４内に取り付け枠３９１内の遊技部品を配置しているが、その膨出部４５４は画像表示手段３９３の着脱方向（上下方向又は左右方向）と交差する方向の一方に設けてもよい。
【０７３９】
また、取り付け枠３９１内の内部機構としては、画像表示手段３９３の前側で取り付け枠３９１内に可動演出手段３９４〜３９７があり、その可動演出手段３９４〜３９７の機構部分の一部を膨出部４５４内に配置することが考えられるが、その他のものでもよい。膨出部４５４は案内レール６１１の全長又はそれ以上でもよいし、一部でもよい。可動演出手段３９４〜３９７は、画像表示手段３９３の前側に配置された可動演出体５４６，５６２，５７４と、この可動演出体５４６，５６２，５７４を移動可能に支持する支持機構と、可動演出体５４６，５６２，５７４を駆動する駆動手段５４７，５６４，５７５とを備えたものであればよく、第３の実施形態に例示する以外のものでもよい。その場合、支持機構及び／又は駆動手段５４７，５６４，５７５の少なくとも一部を膨出部４５４内に配置すればよい。
【０７４０】
画像表示手段３９３の表示手段装着部４５３に対する誤装着を防止する誤装着防止手段５１６は、画像表示手段３９３側に設けられた第１部材４９９と、表示手段装着部４５３側に設けられ且つ誤装着時に第１部材４９９と干渉する第２部材４６７とを備えたものであれば十分であり、第３の実施形態に例示のように、演出制御基板ケース４９５を固定するための係合部（固定具）と側部基板取り付け台４６７との組み合わせの他、種々のものを利用することが可能である。また、誤装着防止手段５１６はそれ専用のものでもよいし、何等かの構成部材を兼用するものでもよい。
【０７４１】
取り付け枠３９１の表示手段装着部４５３に対して挿脱部４６２側から挿脱自在に画像表示手段３９３を装着する場合、画像表示手段３９３の挿入端側に画像表示手段３９３を裏側から押える押え部材を設けることが望ましいが、この押え部材は専用の部材の他、取り付け枠３９１に固定された他の固定部材を兼用するようにしてもよい。その場合、画像表示手段３９３の裏側へと突出する突出部材を取り付け枠３９１に備え、その突出部材を裏側押え部材に兼用してもよい。実施形態では、突出部材として側部基板取り付け台４６７を例示し、この側部基板取り付け台４６７の裏側に基板を配置しているが、側部基板取り付け台４６７以外のものでもよい。
【０７４２】
画像表示手段３９３と可動演出手段３９４とを併用する場合、その可動演出手段３９４は少なくとも一部が画像表示手段３９３よりも前側にあればよい。また、遊技盤３１３の略中央に前側から装着するセンターケース３８８は、遊技盤３１３の前側に配置され且つ外周側に遊技球が流下する遊技領域３２３を形成する前側部材４２６と、この前側部材４２６よりも後側で画像表示手段３９３の外周側に配置された後側部材４２７とを一体に備えるか、又は別体に備えたものでもよい。
【０７４３】
可動演出手段３９４の少なくとも一部をセンターケース３８８の後側部材４２７の前側に配置することにより、可動演出手段３９４の配置領域の拡大を図ることができる。その場合、可動演出手段３９４は、センターケース３８８の後側部材４２７の後側に配置された後側部と、この後側部からセンターケース３８８の後側部材４２７の内側を経て前側に重なる前側部とを備えた構成とすることが望ましい。
【０７４４】
一般的にセンターケース３８８は遊技盤３１３に対して前側から着脱可能であるのに対して、可動演出手段３９４は遊技盤３１３に対して裏側から着脱可能であるため、可動演出手段３９４の前側部は後側部材４２７から内側へと外れるように後側部材４２７に対して相対的に移動可能にする必要がある。その場合の前側部は後側部材４２７に対して相対的に移動可能であれば、揺動運動、直線運動等の何れの運動形式を採用してもよいし、また、前側部材４２６と後側部材４２７との何れか一方が他方に対して移動するようにしてもよいし、両方が移動するようにしてもよい。また、可動演出手段３９４の前側部は画像表示手段３９３の左右方向の一方側又は両側でもよいし、上下方向の一方側又は両側でもよい。可動演出手段３９４〜３９７の前側部の形状、構造は問題ではない。
【０７４５】
画像表示手段３９３を挿脱部４６２側から表示手段装着部４５３の所定の装着位置に対して挿脱する場合、案内レール６１１の一端側を挿脱部４６２として、その挿脱部４６２から案内レール６１１に沿って画像表示手段３９３を挿脱方向に移動させてもよい。但し、この場合には表示手段装着部４５３の挿脱部４６２側を開放状に構成する必要があり、また、挿脱に際しての画像表示手段３９３の移動距離が長くなる。
【０７４６】
これに比べて画像表示手段３９３を案内レール６１１に対して斜め方向の傾斜姿勢にしてその先端側を案内レール６１１に当接させた後、その傾斜姿勢から画像表示手段３９３を案内レール６１１側へと倒しながら、画像表示手段３９３を案内レール６１１に沿って所定の装着位置へと移動させる場合には、案内レール６１１の挿脱部４６２側を開放状にする必要がなく、画像表示手段３９３の移動距離も短くできる。画像表示手段３９３は案内レール６１１に沿って挿脱するが、その挿脱方向は左右方向の他、上下方向又は背面視斜め方向でもよい。
【０７４７】
画像表示手段３９３を案内レール６１１に対して傾斜姿勢にして挿脱する場合、傾斜姿勢にある画像表示手段３９３の挿入側を保持部により保持した後に、その画像表示手段３９３を案内レール６１１側に倒すことが望ましいが、保持部は傾斜姿勢の画像表示手段３９３の裏側に当接するようにしてもよいし、画像表示手段３９３が所定の装着位置に達したときにその先端側が当接するものでもよい。また、画像表示手段３９３の先端側を案内レール６１１の挿入部６１５に挿入したときに、画像表示手段３９３の先端側が当接する規制部６１６も保持部の一つである。画像表示手段３９３が所定の装着位置に達したときにその先端側が保持部に当接する構成の場合は、案内レール６１１の挿入部６１５は不要である。
【０７４８】
表示手段装着部４５３は、画像表示手段３９３を装着位置へと案内する案内レール６１１と、画像表示手段３９３を傾斜姿勢から案内レール６１１側に移動させたときに、この画像表示手段３９３を案内レール６１１に沿って装着位置へと押し込む押し込み手段６２３を備えておけば、案内レール６１１に沿って画像表示手段３９３を装着位置へと容易且つ確実に移動させることができる。この押し込み手段６２３は、画像表示手段３９３の装着位置への移動方向とは反対側で画像表示手段３９３の後端側に設けることが望ましいが、画像表示手段３９３の移動方向の途中に設けることも可能である。
【０７４９】
また、押し込み手段６２３は画像表示手段３９３を傾斜姿勢から案内レール６１１側に移動させたときに、傾斜状の押圧案内部６２５により画像表示手段３９３側の被押圧部６２４を押圧して、画像表示手段３９３を装着位置へと案内するように構成することが望ましいが、画像表示手段３９３側の被押圧部６２４を傾斜状に構成して、その押圧案内部６２５は被押圧部６２４に当接する棒状、球面状、その他の形状に構成することも可能である。更に本発明はパチンコ機３００に限らず、アレンジボール機、雀球遊技機等の他の遊技機においても同様に実施することが可能である。
【０７５０】
図１０８〜図１５８は本発明の第５の実施形態を例示する。このパチンコ機３００は、図１０８〜図１１３に示すように、外枠３０１と、この外枠３０１の前側に配置された前枠３０２とを備え、その前枠３０２の前側に前扉３０６が開閉自在に配置されている。なお、外枠３０１と前枠３０２とにより遊技機本体が構成されている。
【０７５１】
前枠３０２は、第１ヒンジ３０３を介して外枠３０１に開閉自在及び着脱自在に枢着され、前扉３０６は、第２ヒンジ３０７を介して前枠３０２に開閉自在及び着脱自在に枢着されており、これら前枠３０２及び前扉３０６はヒンジ３０３，３０７と反対側の施錠手段３０４によって外枠３０１、前枠３０２に対して閉状態で施錠可能となっている。
【０７５２】
外枠３０１は、左右一対の縦枠材３４１，３４２と、この縦枠材３４１，３４２の上端間を左右に連結する上横枠材３４３と、縦枠材３４１，３４２の下端間を左右に連結する下横枠材３４４と、下横枠材３４４の前側に前向きに配置され且つ左右の縦枠材３４１，３４２を連結する飾り部材３１０とにより矩形状に形成されている。
【０７５３】
下横枠材３４４は、図１１４に示すように前後及び左右に略水平状に設けられており、その下側の略全面が床面Ｆ等に接地して外枠３０１を起立状態に支持する自立用の第１支持部６４５となっている。飾り部材３１０は合成樹脂製の中空状であって、下横枠材３４４上で左右の縦枠材３４１，３４２間に配置された後部材３１０ａと、この後部材３１０ａの前側に配置された前部材３１０ｂとを備えている。後部材３１０ａと前部材３１０ｂは、左右方向の複数箇所でねじ等の固定具３１０ｃにより前後に結合されている。
【０７５４】
後部材３１０ａはその下部が下横枠材３４４の前側に突出している。前部材３１０ｂは後部材３１０ａに対応しており、その前面側に凹凸形状、その他の装飾が施されている。飾り部材３１０の下面３１０ｄは、図１１４に示すように、下横枠材３４４の下面よりも若干上側に位置しており、その下面３１０ｄ側の前端近傍には、下方に突出する第２支持部６４６が左右方向の略全長に設けられている。
【０７５５】
この第２支持部６４６の下面は、下横枠材３４４の下面の第１支持部６４５と略同一高さ又は第１支持部６４５よりも若干高い程度であり、外枠３０１を平坦な床面Ｆ等に置いた場合に下横枠材３４４の第１支持部６４５と共に接地して、外枠３０１又はパチンコ機３００全体を略垂直な起立状態に支持する。
【０７５６】
従って、外枠３０１又はパチンコ機３００全体の重心が、下横枠材３４４の第１支持部６４５の後端と飾り部材３１０の第２支持部６４６の前端との間にあれば、外枠３０１又はパチンコ機３００全体を略垂直状態で安定的に起立させることが可能であり、下横枠材３４４の下側の第１支持部６４５のみが接地する場合に比較して、外枠３０１又はパチンコ機３００の全体を安定性よく起立状態に自立させることができる。
【０７５７】
なお、パチンコ機３００を島設備７９６ａに設置する際には、図１０９に示すように、その外枠３０１を受け枠７９６ｂ上に載置して固定することから、下横枠材３４４の下側を平坦状にして、下横枠材３４４の下面側の略全体を第１支持部６４５とするのが一般的である。しかし、第１支持部６４５は下横枠材３４４の下側の略全面に設ける必要はなく、後端側に左右方向に連続的に設けてもよいし、中間部と左右両端部とに設ける等、左右方向又は前後方向に間欠的に複数個設けてもよい。
【０７５８】
また、第２支持部６４６は前部材３１０ｂの下面に左右方向に設けているが、後部材３１０ａ、前部材３１０ｂの両者に跨がってその下面に設けてもよい。更に、第２支持部６４６は中間部と左右両端部とに設ける等、左右方向に間欠的に複数個設けてもよい。
【０７５９】
飾り部材３１０の第２支持部６４６は、図１１５（ａ）又は（ｂ）に示すように設けることも可能である。図１１５（ａ）の飾り部材３１０は、その下部側から前側へと突出する前突出部６４７が左右方向の略全長又は左右両端部に設けられ、その前突出部６４７を含む飾り部材３１０の下面の略全体が第２支持部６４６となっている。
【０７６０】
この場合にも、前突出部６４７を含む飾り部材３１０の下面３１０ｄを下横枠材３４４の下面と略同高さか、又は若干高いか低い程度の高さにすることにより、下横枠材３４４の第１支持部６４５と、前突出部６４７を含む飾り部材３１０側の下面３１０ｄの第２支持部６４６とが接地するため、外枠３０１又はパチンコ機３００全体を安定性よく自立させることができる。
【０７６１】
図１１５（ｂ）の飾り部材３１０は、飾り部材３１０の前突出部６４７から下側に突出するように第２支持部６４６が設けられている。飾り部材３１０の下面３１０ｄが下横枠材３４４の下側の第１支持部６４５よりも高い場合には、この図１１５（ｂ）に示すように、飾り部材３１０の前突出部６４７から下側に突出するように第２支持部６４６を設けることにより、下横枠材３４４の第１支持部６４５と飾り部材３１０の第２支持部６４６との両方を接地させて、外枠３０１又はパチンコ機３００全体を安定的に自立させることができる。
【０７６２】
前枠３０２は、上部側に遊技盤装着部３１１が、その下側に下部装着部３１２が夫々設けられ、その遊技盤装着部３１１に遊技盤３１３が着脱自在に装着され、また、下部装着部３１２に発射手段３２７、下スピーカ３２５ａ等が装着されている。
【０７６３】
遊技盤３１３には、図１０８に示すように、発射手段３２７（図１１０参照）によって発射された遊技球を遊技領域３２３の上部側へと案内するガイドレール３８７が環状に装着され、また、遊技領域３２３の中央部には液晶式等の画像表示手段３９３と、この画像表示手段３９３の前側に対応するセンターケース３８８とが遊技盤３１３の前後両側に配置されている。遊技領域３２３にはセンターケース３８８の周辺に普通図柄始動手段６５４、特別図柄始動手段６５５、可変入賞手段４０４、普通入賞手段４０５等の各種遊技部品が配置されている。
【０７６４】
センターケース３８８には、液晶式等の画像表示手段３９３の表示画面に対応する表示窓６５６が設けられる他、表示窓６５６の外周側の前面に普通図柄表示手段６５７、特別図柄表示手段６５８、普通保留個数表示手段６５９等が設けられている。画像表示手段３９３は、演出図柄表示手段６６０、特別保留個数表示手段６６１、操作誘導表示手段６６２等を構成している。
【０７６５】
普通図柄表示手段６５７は普通図柄を変動表示するためのもので、例えば「○」「×」の２種類の普通図柄に対応する２個の発光体（例えばＬＥＤ）により構成されており、普通図柄始動手段６５４が遊技球を検出することを条件にそれら２つの発光体が所定時間交互に点滅して、普通図柄始動手段６５４による遊技球の検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、夫々点滅が終了するようになっている。
【０７６６】
普通保留個数表示手段６５９は、普通図柄表示手段６５７の変動表示中又は後述の普通利益状態中に普通図柄始動手段６５４が遊技球を検出した場合には、その検出時に取得された当たり判定乱数値が予め定められた上限保留個数（例えば４個）を限度として記憶されるため、上限保留個数と同数の発光体の発光個数により当たり判定乱数値の記憶個数（以下、普通保留個数という）を表示して、その時点での普通保留個数を遊技者に報知するようになっている。
【０７６７】
特別図柄始動手段６５５は、特別図柄表示手段６５８による図柄変動を開始させるためのもので、上始動入賞手段６５５ａと下始動入賞手段６５５ｂとを上下に備えている。上始動入賞手段６５５ａは非開閉式である。下始動入賞手段６５５ｂは、遊技球が入球不可能（又は入球困難）な閉状態と入球可能（又は入球容易）な開状態とに切り換え可能な開閉式であり、普通図柄表示手段６５７の変動後の停止図柄が当たり態様となって普通利益状態が発生したときに、閉状態から開状態へと所定時間開放されるようになっている。
【０７６８】
特別図柄表示手段６５８は、１個又は複数個、例えば１個の特別図柄を変動表示可能な７セグメント式等の表示手段により構成されており、特別図柄始動手段６５５の上始動入賞手段６５５ａ又は下始動入賞手段６５５ｂに遊技球が入賞することを条件に特別図柄を所定時間変動表示して、始動入賞手段６５５ａ，６５５ｂへの入賞時に取得された大当たり判定乱数値が予め定められた大当たり判定値と一致する場合には特別図柄が所定の大当たり態様（特定態様）で、それ以外の場合には外れ態様で停止するようになっている。
【０７６９】
特別保留個数表示手段６６１は、特別図柄の変動表示中又は特別利益状態中に特別図柄始動手段６５５に遊技球が入賞した場合には、その入賞時に取得された大当たり判定乱数値等が夫々所定の上限保留個数（例えば各４個）を限度として記憶されるため、大当たり判定乱数値の記憶個数（以下、特別保留個数という）を表示して、その時点での特別保留個数を遊技者に報知するようになっている。
【０７７０】
演出図柄表示手段６６０は、特別図柄表示手段６５８による特別図柄の変動表示と並行して演出図柄を変動表示するもので、１個又は複数個（例えば左右方向に３個）の演出図柄６６３ａ〜６６３ｃを各種の演出画像と共に画像表示手段３９３の表示画面に変動表示可能に構成されている。そして、演出図柄表示手段６６０は、特別図柄始動手段６５５の始動入賞手段６５５ａ，６５５ｂの何れかに遊技球が入賞した場合に、特別図柄の変動開始と同時に複数種類の変動パターンの何れかに従って演出図柄６６３ａ〜６６３ｃの変動を開始して、特別図柄の変動停止と同時に最終停止するように、演出図柄６６３ａ〜６６３ｃを左、右、中等の所定の順序で停止させるようになっている。なお、特別図柄が大当たり態様で停止する場合には演出図柄６６３ａ〜６６３ｃも大当たり演出態様で停止し、特別図柄が外れ態様で停止する場合には演出図柄６６３ａ〜６６３ｃも外れ演出態様で停止する。
【０７７１】
可変入賞手段４０４は、遊技球が入賞可能な開状態と入賞不可能な閉状態とに切り換え可能な開閉板４０４ａを備えた開閉式であって、特別図柄表示手段６５８の変動後の特別図柄が大当たり態様となって特別利益状態が発生したときに、開閉板４０４ａが所定の開放パターンに従って前側に開放して、その上に落下した遊技球を内部へと入賞させるようになっている。
【０７７２】
前扉３０６は、図１０８〜図１１３に示すように、前枠３０２の前面側に対応して矩形状に形成された合成樹脂製の扉ベース３２２を備え、その扉ベース３２２には遊技領域３２３を視認可能な視認窓６６５と、その視認窓６６５の上下左右に配置された上部スピーカ６６６ａ，６６６ｂ及び下部スピーカ６６７ａ，６６７ｂと、視認窓６６５の上側から左右両側に配置された左右一対の第１側部ユニット６６８ａ及び第２側部ユニット６６８ｂと、視認窓６６５の下側で前側へと張り出す前張り出しユニット（前下部ユニット）６６９とが設けられている。なお、下部スピーカ６６７ａ，６６７ｂの後側は、下部スピーカ６６７ａ，６６７ｂの前側からピアノ線等の不正部材の挿入を阻止するための保護カバー６７０ａ，６７０ｂにより覆われている。
【０７７３】
視認窓６６５は遊技領域３２３に対応して扉ベース３２２に設けられており、図１０９、図１１２、図１１３に示すように、扉ベース３２２の裏側に着脱自在に装着されたガラスユニット３４０により塞がれている。ガラスユニット３４０は、遊技領域３２３を透視可能な前後２枚のガラス板６７１ａと、この前後２枚のガラス板６７１ａの外側を保持する保持枠６７１ｂとを備え、係合手段６７２を介して受け枠６７３上に載置され、上部側が左右一対の固定手段６７４により扉ベース３２２の裏側に着脱自在に固定されている。なお、ガラス板６７１ａは視認板を構成するものであり、一般的には無色透明なものが使用されているが、遊技領域３２３を透視可能であれば、無色透明である必要はなく、着色透明の合成樹脂板等でもよい。
【０７７４】
前張り出しユニット６６９は、図１０８、図１０９、図１１１、図１１２、図１１６、図１１７に示すように、中央部が前側に突出する平面視略三角形状であって、この前張り出しユニット６６９には、操作演出用の操作演出手段６７８と、発射用の遊技球を貯留する上皿（発射球貯留部）３２８と、余剰球を貯留する下皿（余剰球貯留部）３２９とが設けられ、また、操作演出手段６７８に対して上皿３２８、下皿３２９と反対側に発射操作用の発射ハンドル３３０が設けられている。
【０７７５】
なお、前扉３０６は、視認窓６６５及びガラスユニット３４０等を備えた上部側のガラス扉と、上皿３２８、下皿３２９、操作演出手段６７８及び発射ハンドル３３０等を備えた下部側の開閉扉とに二分割して、ガラス扉と開閉扉とが別々に開閉するように構成することも可能である。
【０７７６】
扉ベース３２２は、図１１３に示すように、窓孔３２４の上側に左右方向に配置された上ベース部６８１と、視認窓６６５の左右両側に上下方向に配置された縦ベース部６８２ａ，６８２ｂと、視認窓６６５の下側に左右方向に配置された下ベース部６８３とを有し、下ベース部６８３は前枠３０２の下部装着部３１２の前側に対応して上下に広幅状に形成されている。
【０７７７】
扉ベース３２２の裏側には、上ベース部６８１の上端側に左右方向の横補強部材６８４が、左右の縦ベース部６８２ａ，６８２ｂの外側に上下方向の縦補強部材６８５ａ，６８５ｂが、下ベース部６８３に下補強部材６８６が夫々装着されている。下補強部材６８６は下ベース部６８３の略全体に対応する広幅状であって、左右両端部に縦補強部材６８５ａ，６８５ｂの下端側が前後に重合してねじ等により連結されており、上端側に後方に屈曲する受け枠６７３が設けられている。なお、各補強部材６８４，６８５ａ，６８５ｂ，６８６は板金製である。
【０７７８】
扉ベース３２２の上ベース部６８１と左右の縦ベース部６８２ａ，６８２ｂとの接合部分、下ベース部６８３と左右の縦ベース部６８２ａ，６８２ｂとの接合部分は、内周側が窓孔３２４に対応して円弧状に形成された広幅状であって、その各接合部分にスピーカ装着部を介して上部スピーカ６６６ａ，６６６ｂ、下部スピーカ６６７ａ，６６７ｂが夫々前向きに装着されている。
【０７７９】
施錠手段３０４は、図１０８、図１１３、図１１４、図１１８〜図１２０に示すように、前枠３０２を外枠３０１に対して閉状態に施錠する前枠施錠機構（図示省略）と、前扉３０６を前枠３０２に対して閉状態に施錠する前扉施錠機構（図示省略）と、キー操作により解除操作可能に前扉３０６側に設けられたシリンダー式の解除操作手段６８８と、解除操作手段６８８を前枠施錠機構及び前扉施錠機構に連動させる連動機構６８９とを備えている。
【０７８０】
前枠施錠機構は、前枠３０２を第１ヒンジ３０３廻りに外枠３０１側に閉じたときに、前枠３０２側の上下一対の前枠用係合爪（図示省略）が外枠３０１側の上下一対の係合部（図示省略）に係合して施錠するようになっている。前扉施錠機構は、前扉３０６を第２ヒンジ３０７廻りに前枠３０２側に閉じたときに、前枠３０２側の上下一対の前扉用係合爪（図示省略）が前扉３０６側の上下一対の係合部（図示省略）に係合して施錠するようになっている。前枠施錠機構、前扉施錠機構は連動機構６８９を介して解除操作手段６８８に連動可能である。
【０７８１】
連動機構６８９は縦補強部材６８５ｂ又は下補強部材６８６から後方に屈曲する支持板６９０により上下摺動自在に支持された連動部材６９１を有し、この連動部材６９１の上下動作の一方の動作により前枠施錠機構が、他方の動作により前扉施錠機構が夫々解除するようになっている。なお、連動部材６９１は、上下一対の案内ピン６９２等を介して支持板６９０により上下方向に摺動自在に支持されている。
【０７８２】
解除操作手段６８８は、前扉３０６を前後方向に貫通するキー挿入用のシリンダ部６９３と、このシリンダ部６９３の操作軸６９４の先端側にねじ等で着脱自在に固定された回動爪６９５とを有し、シリンダ部６９３に挿入されたキーにより操作軸６９４廻りに正逆方向に回動操作したときに回動爪６９５が連動部材６９１を上下方向に摺動させるようになっている。
【０７８３】
シリンダ部６９３は後端の取り付け部６９６が縦補強部材６８５ｂ又は下補強部材６８６に直接又は間接的に固定されており、このシリンダ部６９３の後端に前後方向の操作軸６９４に固定された回動爪６９５が設けられている。
【０７８４】
施錠手段３０４では、前枠３０２を第１ヒンジ３０３廻りに閉じたときに前枠用施錠機構が前枠３０２を閉状態で施錠し、前扉３０６を第２ヒンジ３０７廻りに閉じたときに前扉用施錠機構が前扉３０６を閉状態で施錠する。そして、前枠３０２及び／又は前扉３０６の施錠を解除するときには、シリンダ部６９３にキーを挿入して操作軸６９４廻りに正方向又は逆方向に回動操作して、回動爪６９５を介して連動部材６９１を上方向又は下方向に作動させる。すると連動部材６９１が上方向又は下方向に作動して、対応する前枠用施錠機構又は前扉用施錠機構が施錠状態を解除するので、前枠３０２及び／又は前扉３０６をヒンジ３０３，３０７廻りに開放することができる。
【０７８５】
前扉３０６の扉ベース３２２の裏側には、解除操作手段６８８の左右方向の外側に板金製の不正防止部材６９７が設けられている。即ち、前扉３０６の扉ベース３２２の裏側には、外端側に前枠３０２の前端に当接する当接壁６９８と、この当接壁６９８の内側から後方に突出し且つ前枠３０２の内周に位置する不正防止縁部６９９が一体に形成されている。しかし、縦補強部材６８５ｂ又は下補強部材６８６には、解除操作手段６８８のシリンダ部６９３の取り付け部６９６、回動爪６９５等の配置スペースを確保するために、外側へと突出する突部６８５ｃが形成されている。そのため扉ベース３２２には、突部６８５ｃに対応する部分に不正防止縁部６９９を切り欠いた切り欠き部６９９ａが設けられている。
【０７８６】
そこで、不正防止部材６９７は切り欠き部６９９ａを塞ぐように設けられている。この不正防止部材６９７は不正防止縁部６９９に沿ってその延長上に配置されており、前端側から内側に屈曲する取り付け部６９７ａが縦補強部材６８５ｂ又は下補強部材６８６にねじ等で固定されている。従って、前枠３０２と前扉３０６との間から不正部材を挿入して解除操作手段６８８を不正に操作して前枠３０２又は前扉３０６を不正に開放することはできない。
【０７８７】
なお、不正防止部材６９７には、シリンダ部６９３の取り付け部６９６、回動爪６９５と干渉しないように、縦補強部材６８５ｂ又は下補強部材６８６に近い側に切り欠き部６９７ｂが形成されている。この切り欠き部６９７ｂは、当接壁６９８の前端側と略同程度の高さであって、前枠３０２と前扉３０６との間から不正部材を挿入し得ないように、当接壁６９８の前端から前側に不正防止部材６９７が突出している。
【０７８８】
扉ベース３２２の上部には、図１１６、図１２１〜図１２５に示すように、この扉ベース３２２から前側に突出する左右一対のスピーカ装着突部７０２ａ，７０２ｂが一体に形成されている。このスピーカ装着突部７０２ａ，７０２ｂは、前後両側に開口部７０３，７０４が形成された正面視略四角形状であって、後側の開口部７０４側から上部スピーカ６６６ａ，６６６ｂが着脱自在に挿入して収容されている。
【０７８９】
スピーカ装着突部７０２ａには、側部ユニット６６８ａ，６６８ｂ用の受け部７０５ｂ，７０５ｃが設けられている。即ち、ヒンジ３０３，３０７側のスピーカ装着突部７０２ａには、平坦部７０５ａの左右両側に各側部ユニット６６８ａ，６６８ｂ用の受け部７０５ｂ，７０５ｃが設けられ、各受け部７０５ｂ，７０５ｃ上の各側部ユニット６６８ａ，６６８ｂの上面が平坦部７０５ａと略面一状になっている。また、ヒンジ３０３，３０７と反対側のスピーカ装着突部７０２ｂの上側には、第２側部ユニット６６８ｂ用の受け部７０５ｄが設けられている。
【０７９０】
上部スピーカ６６６ａ，６６６ｂは、図１２５に示すように、スピーカフレーム７０６内に磁石７０７、コイルボビン７０８、ボイスコイル７０９、振動板７１０、センターキャップ７１１等を備え、スピーカフレーム７０６の前側に前カバー７１２が装着されている。前カバー７１２はスピーカ装着突部７０２ａ，７０２ｂの前側の開口部７０４に嵌め込まれている。
【０７９１】
各上部スピーカ６６６ａ，６６６ｂには、磁石７０７等の内周側の内部空間７１３に配置された導光体７１５と、この導光体７１５の後端側に近接してＬＥＤ７１６が装着されたＬＥＤ基板７１７とを有し、ＬＥＤ基板７１７のＬＥＤ７１６が発光したときに、その光を導光体７１５からセンターキャップ７１１、前カバー７１２を経て前側に照射するようになっている。
【０７９２】
導光体７１５、センターキャップ７１１は透明な合成樹脂製であり、前カバー７１２は音声及び光が前側に出るように多数の小孔７１２ａが形成されている。導光体７１５はスピーカフレーム７０６の後壁部７０６ａの通孔７０６ｂに挿入して着脱自在に支持されている。また、後壁部７０６ａの裏側には、そのＬＥＤ７１６が導光体７１５と前後に相対向するように、ＬＥＤ基板７１７がねじ等で着脱自在に固定されている。前カバー７１２は無色透明、着色透明又は不透明の何れでもよい。なお、前カバー７１２が無色透明又は着色透明の合成樹脂製の場合には、その裏面側に凹凸状の乱反射部を形成して、ＬＥＤ７１６からの光により前カバー７１２自体が発光するようにしてもよい。
【０７９３】
このように上部スピーカ６６６ａ，６６６ｂに導光体７１５、ＬＥＤ基板７１７等の発光手段を組み付けることにより、ＬＥＤ基板７１７のＬＥＤ７１６からの光を導光体７１５からセンターキャップ７１１、前カバー７１２を経て前側に照射することができる。従って、上部スピーカ６６６ａ，６６６ｂを効果音の発生の他に発光演出用として利用することができ、従来にない演出効果を期待することができる。
【０７９４】
第１側部ユニット６６８ａは、図１１６に示すように、複数種類のパチンコ機３００に共通に使用される共通部品であるのに対して、第２側部ユニット６６８ｂは、図１１６、図１２６〜図１２８に示すように、後述の上側突出部７３０を備える等、特定の機種のパチンコ機３００に特有のデザイン等を施したものである。
【０７９５】
例えば、複数種類のパチンコ機３００を製造する場合には、第１側部ユニット６６８ａを共通に使用して、これに特有の構成を有する第２側部ユニット６６８ｂを組み合わせて、前扉３０６の視認窓６６５の周辺部分を構成する。このように構成すれば、第１側部ユニット６６８ａを共通に使用しながらも、第２側部ユニット６６８ｂのデザイン、その他の構成を変えることによって、容易に異なる機種のパチンコ機３００を製作することができる。
【０７９６】
なお、パチンコ機３００の機種によっては、第１側部ユニット６６８ａのデザイン、その他の構成を変えることが可能である。その場合には、扉ベース３２２側が複数の機種に共通することになる。そのため第１側部ユニット６６８ａ、第２側部ユニット６６８ｂの何れにおいても、効果音発生用の上部スピーカ６６６ａ，６６６ｂ、下部スピーカ６６７ａ，６６７ｂ等のように、各機種に共通して必要な電子部品は扉ベース３２２側に装着して、特定の機種に特有の電子部品は第１側部ユニット６６８ａ及び第２側部ユニット６６８ｂ、又は第２側部ユニット６６８ｂに組み込まれている。
【０７９７】
第１側部ユニット６６８ａと第２側部ユニット６６８ｂは、上部スピーカ６６６ａ，６６６ｂから下の前側部分が略同様に構成されており、扉ベース３２２の前面に配置され且つ前面に多数のＬＥＤ７２０が装着されたＬＥＤ基板７２１と、内側に乱反射部７２２ａが形成され且つＬＥＤ基板７２１を前側から覆う発光装飾カバー７２２と、ＬＥＤ基板７２１の前側に配置された内部レンズ７２３とを備え、ＬＥＤ基板７２１のＬＥＤ７２０からの光により発光装飾カバー７２２を発光させるようになっている。
【０７９８】
ＬＥＤ基板７２１は、図１１１、図１２６〜図１２８に示すように上下に複数に分割されており、両者がコネクタ７２４等により接続されている。発光装飾カバー７２２は無色透明又は着色透明の合成樹脂製であって、裏側の内面に凹凸状の乱反射部７２２ａが設けられている。
【０７９９】
発光装飾カバー７２２は上部側７２４ａが下部側７２４ｂよりも前側に突出しており、上部側７２４ａがスピーカ装着突部７０２ａの受け部７０５ｂ，７０５ｃ上に重なっている。ＬＥＤ基板７２１と発光装飾カバー７２２との間隔はその上部側が大きく、下部側が小さくなっている。
【０８００】
内部レンズ７２３には、図１２９〜図１３２に示すように、ＬＥＤ基板７２１と発光装飾カバー７２２との間隔が大である上部側７２４ａの各ＬＥＤ７２０に対応して透孔７２５が形成され、また、ＬＥＤ基板７２１と発光装飾カバー７２２との間隔が小である下部側７２４ｂの各ＬＥＤ７２０に対応して前面側又は裏面側に円錐状、球面状等の凹レンズ部７２６が形成されている。
【０８０１】
従って、ＬＥＤ基板７２１の各ＬＥＤ７２０が発光した場合、発光装飾カバー７２２の上部側７２４ａでは、ＬＥＤ７２０からの光が透孔７２５を経て直接発光装飾カバー７２２の乱反射部７２２ａへと照射するが、ＬＥＤ基板７２１と発光装飾カバー７２２との間隔が大きいので、ＬＥＤ７２０からの光は適度に拡散しながら乱反射部７２２ａに照射する。
【０８０２】
一方、ＬＥＤ基板７２１と発光装飾カバー７２２との間隔が小さい下部側７２４ｂでは、ＬＥＤ７２０からの光が凹レンズ部７２６により拡散して発光装飾カバー７２２の乱反射部７２２ａに照射する。そのため発光装飾カバー７２２側の上部側７２４ａと下部側７２４ｂとの発光ムラを極力防止するか又は発光ムラを少なくすることができる。
【０８０３】
なお、凹レンズ部７２６は、図１３１（ｂ）に示すように、内部レンズ７２３の前面に形成された円錐凹部７２６ａと、この円錐凹部７２６ａに対応して内部レンズ７２３の裏面に形成された球面突部７２６ｂとにより構成されている。凹レンズ部７２６は光の拡散機能を有するものであればよく、具体的な断面形状は問題ではない。
【０８０４】
第２側部ユニット６６８ｂの上部には、図１０８、図１１６に示すように、左右の上部スピーカ６６６ａ，６６６ｂ間に前側に突出する上側突出部７３０が設けられている。即ち、第２側部ユニット６６８ｂは、図１１２、図１１６、図１２６〜図１２８に示すように、上部スピーカ６６６ａ側から上部スピーカ６６６ｂを経て下部スピーカ６６７ｂに跨がる正面視略Ｌ字状であって、合成樹脂製のユニット枠７３１と、このユニット枠７３１を裏側から補強する板金製のユニット補強板７３２と、ユニット枠７３１の上部側から前側に突出する上側突出部７３０とを備え、第２側部ユニット６６８ｂの両端側の第１、第２位置決め手段７３３，７３４と、分散して配置された第１〜第３係止手段７３５〜７３７と、分散して配置されたねじ式の第１〜第３固定手段７３８〜７４０とにより扉ベース３２２の裏側から着脱自在に装着されている。
【０８０５】
なお、第２側部ユニット６６８ｂには、扉ベース３２２の縦ベース部６８２ａの前側にＬＥＤ７２０、発光装飾カバー７２２、内部レンズ７２３等が設けられている。しかし、第２側部ユニット６６８ｂには、ユニット枠７３１とユニット補強板７３２とがあるため、そのユニット枠７３１の前側にＬＥＤ７２０、発光装飾カバー７２２、内部レンズ７２３等が設けられている。
【０８０６】
第２側部ユニット６６８ｂの上部には、左右の上部スピーカ６６６ａ，６６６ｂ間に前側に突出する上側突出部７３０が設けられている。なお、第２側部ユニット６６８ｂの上部スピーカ６６６ｂと下部スピーカ６６７ｂとの間は、第１側部ユニット６６８ａの前面側と略同様の構成であり、その内部には前面にＬＥＤ７１６が装着されたＬＥＤ基板７１７が配置され、そのＬＥＤ７１６からの光により発光装飾カバー７２２を発光させるようになっている。
【０８０７】
第２側部ユニット６６８ｂには、図１１６、図１２３、図１２４に示すように、上部スピーカ６６６ｂ用のスピーカ装着突部７０２ｂに対応する開口部７４１が設けられ、この開口部７４１と反対側の端部が上部スピーカ６６６ｂ用のスピーカ装着突部７０２ｂ側に上側から重合している。開口部７４１にはスピーカ装着突部７０２ｂが出し入れ自在であり、この開口部７４１の上側壁７４１ａをスピーカ装着突部７０２ｂの受け部７０５ｄの上面に載せることができる。
【０８０８】
スピーカ装着突部７０２ａには第２側部ユニット６６８ｂ用の受け部７０５ｃがあり、また、第２側部ユニット６６８ｂのスピーカ装着突部７０２ａ側の端部には、図１２２に示すように、受け部７０５ｃに上側から重なる重なり部７４２が設けられている。
【０８０９】
このような構成を採用すれば、第２側部ユニット６６８ｂを扉ベース３２２の前側に装着する際には、スピーカ装着突部７０２ｂを開口部７４１の案内用とし、スピーカ装着突部７０２ａを重なり部７４２の案内用として夫々利用しながら作業をすることが可能であり、第２側部ユニット６６８ｂを扉ベース３２２側の所定の取り付け位置に容易に配置することができる。
【０８１０】
また、第２側部ユニット６６８ｂの開口部７４１及び重なり部７４２が左右のスピーカ装着突部７０２ａ，７０２ｂに対応した後は、第２側部ユニット６６８ｂをスピーカ装着突部７０２ａ，７０２ｂを介して扉ベース３２２側に預けて、スピーカ装着突部７０２ａ，７０２ｂにより第２側部ユニット６６８ｂ側の略全荷重を支持した状態で位置合わせ等を行うことが可能である。そのため第２側部ユニット６６８ｂの荷重を常時支える必要がなく、装着時の作業員の負担を軽減することができる。
【０８１１】
上側突出部７３０は上下に薄い偏平状であって、上面が前扉３０６の上面と略面一状であり、左右中央側が前側に円弧状又は三角形状に突出するようになっている。上側突出部７３０のヒンジ３０３，３０７側の端部では、スピーカ装着突部７０２ａと干渉しないように、ユニット補強板７３２の前側にＬ字状に屈曲する屈曲部７３２ａ（図１２１参照）が設けられている。
【０８１２】
上側突出部７３０の前面側には、図１０８、図１０９、図１３２〜図１３４に示すように、左右方向の略中央に送風口７４３が形成された発光表示板７４４と、送風口７４３からの風を遊技中の遊技者側へと案内する風案内手段７４５とが前後に設けられ、その発光表示板７４４、風案内手段７４５の左右両側に発光表示部７４４ａが配置されている。風案内手段７４５は上下方向に複数の横桟７４５ａと、左右方向に複数の縦桟７４５ｂとを有するルーバー構造になっている。
【０８１３】
なお、この風案内手段７４５は遊技者の身長の大小に拘わらず、遊技者の誰もが中央上部からの送風を体感できる角度、範囲に風を案内するようになっている。風案内手段７４５は送風方向を上下、左右に調整可能に構成してもよい。
【０８１４】
上側突出部７３０内には、送風口７４３へと風を送る送風手段７４６と、前面にＬＥＤ７４７が装着され且つ各発光表示板７４４に対応してその後方近傍に配置されたＬＥＤ基板７４８とが設けられている。送風手段７４６は送風ケース７４６ａ内に羽根車７４６ｂが組み込まれたシロッコファン等であって、取り付けケース７４９内に組み込まれており、下側の吸入口７４６ｃから外気を吸入して吐出口７４６ｄから送風路７５０を経て送風口７４３へと送るようになっている。
【０８１５】
なお、送風手段７４６は羽根車７４６ｂが縦軸心廻りに回転可能であり、上下に偏平状に構成されている。送風手段７４６は遊技者が後述の演出ボタン８１３を操作する等、所定の遊技状態となったときに、連続的又は間欠的に所定時間作動して遊技者側へと送風するようになっている。
【０８１６】
ＬＥＤ基板７４８の前側の取り付けケース７４９、発光表示板７４４、風案内手段７４５は光透過性を有し、ＬＥＤ７４７からの光により発光表示板７４４が発光するようになっている。
【０８１７】
上側突出部７３０内には、前面にＬＥＤ７５３を備えたＬＥＤ基板７５４が発光表示部７４４ａの後方側に配置されている。ＬＥＤ基板７５４の前側の各部材は光透過性を有し、ＬＥＤ７５３からの光により発光表示部７４４ａが発光するようになっている。
【０８１８】
第１位置決め手段７３３は、図１１６、図１２２に示すように、第２側部ユニット６６８ｂの上部先端側に配置され、第２位置決め手段７３４は第２側部ユニット６６８ｂの側部下端側に配置されている。第１位置決め手段７３３は、スピーカ装着突部７０２ａの受け部７０５ｃに形成された位置決め凹部７３３ａと、第２側部ユニット６６８ｂの端部の重なり部７４２に形成された位置決め突部７３３ｂとを備え、位置決め突部７３３ｂと位置決め凹部７３３ａとにより、第２側部ユニット６６８ｂの上部先端側を前後左右に位置決めするようになっている。
【０８１９】
位置決め凹部７３３ａ、位置決め突部７３３ｂは、スピーカ装着突部７０２ａの内側部分に平面視Ｌ字状に形成されている。なお、この第１位置決め手段７３３は、重なり部７４２に位置決め凹部７３３ａを設け、受け部７０５ｃに位置決め突部７３３ｂを設けてもよい。また、第１位置決め手段７３３は、他の構造でもよい。
【０８２０】
第２位置決め手段７３４は、図１３５（ａ）（ｂ）に示すように、扉ベース３２２又はその縦補強部材６８５ｂに形成された位置決め孔部７３４ａと、ユニット補強板７３２の下端側に屈曲形成された位置決め突部７３４ｂとを備え、位置決め孔部７３４ａと位置決め突部７３４ｂとにより、第２側部ユニット６６８ｂの側部下端側を扉ベース３２２に対して左右方向に位置決めするようになっている。
【０８２１】
位置決め孔部７３４ａと位置決め突部７３４ｂとの間には、二点鎖線で示すように、各係止手段７３５〜７３７を係脱するに必要な上下方向の余裕がある。なお、この第２位置決め手段７３４は、ユニット補強板７３２に位置決め孔部７３４ａを設け、扉ベース３２２に位置決め突部７３４ｂを設けてもよい。また、第２位置決め手段７３４は、他の構造でもよい。
【０８２２】
従って、第２側部ユニット６６８ｂの装着に際しては、中間部分に配置される複数の第１〜第３係止手段７３５〜７３７、第１〜第３固定手段７３８〜７４０により第２側部ユニット６６８ｂを扉ベース３２２に固定するが、第２側部ユニット６６８ｂの両端側に第１、第２位置決め手段７３３，７３４を設けることにより、第２側部ユニット６６８ｂの両端側の左右位置等を確実に規制することができる。そのため遊技者の悪戯等による第２側部ユニット６６８ｂの下端側の位置ズレ等を防止できる利点がある。
【０８２３】
第１〜第３係止手段７３５〜７３７は、図１３６〜図１３８に示すように、第２側部ユニット６６８ｂの上部先端側と側部上端側と側部中間部との三箇所に配置されており、ユニット補強板７３２に下向きに一体に設けられた係止爪７３５ａ〜７３７ａと、縦補強部材６８５ｂに設けられた孔状の係止部７３５ｂ〜７３７ｂとを備え、その第２係止手段７３６にはクランプ手段７５２が設けられている。
【０８２４】
第１〜第３係止手段７３５〜７３７の各係止爪７３５ａ〜７３７ａの突出長さは、第３係止手段７３７が最大であり、第１係止手段７３５、第２係止手段７３６の順で短くなっている。つまり、第１〜第３係止手段７３５〜７３７の係止爪７３５ａ〜７３７ａと係止部７３５ｂ〜７３７ｂとの係合長さ７３５ｃ〜７３７ｃは、係合長さ７３７ｃ＞係合長さ７３５ｃ＞係合長さ７３６ｃの関係にある。
【０８２５】
第１〜第３係止手段７３５〜７３７の係合長さ７３５ｃ〜７３７ｃは、係合長さ７３７ｃ＞係合長さ７３５ｃ＞係合長さ７３６ｃに設定されており、第１〜第３係止手段７３５〜７３７の係止爪７３５ａ〜７３７ａを係止部７３５ｂ〜７３７ｂに係合させて第２側部ユニット６６８ｂを扉ベース３２２に係止する際に、第３係止手段７３７、第１係止手段７３５、第２係止手段７３６の順序で第１〜第３係止手段７３５〜７３７を順次係合させることができる。従って、第１〜第３係止手段７３５〜７３７を同時に係合させる場合に比較して、係止爪７３５ａ〜７３７ａを係止部７３５ｂ〜７３７ｂに対して容易に係合させることができる。
【０８２６】
第１〜第３係止手段７３５〜７３７の何れか一つの係合長さ７３５ｃ〜７３７ｃを最大とし、他の二つの係合長さは略同じにしてもよい。例えば、第３係止手段７３７の係合長さ７３７ｃを最大とし、第１、第２係止手段７３５，７３６の係合長さ７３５ｃ，７３６ｃを係合長さ７３７ｃよりも短い略同じ長さとすることも可能である。この場合には、第２側部ユニット６６８ｂの装着に際しては、各係止手段７３５〜７３７は、下側の第３係止手段７３７から上側の第１、第２係止手段７３５，７３６へと順次係合することになる。
【０８２７】
第２係止手段７３６は、図１３８（ａ）（ｂ）に示すように、係止爪７３６ａ、係止部７３６ｂを左右に複数配置する等により、他の係止手段７３５，７３７に比較して剛強になっており、係止部７３６ｂに係合した後の係止爪７３６ａを係止部７３６ｂ側へと締め付けるようにクランプ手段７５２が設けられている。
【０８２８】
クランプ手段７５２は、係止部７３６ｂの下側で縦補強部材６８５ｂに固定された平面視Ｕ字状のブラケット７５２ａと、このブラケット７５２ａに支軸７５２ｂ廻りに枢支された平面視逆Ｕ字状のクランプレバー７５２ｃと、クランプレバー７５２ｃの中間に連結軸７５２ｄにより連結され且つ係止爪７３６ａの上側の係合部７３６ｄに上側から係合するＵ字状のクランプ具７５２ｅとを備えている。クランプレバー７５２ｃにはその遊端側に操作部７５２ｆが設けられている。
【０８２９】
第２側部ユニット６６８ｂの装着に際しては、第１〜第３係止手段７３５〜７３７の係止爪７３５ａ〜７３７ａを係止部７３５ｂ〜７３７ｂに係合した後に、クランプ手段７５２のクランプ具７５２ｅを係止爪７３６ａの係合部７３６ｄに係合させる。そして、クランプレバー７５２ｃを支軸７５２ｂ廻りに下側へと回動させて、連結軸７５２ｄがクランプ具７５２ｅの係止爪７３６ａに対する係合位置と支軸７５２ｂとを結ぶ線分から縦補強部材６８５ｂ側へと越えて縦補強部材６８５ｂに当接したときに、第２係止手段７３６の係止爪７３６ａを係合部７３６ｂ側へと係合方向に締め付ける。そのため、第２係止手段７３６の係止爪７３６ａは、他の第１、第３係止手段７３５，７３７に比較して剛強になっている。
【０８３０】
従って、第２係止手段７３６の係止爪７３６ａの係合部７３６ｄに上側から係合させるだけの場合に比較して、第２側部ユニット６６８ｂの機械的な振動を防止することができ、ねじ式の第１〜第３固定手段７３８〜７４０の振動による弛み等を確実に防止することが可能である。
【０８３１】
第１〜第３固定手段７３８〜７４０は、図１３９、図１４０に示すように、第２側部ユニット６６８ｂの上部先端側と側部上下両端側との三箇所に配置されている。この第１〜第３固定手段７３８〜７４０は、ユニット補強板７３２に形成されたねじ孔７３８ａ〜７４０ａと、横補強部材６８４側から扉ベース３２２に挿通された操作部７３８ｂ〜７４０ｂ付きの固定ねじ７３８ｃ〜７４０ｃとを備え、固定ねじ７３８ｃ〜７４０ｃをねじ孔７３８ａ〜７４０ａに螺合することにより、ユニット補強板７３２を扉ベース３２２側に裏側から締め付けて固定するようになっている。
【０８３２】
ヒンジ３０３，３０７側のスピーカ装着突部７０２ａには、その上側突出部７３０側にねじ挿通部７０２ｃが前後方向に形成されており、ユニット補強板７３２側からねじ挿通部７０２ｃに固定ねじ７３８ｃが挿通されている。固定ねじ７３８ｃはねじ挿通部７０２ｃの後側でユニット補強板７３２の屈曲部７３２ａの先端部に形成されたねじ孔７３８ａに螺合されている。
【０８３３】
第１〜第３固定ねじ７３８ｃ〜７４０ｃは、横補強部材６８４又は縦補強部材６８５ｂと、この横補強部材６８４又は縦補強部材６８５ｂに固定された支持部材７３８ｄ〜７４０ｄとに跨がって挿通されており、また、横補強部材６８４又は縦補強部材６８５ｂと支持部材７３８ｄ〜７４０ｄとの間に、スナップリング等の外れ止め部材７３８ｅ〜７４０ｅが設けられている。なお、固定ねじ７３８ｃ〜７４０ｃの先端側の外周は、ねじ孔７３８ａ〜７４０ａに挿入し易くすると共に、手指等を引っ掛けて怪我をしないように面取りを施している。
【０８３４】
前枠３０２側には、図１４０に示すように、固定ねじ７３９ｃ，７４０ｃの操作部７３９ｂ，７４０ｂに対応する段部３０２ａが外周壁３０２ｂの内側にある。この段部３０２ａは、固定ねじ７３９ｃ，７４０ｃを締め付けた状態であれば、図１４０（ａ）に示すように、前扉３０６を前枠３０２側に閉鎖する場合にも、固定ねじ７３９ｃ，７４０ｃの操作部７３９ｂ，７４０ｂと干渉せずに、前扉３０６を前枠３０２側に閉鎖することができる。
【０８３５】
しかし、図１４０（ｂ）に示すように、固定ねじ７３９ｃ，７４０ｃを締め付けないままの状態で前扉３０６を前枠３０２側に閉鎖しようとした場合には、その段部３０２ａが固定ねじ７３９ｃ，７４０ｃの操作部７３９ｂ，７４０ｂと干渉して、前枠３０２と前扉３０６との間に隙間ができて閉鎖できない。
【０８３６】
そのため第２側部ユニット６６８ｂの装着時に、第２、第３固定手段７３９，７４０の固定ねじ７３９ｃ，７４０ｃを締め忘れたままで前扉３０６を前枠３０２側に閉鎖するようなミスの発生を防止することができる。なお、ユニット補強板７３２は板金材を正面視略Ｌ字状に打ち抜いて一体に形成されているが、複数に分割してもよい。
【０８３７】
第２側部ユニット６６８ｂの送風手段７４６、ＬＥＤ７４７，７５３等に接続されたハーネス（図示省略）は、図１２８に示すように、上側突出部７３０内の内中継基板７５５に接続されている。内中継基板７５５にはユニット枠７３１又はユニット補強板７３２の開口７５６に対応して基板側コネクタ７５７が装着されている。基板側コネクタ７５７に着脱自在に接続されたユニット側ハーネス７５８は、図１４１に示すように、複数本をまとめた状態でその開口７５６から扉ベース３２２の開口７５９を経て前扉３０６の後側に引き出されている。
【０８３８】
扉ベース３２２の上ベース部６８１の後側には、左右方向の略中央部に開口７５９に隣接して左右方向に長い上中継基板７６０が設けられている。この上中継基板７６０は、上ベース部６８１の狭い部分に形成された収容凹部７６１内に配置されている。上中継基板７６０には左右に２個の基板側コネクタ７６２，７６３が後側向きに装着され、その一方の基板側コネクタ７６２にユニット側ハーネス７５８のコネクタ７５８ａが着脱自在に接続されている。
【０８３９】
他方の基板側コネクタ７６３には、ユニット用中継ハーネス７６４のコネクタ７６４ａが着脱自在に接続されている。ユニット用中継ハーネス７６４も複数本をまとめたものであり、扉ベース３２２の上ベース部６８１の後側上端に沿って上部スピーカ６６６ｂの上側等の近傍を経てヒンジ３０３，３０７と反対側の端部へと左右方向に引き出された後、その端部側の開口７６６から扉ベース３２２の前側へと引き出されている。
【０８４０】
扉ベース３２２の前側のユニット用中継ハーネス７６４は、図１１１に示すように、扉ベース３２２のヒンジ３０３，３０７と反対側の縦ベース部６８２ｂの端縁に沿って下部スピーカ６６７ｂの上側近傍へと上下方向に配置され、下部スピーカ６６７ｂのスピーカカバー７６５ｂ内を経て下ベース部６８３側の下中継基板（図示省略）側に接続されている。なお、下部スピーカ６６７ａ，６６７ｂの前側周辺にはスピーカカバー７６５ａ，７６５ｂが配置されている。
【０８４１】
このようにユニット用中継ハーネス７６４を扉ベース３２２の前側に上下方向に配置することによって、扉ベース３２２のヒンジ３０３，３０７と反対側の縦ベース部６８２ｂの裏側には、施錠手段３０４の一部を兼用した縦補強部材６８５ｂを配置することができる。ユニット用中継ハーネス７６４の前側には、第２側部ユニット６６８ｂが着脱自在に配置されるので、そのユニット用中継ハーネス７６４の保守点検等も容易に行うことができる。
【０８４２】
扉ベース３２２の縦ベース部６８２ｂの前側に上下方向に配置されるユニット用中継ハーネス７６４は、図１１１、図１１７に示すように、その上下方向の略全体が保護カバー７６７により覆われている。保護カバー７６７は断面Ｌ字状であって、縦ベース部６８２ｂの外周壁７６７ａに沿って配置され、ねじ等の固定具により扉ベース３２２に着脱自在に固定されている。
【０８４３】
第１側部ユニット６６８ａ内のＬＥＤ基板７２１の上端部には、図１４１に示すように、扉ベース３２２の開口７６８に対応して後側向きに２個の基板側コネクタ７６９ａ，７６９ｂが設けられ、この各基板側コネクタ７６９ａ，７６９ｂに着脱自在に接続されたハーネス７７０ａ，７７０ｂが扉ベース３２２の上ベース部６８１の後側を経て上部スピーカ６６６ａ，６６６ｂ側のＬＥＤ基板７１７ａ，７１７ｂに接続されている。２個の基板側コネクタ７６９ａ，７６９ｂはＬＥＤ基板７２１の配線パターンを経て下端側から下中継基板等に接続されている。
【０８４４】
扉ベース３２２のヒンジ３０３，３０７側の縦ベース部６８２ａの後側には、上部スピーカ６６６ａの近傍にスピーカ用中継基板７７２が設けられ、各上部スピーカ６６６ａ，６６６ｂからのスピーカ側ハーネス７７３ａ，７７３ｂと、スピーカ駆動源側のスピーカ用中継ハーネス７７４とがスピーカ用中継基板７７２を介して接続されている。
【０８４５】
スピーカ用中継基板７７２には、３個の基板側コネクタ７７５ａ，７７５ｂ，７７６が設けられ、その２個の基板側コネクタ７７５ａ，７７５ｂに各上部スピーカ６６６ａ，６６６ｂからのスピーカ側ハーネス７７３ａ，７７３ｂが、１個の基板側コネクタ７７６にスピーカ用中継ハーネス７７４が夫々着脱自在に接続されている。スピーカ用中継ハーネス７７４は、図１４１に示すように、扉ベース３２２のヒンジ３０３，３０７側の縦ベース部６８２ａに装着された縦補強部材６８５ａに沿って上下方向に配置され、保護カバー７７７により後側から保護されている。
【０８４６】
スピーカ用中継ハーネス７７４、保護カバー７７７は、上部スピーカ６６６ａの近傍から下ベース部６８３の下端近傍までの間に上下方向に配置されている。保護カバー７７７は、スピーカ用中継ハーネス７７４を覆う断面Ｌ字状又はＵ字状であって、縦補強部材６８５ａに沿って上下方向に配置され、ねじ等の固定具により扉ベース３２２の裏側に着脱自在に固定されている。
【０８４７】
このように扉ベース３２２のヒンジ３０３，３０７側の縦ベース部６８２ａの裏側にスピーカ用中継ハーネス７７４を設けることにより、縦ベース部６８２ａの前側にある第１側部ユニット６６８ａに関係なくスピーカ用中継ハーネス７７４の保守点検等を容易に行うことができる。
【０８４８】
保護カバー７７７の後側には、図１４２に示すように、前扉３０６と前枠３０２との間から内部への不正部材の挿入を阻止するための挿入阻止部７７７ａが後方に突出するリブ状に設けられている。即ち、前枠３０２のヒンジ３０３，３０７側には、図１４２に示すように、本体枠部７７８ａの前壁部７７８ｂに外突条部７７８ｃと内突条部７７８ｄとが上下方向に設けられ、その前壁部７７８ｂの裏側から外突条部７７８ｃの外側に沿うように板金製の補強部材７７８ｅが設けられている。この補強部材７７８ｅは前端から内側に屈曲する内側屈曲部７７８ｆを有する。
【０８４９】
扉ベース３２２のヒンジ３０３，３０７側の縦補強部材６８５ａには、扉ベース３２２の内周壁部７７９ａに沿って後側に屈曲する後側屈曲部６８５ａ１と、この後側屈曲部６８５ａ１の後端から外側に屈曲する外側屈曲部６８５ａ２とが上下方向の略全長に設けられている。
【０８５０】
そして、前扉３０６と前枠３０２との間には、前扉３０６をヒンジ３０３，３０７廻りに前枠３０２側に閉じたときに、前扉３０６の外側屈曲部６８５ａ２と内周壁部７７９ａとの間に補強部材７７８ｅの内側屈曲部７７８ｆが入り込んで、不正部材の挿入を阻止する屈曲迷路７８０が形成される。内周壁部７７９ａの外側には、後端の傾斜壁部７７９ｂを介して外周壁部７７９ｃが設けられ、その外周壁部７７９ｃの前端に発光装飾カバー７２２の後端が当接している。
【０８５１】
保護カバー７７７の後壁部７７７ｂは縦補強部材６８５ａの外側屈曲部６８５ａ２と同等か又は外側屈曲部６８５ａ２よりも後方に突出しており、その後壁部７７７ｂから後方へと突出する挿入阻止部７７７ａが、上部スピーカ６６６ａ，６６６ｂの近傍から下ベース部６８３の下端近傍までの全範囲に上下方向に配置されている。この挿入阻止部７７７ａはリブ状であって、前扉３０６を前枠３０２側に閉じたときに、前枠３０２の内突条部７７８ｄの内側に近接するようになっている。保護カバー７７７はその取り付け部７７７ｃが扉ベース３２２にねじ等の固定具により取り付けられている。
【０８５２】
このように縦補強部材６８５ａに沿ってその内側に保護カバー７７７の後壁部７７７ｂから後方に突出するリブ状の挿入阻止部７７７ａを設けることにより、仮に屈曲迷路７８０を通過して不正部材が挿入されるようなことがあっても、この挿入阻止部７７７ａと内突条部７７８ｄとによって、それ以上の不正部材の進入を阻止することができる。また、挿入阻止部７７７ａを保護カバー７７７に設けているので、前扉３０６側の構造等を大きく変更する必要もなく容易に実施することが可能である。
【０８５３】
扉ベース３２２の上ベース部６８１には、図１１３、図１２１、図１２４等に示すように、上部スピーカ６６６ａ，６６６ｂ、ハーネス７６４，７７０ａ，７７０ｂ，７７３ａ，７７３ｂ及び中継基板７７２の一部又は全部を裏側から覆うための左右一対の上部裏カバー７８１ａ，７８１ｂが着脱自在に設けられている。ヒンジ３０３，３０７側の上部裏カバー７８１ａは、第１固定手段７３８の固定ねじ７３８ｃの操作部７３８ｂを裏側から操作できるように、第１固定手段７３８に対応して切り欠き部７８１ａ１が設けられている。ヒンジ３０３，３０７と反対側の上部裏カバー７８１ｂは、クランプ手段７５２を操作できるように、上中継基板７６０の基板側コネクタ７６３とクランプ手段７５２との間に設けられている。
【０８５４】
このように上部裏カバー７８１ａ，７８１ｂを設けることによって、上部スピーカ６６６ａ，６６６ｂ、ハーネス７６４，７７０ａ，７７０ｂ，７７３ａ，７７３ｂ及び中継基板７７２が露出する場合に比較して、前扉３０６の扉ベース３２２の裏側上部の見映えを良好にすることができる。
【０８５５】
一方、上ベース部６８１の左右方向の略中央部、即ち上ベース部６８１に形成された開口７５９と、この開口７５９から引き出されたユニット側ハーネス７５８のコネクタ７５８ａが接続される上中継基板７６０側の基板側コネクタ７６２とに対応するする部分には、上部裏カバー７８１ａ，７８１ｂは設けられていない。そのため上中継基板７６０の基板側コネクタ７６２に対してユニット側ハーネス７５８のコネクタ７５８ａを容易に着脱することができる。また、同時に第１固定手段７３８の固定ねじ７３８ｃ、クランプ手段７５２も上部裏カバー７８１ａ，７８１ｂに関係なく操作することができる。そのため第２側部ユニット６６８ｂを着脱する都度、上部裏カバー７８１ａ，７８１ｂを着脱するような煩わしさを解消できる。
【０８５６】
なお、上部裏カバー７８１ａ，７８１ｂは左右別々に着脱可能にしているが、左右の上部裏カバー７８１ａ，７８１ｂを接続して一体化することも可能である。但し、この場合には、第２側部ユニット６６８ｂを着脱する際に、左右一体の上部裏カバー７８１ａ，７８１ｂを着脱するために、上中継基板７６０の基板側コネクタ７６２に対してユニット側ハーネス７５８を着脱する必要がある。
【０８５７】
前扉３０６の前側下部には、図１０８、図１０９、図１１１、図１１２、図１１６、図１１７に示すように、扉ベース３２２から前側へと平面視略三角形状に張り出す前張り出しユニット６６９が設けられている。前張り出しユニット６６９には、その中央前端側に操作演出手段６７８が上下方向に配置され、この操作演出手段６７８の後側からヒンジ３０３，３０７側に跨がって上皿３２８と下皿３２９とが上下に配置され、操作演出手段６７８に対して上皿３２８、下皿３２９と反対側に発射ハンドル３３０と下スピーカ３２５ａの音声を前側に出すための小孔群６７９が設けられている。
【０８５８】
なお、前扉３０６の下部の後側には、図１１２に示すように、発射手段３２７の遊技球の発射動作に同期して、上皿３２８内の遊技球を１個ずつ発射手段３２７へと送る球送り手段６８０等が設けられている。
【０８５９】
前張り出しユニット６６９の外形状は下装飾カバー３３１等により形作られており、操作演出手段６７８を配置するための操作手段配置部７８５が前側に位置しており、この操作手段配置部７８５の左右両側に、操作手段配置部７８５から後ろ広がり状に左右の前上縁部７８６ａ，７８６ｂが配置され、その各前上縁部７８６ａ，７８６ｂの下側に、後方へと凹入する下皿用凹部７８７ａとハンドル用凹部７８７ｂとが設けられている。
【０８６０】
下皿用凹部７８７ａには前側に開口する下皿用開口部３２９ａが設けられ、この下皿用開口部３２９ａの後側が下皿３２９となっている。下皿３２９は、図１４３に示すように、前張り出しユニット６６９の内部においてヒンジ３０３，３０７側近傍から操作演出手段６７８側の後側まで伸びている。この下皿３２９の後壁側には、上皿３２８からの遊技球が流入する流入口３２９ｂが前向きに形成されている。流入口３２９ｂは下皿用開口部３２９ａよりも操作演出手段６７８の後方側に偏位して配置されている。
【０８６１】
このような構成の下皿３２９では、操作演出手段６７８の左側近傍までの従来のものに比較して、操作演出手段６７８の裏側部分にも余剰球を貯留することが可能であり、余剰球の貯留を十分に確保することができる。また、上皿３２８の流入口３２９ｂは、操作演出手段６７８の後側に偏位しているため、この流入口３２９ｂから下皿３２９内に流入する遊技球を下皿３２９の最も奥から効率的に溜めることができる。
【０８６２】
上皿３２８は、図１１７に示すように、前張り出しユニット６６９の上面側に開放状であって、ヒンジ３０３，３０７の近傍から操作演出手段６７８側の裏側まで伸びており、操作演出手段６７８の後側の供給通路３２８ａを経て球送り手段６８０へと遊技球を供給するようになっている。
【０８６３】
ハンドル用凹部７８７ｂには、発射ハンドル３３０を回動操作可能に保持する保持筒部３３０ａが設けられ、この保持筒部３３０ａに、ハンドル用凹部７８７ｂの前側に突出する発射ハンドル３３０が回動操作可能に取り付けられている。なお、発射ハンドル３３０は前張り出しユニット６６９の下面よりも高い位置に配置されている。
【０８６４】
前張り出しユニット６６９の上面側には、図１１７に示すように、操作手段配置部７８５と上皿３２８と前上縁部７８６ａとの間に平坦な第１操作パネル部７８２が、操作手段配置部７８５と下部スピーカ６６７ｂとの間に平坦な第２操作パネル部７８３が夫々設けられている。第１操作パネル部７８２には、十字操作手段７８９と音量調整手段７９０と光量調整手段７９１とが配置されている。
【０８６５】
十字操作手段７８９は、第１操作パネル部７８２の下側のスイッチ基板７９２に前後左右に配置された上操作キー７８９ａ、下操作キー７８９ｂ、左操作キー７８９ｃ及び右操作キー７８９ｄとを備えている。
【０８６６】
なお、十字操作手段７８９は、客待ち状態でのメニュー操作可能期間中に遊技者が操作演出手段６７８を押下すれば、画像表示手段３９３にメニュー画像が表示されるので、その上操作キー７８９ａ、下操作キー７８９ｂ、左操作キー７８９ｃ、右操作キー７８９ｄの何れかを適宜操作してメニュー画像の何れかの選択項目を選択し実行する際に使用する。
【０８６７】
音量調整手段７９０は各スピーカ３２５a ，６６６ａ，６６６ｂ，６６７ａ，６６７ｂの音量を調整するためのもので、前後に配置された上操作キー７９０ａと下操作キー７９０ｂとを備え、音量調整可能期間中に上操作キー７９０ａを押せば各スピーカ３２５ａ，６６６ａ，６６６ｂ，６６７ａ，６６７ｂの音量が上がり、下操作キー７９０ｂを押せば各スピーカ３２５ａ，６６６ａ，６６６ｂ，６６７ａ，６６７ｂの音量が下るようになっている。
【０８６８】
光量調整手段７９１は各ＬＥＤ７１６，７２０，７４７，７５３の光量を調整するためのもので、前後に配置された上操作キー７９１ａと下操作キー７９１ｂとを備え、光量調整可能期間中に上操作キー７９１ａを押せば各ＬＥＤ７１６，７２０，７４７，７５３の光量が上がり、下操作キー７９１ｂを押せば各ＬＥＤ７１６，７２０，７４７，７５３の光量が下るようになっている。
【０８６９】
十字操作手段７８９の４個の操作キー７８９ａ〜７８９ｄ、音量調整手段７９０の２個の操作キー７９０ａ，７９０ｂ及び光量調整手段７９１の２個の操作キー７９１ａ，７９１ｂは、スイッチ基板７９２上の配線パターンにより並列に接続されており、スイッチ基板７９２の下面側のコネクタからハーネスを経て、各信号の受け取り側に対して１バイトで並列送信するように構成されている。
【０８７０】
なお、十字操作手段７８９の４個の操作キー７８９ａ〜７８９ｄと、音量調整手段７９０の２個の操作キー７９０ａ，７９０ｂと、光量調整手段７９１の２個の操作キー７９１ａ，７９１ｂは、個別に信号を送信するようにしてもよい。また、スイッチ基板７９２は基板ケース（図示省略）に固定され、また、基板ケースは第１操作パネル部７８２の下側にネジ等で着脱自在に固定されている。
【０８７１】
第２操作パネル部７８３には、球貸し機に球貸し指令を出すための球貸し操作手段７８８ａと、球貸し機に対して挿入された有価カードを返却すべき返却指令を出すための返却操作手段７８８ｂと、下皿３２９の遊技球を下側へ抜き取るための球抜き操作手段７８８ｃとが配置されている。球抜き操作手段７８８ｃは、押圧操作したときに上皿３２８の球抜き孔を開放して、上皿３２８の遊技球を下皿３２９へと抜き取るようになっている。
【０８７２】
前扉３０６は、前扉３０６を前枠３０２側に閉じたときに、図１２０に示すように、その後端外周の当接壁６９８が前枠３０２の前端外周部に当接する。前張り出しユニット６６９の底壁７９３は、下装飾カバー３３１の下側部分により構成されており、前扉３０６の下端面に連続する水平部７９３ａと、水平部７９３ａの前端から前上がりに傾斜する傾斜部７９３ｂとを備えている。
【０８７３】
前張り出しユニット６６９の傾斜部７９３ｂの前端側下部は、パチンコ機３００を起立状態で床面Ｆ上に仮置きするときに接地する前側支持部７９４となっており、外枠３０１の前側の本体側支持部７９５と協働して床面Ｆ上のパチンコ機３００を前傾状態で起立させ得るようになっている。
【０８７４】
本体側支持部７９５は外枠３０１の下側の前端部分の略左右幅に対応しており、前側支持部７９４は平面視において本体側支持部７９５の前方で前張り出しユニット６６９の左右方向の略中央に位置し、操作演出手段６７８の略下側に対応して設けられている。
【０８７５】
パチンコ機３００を床面Ｆ等に起立状態に仮置きする場合、一般的には外枠３０１の下横枠材３４４の第１支持部６４５と飾り部材３１０の第２支持部６４６とを床面Ｆ等に接地して略直立状態に自立させる。しかし、本体側支持部７９５の前端側を支点としてパチンコ機３００を前側へと倒して行くと、図１４４に示すように、傾斜部７９３ｂの前端側下部の前側支持部７９４が接地して、これら本体側支持部７９５と前側支持部７９４とが協働してパチンコ機３００を前傾姿勢に支持することができる。
【０８７６】
従って、パチンコ機３００の重心位置が本体側支持部７９５よりも前側で、本体側支持部７９５の左右両端と前側支持部７９４とを結ぶ線分の平面視三角形の範囲内にあればよいので、その最大範囲を十分に大きく確保することができる。そのため下横枠材３４４の第１支持部６４５と飾り部材３１０の第２支持部６４６とを接地させて起立状態に保持する場合に比較して、パチンコ機３００の安定性が向上して左右方向、前後方向に不安定に転倒するようなことがない。
【０８７７】
近年のパチンコ機３００では、遊技盤３１３の裏側に装着する画像表示手段３９３、基板ケース等の裏機構が大型化し重量物化する傾向にある。しかし、このような場合にも、傾斜部７９３ｂの前端側の前側支持部７９４が水平部７９３ａよりも十分に高い位置になっているため、パチンコ機３００が前側に十分に傾斜する前傾姿勢を取ることになり、パチンコ機３００の安定性を向上させることができる。
【０８７８】
前側支持部７９４は、図１４４に示すように、パチンコ機３００を前傾状態に起立させた場合に、前張り出しユニット６６９の下側の下皿３２９、又はその近傍の下部側に配置される発射ハンドル３３０等の他の構成部材が地面又は床面Ｆ等と接触しない高さに設けられている。
【０８７９】
水平部７９３ａには、下皿３２９の遊技球を下側に抜き取るための抜き取り口６７５が設けられている。抜き取り口６７５は下皿３２９の抜き取り部に連通しており、下皿３２９の前側の球抜き操作手段６７６を抜き取り方向に操作したときに開放して、下皿３２９内の遊技球を島設備７９６ａの受け台７９６ｃ上の受け箱７９６ｄへと抜き取ることが可能である。
【０８８０】
水平部７９３ａは前扉３０６から操作手段配置部７８５の前端までの全突出量の略半分程度であり、前扉３０６の下面と略面一状になっている。そして、傾斜部７９３ｂは水平部７９３ａの前側から前上がりに傾斜状に設けられており、図１０９に示すように、前張り出しユニット６６９の下側への受け箱７９６ｄの出し入れ等を容易に行い得るようになっている。
【０８８１】
即ち、受け台７９６ｃ上に受け箱７９６ｄを出し入れする場合、前張り出しユニット６６９の下側に傾斜部７９３ｂがなければ、前張り出しユニット６６９と受け台７９６ｃとの間の隙間が狭くなり、前張り出しユニット６６９の下側への受け箱７９６ｄの出し入れ等が非常に煩雑になる。しかし、前張り出しユニット６６９の底壁７９３の前側に、前上がりに傾斜する傾斜部７９３ｂを設けることにより、前張り出しユニット６６９の前下側が開放状になるため、受け台７９６ｃ上への受け箱７９６ｄの出し入れ、その他の取り扱いが容易になる利点がある。
【０８８２】
なお、前張り出しユニット６６９の前側支持部７９４は、前扉３０６の下端面に連続する後端側の水平部７９３ａよりも前側が高ければよく、傾斜部７９３ｂの前端である必要はない。例えば、前張り出しユニット６６９の前側下部が前側支持部７９４となる構造であれば、その前側支持部７９４の後側は階段状、その他の形状を呈しながら低くなる構造でもよい。
【０８８３】
前張り出しユニット６６９の上面側を構成する上皿３２８、下装飾カバー３３１は、その全体が遮光性を有する合成樹脂材により構成されている。下装飾カバー３３１には、その上面側から前側中央部に跨がって操作手段配置部７８５の周辺に開放部７９７が形成されており、その開放部７９７を上側及び前側から覆う周辺カバー７９８が設けられている。
【０８８４】
周辺カバー７９８は、図１０８、図１０９、図１１１、図１１６、図１１７、図１４５等に示すように、操作演出手段６７８を透視可能にその前側に配置される前カバー部（前透視部）７９９と、操作演出手段６７８の左右両側から後側に設けられた上カバー部８００とを備えている。
【０８８５】
周辺カバー７９８には、図１０９、図１１６、図１１７、図１４５〜図１４７等に示すように、操作演出手段６７８の操作部７３８ｂが上側に突出する円形状の開口８０１が前カバー部７９９と上カバー部８００との間に設けられ、また、操作演出手段６７８からの光がガラスユニット３４０のガラス板６７１ａ側に映り込まないように映り込み防止手段８０４が上カバー部８００に設けられている。
【０８８６】
前カバー部７９９は光透過性を有する透明な合成樹脂製であって、操作演出手段６７８の前側近傍から前下側へと略円弧状に突出して正面視略Ｕ字状に形成され、その正面視略Ｕ字状の外周縁７９９ａの裏側に乱反射部７９９ｂが形成されている。一方、下装飾カバー３３１の前壁部分には、前カバー部７９９が収まる正面視略Ｕ字状の凹部８０２が設けられ、その凹部８０２の後内周側の段部８０２ａに乱反射部８０２ｂが重なっている。なお、前カバー部７９９は無色透明又は着色透明の合成樹脂製であって、操作演出手段６７８を前側から透視可能な透視部７９９ｃになっている。
【０８８７】
上カバー部８００は光透過性のない不透明な合成樹脂製であって、操作演出手段６７８の後側から左右両側を経て前カバー部７９９の左右上部側に至る範囲に形成された周壁部８００ａと、周壁部８００ａの前部側から左右両側に突出する左右一対の突出部８００ｂとを備えている。周壁部８００ａは上皿３２８の前縁近傍から操作演出手段６７８の操作部７３８ｂ側に沿って盛り上がっている。左右の突出部８００ｂは周壁部８００ａと一体又は別体であり、その一方の突出部８００ｂには第１操作パネル部７８２が設けられ、また、他方の突出部８００ｂは操作演出手段６７８の後述の回転駆動手段８１０等を覆う覆い部となっている。上カバー部８００の後端下部は、上皿３２８の前縁側凹部に入っている。
【０８８８】
操作演出手段６７８は発光演出及び可動演出が可能な押下式操作手段により構成されており、下装飾カバー３３１の中央前端部の操作手段配置部７８５に上下方向に略垂直（略鉛直）に配置され、扉ベース３２２から前側に突出する板金製の受け台８０３上に着脱自在に固定されている。
【０８８９】
この操作演出手段６７８は、図１４５〜図１５５に示すように、受け台８０３上に固定された固定支持枠８０５と、両端が固定支持枠８０５に固定された固定支持部材８２４と、この固定支持部材８２４上の左右両側の第１回転支持手段８０６を介して横軸心廻りに回転自在に支持された第１回転体（内回転体）８０７と、第１回転支持手段８０６と略同心状の左右両側の第２回転支持手段８０８を介して横軸心廻りに回転自在に支持された第２回転体（外回転体）８０９と、一方の第１回転支持手段８０６と第２回転支持手段８０８とを介して第１回転体８０７と第２回転体８０９とを逆方向に回転駆動する回転駆動手段８１０と、第１回転支持手段８０６を貫通して固定支持枠８０５に固定され且つ第１回転体８０７内で上向きに発光する発光手段８１１と、第１回転体８０７及び第２回転体８０９の下側で固定支持枠８０５上に上向きに固定された反射手段８１２と、内部の第１回転体８０７及び第２回転体８０９の回転状態、発光手段８１１の発光状態を視認可能に覆い且つ固定支持枠８０５により押下操作可能に支持された演出ボタン（押下操作体）８１３と、緩衝手段８１４を介して固定支持枠８０５に装着され且つ演出ボタン８１３を振動させる振動発生手段８１５と、発光手段８１１からの光を上向きに反射させる反射手段８１２とを備えている。
【０８９０】
演出ボタン８１３の操作部８１３ａは、周辺カバー７９８の開口８０１から上側に突出しており、正面視において遊技盤３１３の遊技領域３２３の下部側と前後に重なって配置されている。なお、第１回転体８０７と第２回転体８０９とにより回転演出手段又は可動演出手段が構成されている。また第１回転体８０７、第２回転体８０９は一方のみでもよい。
【０８９１】
固定支持枠８０５は板金製の上支持枠８１６と下支持枠８１７とを上下に結合して構成され、その下支持枠８１７が受け台８０３上にねじ等で固定されている。上支持枠８１６は、演出ボタン８１３の左右両側に相対向して配置された左右一対の縦支持部８１６ａと、この縦支持部８１６ａの下端側を左右に連結する連結部８１６ｂとを備えている。
【０８９２】
下支持枠８１７は、上支持枠８１６の連結部８１６ｂの下側に結合される結合部８１７ａと、この結合部８１７ａの左右両側から下向きに屈曲して下端が受け台８０３上に固定される左右一対の固定脚部８１７ｂと、結合部８１７ａの前後両側から下側へと中間高さまで屈曲する前後一対の下支持部８１７ｃと、各下支持部８１７ｃから下側に屈曲して受け台８０３上に当接する当接脚部８１７ｄとを備えている。
【０８９３】
演出ボタン８１３は光透過性を有する無色透明又は着色透明の合成樹脂製の押しボタン式であって、上下方向の略円筒状に構成された胴部８１３ｂと、この胴部８１３ｂの上端側に上向きに形成された周溝部８１３ｃと、周溝部８１３ｃから上向きに突出し且つ球面状に湾曲する操作部８１３ａとを一体に備え、胴部８１３ｂの下端が昇降体８１３ｄと、その下側の補強板８１３ｅとに着脱自在に固定されている。
【０８９４】
そして、この演出ボタン８１３は、昇降体８１３ｄが反射手段８１２の反射板８１２ａの下面に当接する待機位置（上昇位置）Ｕと、補強板８１３ｅが下支持枠８１７の下支持部８１７ｃ上の緩衝手段８１４に当接又は近接する押し込み位置Ｄとの間で上下動自在であり、補強板８１３ｅと下支持枠８１７の下支持部８１７ｃとの間に介装された複数の付勢手段８２２により待機位置Ｕ側に支持されている。
【０８９５】
操作部８１３ａは、演出ボタン８１３全体が十分な強度を確保できるように、略球面状又は略ドーム状に形成されている。なお、操作部８１３ａはその頂部側の中央部分が押圧部位８１３ｆとなっており、その押圧部位８１３ｆの内面には、「ＰＵＳＨ」等を表示する表示部８１３ｇがシボ加工等により形成されている。
【０８９６】
これは、操作部８１３ａの押圧部位８１３ｆを押圧操作したときに、操作部８１３ａ自体に加わる荷重によって表示部８１３ｇの周辺部分に発生する歪みを極力少なくして、略球面状等であることと相俟って操作部８１３ａの耐久性の向上を図るためである。なお、操作部８１３ａの押圧部位８１３ｆは略平坦状にしてもよい。
【０８９７】
演出ボタン８１３の操作部８１３ａの外周側には、図１４５〜図１４７、図１４９、図１５０に示すように、不正部材の挿入を阻止する挿入阻止手段８１８が設けられている。この挿入阻止手段８１８は、演出ボタン８１３の操作部８１３ａの外周側に形成された周溝部８１３ｃと、周辺カバー７９８の内部に配置され且つ周溝部８１３ｃの上側で演出ボタン８１３の操作部８１３ａの外周側に嵌合する挿入阻止カバー８１８ａとを備えている。
【０８９８】
挿入阻止カバー８１８ａは光透過性を有する合成樹脂製であって、胴部８１３ｂの外周に配置された胴部８１８ｂと、この胴部８１８ｂの上端側から内側にリング状に屈曲し且つ操作部８１３ａの外周側で周溝部８１３ｃを上側から塞ぐ阻止縁８１８ｃとを有する。胴部８１８ｂは左右両側の取り付け部８１８ｄを介して固定支持枠８０５側に取り付けられている。
【０８９９】
阻止縁８１８ｃの内周は、演出ボタン８１３の球面状の操作部８１３ａの下部外周に近接して配置されている。そして、挿入阻止手段８１８は、演出ボタン８１３が待機位置Ｕに位置するときに、阻止縁８１８ｃの下面に周溝部８１３ｃの外周部が近接又は当接し、また胴部８１８ｂの前側部分が周溝部８１３ｃに下側から近接又は当接可能であり、全体として迷路状に構成されている。
【０９００】
従って、演出ボタン８１３が待機位置Ｕに位置する場合に、演出ボタン８１３の操作部８１３ａと挿入阻止カバー８１８ａの阻止縁８１８ｃとの間の僅かの間隙を経てピアノ線等の不正部材を挿入しても、周溝部８１３ｃと挿入阻止カバー８１８ａとの間の迷路により不正部材の進入が阻止されることになり、その挿入阻止手段８１８を通過して操作演出手段６７８の内部に不正部材を挿入することはできない。
【０９０１】
演出ボタン８１３と周辺カバー７９８との間には、図１４５〜図１４７、図１４９に示すように、不正部材の挿入を防止する前挿入防止手段８２０と後挿入防止手段８２１とが演出ボタン８１３の前後両側に設けられている。前挿入防止手段８２０は、演出ボタン８１３の胴部８１３ｂの前側上部に周方向に略水平に形成された受け溝部８２０ａと、この受け溝部８２０ａに上側から出退自在に嵌合する挿入阻止カバー８１８ａの胴部８１８ｂとにより構成され、前カバー部７９９の上部に対応して左右方向に配置されている。
【０９０２】
なお、受け溝部８２０ａは、その前側に左右方向の帯状に形成された前起立部８２０ｂを有し、この前起立部８２０ｂが挿入阻止カバー８１８ａの胴部８１８ｂの下端側を前側から覆うようになっている。従って、前挿入防止手段８２０は前カバー部７９９の上部内周側で一種の飾り枠を構成している。
【０９０３】
後挿入防止手段８２１は操作部８１３ａの後上部側から周溝部８１３ｃの左右両側へと前下り円弧状に形成された阻止溝部８２１ａと、周辺カバー７９８の内側に形成され且つ阻止溝部８２１ａに上側から出退自在に嵌合する阻止壁部８２１ｂとにより構成されている。なお、阻止壁部８２１ｂは周辺カバー７９８の開口８０１の内周から下方に突出している。
【０９０４】
このように演出ボタン８１３の前後両側に、前挿入防止手段８２０と後挿入防止手段８２１とを設けることにより、演出ボタン８１３が待機位置Ｕに位置するときに、周辺カバー７９８の開口８０１側からも不正部材を挿入することはできない。
【０９０５】
演出ボタン８１３の胴部８１３ｂには、図１４５〜図１５０に示すように、左右一対の第１回転支持手段８０６及び第２回転支持手段８０８に対応して形成された切り込み部８１３ｈと、各切り込み部８１３ｈの前後両側から左右方向の外側へと突出する上下方向のリブ状の被案内部８１３ｉとが設けられている。切り込み部８１３ｈは、演出ボタン８１３の操作時に第１回転支持手段８０６及び第２回転支持手段８０８と干渉しないようにするためのものである。被案内部８１３ｉは切り込み部８１３ｈの前後両側にあり、固定支持枠８０５側の支持体８２３側の案内部８２３ａ間に上下摺動自在に配置され、案内部８２３ａとの間で演出ボタン８１３を操作方向に案内するようになっている。
【０９０６】
支持体８２３は固定支持枠８０５の左右両側の縦支持部８１６ａに固定されている。この支持体８２３には、図１４３、図１４９に示すように、案内部８２３ａの他に、前側に突出する被案内部８２３ｂが上下方向に設けられている。
【０９０７】
また、演出ボタン８１３の胴部８１３ｂには、前カバー部７９９の透視部７９９ｃに対応して略Ｕ字状の内透視部８１３ｊが形成され、その内透視部８１３ｊ以外の内周又は外周に乱反射部８１３ｋが設けられている。乱反射部８１３ｋは上下方向の筋状に形成される等、その乱反射により透視性を阻害する阻害部を構成している。
【０９０８】
演出ボタン８１３は胴部８１３ｂの下端が円板状の昇降体８１３ｄと、この昇降体８１３ｄを下側から補強する板金製の補強板８１３ｅとにねじ等の固定手段により着脱自在に固定されている。補強板８１３ｅは下支持枠８１７の結合部８１７ａに対応する切り欠き部８１３ｌが形成されたコ字状であって、この補強板８１３ｅには下向きに突出する固定ピン８２２ａが前後左右に固定状に配置され、その各固定ピン８２２ａが下支持枠８１７の下支持部８１７ｃの通孔８１７ｅに遊嵌状に挿通されている。
【０９０９】
付勢手段８２２は、図１５３に示すように、コイルバネ８２２ｂを備え、そのコイルバネ８２２ｂは固定ピン８２２ａに套嵌して補強板８１３ｅと下支持部８１７ｃとの間に介在されている。下支持部８１７ｃ上には、ゴム等の規制部８１７ｆが前後の固定ピン８２２ａ間に位置して左右に設けられ、演出ボタン８１３を押し込み位置Ｄまで押し込んだときに補強板８１３ｅを介して演出ボタン８１３を受けるようになっている。
【０９１０】
発光手段８１１は、図１４５〜図１４８に示すように、球体状の第１回転体８０７の内部に配置されており、両端が固定支持部材８２４を介して固定支持枠８０５に固定された円板状の基板支持体８１１ａと、この基板支持体８１１ａの上側に装着されたＬＥＤ基板８１１ｂと、このＬＥＤ基板８１１ｂの上面に上向きに実装された多数のＬＥＤ（発光体）８１１ｃと、このＬＥＤ８１１ｃからの光を乱反射により拡散させる拡散板８１１ｄと、ＬＥＤ基板８１１ｂの前側の下面に下向きに実装された複数のＬＥＤ（発光体）８１１ｅとを備え、外部からの発光演出指令により、所定の発光条件で上向きのＬＥＤ８１１ｃが上向きに、下向きのＬＥＤ８１１ｅが下向きに夫々発光して第１回転体８０７の内周面に光を照射するようになっている。
【０９１１】
基板支持体８１１ａは光透過性のない合成樹脂製であって、左右両側に筒状の固定支持部材８２４が一体に設けられ、その固定支持部材８２４の先端側が固定支持枠８０５の支持体８２３にネジ等の固定具で着脱自在に固定されている。
【０９１２】
各固定支持部材８２４は、図１４５〜図１４８、図１５４に示すように、左右方向の筒状部８２４ａと、この筒状部８２４ａの外端側に設けられた断面Ｕ字状の取り付け部８２４ｂとを有し、その各取り付け部８２４ｂがねじ等の固定具８２７ｄにより支持体８２３上に着脱自在に固定されている。固定具８２７ｄは取り付け部８２４ｂが断面Ｕ字状で上側が開放状であるため、その開放側から着脱操作が可能である。
【０９１３】
基板支持体８１１ａ上にはＬＥＤ基板８１１ｂと拡散板８１１ｄとが積層されて着脱自在に固定されている。上向きのＬＥＤ８１１ｃはＬＥＤ基板８１１ｂの略全体に分散して配置され、ＬＥＤ基板８１１ｂの上側には拡散板８１１ｄが対向して配置されている。拡散板８１１ｄは外周面が緩やかな球面状に構成されており、上向きのＬＥＤ８１１ｃからの光を乱反射により拡散させる乱反射部８１１ｆが設けられている。乱反射部８１１ｆは細かい反射面がモザイク状に形成されており、ＬＥＤ８１１ｃからの光を乱反射してその略全面が発光するようになっている。
【０９１４】
下向きのＬＥＤ８１１ｅはＬＥＤ基板８１１ｂの前側の周縁部分に周方向に略等間隔をおいて配置され、基板支持体８１１ａに形成された透孔８１１ｇを介して下向きに光を照射するようになっている。基板支持体８１１ａには、下向きのＬＥＤ８１１ｅからの光が第１回転体８０７の内部で後方側に拡散しないように、下向きに突出する半円状の仕切り板８１１ｋが前後方向の中間位置に設けられている。
【０９１５】
ＬＥＤ基板８１１ｂの下側には、回路パターンを介して各ＬＥＤ８１１ｃ，８１１ｅに接続されたコネクタ８１１ｈが設けられ、外部からのＬＥＤ８１１ｃ，８１１ｅ用のハーネス８１１ｉが一方の筒状の固定支持部材８２４内から基板支持体８１１ａの挿通孔８１１ｊを経てそのコネクタ８１１ｈに接続されている。
【０９１６】
なお、固定支持部材８２４にＬＥＤ８１１ｃ，８１１ｅ用のハーネス８１１ｉが挿通される他、後述の第２位置検出手段８２９用のハーネス（図示省略）が左右の固定支持部材８２４内に跨がって挿通されている。
【０９１７】
反射手段８１２は、昇降体８１３ｄの上側で上支持枠８１６の連結部８１６ｂ上に着脱自在に固定された反射板８１２ａと、その反射板８１２ａの上側に鏡面状に設けられた反射部（鏡面部）８１２ｂとを備えている。この反射手段８１２の外周側には、前カバー部７９９の透視部７９９ｃから反射手段８１２の外周側が見えないように、反射部８１２ｂの外側で各回転体８０７，８０９と反射手段８１２との隙間を塞ぐ囲繞壁８１２ｃが設けられている。囲繞壁８１２ｃは透明な合成樹脂製であって、反射部８１２ｂの左右両側から後側に跨がって上広がり状に設けられている。なお、囲繞壁８１２ｃは周方向に波状に形成されている。反射部８１２ｂは薄膜状にコーティングしてもよいし、シート状のものを貼着してもよい。
【０９１８】
昇降体８１３ｄは、上支持枠８１６の連結部８１６ｂと緩衝しないように切り欠き部８１３ｍを有し、その切り欠き部８１３ｍ内に連結部８１６ｂが位置することにより、反射手段８１２の反射板８１２ａの下側に当接可能である。
【０９１９】
第１回転体８０７は略球面状であって、図１４５〜図１４８、図１５１に示すように、回転方向に二分割された第１半球体８０７ａと第２半球体８０７ｂとを結合して構成されている。第１、第２半球体８０７ａ，８０７ｂは、内周面の略全体にモザイク状の乱反射部８０７ｃ，８０７ｄを備えており、第１半球体８０７ａを無色透明とし、第２半球体８０７ｂを赤色の着色透明とする等、両者の異なる演出態様を奏するように構成されている。
【０９２０】
従って、第１回転体８０７が第１回転支持手段８０６の左右方向の軸心廻りに回転し、内部の発光手段８１１が発光すれば、その発光手段８１１からの光が拡散板８１１ｄを経て拡散しながら第１半球体８０７ａ、第２半球体８０７ｂの内周の乱反射部８０７ｃ，８０７ｄで乱反射するので、第１回転体８０７はその回転に伴って間欠的に無色透明発光と赤色発光とを繰り返すことができる。なお、第１回転体８０７は二分割以外の複数に分割してもよい。
【０９２１】
第１回転体８０７の第１、第２半球体８０７ａ，８０７ｂは左右方向の両側に取り付け部８０７ｅ，８０７ｆを有し、その取り付け部８０７ｅ，８０７ｆが左右の第１回転支持手段８０６に取り付けられている。第１回転支持手段８０６は、左右の固定支持部材８２４の筒状部８２４ａの外周に回転自在に套嵌された左右一対の第１筒軸８０６ａと、この第１筒軸８０６ａに一体に設けられた第１鍔部８０６ｂとを有する。
【０９２２】
第１鍔部８０６ｂは第１、第２半球体８０７ａ，８０７ｂの取り付け部８０７ｅ，８０７ｆの外側面に当接されており、この第１鍔部８０６ｂにねじ等の固定具により取り付け部８０７ｅ，８０７ｆｄが着脱自在に固定されている。左右一対の第１筒軸８０６ａの内、回転駆動手段８１０側の第１筒軸８０６ａは、反対側の第１筒軸８０６ａよりも軸心方向に長くなっており、その外端側に第１従動ギヤー８１９ａが軸心方向に着脱自在に固定され、他端側に第１鍔部８０６ｂが一体に設けられている。反対側の第１筒軸８０６ａは軸心方向の長さが短く、その外端側に第１鍔部８０６ｂが一体に設けられている。
【０９２３】
第２回転体８０９は円環状であって、図１４５〜図１４８、図１５１に示すように、回転方向に二分割された第１半環体８０９ａと第２半環体８０９ｂとを結合して構成され、第２回転支持手段８０８により第１回転体８０７の外周に軸心廻りに回転自在に支持されている。第１、第２半環体８０９ａ，８０９ｂは、左右両端に設けられた半割ボス状の取り付け部８０９ｃ，８０９ｄと、この取り付け部８０９ｃ，８０９ｄ間の中間部分に設けられ且つ軸心廻りの周方向に複数に分割された分割部８０９ｅ，８０９ｆとを有する。なお、この第２回転体８０９は遮光性を有し、金属メッキ等で装飾されている。また、第２回転体８０９は二分割以外の複数に分割してもよい。
【０９２４】
第２回転体８０９の第１、第２半環体８０９ａ，８０９ｂは、左右方向の両側の取り付け部８０９ｃ，８０９ｄが左右両側の第２回転支持手段８０８により支持されている。第２回転支持手段８０８は、左右一対の第２筒軸８０８ａと、この第２筒軸８０８ａに一体に設けられた第２鍔部８０８ｂとを有する。第２鍔部８０８ｂは第１、第２半環体８０９ａ，８０９ｂの取り付け部８０９ｃ，８０９ｄに外側から当接しており、この第２鍔部８０８ｂにねじ等の固定具により取り付け部８０９ｃ，８０９ｄが着脱自在に固定されている。
【０９２５】
左右一対の第２筒軸８０８ａの内、回転駆動手段８１０側の第２筒軸８０８ａは、その反対側の第２筒軸８０８ａよりも軸心方向に長くなっている。この回転駆動手段８１０側の第２筒軸８０８ａは、その内端側に第２鍔部８０８ｂが、外端側に第２従動ギヤー８１９ｂが夫々一体に設けられ、第１従動ギヤー８１９ａと第１鍔部８０６ｂとの間で第１回転支持手段８０６の軸心廻りに回転自在に套嵌されている。反対側の第２筒軸８０８ａ側に第２鍔部８０８ｂが一体に設けられ、第１筒軸８０６ａの外側で固定支持部材８２４の筒状部８２４ａ上に軸心廻りに回転自在に套嵌されている。
【０９２６】
回転駆動手段８１０は、図１５２、図１５４、図１５５に示すように、駆動源である駆動モータ８１０ａと、この駆動モータ８１０ａの駆動により第１回転支持手段８０６と第２回転支持手段８０８とを介して第１回転体８０７と第２回転体８０９とを逆方向に回転させるギヤー列８１９とを備えている。駆動モータ８１０ａはステッピングモータ、その他のモータにより構成され、上支持枠８１６の縦支持部８１６ａに固定された支持体８２３の下側の取り付け板８２６の外側に装着されている。
【０９２７】
駆動モータ８１０ａの駆動軸８１０ｂは取り付け板８２６の内側に貫通しており、支持体８２３の内側に配置されたギヤー列８１９に連動している。ギヤー列８１９は駆動軸８１０ｂに固定された駆動ギヤー８１９ｃと、駆動ギヤー８１９ｃに噛合する第１回転支持手段８０６側の第１従動ギヤー８１９ａと、駆動ギヤー８１９ｃに噛合する中間ギヤー８１９ｄと、中間ギヤー８１９ｄに噛合する第２回転支持手段８０８側の第２従動ギヤー８１９ｂとを備えている。中間ギヤー８１９ｄは支持体８２３に一体の中間軸８１９ｅに回転自在に套嵌されている。支持体８２３には、ギヤー列８１９の外周を取り囲む保護カバー８１９ｆが設けられている。
【０９２８】
回転駆動手段８１０側の支持体８２３には、図１５４、図１５５に示すように、その上側に固定支持部材８２４の取り付け部８２４ｂが収まる支持凹部８２３ｃが設けられ、取り付け部８２４ｂ内に配置された補強手段８２７を介して、取り付け部８２４ｂが支持凹部８２３ｃ内に着脱自在に固定されている。
【０９２９】
補強手段８２７は固定支持部材８２４の回転駆動手段８１０側の取り付け部８２４ｂを補強して、回転駆動手段８１０によりギヤー列８１９を介して各回転体８０７，８０９の駆動中に、固定支持部材８２４の取り付け部８２４ｂ側に外力が加わった場合でも、取り付け部８２４ｂがその外力に十分に抗し得るようにするためのものである。
【０９３０】
従って、この補強手段８２７により取り付け部８２４ｂを補強することによって、回転駆動手段８１０による回転体８０７，８０９の回転時における取り付け部８２４ｂの歪み、変形等を防止でき、ギヤー列８１９の外れ、噛み合い状態の脱調等を未然に防止することができる。
【０９３１】
この補強手段８２７は、取り付け部８２４ｂの内面形状に沿って折り曲げられた板金製の補強部材８２７ａと、補強部材８２７ａの上端から前後両側に突出して設けられ且つ断面Ｕ字状の取り付け部８２４ｂの前後両側を上側から押える押え部８２７ｂと、補強部材８２７ａ内に配置された押え部材８２７ｃとを備え、押え部材８２７ｃを貫通して支持体８２３の固定部８２３ｄに螺合するねじ等の固定具８２７ｄにより、固定支持部材８２４の取り付け部８２４ｂを支持体８２３の支持凹部８２３ｃ側に押え付けて補強するようになっている。
【０９３２】
補強部材８２７ａ、押え部材８２７ｃは、固定支持部材８２４の断面Ｕ字状の取り付け部８２４ｂの左右方向の長さよりも大であり、その先端が固定支持部材８２４の筒状部８２４ａ内に挿入されている。押え部材８２７ｃには、固定支持部材８２４の筒状部８２４ａ内のハーネス８１１ｉを損傷しないように、筒状部８２４ａの端部側との間にハーネス挿通部を形成するための挿通部８２７ｅが面取り状に設けられている。なお、補強部材８２７ａ、押え部材８２７ｃの長さは、取り付け部８２４ｂの左右方向の長さと略同じか又は若干長い程度でもよい。勿論、補強部材８２７ａ、押え部材８２７ｃの長さは、取り付け部８２４ｂの長さに比べて多少短くしてもよい。
【０９３３】
回転駆動手段８１０側の支持体８２３と第１回転支持手段８０６との間には、固定支持部材８２４を挟んでその前後両側に第１回転体８０７の位置を検出する２個の第１位置検出手段８２８ａ，８２８ｂが設けられている。
【０９３４】
この第１位置検出手段８２８ａ，８２８ｂは支持体８２３に固定されたフォトセンサ等の無接触式の第１検出スイッチ８２８ｃ，８２８ｄと、この第１検出スイッチ８２８ｃ，８２８ｄに対応して第１、第２従動ギヤー８１９ａ，８１９ｂに固定された第１被検出部８２８ｅ，８２８ｆとを備えており、第１回転体８０７の回転による可動演出時に、第１回転体８０７が１／２回転する毎に第１位置手段手段８２８ａ，８２８ｂによりその回転位置を検出するようになっている。なお、第１回転体８０７は、通常時には無色透明の第１半球体８０７ａが上に向いた状態で停止している。
【０９３５】
回転駆動手段８１０と反対側の支持体８２３と第２回転支持手段８０８との間には、第２回転体８０９の位置を検出する第２位置検出手段８２９が設けられている。この第２位置検出手段８２９は支持体８２３に固定されたフォトセンサ等の無接触式の第２検出スイッチ８２９ａと、この第２検出スイッチ８２９ａに対応して第２回転支持手段８０８に固定された第２被検出部８２９ｂとを備えており、第２回転体８０９の回転による可動演出時に、１回転毎に第２回転体８０９を検出するようになっている。なお、第２回転体８０９は第１、第２半環体８０９ａ，８０９ｂが略水平状になって第１半球体８０７ａの前後両側に位置する状態で停止している。
【０９３６】
このように固定支持部材８２４の左右の取り付け部８２４ｂを断面Ｕ字状に構成することにより、その上側から取り付け部８２４ｂに固定具８２７ｄを挿通して、その固定具８２７ｄを上側から工具等で操作しながら固定できるため、固定支持部材８２４の左右両端側を各支持体８２３に容易に固定することができる。また、回転駆動手段８１０側では、その断面Ｕ字状の取り付け部８２４ｂを内側から補強して支持体８２３に固定する補強手段８２７を設けることにより、各回転体８０７，８０９の回転中に取り付け部８２４ｂに異常な外力が加わるようなことがあっても、断面Ｕ字状の取り付け部８２４ｂの座屈、その他による歪み、変形等を防止することができる。
【０９３７】
従って、回転駆動手段８１０側の固定支持部材８２４の取り付け部８２４ｂ側に座屈等が発生すれば、ギヤー列８１９の噛み合い状態が乱れる脱調等により、各回転体８０７，８０９の同調状態が狂うことがあるが、取り付け部８２４ｂが断面Ｕ字状であるにも拘わらず、そのような問題の発生を確実に防止することができる。
【０９３８】
回転駆動手段８１０側の支持体８２３の取り付け板８２６と、下支持枠８１７の当接脚部８１７ｄとに跨がって中継基板取り付け台８３０ａが設けられ、この中継基板取り付け台８３０ａに中継基板８３０ｂが取り付けられている。中継基板８３０ｂには、外部回路用のコネクタの他、駆動モータ８１０ａ用のコネクタ、第１位置検出手段８２８ａ，８２８ｂ用のコネクタ、ＬＥＤ用のコネクタ、第２位置検出手段８２９用のコネクタ、振動発生手段８１５用のコネクタ等が設けられており、この中継基板８３０ｂを介して操作演出手段６７８側の駆動モータ８１０ａ、各位置検出手段８２８ａ，８２８ｂ，８２９、ＬＥＤ、振動発生手段８１５等が外部の演出制御手段に接続されている。
【０９３９】
振動発生手段８１５は演出ボタン８１３を前後、左右方向に振動させるためのものであり、下支持枠８１７の下支持部８１７ｃの下側に緩衝手段８１４を介して取り付けられた合成樹脂製の振動体８１５ａと、振動体８１５ａ内に収容された振動モータ８１５ｂと、振動モータ８１５ｂの回転軸８１５ｃに固定された偏心ウエイト８１５ｄとを備え、振動体８１５ａの振動を振動伝達手段８３１を介して演出ボタン８１３に伝達するようになっている。振動モータ８１５ｂは取り付け台８１５ｅを介して振動体８１５ａに下側から装着されている。
【０９４０】
振動体８１５ａは、下支持枠８１７の下支持部８１７ｃの下側に緩衝体８１４ｃを介して取り付けられており、この振動体８１５ａの振動を極力吸収して下支持枠８１７側に伝えないように緩衝手段８１４が設けられている。
【０９４１】
この緩衝手段８１４は、図１５７に示すように、振動体８１５ａの両端部に配置されており、振動体８１５ａの切り欠き部８１４ａに形成された把持縁８１４ｂと、この把持縁８１４ｂの上下両側のゴム等の緩衝体８１４ｃと、下支持部８１７ｃから下側に突出し且つ把持縁８１４ｂに接触せずに上下の緩衝体８１４ｃに挿通する支持ピン８１４ｄと、支持ピン８１４ｄの下端にねじ８１４ｇ等で固定され且つ緩衝体８１４ｃを下側から受ける受け板８１４ｅとを備え、支持ピン８１４ｄの押え部８１４ｆと受け板８１４ｅとの間に緩衝体８１４ｃが介在されている。
【０９４２】
緩衝体８１４ｃは上下方向の中間に周溝８１４ｈを有し、その周溝８１４ｈに把持縁８１４ｂが係合している。なお、緩衝体８１４ｃは上下に二分割して、その上下の緩衝体８１４ｃにより把持縁８１４ｂを把持するようにしてもよい。
【０９４３】
緩衝体８１４ｃが何れの構造の場合にも、この緩衝体８１４ｃの材質を適宜選択することによって、振動体８１５ａの下支持枠８１７側に伝達する振動を緩衝体８１４ｃにより吸収することが可能である。従って、振動を極力吸収するためには、振動体８１５ａの支持の安定性等に支障を来さない範囲内で緩衝体８１４ｃの材質を柔らかくすることが望ましい。
【０９４４】
振動伝達手段８３１は、図１５３に示すように、補強板８１３ｅから下方に突出して固定された前後、左右の固定ピン８２２ａと、各固定ピン８２２ａに対応して振動体８１５ａ側に形成され且つ各固定ピン８２２ａが所定の間隙をおいて挿通される伝達孔８３１ａとを備えている。振動体８１５ａの４個の伝達孔８３１ａは、固定ピン８２２ａに対して特定方向の隙間が大きい長孔状であったり、固定ピン８２２ａと伝達孔８３１ａとの間の隙間が異なる等、各固定ピン８２２ａとこれに対応する伝達孔８３１ａとの条件が異なっており、振動体８１５ａの水平面方向の振動を各固定ピン８２２ａ毎に異なる条件で演出ボタン８１３へと伝達するようになっている。
【０９４５】
昇降体８１３ｄと下支持枠８１７との間には、演出ボタン８１３の押下操作を検出する操作検出手段８３３が設けられている。この操作検出手段８３３は下支持枠８１７に取り付け枠８３３ａを介して固定されたフォトセンサ等の無接触式の検出スイッチ８３３ｂと、この検出スイッチ８３３ｂに対応して昇降体８１３ｄから下方に突出する被検出部８３３ｃとを備えており、被検出部８３３ｃが検出スイッチ８３３ｂに近接したときに演出ボタン８１３の操作を検出するようになっている。
【０９４６】
操作演出手段６７８と操作手段配置部７８５との間には、操作演出手段６７８を取り付け位置に位置決めする位置決め手段８３４が前後に設けられている。位置決め手段８３４は受け台８０３又は前張り出しユニット６６９の底壁７９３の下側に形成された位置決め孔８３４ａと、下支持枠８１７の前後の固定脚部８１７ｂの近傍に配置され且つ位置決め孔８３４ａに挿入される位置決め突起８３４ｂとを有する。なお、固定脚部８１７ｂは受け台８０３にねじ等の固定具により下側から着脱自在に固定されている。
【０９４７】
操作手段配置部７８５には、前カバー部７９９の透視部７９９ｃから内部を透視したときに操作演出手段６７８の背後側の内部機構が見えないように、操作演出手段６７８を後側から覆い遮蔽する遮蔽板８４０が設けられ、また、操作演出手段６７８を上側から操作手段配置部７８５へと挿入するときに、操作演出手段６７８の前側を案内する前案内手段８３８と、操作演出手段６７８の後側を案内する後案内手段８３９とが前後両側に設けられている。
【０９４８】
遮蔽板８４０は、図１４３、図１４６、図１５６に示すように、胴部８１３ｂとの間に所定の間隔を置いて円弧状に形成された平面視円弧状であって、演出ボタン８１３の後側で受け台８０３と上皿３２８の前側近傍との間に上下方向に配置され、扉ベース３２２の前面に固定されている。なお、遮蔽板８４０は演出ボタン８１３の昇降体８１３ｄから上側部分に対応して設ける等、前カバー部７９９の透視部７９９ｃから内部を透視したときに、少なくとも透視部７９９ｃから透視可能な範囲に対応しておればよい。
【０９４９】
従って、前カバー部７９９の透視部７９９ｃから演出ボタン８１３の胴部８１３ｂを透視した場合にも、その後側の内部機構が見えることがないので、見映えを良好にできる。また、演出ボタン８１３の胴部８１３ｂの前側には、前カバー部７９９の透視部７９９ｃに対応して略Ｕ字状の内透視部８１３ｊがあるが、胴部８１３ｂにおける内透視部８１３ｊ以外の部分には乱反射部８１３ｋが設けられているので、その乱反射部８１３ｋにより遮蔽板８４０を透視し難くなっている。
【０９５０】
前案内手段８３８は、図１４３に示すように、操作手段配置部７８５の前側で前カバー部７９９の左右両側に上下方向に設けられており、支持体８２３から前側に突出する被案内部８２３ｂと、下装飾カバー３３１の内側に設けられ且つ被案内部８２３ｂを上下方向に案内する溝状の案内部８３８ａとを備えている。なお、この前案内手段８３８には、位置決め手段８３４による位置決めを阻害しないように十分な余裕がある。
【０９５１】
後案内手段８３９は、操作手段配置部７８５の後側の遮蔽板８４０と、昇降体８１３ｄの後側から下側に屈曲する屈曲縁８３９ａと、屈曲縁８３９ａの左右両側から後方に突出する左右一対の上下方向の突条の案内部８３９ｂとを備え、操作演出手段６７８を操作手段配置部７８５に挿入するときに、屈曲縁８３９ａ又は案内部８３９ｂを遮蔽板８４０に沿って下方へと案内するようになっている。
【０９５２】
操作演出手段６７８を操作手段配置部７８５に組み付ける場合には、周辺カバー７９８を取り外して操作手段配置部７８５の上側を開放した状態において、その操作手段配置部７８５に上側から操作演出手段６７８を挿入する。このとき操作演出手段６７８は略垂直状態又は上側を若干前に傾斜させた前傾状態とし、その前案内手段８３８の案内部８３８ａと被案内部８２３ｂとを合わせた後、後案内手段８３９の屈曲縁８３９ａ又は案内部８３９ｂを遮蔽板８４０に沿って摺動させながら挿入する。
【０９５３】
操作演出手段６７８を位置決め手段８３４の所定の取り付け位置へと位置決めしながら、操作演出手段６７８の固定脚部８１７ｂを受け台８０３上に当接させる。そして、固定脚部８１７ｂが受け台８０３上に当接すれば、受け台８０３の下側からねじ等の固定具を挿入して固定脚部８１７ｂを受け台８０３上に固定する。
【０９５４】
なお、操作演出手段６７８を受け台８０３上に固定した後、周辺カバー７９８を装着すればよい。また、底壁７９３には固定具操作用の開口を設けておき、固定具の操作後にその開口部を塞ぐようにすればよい。
【０９５５】
このように操作演出手段６７８の前側に左右一対の前案内手段８３８を設け、後側に後案内手段８３９を設けることにより、操作演出手段６７８が大型化した場合でも、その操作演出手段６７８を容易に無理なく操作手段配置部７８５へと挿入することができる。また、操作演出手段６７８を操作手段配置部７８５から取り外す際の作業も容易に行うことができる。
【０９５６】
このような構成の操作演出手段６７８は、特別図柄の変動期間毎に所定の確率で実行される操作演出等に供される。例えば、操作演出決定手段が操作演出を決定すると、その操作演出パターンに従って第１回転体８０７、第２回転体８０９が逆方向に回転して所定の操作演出位置で停止するので、画像表示手段３９３に操作指示画像が表示される操作有効期間内に遊技者が演出ボタン８１３を指定操作態様で操作すれば、変動後の特別図柄の停止結果に応じて所定操作時演出が実行される。
【０９５７】
この操作演出には、第１操作演出，第２操作演出及び第３操作演出の３種類の操作演出パターンがあり、第１回転体８０７、第２回転体８０９の回転停止パターンを用いた演出となっている。第１操作演出は、演出ボタン８１３内の第１回転体８０７、第２回転体８０９が第１操作演出位置で停止したときに実行される操作演出であり、この第１操作演出中の操作有効期間内に遊技者が演出ボタン８１３を指定操作態様（例えば一回押し）で操作した場合に、画像表示手段３９３の背景色を青色に変更する「青背景演出」と、赤色に変更する「赤背景演出」との何れかに変化させると共に、画像表示手段３９３の背景色の変更に加えて、ＬＥＤ１００ａ，１００ｂを所定の発光パターンで発光させるようになっている。
【０９５８】
第２操作演出は、演出ボタン８１３内の第１回転体８０７の第１半球体８０７ａが上向きとなるが第２演出操作位置で停止したときに実行される操作演出であり、この第２操作演出中の操作有効期間内に遊技者が演出ボタン８１３を指定操作態様（例えば一回押し）で操作した場合に、第１回転体８０７内のＬＥＤを周方向にタイミングを順次ずらして点滅させるようになっている。
【０９５９】
第３操作演出は、演出ボタン８１３内の第１回転体８０７の第２半球体８０７ｂが上向きとなる第３操作演出位置で停止したときに実行される操作演出であり、この第３操作演出中の操作有効期間内に遊技者が演出ボタン８１３を指定操作態様（例えば一回押し）で操作した場合に、振動発生手段８１５が演出ボタン８１３を振動させるボタン振動演出が、特別図柄の変動結果及び利益状態の種類等に応じた所定の確率で実行されるようになっている。
【０９６０】
なお、第１操作演出、第２操作演出、第３操作演出は、その順で変動後の特別図柄が特定態様（大当たり）となる期待度が高くなるように設定している。この操作演出手段６７８を使用して行う操作演出時の演出態様は任意であり、第１操作演出、第２操作演出、第３操作演出に限定されるものではない。演出ボタン８１３の操作も、一回だけ操作する「一回押し」の他、演出ボタン８１３を連続的に複数回操作する「連打」、演出ボタン８１３の操作状態を所定時間以上維持する「長押し」等の操作態様がある。
【０９６１】
映り込み防止手段８０４は、発光性を有する操作演出手段６７８からの光のガラス板６７１ａへの映り込みを防止するためのものであり、図１０９、図１１７、図１４５、図１４７に示すように、ガラス板６７１ａと操作演出手段６７８の演出ボタン８１３との間に配置されており、周壁部８００ａの全部又は一部を利用して構成された映り込み防止壁８０４ａを有し、操作演出手段６７８の左右両側から後側に跨がって設けられている。
【０９６２】
この実施形態に例示の操作演出手段６７８の場合には、第１回転体８０７の乱反射部８０７ｃ，８０７ｄが発光手段８１１からの光を乱反射して発光するため、その第１回転体８０７の最上位の発光部を構成することになる。そのため映り込み防止手段８０４は、パチンコ機３００の前の椅子に座った遊技者の目Ｉの高さが図１５８の位置と仮定した場合に、その目Ｉの高さから目線をＺ矢示方向に向けてガラス板６７１ａを介して操作演出手段６７８側を見たときにも、ガラス板６７１ａと第１回転体８０７との間で第１回転体８０７に至る遊技者の視界を遮り、発光部である第１回転体８０７が遊技者の視界内に入らないようにしている。
【０９６３】
上カバー部８００の周壁部８００ａは、演出ボタン８１３の操作部８１３ａの後側に対応して前側に傾斜する後覆い部８００ｃと、この後覆い部８００ｃの両端から前カバー部７９９側へと伸びる左右覆い部８００ｄとを備え、後覆い部８００ｃの高さが左右覆い部８００ｄよりも高くなるように、上端側が操作演出手段６７８の後側から左右両側へと低くなる傾斜状に形成されている。
【０９６４】
そして、後覆い部８００ｃ及び左右覆い部８００ｄを含む周壁部８００ａの内、演出ボタン８１３の操作部８１３ａの後側に対応する所要範囲が、第１回転体８０７のガラス板６７１ａへの映り込みを防止する映り込み防止壁８０４ａとなっており、この映り込み防止壁８０４ａにより映り込み防止手段８０４が構成されている。
【０９６５】
例えば、第１回転体８０７の頂点と周壁部８００ａの後覆い部８００ｃの頂点との高さ関係は、図１５８に示すように、第１回転体８０７の頂点と後覆い部８００ｃの頂点とを通る線分Ｘ１がガラス板６７１ａの前面と交差する交点６７１ａａにおいて、ガラス板６７１ａの前面に垂直な垂直線Ｙに対して線分Ｘ１と上下に点対象な線分Ｘ２を考えた場合、その線分Ｘ２の延長上よりも下側の領域Ｘ内に遊技者の目線が位置するように設定されている。
【０９６６】
そのため第１回転体８０７の発光状態において、遊技中の遊技者が目線を下げてガラス板６７１ａを介して操作演出手段６７８を見た場合にも、操作演出手段６７８内の第１回転体８０７の光が後側近傍で映り込み防止手段８０４により遮られることになり、第１回転体８０７の光がガラス板６７１ａに映り込むようなことを防止することができる。
【０９６７】
従って、遊技中の遊技者は、遊技盤３１３の画像表示手段３９３の表示画面の下部側に表示されるような表示画像でも容易且つ確実に把握することができる。また、遊技領域３２３の下部に映り込み領域又はその近傍に、可変入賞手段４０４その他の重要な入賞手段等があるような場合でも、その重要な入賞手段等の状況を容易且つ確実に把握することができる利点がある。
【０９６８】
更に映り込み防止壁８０４ａは、操作演出手段６７８の操作部８１３ａの外周側の周壁部８００ａにより構成し、その上端縁を操作演出手段６７８の操作部８１３ａの後側の後覆い部８００ｃから左右両側の左右覆い部８００ｄ側へと低くなる傾斜状に形成することにより、操作部８１３ａの操作性を損なうようなこともない。
【０９６９】
映り込み防止手段８０４は、操作演出手段６７８のガラスユニット３４０側への映り込みを防止できるならば、後覆い部８００ｃだけでもよい。また、映り込み防止手段８０４は、光透過性を有する合成樹脂製として、その表面にコーティング、その他の遮光部を設けてもよい。
【０９７０】
この実施形態では、操作演出手段６７８の操作部８１３ａは下装飾カバー３３１の上面側から上側に突出しており、正面視において操作部８１３ａが遊技領域３２３と重なる位置に配置されている。そして、その操作部８１３ａよりもガラス板６７１ａ側に、正面視において遊技領域３２３と重なる位置に映り込み防止壁８０４ａが配置され、しかも球面状の操作部８１３ａに沿って前側に傾斜している。
【０９７１】
映り込み防止壁８０４ａは、操作演出手段６７８の操作部８１３ａよりも遊技盤３１３側で発光手段８１１、及び発光手段８１１の光を乱反射して発光する第１回転体８０７等の発光部位よりも高い位置に上端が位置している。映り込み防止壁８０４ａは、操作演出手段６７８の操作部８１３ａよりも遊技盤３１３側で発光手段８１１等の発光部位よりも高く、操作部８１３ａよりも低い位置に上端が位置すればよい。しかし、操作部８１３ａが乱反射等で発光する場合には、その操作部８１３ａよりも高い位置に映り込み防止壁８０４ａを配置する必要がある。
【０９７２】
なお、映り込み防止用の壁部がある場合であっても、遊技盤３１３の正面視において操作部８１３ａと対応する位置には、可変入賞手段４０４、特別図柄始動手段６５５等の重要な遊技部品を配置しないことが望ましい。
【０９７３】
また、実施形態では、映り込みが問題となる対象として、ＬＥＤ式の発光手段８１１を有する操作演出手段６７８を例示しているが、操作演出手段６７８以外のものでもよい。
【０９７４】
図１５９は本発明の第６の実施形態を例示する。このパチンコ機３００は、図１５９に示すように、前張り出しユニット６６９の上側中央部に前傾状態に傾斜して配置された演出操作用の演出操作手段８３５を備えている。演出操作手段８３５は、傾斜方向に押圧操作可能な発光操作部材８３６と、前張り出しユニット６６９上で発光操作部材８３６の外周を押える外周カバー８３７とを備え、ガラスユニッ３４０を介して遊技盤３１３側の遊技領域３２３の下部側と前後に重なるように配置されている。
【０９７５】
発光操作部材８３６は、上端に光透過性を有する平坦状の操作部８３６ａが形成され、その操作部８３６ａの内面に乱反射部８３６ｂが形成されている。操作部８３６ａの下側には、上面にＬＥＤ８３６ｃを備えたＬＥＤ基板８３６ｄが設けられ、そのＬＥＤ８３６ｃが発光したときに、そのＬＥＤ８３６ｃからの光を乱反射部８３６ｂで乱反射して操作部８３６ａが発光するようになっている。
【０９７６】
外周カバー８３７は、操作部８３６ａを取り囲む周壁部８３７ａを有し、その周壁部８３７ａは操作部８３６ａの前側となる前壁部８３７ｂが低く、操作部８３６ａの後側で操作部８３６ａとガラスユニット３４０との間に位置する後壁部８３７ｃ側が高くなっている。
【０９７７】
なお、周壁部８３７ａの前壁部８３７ｂが低いのは、操作部８３６ａの前側からの操作を容易にするためである。また前壁部８３７ｂと後壁部８３７ｃとの内、少なくとも操作部８３６ａの後側に配置される後壁部８３７ｃ側は、発光操作部材８３６の操作部８３６ａの形状に沿って前側へと球面状に傾斜している。
【０９７８】
発光操作部材８３６の操作部８３６ａは、遊技盤３１３側の遊技領域３２３の下部側と前後に重なっている。また遊技盤３１３の遊技領域３２３の下部側の内、操作部８３６ａの後方側に対応する部分には、アウト球を遊技盤３１３の裏側へと誘導するアウト球口８４２が配置される等、比較的重要でない遊技部品が配置されており、入賞手段等の重要な遊技部品は配置されていない。なお、入賞手段でも、普通入賞手段４０５等のように入賞時の賞球数の少ないものを配置してもよい。
【０９７９】
ＬＥＤ８３６ｃからの光、又はＬＥＤ８３６ｃからの光を乱反射して発光するときの操作部８３６ａからの光の内、その後壁部８３７ｃ側は、ＬＥＤ８３６ｃが発光したときのＬＥＤ８３６ｃからの光がガラス板６７１ａに映り込まないように、その映り込みを防止する映り込み防止手段８０４を構成するものである。
【０９８０】
この映り込み防止手段８０４の上端は、操作部８３６ａよりも遊技盤３１３側において、ＬＥＤ基板８３６ｄよりも高く、操作部８３６ａよりも低い位置に配置されている。なお、映り込み防止手段８０４の上端は、操作部８３６ａよりも遊技盤３１３側において、ＬＥＤ基板８３６ｄよりも高く、しかも操作部８３６ａよりも高い位置に配置してもよい。
【０９８１】
この実施形態に例示するように、演出操作手段８３５は前張り出しユニット６６９の上側に前傾状態に配置することも可能である。この場合にも、発光操作部材８３６の上端側の操作部８３６ａが発光するような構成であれば、その操作部８３６ａの光の拡散方向、拡散領域によっては、ガラス板６７１ａへの映り込みが問題となるので、その対策として映り込み防止手段８０４を設ける必要がある。
【０９８２】
映り込み防止手段８０４としては種々の構造のものが考えられるが、発光操作部材８３６を押える外周カバー８３７を利用することにより、構造の簡素化、低コスト化を図ることができる。また、映り込み防止手段８０４は後壁部８３７ｃを操作部８３６ａ側に前傾状態に設ける等、その上端側を問題となる発光部分側に接近させて配置することが望ましく、それによって大型化を防止することができる。
【０９８３】
なお、発光手段８１１は、７セグメント式の発光表示手段等、ＬＥＤ８３６ｃ以外のものでもよい。また操作部８３６ａは遊技盤３１３の遊技領域３２３と前後に重ならないように、遊技領域３２３の下部側よりも低く配置してもよい。更に、映り込み防止手段８０４は、外周カバー８３７とは別に設けてもよい。
【０９８４】
図１６０は本発明の第７の実施形態を例示する。このパチンコ機３００は、図１６０に示すように、前張り出しユニット６６９の上側中央部に前傾状態に傾斜して配置された演出操作用の演出操作手段８３５を備えている。演出操作手段８３５は、傾斜方向に押圧操作可能な発光操作部材８３６と、前張り出しユニット６６９上で発光操作部材８３６の外周を押える外周カバー８３７とを備え、遊技盤３１３の遊技領域３２３、及びその前側のガラスユニット３４０よりも下側に配置されている。
【０９８５】
発光操作部材８３６は操作部８３６ａの内部に発光体８３６ｅを備え、その発光体８３６ｅからの光のガラスユニット３４０のガラス板６７１ａへの映り込みを防止する映り込み防止手段８０４が前張り出しユニット６６９の上面側に設けられている。前張り出しユニット６６９には、発光操作部材８３６とガラスユニット３４０との間に、上側へと突出して発光体８３６ｅからガラスユニット３４０の下部側への光を遮断する突出部６６９ａが設けられており、この突出部６６９ａにより映り込み防止手段８０４が構成されている。
【０９８６】
このように前張り出しユニット６６９の一部を利用して、演出操作手段８３５とは別に映り込み防止手段８０４を設けることも可能である。従って、演出操作手段８３５の一部に映り込み防止手段８０４を設けるか、演出操作手段８３５とは別に映り込み防止手段８０４を設けるかは、前張り出しユニット６６９、演出操作手段８３５の構造、その他に応じて適宜決定すればよい。
【０９８７】
以上、本発明の第５〜第７の各実施形態について詳述したが、本発明は第５〜第７の各実施形態に限定されるものではなく、その趣旨が逸脱しない範囲で種々の変更が可能である。遊技機がパチンコ機３００の場合には、遊技機本体は外枠３０１により構成してもよいし、外枠３０１と前枠３０２とにより構成してもよい。勿論、これら以外のもので構成してもよい。
【０９８８】
第５〜第７実施形態ではパチンコ機３００の映り込み防止対策について例示しているが、映り込み防止対策は、パチンコ機３００等の弾球遊技機は勿論のこと、スロットマシン等を含む各種の遊技機においても同様に実施可能である。
【０９８９】
例えば、遊技機がパチンコ機３００の場合には、第５〜第７実施形態に例示するように、遊技領域３２３は前枠等の遊技機本体側に装着された遊技盤３１３の前面側が対象となり、その遊技盤３１３の前側に配置されるガラス板等の視認板６７１ａへの映り込みが問題となる。回転リール式のスロットマシン、液晶表示式のスロットマシン等の場合は、その遊技領域３２３に回転リールの前面側、液晶表示画面等が該当し、その前側に配置されるガラス板等の視認板６７１ａへの映り込みが問題となる。
【０９９０】
また、視認板６７１ａへの映り込みの防止対象は、一般的には視認板６７１ａの前側下部に配置された発光手段８１１（発光部）からの光であるが、その光は操作演出手段６７８の内部からの光の他、表面側の光でもよい。例えば、視認板６７１ａの前側の下部にガラスその他の鏡面状の反射部がある場合には、外部光源からの光がその反射部で視認板６７１ａ側へと反射することが考えられるが、その反射光についても映り込みを防止するようにしてもよい。
【０９９１】
更に発光手段８１１からの光の視認板６７１ａへの映り込みを防止する映り込み防止手段８０４としては、発光手段８１１と視認板６７１ａとの間に、遊技者の視野に至る光を遮断する遮断壁を設けるのが一般的であるが、その映り込み防止手段８０４は発光手段８１１に付随する部材の一部を利用してもよいし、前張り出しユニット６６９の上面側に別の部材を利用してもよい。
【０９９２】
映り込み防止手段８０４は遮断壁のように発光手段８１１からの光を完全に遮断する他、遊技者の遊技に支障を来さない程度の弱い光に減光する減光手段を採用してもよい。この場合には、その減光手段を通過した光が視認板６７１ａに映り込むが、その光は遊技者の遊技に支障を来さないので別段問題はない。減光手段としては、光源からの光を拡散させるもの、光源からの光を偏光させるもの等が考えられる。従って、この映り込み防止手段８０４は、遊技者の遊技に支障を来すような強い光は弱めるが、遊技者の遊技に支障を来なさない程度の弱い光の映り込みは許容するものでも十分である。
【０９９３】
また、第５の実施形態では、操作部８１３ａよりも下側の発光手段８１１からの光の映り込みを映り込み防止手段８０４により防止する場合を例示している。しかし、最上位の操作部８１３ａが乱反射等により発光する場合には、その最上位の操作部８１３ａからの光も映り込み防止対策の対象となる。但し、最上位の操作部８１３ａが内部からの光により発光する場合でも、その光が弱い場合には必ずしもその映り込みを防止する必要はない。
【０９９４】
映り込み防止壁８０４ａは、発光手段８１１からの光を遮断する上からも、上側が発光手段８１１側に傾斜することが望ましいが、必ずしも発光手段８１１側に傾斜する必要はなく、逆向きに傾斜するようにしてもよい。第５の実施形態のように、操作部８１３ａが球面状の場合には、その構造上からも操作部８１３ａを抱き込むような形状とすることが望ましい。また映り込み防止壁８０４ａは、操作部８１３ａの真後部分の狭い範囲にあれば十分であるが、遊技者の姿勢が左右に移動することを考慮すると、操作部８１３ａの真後部分から左右両側の所定範囲に配置することが望ましい。
【０９９５】
前張り出しユニット６６９等の突出ユニットを備えた遊技機において、その突出ユニットの前側下部に前側支持部７９４を備える場合、前側支持部７９４は遊技機本体側の本体支持部７９５と協働して遊技機本体を起立させ得るものであればよい。前張り出しユニット６６９のように、前端側が頂点となる平面視略三角形の突出ユニットでは、前側支持部７９４は左右幅が狭くなるが、突出ユニットの前端側の左右幅が長い場合には、その突出ユニットの前端側の略中央部に前側支持部７９４を設けてもよいし、左右両側に設けてもよい。また前側支持部７９４は左右方向に長い帯状に設けてもよい。前側支持部７９４は突出ユニットの前後方向の中間に設けてもよい。
【０９９６】
前側支持部７９４は、本体側支持部７９５と略同高さに設けてもよい。突出ユニットの底壁７９３を前上がりの傾斜状にする場合、水平部７９３ａの前側に傾斜部７９３ｂを設けてもよいし、後端側から傾斜する傾斜状に構成してもよい。
【０９９７】
図１６１〜図１７７は本発明の第８の実施形態を例示する。この実施形態の第２側部ユニット８５０は、図１６１〜図１６３に示すように、遊技領域３２３の右側に配置されて前側に突出する縦長状の右側突出部（左右一側突出部）８５１と、遊技領域３２３の上側に配置されて前側に突出する横長状の上側突出部８５２とを正面視略Ｌ字状に備えている。
【０９９８】
右側突出部８５１には、図１６４〜図１７４に示すように、第１〜第３発光表示部８６６，８６８，８７０と振動式演出手段８８１とが設けられ、また上側突出部８５２には第１、第２発光表示部８６７，８６９と送風演出手段８５５とが設けられている。
【０９９９】
この第２側部ユニット８５０は、右側突出部８５１と上側突出部８５２との正面視側の形態によって、間口が狭く内部が広がる石垣式の井戸口の略半分を造形しており、遊技者が恰も暗い井戸口内を覗き込みながら遊技を行うような造形演出を採用している。
【１０００】
なお、右側突出部８５１、上側突出部８５２は、外周側の略全体が遮光性を有する合成樹脂製であり、その外周面に分散して配置された各発光表示部８６６〜８７０が必要に応じて発光するようになっている。
【１００１】
各突出部８５１，８５２は、図１６４〜１６６、図１７２〜図１７４に示すように、前壁８５３，８５４と内壁８５６，８５７と外壁８５８，８５９とを備えた中空状である。各突出部８５１，８５２の遊技領域３２３と反対側に配置される外壁８５８，８５９は、両突出部８５１，８５２の接続部８５８９を除く主要部が前扉３０６の右端、上端から前後方向に略平坦状になっている。
【１００２】
また、両突出部８５１，８５２の接続部８５８９の外壁８５８，８５９は、前側が円弧状に形成されている。更に、両突出部８５１，８５２の接続部８５８９の内側には、扉ベース３２２側に装着された上部スピーカ６６６ｂが収まる収容凹部８６０ａと、上部スピーカ６６６ｂ用の開口部８６０ｂとが前後に設けられている。
【１００３】
一方、各突出部８５１，８５２の遊技領域３２３側に配置される内壁８５６，８５７は、その後部側が遊技領域３２３の外周近傍に位置し、前部側が遊技領域３２３の内側に突出している。右側突出部８５１は前側の左右幅８５１ａが後側の左右幅８５１ｂよりも大であり、上側突出部８５２は前側の上下幅８５２ａが後側の上下幅８５２ｂよりも大である。
【１００４】
即ち、各突出部８５１，８５２の内壁８５６，８５７は、遊技領域３２３を制限しないように後部側が遊技領域３２３の外周縁に沿ってその外周近傍に配置されるのに対して、前部側が後部側から前壁８５３，８５４へと内側に傾斜する傾斜部８５６ａ，８５７ａ及び／又は内側に膨らむ膨らみ部８５６ｂ，８５７ｂが設けられており、前部側が後部側よりも内側に位置して遊技領域３２３内に突出して配置されている。
【１００５】
このように第２側部ユニット８５０は、各突出部８５１，８５２の後側の幅が小であり前側の幅が大であるため、十分な遊技領域３２３を確保しながらも各突出部８５１，８５２の前側の幅を十分に厚くすることが可能であり、従来の偏平状のものに比較して、内壁８５６，８５７、前壁８５３，８５４の凹凸形状を適宜選択することにより、変化に富んだ造形物を採用することができる。
【１００６】
特に、各突出部８５１，８５２には、その遊技領域３２３側の内壁８５６，８５７に、前壁８５３，８５４へと傾斜する傾斜部８５６ａ，８５７ａ及び／又は膨らむ膨らみ部８５６ｂ，８５７ｂがあるため、図１７５（ａ）（ｂ）に示すように、遊技中の遊技者Ｐが右側突出部８５１の内壁８５６側及び上側突出部８５２の内壁８５７側の造形物も容易に視認することができる。
【１００７】
しかも、遊技者Ｐは右側突出部８５１及び上側突出部８５２により取り囲まれた状態で遊技を行うことになるため、遊技盤３１３の遊技領域３２３に表示される演出画像等と調和する造形物を内壁８５６，８５７に設けることにより、臨場感に富んだ造型的演出をすることが可能であり、従来に比較してデザイン性、意匠性の向上を容易に図ることができる。
【１００８】
なお、この第２側部ユニット８５０は、図１６１、図１６３に示すように、後端側に略正面視Ｌ字状の補強部材８６１を備え、その補強部材８６１の前面に右側突出部８５１と上側突出部８５２とが装着されており、第５の実施形態と同様に位置決め手段７３３，７３４、係止手段７３５〜７３７及び固定手段７３８〜７４０を介して、前扉３０６の扉ベース３２２の前側に着脱自在に固定されている。また、上側突出部８５２は、第１側部ユニット６６８ａの上部側と構造的に連続するようになっている。
【１００９】
各突出部８５１，８５２は、前後方向に所定の間隔をおいて配置された縦長状又は横長状の前支持体８６２，８６３、後支持体８６４，８６５と、この前支持体８６２，８６３及び後支持体８６４，８６５に対して遊技領域３２３と反対側に配置された外壁８５８，８５９と、前支持体８６２，８６３及び後支持体８６４，８６５に対して遊技領域３２３側に配置された内壁８５６，８５７と、前支持体８６２，８６３の前側に配置され且つ後部側が外壁８５８，８５９及び内壁８５６，８５７の外側に嵌合する断面略Ｕ字状の前壁８５３，８５４とを備えている。
【１０１０】
なお、外壁８５８，８５９、内壁８５６，８５７及び前壁８５３，８５４は、前支持体８６２，８６３及び後支持体８６４，８６５にねじ等により着脱自在に固定されている。また前支持体８６２，８６３と後支持体８６４，８６５には、前後に当接するボス部８６２ｃ，８６３ｃ，８６４ｃ，８６５ｃが設けられている。
【１０１１】
各突出部８５１，８５２には、その前壁８５３，８５４に第１発光表示部８６６，８６７が、内壁８５６，８５７に第２発光表示部８６８，８６９が夫々複数設けられ、また、右側突出部８５１の外壁８５８に第３発光表示部８７０が設けられている。各突出部８５１，８５２の内部には、第１〜第３ＬＥＤ８７１〜８７５が前後両面に装着され各内部空間の前端側に配置されたＬＥＤ基板８７６，８７７と、ＬＥＤ基板８７６，８７７の後側で第２発光表示部８６８，８６９に対応して内壁８５６，８５７に沿って配置された第２導光板（第２導光手段）８７８，８７９と、ＬＥＤ基板８７６の後側で第３発光表示部８７０に対応して外壁８５８に沿って配置された第３導光板（第３導光手段）８８０とが設けられている。
【１０１２】
なお、第３ＬＥＤ８７５、第３導光板８８０は、右側突出部８５１のみである。また、右側突出部８５１の下部には、内壁８５６の内外両側に跨がって振動式演出手段８８１が設けられている。
【１０１３】
このように前壁８５３，８５４側の第１発光表示部８６６，８６７用の第１ＬＥＤ８７１，８７２を前面に備えたＬＥＤ基板８７６，８７７を前側に配置し、このＬＥＤ基板８７６，８７７の後側に内壁８５６，８５７側の第２発光表示部８６８，８６９用の第２ＬＥＤ８７３，８７４と、外壁８５８側の第３発光表示部８７０用の第３ＬＥＤ８７５とを備え、この第２，第３ＬＥＤ８７３〜８７５からの光を第２、第３導光板８７８，８７９，８８０を経て第２、第３発光表示部８６８，８６９，８７０へと導光することにより、第１〜第３ＬＥＤ８７１〜８７５の全てをＬＥＤ基板８７６，８７７に装着できるので、構造的に簡単になり容易且つ安価に実施することができる。
【１０１４】
前壁８５３，８５４の前面は略平坦状であり、その前面に第１発光表示部８６６，８６７が設けられている。この第１発光表示部８６６，８６７は、前壁８５３，８５４に形成された前後方向の貫通孔８６６ａ，８６７ａと、この貫通孔８６６ａ，８６７ａに嵌め込まれた光透過部８６６ｂ，８６７ｂとを有し、第１ＬＥＤ８７１，８７２からの光により光透過部８６６ｂ，８６７ｂが発光するようになっている。
【１０１５】
なお、右側突出部８５１の第１発光表示部８６６には、パチンコ機の機種名を表示する主表示部８６６Ａと、その周辺に配置された筋状又は亀裂状の装飾用の副表示部８６６Ｂとがある。主表示部８６６Ａは機種名の文字毎に上下方向に略等間隔をおいて複数配置されている。また、副表示部８６６Ｂは主表示部８６６Ａの周辺部分に適宜配置されている。なお、主表示部８６６Ａは機種名を一単位として表示するようにしてもよい。
【１０１６】
各突出部８５１，８５２の内壁８５６，８５７、外壁８５８，８５９は、図１６５、図１６６に右側突出部８５１の内壁８５６を例示するように、石垣等の装飾模様を呈する造形突部８５６ｃと、この造形突部８５６ｃ間に形成された造形凹部８５６ｄとを有する。なお、この造形突部８５６ｃ、造形凹部８５６ｄは井戸の内外の石垣を模したものであり、その造形突部８５６ｃ、造形凹部８５６ｄの凹凸は、内壁８５６，８５７側が外壁８５８，８５９よりも大である。
【１０１７】
内壁８５６，８５７、外壁８５８，８５９には、造形凹部８５６ｄ内に複数の筋状又は亀裂状の第２、第３発光表示部８６８〜８７０が設けられている。内壁８５６にはその下部に振動式演出手段８８１が配置されるため、第２発光表示部８６８は振動式演出手段８８１を避けてその上側及び後側に分散して配置されている。
【１０１８】
第２、第３発光表示部８６８〜８７０は、内壁８５６，８５７、外壁８５８に貫通状に形成された貫通孔８６８ａ〜８７０ａと、この貫通孔８６８ａ〜８７０ａに嵌め込まれた光透過部８６８ｂ〜８７０とを有し、第２、第３ＬＥＤ８７３〜８７５から第２、第３導光板８７８〜８８０を経て導光される光により、各光透過部８６８ｂ〜８７０の少なくとも一部が筋状、亀裂状その他の発光態様で適宜発光するようになっている。
【１０１９】
前支持体８６２，８６３は光透過性を有する合成樹脂製であって、前壁８５３，８５４の後側に近接して配置された前壁部８６２ａ，８６３ａと、この前壁部８６２ａ，８６３ａの外周から後側に突出する周壁部８６２ｂ，８６３ｂとを一体に備え、その前壁部８６２ａ，８６３ａの前面に、前側に突出する光透過部８６６ｂ，８６７ｂが一体に設けられている。
【１０２０】
主表示部８６６Ａの光透過部８６６ｂは、後側に凹部が形成された中空状であって、その凹部の前面に乱反射部が設けられている。副表示部８６６Ｂの光透過部８６６ｂに対応して乱反射部と、この乱反射部を取り囲む突条壁とが設けられている。なお、主表示部８６６Ａ、副表示部８６６Ｂの光透過部は中実状でもよいし、裏側に凹部を備えた中空状でもよい。
【１０２１】
ＬＥＤ基板８７６，８７７は周壁部８６２ｂ，８６３ｂの後端に当接して前支持体８６２，８６３に着脱自在に固定されている。このＬＥＤ基板８７６，８７７の前面には、第１発光表示部８６６，８６７に後方から光を照射するように、各第１発光表示部８６６，８６７に対応して複数の第１ＬＥＤ８７１，８７２が装着されている。
【１０２２】
また、ＬＥＤ基板８７６，８７７の裏面には、第２導光板８７８，８７９の前端の受光部８７８ａ，８７９ａと相対向するように、その端縁に沿って上下方向に所定の間隔をおいて複数の第２ＬＥＤ８７３，８７４が装着されている。ＬＥＤ基板８７６の裏面には、第３導光板８８０の前端の受光部８８０ａと相対向するように、その端縁に沿って上下方向に所定の間隔をおいて複数の第３ＬＥＤ８７５が装着されている。
【１０２３】
このように第１〜第３ＬＥＤ８７１〜８７５をＬＥＤ基板８７６，８７７に装着することにより、ＬＥＤ基板８７６，８７７の数を少なくすることができる。また第２，第３ＬＥＤ８７３〜８７５をＬＥＤ基板８７６，８７７の端部に配置することにより、第２、第３導光板８７８〜８８０を内壁８５６，８５７、外壁８５８，８５９に接近させて配置することが可能であり、第２、第３導光板８７８〜８８０を構造的に簡素化することが可能である。
【１０２４】
ＬＥＤ基板８７６と前支持体８６２の前壁部８６２ａとの間には、仕切り体８８２が介装されている。この仕切り体８８２は、第１発光表示部８６６の各主表示部８６６Ａをその周辺の副表示部８６６Ｂ等から仕切る仕切り壁８８２ａを備え、主表示部８６６Ａに対応する第１ＬＥＤ８７１からの光の主表示部８６６Ａ以外への拡散を防止するようになっている。そのため第１発光表示部８６６では、主表示部８６６Ａを副表示部８６６Ｂよりも明るく発光させることは可能である。
【１０２５】
仕切り体８８２は、ＬＥＤ基板８７６と前支持体８６２との何れか一方にねじ等で着脱自在に固定され、その仕切り壁８８２ａの前後両端がＬＥＤ基板８７６及び前壁部８６２ａに当接又は近接している。
【１０２６】
なお、前支持体８６２と仕切り体８８２は縦長状であるため、それに対応して縦長状に配置されるＬＥＤ基板８７６は縦方向に二分割され、その対向端部同士がコネクタ等を介して接続されている。そして、前支持体８６２の後側に仕切り体８８２が装着され、その仕切り体８８２を挟んで前支持体８６２の後側にＬＥＤ基板８７６が装着されている。なお、ＬＥＤ基板８７６は縦方向に一体化してもよいし、また縦方向に三つ以上に分割してもよい。
【１０２７】
第２、第３導光板８７８〜８８０は光透過性を有する合成樹脂製であって、内、外壁８５６〜８５９の造形凹部８５６ｄの内面に当接又は近接するように、内、外壁８５６〜８５９の全体的な湾曲形状に沿って湾曲状に成形され、ねじ等により内、外壁８５６〜８５９の内側に着脱自在に固定されている。第２、第３導光板８７８〜８８０には、前端側に第２、第３ＬＥＤ８７３〜８７５と対向して受光部８７８ａ〜８８０ａが設けられ、また内、外壁８５６〜８５９には一側面に第２、第３発光表示部８６８〜８７０用の第２、第３光透過部８６８ｂ〜８７０ｂが、反対側の他側面に第２、第３導光部８８３〜８８５が夫々表裏に相対応して設けられている。第２、第３導光部８８３〜８８５は、第２、第３発光表示部８６８〜８７０の形状に応じて屈曲部分を含む形状であって、位置によってＶ溝の深さ、幅が異なっている。
【１０２８】
第２、第３発光表示部８６８〜８７０用の第２、第３光透過部８６８ｂ〜８７０ｂは、第２、第３導光板８７８〜８８０から内、外壁８５６〜８５９へと一体に突出する突条により形成されている。第２、第３導光部８８３〜８８５は第２、第３ＬＥＤ８７３〜８７５から受光部８７８ａ〜８８０ａを経て第２、第３導光板８７８〜８８０内に入った光を第２、第３発光表示部８６８〜８７０の第２、第３光透過部８６８ｂ〜８７０ｂへと導光するためのものであり、第２、第３導光板８７８〜８８０に形成されたＶ溝等の反射溝（反射部）により構成されている。
【１０２９】
例えば、第２導光板８７８は、図１６６に示すように、前端側の受光部８７８ａに対応する上下方向の対応領域８７８ａａと、この対応領域８７８ａａよりも上下両側又は上下の一方に食み出す食み出し領域８７８ａｂとを備え、その第２導光板８７８の後部側には両方の領域８７８ａａ，８７８ａｂに跨がって第２発光表示部８６８が上下両側又は上下の一方に食み出すように設けられている。
【１０３０】
そのため第２導光板８７８は、第２ＬＥＤ８７３からの光をその受光部８７８ａに対応する対応領域８７８ａａの第２発光表示部８６８に導光するのは勿論のこと、その対応領域８７８ａａから上下方向の両側又はその一方に離れた食み出し領域８７８ａｂに配置された第２発光表示部８６８に対しても導光するように構成されている。
【１０３１】
即ち、第２導光部８８３は、図１７６に示すように、第２導光板８７８の板厚方向から見た場合に、第２ＬＥＤ８７３の光軸方向に対して略直角となる直角部８８３ｂと、Ｘ軸、Ｙ軸及びＺ軸の三次元方向に傾斜又は屈曲する傾斜又は屈曲部８８３ａとを含む屈曲状に設けられている。
【１０３２】
例えば、図１７６に示すように、第２ＬＥＤ８７３から第２導光部８８３に対して平行光線が入射する場合において、その第２導光部８８３の直角部８８３ｂに入射する８８３ｂ１矢示方向の光は、図１７７（ａ）に示すように、直角部８８３ｂで８８３ｂ２矢示方向へと板厚方向に略直角に反射する。そのため第２発光表示部８６８の直角部８８３ｂに対応する部分を明るく発光させることができる。
【１０３３】
また、同時に第２導光部８８３の傾斜又は屈曲部８８３ａに対して入射する８８３ａ１方向の光は、図１７６、図１７７（ｂ）に示すように、その傾斜又は屈曲部８８３ａの傾斜面又は屈曲面に応じてＸ軸、Ｙ軸及びＺ軸の三次元方向の８８３ａ２方向へと反射する。そのため第２導光部８８３と板厚方向に対応する第２発光表示部８６８に対して乱反射等により光を反射して発光させる一方、第２導光板８７８の板厚内で板面方向に１回又は複数回反射して板面方向へと導光しながら、その光の到達位置にある第２発光表示部８６８の特定部位を線状その他の発光態様で部分的に発光させることができる。
【１０３４】
特に図１７６、図１７７（ｂ）に示すように、第２導光板８７８内に８８３ａ１矢示方向に入射した光がＶ溝状の傾斜又は屈曲部８８３ａで反射する際に、その傾斜又は屈曲部８８３ａが光軸に対して三次元方向に傾斜又は屈曲しているため、光はその傾斜又は屈曲部８８３ａで第２導光板８７８内を８８３ａ２方向に反射する。
【１０３５】
そして、この光は、第２導光板８７８内で１回又は複数回反射しながら第２発光表示部８６８の特定部位に対応する第２導光部８８３へと順次導光されて、その特定部位に対応する第２導光部８８３で第２発光表示部部８６８の特定部位へと反射してその特定部位を発光させる。従って、第２発光表示部部８６８の内、傾斜又は屈曲部８８３ａで三次元方向に反射した光が照射する部位は、弱い明るさで微かに発光させることもできる。
【１０３６】
このようにすれば、第２、第３発光表示部８６８〜８７０は、発光位置によって発光状態を変化させることができる。そのため第２、第３発光表示部８６８〜８７０が略均等な明るさで発光する場合に比較して、その発光状態の強弱によって内、外壁８５６〜８５９の造形物に適した発光演出が可能である。また振動式演出手段８８１等の障害物がある場合にも、その障害物を迂回して第２ＬＥＤ８７３からの光を誘導できるので、構造的にも簡素化できる利点がある。
【１０３７】
なお、振動式演出手段８８１の周辺の複数の第２導光部８８３は、振動式演出手段８８１の背後側の第２発光表示部８６８へと光を導光するように、第２導光板８７８の板面方向に沿って周方向に配置されている。また第２導光部８８３を屈曲状に構成する他、受光部８７８ａと導光対象である第２発光表示部８６８との間で第２導光板８７８を湾曲状に構成して、その第２導光板８７８内で板厚方向に複数回反射しながら導光するようにしてもよい。第２、第３発光表示部８６９，８７０においても同様に実施可能である。
【１０３８】
振動式演出手段８８１は、図１６７〜図１７１に示すように、内壁８５６の下部の開口部８６０ｂ内側から装着された取り付け台８８８と、この取り付け台８８８の遊技領域３２３側に配置され且つ縦方向の支軸８８９廻りの前後方向に振動可能に枢支された演出体８９０と、取り付け台８８８の内側に配置された演出体８９０用の振動手段８９１と、取り付け台８８８に設けられた発光表示部８９２と、発光表示部８９２用のＬＥＤ８９３を有し且つ取り付け台８８８の内側に配置されたＬＥＤ基板８９４と、取り付け台８８８の内側に装着されたタッチセンサ８９５とを備えている。
【１０３９】
演出体８９０は手指を造形したものであって、指を前側にして配置されており、取り付け台８８８の裏側においてそのブラケット８９０ｂが支軸８８９により取り付け台８８８の軸受部８８８ａに枢着され、支軸８８９廻りに左右方向に振動可能である。演出体８９０は金属メッキを施す等、その表面に導体層８９０ａが設けられている。なお、金属メッキ等の導体層８９０ａに代えて、金属等の導体を表面の一部に設けてもよい。
【１０４０】
振動手段８９１は、振動台８９６と、この振動台８９６に取り付け具８９７ａを介して固定された振動モータ８９７と、振動モータ８９７の前後方向の回転軸８９８に固定された偏心ウエイト８９９とを備え、偏心ウエイト８９９が回転軸８９８廻りに回転したときに、振動台８９６が前後に振動するようになっている。
【１０４１】
振動台８９６は上下方向に配置されたＬＥＤ基板８９４を跨ぐようにコ字状に構成され、その前後の脚部８９６ａが上下一対の前後方向の連結軸９００を介して演出体８９０に前後一体に連結されている。なお、振動台８９６の上下方向の振動は、支軸８８９により規制されている。連結軸９００は取り付け台８８８の通孔９０１に挿通されている。
【１０４２】
取り付け台８８８と振動台８９６との間には、演出体８９０を取り付け台８８８側に付勢する付勢手段９０２が設けられている。この付勢手段９０２は、取り付け台８８８から振動台８９６側に突出して脚部８９６ｂの通孔８９３ａに挿通された固定軸８９３ｂと、この固定軸８９３ｂに套嵌され且つ取り付け台８８８と振動台８９６との間に介装されたバネ８９３ｃとを備えている。
【１０４３】
発光表示部８９２は演出体８９０の指部を上下両側から挟むように配置され、前後方向に長く構成されている。各発光表示部８９２は、取り付け台８８８に貫通状に形成された貫通孔８９２ａと、この貫通孔８９２ａに嵌め込まれた光透過部８９２ｂとを有し、ＬＥＤ基板８９４からのＬＥＤ８９３の光により発光するようになっている。ＬＥＤ基板８９４は各発光表示部８９２に対応して上下方向に縦長状に配置され、上下両端部が緩衝手段９０４を介して中空状の支持体９０３に取り付けられている。
【１０４４】
支持体９０３は光透過性を有する合成樹脂製であって、取り付け台８８８の内側に固定された導光壁９０３ａと、この導光壁９０３ａからＬＥＤ基板８９４側に突出する周壁部９０３ｂとを一体に備えている。導光壁９０３ａには一体に突出する光透過部８９２ｂが設けられている。なお、光透過部８９２ｂの背後に凹部が設けられている。
【１０４５】
緩衝手段９０４は、振動手段８９１による演出体８９０の振動時にも、その振動がＬＥＤ基板８９４側に伝わらないように緩衝するためのものであり、ＬＥＤ基板８９４の両側に配置された一対のゴム等の緩衝体９０４ａと、周壁部９０３ｂの外周のブラケット９０４ｂに突設され且つＬＥＤ基板８９４を挟んだ状態の緩衝体９０４ａに挿通される取り付けボス９０４ｃと、緩衝体９０４ａを取り付けボス９０４ｃに取り付ける取り付け具９０４ｄとを備えている。このように緩衝手段９０４を介してＬＥＤ基板８９４を取り付け台８８８に設けることにより、振動手段８９１の振動によるＬＥＤ基板８９４側の損傷を防止することができる。
【１０４６】
タッチセンサ８９５は遊技者が演出体８９０の導体層８９０ａに触れたときに、それを検出して送風演出手段８５５を所定時間作動させるためのものであって、静電容量形その他のものが使用されている。このタッチセンサ８９５は取り付け台８８８の内側に一体に形成された収容部８９５ａに嵌め込まれており、ハーネス８９５ｂを介して演出体８９０の導体層８９０ａに電気的に接続されている。
【１０４７】
上側突出部８５２の内部には、図１７４に示すように、上部スピーカ６６６ｂと反対側に送風演出手段８５５が設けられており、また、内壁８５７には送風演出手段８５５からの風を演出体８９０側へと送風する送風口９０５が設けられている。送風演出手段８５５はシロッコファン等の送風手段９０６を備え、第２導光板８７９に一体に形成された取り付け部９０７に着脱自在に固定されている。第２導光板８７９には、送風手段９０６の風吐出側と送風口９０５側とを連通する送風通路９０８が設けられている。送風口９０５には、不正部材の挿入防止用のネット９０９が設けられている。
【１０４８】
送風演出手段８５５の制御部は、遊技者が振動中の演出体８９０に触れたことをタッチセンサ８９５が検知したときに、タッチセンサ８９５からの信号により送風演出手段８５５を所定時間作動させるように構成されている。なお、タッチセンサ８９５が検知したときに、送風演出手段８５５が送風を停止するようにしてもよい。
【１０４９】
図１７８は本発明の第９の実施形態を例示する。第２側部ユニット８５０の右側突出部８５１等は、図１７８に示すように構成することも可能である。この第２側部ユニット８５０は、前壁８５３に第１発光表示部８６６が、内壁８５６に第２発光表示部８６８が夫々設けられている。ＬＥＤ基板８７６は、右側突出部８５１の内部において、第２発光表示部８６８よりも後側に前壁８５３と相対向するように配置されている。
【１０５０】
ＬＥＤ基板８９４の前面には、第１発光表示部８６６用の第１ＬＥＤ８７１と、第２発光表示部８６８用の第２ＬＥＤ８７３とが装着されている。ＬＥＤ基板８９４と第１発光表示部８６６との間には、第１ＬＥＤ８７１からの光が第１発光表示部８６６以外に漏れないように仕切る導光筒９１０が設けられている。
【１０５１】
第２ＬＥＤ８７３はＬＥＤ基板８７６の端部に配置されており、この第２ＬＥＤ８７３に対応して、内壁８５６の内側に導光板９２２が設けられている。内壁８５６、導光板９２２は前側が遊技領域３２３側となるように傾斜しており、導光板９２２に第２発光表示部８６８用の光透過部８６８ｂが一体に設けられ、また光透過部８６８ｂと反対側にＶ溝等の第２導光部８８３が設けられている。
【１０５２】
このようにＬＥＤ基板８９４は、右側突出部８５１の内部の後側に配置することも可能である。その場合には、第１、第２発光表示部８６６，８６８が共にＬＥＤ基板８９４の前側になるので、ＬＥＤ基板８９４の前面に第１、第２ＬＥＤ８７１，８７３を装着すればよい。
【１０５３】
図１７９は本発明の第１０の実施形態を例示する。第２側部ユニット８５０の右側突出部８５１等は、図１７９に示すように構成することも可能である。この第２側部ユニット８５０は、前壁８５３に第１発光表示部８６６が、内壁８５６に第２発光表示部８６８が夫々設けられている。ＬＥＤ基板８７６は、右側突出部８５１の内部において、内壁８５６の内側に第２発光表示部８６８と相対向して内壁８５６と略平行に配置されており、その第２発光表示部８６８側に第２ＬＥＤ８７３が装着されている。
【１０５４】
前壁８５３の第１発光表示部８６６は、ＬＥＤ基板８７６よりも前側に配置されている。ＬＥＤ基板８７６の前端部には、遊技領域３２３と反対側に第１ＬＥＤ８７１が装着され、この第１ＬＥＤ８７１からの光を第１発光表示部８６６側に導光する導光板９２３が前壁８５３の後側に近接して平行に配置されている。導光板９２３はＶ溝等の導光部９２４を有する。
【１０５５】
このようにＬＥＤ基板８９４は、右側突出部８５１の内部の内壁８５６に対応してその内側に配置することも可能である。なお、内壁８５６、ＬＥＤ基板８７６は、第９の実施形態と同様に傾斜状に設けてもよい。
【１０５６】
図１８０〜図１８３は本発明の第１１の実施形態を例示する。この実施形態は、図１８０（ａ）〜（ｄ）に示すように、第２側部ユニット８５０に汎用機種用から専用機種用の４種類の機種Ａ〜Ｄがあり、その何れかの第２側部ユニット８５０を前扉３０６の前面に装着して特定種類のパチンコ機３００を製造する場合を例示する。
【１０５７】
第２側部ユニット８５０は、図１８１に示すように、ＬＥＤ基板８９４等のユニット基板９１１を有し、そのユニット基板９１１には、第２側部ユニット８５０の識別情報を記憶する識別情報記憶部９１２が設けられている。この識別情報記憶部９１２には、図１８３に示すように、４種類の機種Ａ〜Ｄを個別に識別可能な識別情報が記憶されている。この識別情報記憶部９１２はパチンコ機３００の本体側の中継基板９１３等を介して演出制御基板９１４に接続されている。
【１０５８】
演出制御基板９１４は通常遊技の演出画像等の制御を実行する他に、当該機種のパチンコ機３００において、その前扉３０６に装着されるべき第２側部ユニット８５０の固有情報を記憶する固有情報記憶部９１５と、この固有情報記憶部９１５に記憶された固有情報と識別情報記憶部９１２に記憶された識別情報とを照合して第２側部ユニット８５０の適否を判定する照合部（判定部）９１６とを備え、第２側部ユニット８５０が相違する旨の照合結果が出たときに、遊技盤３１３の画像表示手段９１７の表示画面に、第２側部ユニット８５０のエラー表示を表示するようになっている。
【１０５９】
このような構成を採用すれば、例えば、遊技ホールにおいて、点検等で取り外した後の第２側部ユニット８５０を装着する場合に、第２側部ユニット８５０の誤装着が生じても、その事実を知らないまま放置するようなことを未然に防止することが可能である。
【１０６０】
例えば、第２側部ユニット８５０の装着後にパチンコ機３００の電源を投入すれば、照合部９１６が実際に装着された第２側部ユニット８５０の識別情報を読み出して、固有情報記憶部９１５に記憶された固有情報と照合を行う。そして、第２側部ユニット８５０が本来のものと異なっておれば、画像表示手段９１７が第２側部ユニット８５０のエラー表示を行う。従って、第２側部ユニット８５０が間違っているにも拘わらず、その事実を知らずに遊技を行うようなことを未然に防止できる。
【１０６１】
画像表示手段９１７の表示画面に各種の画像を表示するに当たっては、図１８４に示すように、通常遊技画像のレイヤ９１８、通常エラー表示のレイヤ９１９、第２側部ユニット８５０のエラー表示のレイヤ９２０の順で後になる程優先順位が高くなるように各レイヤ９１８〜９２０の優先順位を設定しておく。このようにすれば、電源の投入後の最も早い段階で第２側部ユニット８５０の表示エラーの有無を判断することができる。
【１０６２】
以上、本発明の第８〜第１１の各実施形態について詳述したが、本発明は第８〜第１１の各実施形態に限定されるものではなく、その趣旨が逸脱しない範囲で種々の変更が可能である。遊技機本体の前面に、遊技領域３２３の側部から前側に突出する側部ユニット８５０を設ける場合、その側部ユニット８５０は、前側の幅が後側の幅よりも大であれば十分である。従って、その場合、遊技領域３２３側への傾斜又は膨らみ等によって、前側の幅が後側の幅よりも大とするのが一般的であるが、遊技領域３２３とは反対側への傾斜又は膨らみ等によることも可能である。
【１０６３】
なお、側部ユニット８５０の遊技領域３２３側の内側面は、前側が後側よりも遊技領域３２３側の内側に突出することが望ましい。側部ユニット８５０は、縦長状の右側突出部８５１及び／又は横長状の上側突出部８５２を備えておればよい。
【１０６４】
ＬＥＤ基板８７６は発光表示部８９２の前側、後側の何れに配置してもよい。また導光板と対応するＬＥＤは、ＬＥＤ基板８７６の端縁近傍に設けることが望ましいが、導光板が屈曲する場合には、導光板と対応するＬＥＤはＬＥＤ基板８７６の中間部分に配置してもよい。導光板は無色透明、着色透明の何れでもよい。
【１０６５】
振動式演出手段８８１に代えて他の可動演出手段等を設けることも可能である。導光手段としては、導光板が一般的であるが、導光板以外の形状のものを用いてもよい。
【符号の説明】
【１０６６】
３４  演出ボタン（操作手段）
３５  十字操作手段（操作手段）
４５  ベース板（遊技部材）
４７  中央表示枠ユニット（遊技部材）
４９  大入賞ユニット（遊技部材）
５３  第１特別図柄表示手段（図柄表示手段）
５４  第２特別図柄表示手段（図柄表示手段）
５６  第１特別図柄始動手段（始動手段）
５７  第２特別図柄始動手段（始動手段）
６０  画像表示手段
６０ａ  表示画面
７４  窓枠部（遊技部材）
７５ａ  第１可３４  動体（可動体）
７６ａ  第２可動体（可動体）
７７ａ  第３可動体（可動体）
７８ａ  第４可動体（可動体）
１１４  演出図柄
１１４ａ  図柄画像
１１４ｂ  装飾画像
１１６ａ  音量調整可能報知画像（報知画像）
１１６ｂ  光量調整可能報知画像（報知画像）
１１７ａ  音量設定画像
１１７ｂ  光量設定画像
１１８ａ  メニュー表示可能報知画像（報知画像）
１１８ｂ  メニュー画像
１２０  節電モード報知画像
１３８  特別始動口チェック処理手段（始動検出処理手段）
１３９  特別乱数記憶手段（乱数記憶手段）
１４２  特別利益状態発生手段（利益状態発生手段）
１６１  保留台座画像
１６３  エラー報知画像
Ｂ１  第１固定隠蔽領域（第１表示領域）
Ｂ２  第２固定隠蔽領域（第１表示領域）
Ｂ３  第３固定隠蔽領域（第１表示領域）
Ｂ４  第４固定隠蔽領域（第１表示領域）
Ｂ５  第５固定隠蔽領域（第１表示領域）
Ｃ  可動隠蔽領域（第２表示領域）
Ｄ  非隠蔽領域（第３表示領域）
Ｘ１〜  第１保留表示画像
Ｙ１〜  第２保留表示画像
３０１  外枠（第１支持枠）
３０２  前枠（第２支持枠）
３１３  遊技盤
３２３  遊技領域
３４７  球タンク（枠側構成部材）
３５３  ＬＥＤ接続基板
３８８  中央表示枠（センターケース）
３９１  取り付け枠
３９３  画像表示手段
３９４〜３９７  可動演出手段
３９９  ハーネス受け台（裏側押え手段）
４２６  前側部材
４２７  後側部材
４５３  表示手段装着部
４５４  膨出部
４６２  挿脱部
４６７  側部基板取り付け台（第２部材、裏側押え手段）
４９９  固定係合部（第１部材）
５４６，５６２，５７４  可動演出体
５４７，５６４，５７５  駆動手段
６１１  案内レール
６１５  欠落部
６１６  規制部
６１７  支点部
６２３  押し込み手段
６２５  押圧案内部
３００    パチンコ機
３０１  外枠（第１支持枠）
３０２  前枠（第２支持枠）
３０４  施錠手段
３０６  前扉
３１０  飾り部材
３１１  遊技盤装着部
３１３  遊技盤
３２２  扉ベース
３２３  遊技領域
３２８  上皿（発射球貯留部）
３２９  下皿（余剰球貯留部）
３３１  下装飾カバー
３４０  ガラスユニット
３４１  縦枠材
３４２  縦枠材
３４３  上横枠材
３４４  下横枠材
３８７  ガイドレール
３８８  センターケース
３９３  画像表示手段
Ｆ      床面
Ｕ      待機位置（上昇位置）
Ｄ      押し込み位置
６４５  第１支持部
６４６  第２支持部
６４７  前突出部
６６６ａ，６６６ｂ  上部スピーカ
６６７ａ，６６７ｂ  下部スピーカ
６６８ａ  第１側部ユニット
６６８ｂ  第２側部ユニット
６６９  前張り出しユニット（前突出ユニット）
６６９ａ    突出部
６７０ａ，６７０ｂ  保護カバー
６７１ａ  ガラス板（視認板）
６７１ｂ  保持枠
６８８  解除操作手段
６８９  連動機構
６９０  支持板
６９９  不正防止縁部
７０２ａ，７０２ｂ  スピーカ装着突部
７１３  内部空間
７１５  導光体
７２０  ＬＥＤ
７２１  ＬＥＤ基板
７２２  発光装飾カバー
７３０  上側突出部
７３１  ユニット枠
７３２  ユニット補強板
７３３  第１位置決め手段
７３４  第２位置決め手段
７３５〜７３７  第１〜第３係止手段
７３８〜７４０  第１〜第３固定手段
７３８ｃ〜７４０ｃ  固定ねじ
７４４，７４４ａ  発光表示部
７４５  風案内手段
７４６  送風手段
７５２  クランプ手段
７８２  第１操作パネル部
７８３  第２操作パネル部
７８５  操作手段配置部
７８８ａ  球貸し操作手段
７８８ｂ  返却操作手段
７８８ｃ  球抜き操作手段
７８９  十字操作手段
７９１  光量調整手段
７９１ａ  上操作キー
７９３  底壁
７９３ａ  水平部
７９３ｂ  傾斜部
７９４  前側支持部
７９５  本体側支持部
７９６ａ  島設備
７９８  周辺カバー
７９９ｃ  透視部
８００ｃ  後覆い部
８０４  映り込み防止手段
８０４ａ  映り込み防止壁
８０５  固定支持枠
８０６  第１回転支持手段
８０７  第１回転体（内回転体）
８０８  第２回転支持手段
８０９  第２回転体（外回転体）
８１０  回転駆動手段
８１０ａ  駆動モータ
８１３  演出ボタン（押下操作体）
８１３ａ  操作部
８１５  振動発生手段
８１５ａ  振動体
８１５ｂ  振動モータ
８１５ｄ  偏心ウエイト
８１８  挿入阻止手段
８１９  ギヤー列
８１９ａ  第１従動ギヤー
８１９ｂ  第２従動ギヤー
８１９ｃ  駆動ギヤー
８１９ｄ  中間ギヤー
８２４  固定支持部材
８２７  補強手段
８２７ａ  補強部材
８２７ｃ  押え部材
８２８ａ，８２８ｂ  第１位置検出手段
８２９  第２位置検出手段
８３１  振動伝達手段
８３３  操作検出手段
８３５  演出操作手段
８３６  発光操作部材
８３６ｄ  ＬＥＤ基板
８３８  前案内手段
８３９  後案内手段
８４０  遮蔽板
８５０  第２側部ユニット
８５１  右側突出部（左右一側突出部）
８５１ａ，８５１ｂ  左右幅
８５２  上側突出部
８５２ａ，８５２ｂ  上下幅
８５３，８５４  前壁
８５５    風演出手段
８５６，８５７  内壁
８５６ａ，８５７ａ  傾斜部
８５６ｂ，８５７ｂ  膨らみ部
８６１  補強部材
８６６，８６７  第１発光表示部
８６８，８６９  第２発光表示部
８７０  第３発光表示部
８７１，８７２  第１ＬＥＤ
８７３，８７４  第２ＬＥＤ
８７５  第３ＬＥＤ
８７６，８７７  ＬＥＤ基板
８７８，８７９  第２導光板（第２導光手段）
８８０  第３導光板（第３導光手段）
８８１  振動式演出手段
８９４  ＬＥＤ基板
９０２  付勢手段
９１２  識別情報記憶部
９１５  固有情報記憶部
９１６  照合部（判定部）
９１７  画像表示手段
【図１】
2020032282.tif 000003
【図２】
2020032282.tif 000004
【図３】
2020032282.tif 000005
【図４】
2020032282.tif 000006
【図５】
2020032282.tif 000007
【図６】
2020032282.tif 000008
【図７】
2020032282.tif 000009
【図８】
2020032282.tif 000010
【図９】
2020032282.tif 000011
【図１０】
2020032282.tif 000012
【図１１】
2020032282.tif 000013
【図１２】
2020032282.tif 000014
【図１３】
2020032282.tif 000015
【図１４】
2020032282.tif 000016
【図１５】
2020032282.tif 000017
【図１６】
2020032282.tif 000018
【図１７】
2020032282.tif 000019
【図１８】
2020032282.tif 000020
【図１９】
2020032282.tif 000021
【図２０】
2020032282.tif 000022
【図２１】
2020032282.tif 000023
【図２２】
2020032282.tif 000024
【図２３】
2020032282.tif 000025
【図２４】
2020032282.tif 000026
【図２５】
2020032282.tif 000027
【図２６】
2020032282.tif 000028
【図２７】
2020032282.tif 000029
【図２８】
2020032282.tif 000030
【図２９】
2020032282.tif 000031
【図３０】
2020032282.tif 000032
【図３１】
2020032282.tif 000033
【図３２】
2020032282.tif 000034
【図３３】
2020032282.tif 000035
【図３４】
2020032282.tif 000036
【図３５】
2020032282.tif 000037
【図３６】
2020032282.tif 000038
【図３７】
2020032282.tif 000039
【図３８】
2020032282.tif 000040
【図３９】
2020032282.tif 000041
【図４０】
2020032282.tif 000042
【図４１】
2020032282.tif 000043
【図４２】
2020032282.tif 000044
【図４３】
2020032282.tif 000045
【図４４】
2020032282.tif 000046
【図４５】
2020032282.tif 000047
【図４６】
2020032282.tif 000048
【図４７】
2020032282.tif 000049
【図４８】
2020032282.tif 000050
【図４９】
2020032282.tif 000051
【図５０】
2020032282.tif 000052
【図５１】
2020032282.tif 000053
【図５２】
2020032282.tif 000054
【図５３】
2020032282.tif 000055
【図５４】
2020032282.tif 000056
【図５５】
2020032282.tif 000057
【図５６】
2020032282.tif 000058
【図５７】
2020032282.tif 000059
【図５８】
2020032282.tif 000060
【図５９】
2020032282.tif 000061
【図６０】
2020032282.tif 000062
【図６１】
2020032282.tif 000063
【図６２】
2020032282.tif 000064
【図６３】
2020032282.tif 000065
【図６４】
2020032282.tif 000066
【図６５】
2020032282.tif 000067
【図６６】
2020032282.tif 000068
【図６７】
2020032282.tif 000069
【図６８】
2020032282.tif 000070
【図６９】
2020032282.tif 000071
【図７０】
2020032282.tif 000072
【図７１】
2020032282.tif 000073
【図７２】
2020032282.tif 000074
【図７３】
2020032282.tif 000075
【図７４】
2020032282.tif 000076
【図７５】
2020032282.tif 000077
【図７６】
2020032282.tif 000078
【図７７】
2020032282.tif 000079
【図７８】
2020032282.tif 000080
【図７９】
2020032282.tif 000081
【図８０】
2020032282.tif 000082
【図８１】
2020032282.tif 000083
【図８２】
2020032282.tif 000084
【図８３】
2020032282.tif 000085
【図８４】
2020032282.tif 000086
【図８５】
2020032282.tif 000087
【図８６】
2020032282.tif 000088
【図８７】
2020032282.tif 000089
【図８８】
2020032282.tif 000090
【図８９】
2020032282.tif 000091
【図９０】
2020032282.tif 000092
【図９１】
2020032282.tif 000093
【図９２】
2020032282.tif 000094
【図９３】
2020032282.tif 000095
【図９４】
2020032282.tif 000096
【図９５】
2020032282.tif 000097
【図９６】
2020032282.tif 000098
【図９７】
2020032282.tif 000099
【図９８】
2020032282.tif 000100
【図９９】
2020032282.tif 000101
【図１００】
2020032282.tif 000102
【図１０１】
2020032282.tif 000103
【図１０２】
2020032282.tif 000104
【図１０３】
2020032282.tif 000105
【図１０４】
2020032282.tif 000106
【図１０５】
2020032282.tif 000107
【図１０６】
2020032282.tif 000108
【図１０７】
2020032282.tif 000109
【図１０８】
2020032282.tif 000110
【図１０９】
2020032282.tif 000111
【図１１０】
2020032282.tif 000112
【図１１１】
2020032282.tif 000113
【図１１２】
2020032282.tif 000114
【図１１３】
2020032282.tif 000115
【図１１４】
2020032282.tif 000116
【図１１５】
2020032282.tif 000117
【図１１６】
2020032282.tif 000118
【図１１７】
2020032282.tif 000119
【図１１８】
2020032282.tif 000120
【図１１９】
2020032282.tif 000121
【図１２０】
2020032282.tif 000122
【図１２１】
2020032282.tif 000123
【図１２２】
2020032282.tif 000124
【図１２３】
2020032282.tif 000125
【図１２４】
2020032282.tif 000126
【図１２５】
2020032282.tif 000127
【図１２６】
2020032282.tif 000128
【図１２７】
2020032282.tif 000129
【図１２８】
2020032282.tif 000130
【図１２９】
2020032282.tif 000131
【図１３０】
2020032282.tif 000132
【図１３１】
2020032282.tif 000133
【図１３２】
2020032282.tif 000134
【図１３３】
2020032282.tif 000135
【図１３４】
2020032282.tif 000136
【図１３５】
2020032282.tif 000137
【図１３６】
2020032282.tif 000138
【図１３７】
2020032282.tif 000139
【図１３８】
2020032282.tif 000140
【図１３９】
2020032282.tif 000141
【図１４０】
2020032282.tif 000142
【図１４１】
2020032282.tif 000143
【図１４２】
2020032282.tif 000144
【図１４３】
2020032282.tif 000145
【図１４４】
2020032282.tif 000146
【図１４５】
2020032282.tif 000147
【図１４６】
2020032282.tif 000148
【図１４７】
2020032282.tif 000149
【図１４８】
2020032282.tif 000150
【図１４９】
2020032282.tif 000151
【図１５０】
2020032282.tif 000152
【図１５１】
2020032282.tif 000153
【図１５２】
2020032282.tif 000154
【図１５３】
2020032282.tif 000155
【図１５４】
2020032282.tif 000156
【図１５５】
2020032282.tif 000157
【図１５６】
2020032282.tif 000158
【図１５７】
2020032282.tif 000159
【図１５８】
2020032282.tif 000160
【図１５９】
2020032282.tif 000161
【図１６０】
2020032282.tif 000162
【図１６１】
2020032282.tif 000163
【図１６２】
2020032282.tif 000164
【図１６３】
2020032282.tif 000165
【図１６４】
2020032282.tif 000166
【図１６５】
2020032282.tif 000167
【図１６６】
2020032282.tif 000168
【図１６７】
2020032282.tif 000169
【図１６８】
2020032282.tif 000170
【図１６９】
2020032282.tif 000171
【図１７０】
2020032282.tif 000172
【図１７１】
2020032282.tif 000173
【図１７２】
2020032282.tif 000174
【図１７３】
2020032282.tif 000175
【図１７４】
2020032282.tif 000176
【図１７５】
2020032282.tif 000177
【図１７６】
2020032282.tif 000178
【図１７７】
2020032282.tif 000179
【図１７８】
2020032282.tif 000180
【図１７９】
2020032282.tif 000181
【図１８０】
2020032282.tif 000182
【図１８１】
2020032282.tif 000183
【図１８２】
2020032282.tif 000184
【図１８３】
2020032282.tif 000185